(57)【要約】  外科用システムが、ロボットツールと、ロボット制御システムと、外科用器具と、外科用ハブとを備える。ロボット制御システムは、制御コンソールと、制御コンソール及びロボットツールと信号通信を行う制御ユニットとを含む。外科用ハブは、ディスプレイを含む。外科用ハブは、ロボット制御システムと信号通信を行う。外科用ハブは、外科用器具を検出し、外科用器具をディスプレイ上に表現するように構成されている。
2021509305.tif 000002
【特許請求の範囲】
【請求項１】
外科用システムであって、
ロボットツールと、
ロボット制御システムであって、
制御コンソールと、
前記制御コンソール及び前記ロボットツールと信号通信を行う制御ユニットと、を含むロボット制御システムと、
外科用器具と、
ディスプレイを含む外科用ハブであって、前記ロボット制御システムと信号通信を行い、前記外科用器具を検出し、前記外科用器具を前記ディスプレイ上に表現するように構成されている、外科用ハブと、を備える、外科用システム。
【請求項２】
前記外科用器具が電動自律型外科用器具を含む、請求項１に記載の外科用システム。
【請求項３】
前記外科用器具が前記ロボット制御システムから独立している、請求項１に記載の外科用システム。
【請求項４】
前記外科用ハブが、前記ディスプレイ上に前記外科用器具の位置を表示するように構成されている、請求項１に記載の外科用システム。
【請求項５】
前記外科用ハブが、前記ディスプレイ上に前記外科用器具の動作状態を表示するように構成されている、請求項１に記載の外科用システム。
【請求項６】
前記ディスプレイがヘッドアップディスプレイを含む、請求項１に記載の外科用システム。
【請求項７】
前記外科用ハブが、前記ロボットツールの位置に対する前記外科用器具の前記検出に基づいて外科的機能を推奨するように構成された状況認識モジュールを更に備える、請求項１に記載の外科用システム。
【請求項８】
外科用システムであって、
ロボットツールと、
ロボット制御システムであって、
制御コンソールと、
前記制御コンソール及び前記ロボットツールと信号通信を行う制御ユニットと、を含むロボット制御システムと、
複数の動作状態で動作可能な外科用器具と、
ディスプレイを含む外科用ハブであって、前記ロボット制御システムと信号通信を行い、前記外科用器具の起動された動作状態を検出し、前記起動された動作状態を前記ディスプレイ上に表現するように構成されている、外科用ハブと、を備える、外科用システム。
【請求項９】
前記外科用器具が電動外科用装置を含む、請求項８に記載の外科用システム。
【請求項１０】
前記外科用器具が自律型外科用器具である、請求項８に記載の外科用システム。
【請求項１１】
前記外科用ハブが、前記ディスプレイ上に前記外科用器具の向きを表示するように構成されている、請求項８に記載の外科用システム。
【請求項１２】
前記外科用ハブが、前記ディスプレイ上に前記外科用器具の動作状態を表示するように構成されている、請求項８に記載の外科用システム。
【請求項１３】
前記ロボットツールの位置に対する前記外科用器具の前記検出に基づいて外科的機能を推奨するように構成された状況認識モジュールを更に備える、請求項８に記載の外科用システム。
【請求項１４】
外科用システムであって、
ロボットツールと、
ロボット制御システムであって、
制御コンソールと、
前記制御コンソール及び前記ロボットツールと信号通信を行う制御ユニットと、を含むロボット制御システムと、
外科用器具と、
外科用ハブであって、前記ロボット制御システムと信号通信を行い、前記外科用器具を検出するように構成されている、外科用ハブと、
前記外科用ハブと信号通信を行うディスプレイであって、前記外科用ハブが前記ディスプレイ上に前記外科用器具を表現するように構成されている、ディスプレイと、を備える、外科用システム。
【請求項１５】
前記外科用器具が電動外科用器具を含む、請求項１４に記載の外科用システム。
【請求項１６】
前記外科用器具が前記ロボット制御システムから独立している、請求項１４に記載の外科用システム。
【請求項１７】
前記外科用ハブが、前記ディスプレイ上に前記外科用器具の位置を表示するように構成されている、請求項１４に記載の外科用システム。
【請求項１８】
前記外科用ハブが、前記ディスプレイ上に前記外科用器具の動作状態を表示するように構成されている、請求項１４に記載の外科用システム。
【請求項１９】
前記ディスプレイがヘッドアップディスプレイを含む、請求項１４に記載の外科用システム。
【請求項２０】
前記ロボットツールの位置に対する前記外科用器具の前記検出に基づいて外科的機能を推奨するように構成された状況認識モジュールを更に備える、請求項１４に記載の外科用システム。
【発明の詳細な説明】
【技術分野】
【０００１】
（関連出願の相互参照）
本出願は、米国特許法第１１９条（ｅ）の下で、その開示の全体が参照により本明細書に組み込まれる、「ＡＵＴＯＭＡＴＩＣ  ＴＯＯＬ  ＡＤＪＵＳＴＭＥＮＴＳ  ＦＯＲ  ＲＯＢＯＴ−ＡＳＳＩＳＴＥＤ  ＳＵＲＧＩＣＡＬ  ＰＬＡＴＦＯＲＭＳ」と題する２０１８年３月２８日出願の米国特許仮出願第６２／６４９，３０７号の優先権の利益を主張する。
【０００２】
本出願は更に、米国特許法第１１９条（ｅ）の下で、その各開示の全体が参照により本明細書に組み込まれる、「ＩＮＴＥＲＡＣＴＩＶＥ  ＳＵＲＧＩＣＡＬ  ＰＬＡＴＦＯＲＭ」と題する２０１７年１２月２８日出願の米国仮特許出願第６２／６１１，３４１号、「ＣＬＯＵＤ−ＢＡＳＥＤ  ＭＥＤＩＣＡＬ  ＡＮＡＬＹＴＩＣＳ」と題する２０１７年１２月２８日出願の米国仮特許出願第６２／６１１，３４０号、及び「ＲＯＢＯＴ  ＡＳＳＩＳＴＥＤ  ＳＵＲＧＩＣＡＬ  ＰＬＡＴＦＯＲＭ」と題する２０１７年１２月２８日出願の米国仮特許出願第６２／６１１，３３９号の優先権の利益を主張する。
【背景技術】
【０００３】
本開示はロボット外科用システムに関する。ロボット外科用システムは、中央制御ユニットと、外科医のコマンドコンソールと、１つ又は２つ以上のロボットアームを持つロボットとを含むことができる。ロボット外科用ツールは、ロボットアームに取り外し可能に取り付けることができる。ロボット外科用ツールの数及び種類は、外科処置の種類によって異なってもよい。ロボット外科用システムは、外科処置中に１つ若しくは２つ以上のディスプレイ及び／又は１つ若しくは２つ以上のハンドヘルド式外科用器具と接続して使用することができる。
【発明の概要】
【課題を解決するための手段】
【０００４】
一般的な一態様では、外科用システムが提供される。一般的な一態様では、外科用器具が提供される。外科用システムは、ロボットツールと、ロボット制御システムと、外科用器具と、外科用ハブと、を備える。ロボット制御システムは、制御コンソールと、制御コンソール及びロボットツールと信号通信を行う制御ユニットとを含む。外科用ハブは、ディスプレイを含む。外科用ハブは、ロボット制御システムと信号通信を行う。外科用ハブは、外科用器具を検出し、外科用器具をディスプレイ上に表現するように構成されている。
【０００５】
別の一般的な一態様では、外科用システムが提供される。外科用システムは、ロボットツールと、ロボット制御システムであって、制御コンソールと、制御コンソール及びロボットツールと信号通信を行う制御ユニットとを含むロボット制御システムを備える。外科用システムは、複数の動作状態で動作可能な外科用器具を更に備え、また外科用ハブも備える。外科用ハブは、ディスプレイを含む。外科用ハブは、ロボット制御システムと信号通信を行う。外科用ハブは、外科用器具の起動された動作状態を検出し、起動された動作状態をディスプレイ上に表現するように構成されている。
【０００６】
更に別の一般的な一態様では、外科用システムが提供される。外科用システムは、ロボットツールと、ロボット制御システムであって、制御コンソールと、制御コンソール及びロボットツールと信号通信を行う制御ユニットとを含むロボット制御システムを備える。外科用システムはまた、外科用器具と、外科用ハブと、ディスプレイとを備える。外科用ハブは、ロボット制御システムと信号通信を行う。外科用ハブは、外科用器具を検出するように構成されている。ディスプレイは、外科用ハブと信号通信を行う。外科用ハブは、ディスプレイ上に外科用器具を表現するように構成されている。
【図面の簡単な説明】
【０００７】
様々な態様の特徴が、添付された特許請求の範囲で詳細に説明される。ただし、機構、及び動作の方法の両方についての様々な態様は、それらの更なる目的及び利点と共に、以降の添付図面と併せて、以下の説明を参照することにより最もよく理解されることができる。
【図１】本開示の少なくとも１つの態様による、コンピュータ実施インタラクティブ外科システムのブロック図である。
【図２】本開示の少なくとも１つの態様による、手術室内で外科処置を行うために使用される外科システムを示す図である。
【図３】本開示の少なくとも１つの態様による可視化システム、ロボットシステム、及びインテリジェント器具とペアリングされた外科用ハブを示す図である。
【図４】本開示の少なくとも１つの態様による、外科用ハブ筐体、及び外科用ハブ筐体のドロアー内に摺動可能に受け入れ可能な組み合わせ生成器モジュールの部分斜視図である。
【図５】本開示の少なくとも１つの態様による、双極、超音波、及び単極接点、並びに排煙構成要素を備える組み合わせ発生器モジュールの斜視図である。
【図６】本開示の少なくとも１つの態様による、複数のモジュールを受け入れるように構成された横方向モジュール式ハウジングの複数の横方向ドッキングポートの個々の電力バスアタッチメントを示す図である。
【図７】本開示の少なくとも１つの態様による、複数のモジュールを受け入れるように構成された垂直モジュール式ハウジングを示す図である。
【図８】本開示の少なくとも１つの態様による、医療施設の１つ又は２つ以上の手術室、又は外科処置のための専門設備を備えた医療施設内の任意の部屋に配置されたモジュール式装置をクラウドに接続するように構成されたモジュール式通信ハブを備える外科用データネットワークを示す図である。
【図９】本開示の少なくとも１つの態様による、コンピュータ実施インタラクティブ外科システムを示す図である。
【図１０】本開示の少なくとも１つの態様による、モジュール式制御タワーに連結された複数のモジュールを備える外科用ハブを示す図である。
【図１１】本開示の少なくとも１つの態様による、ユニバーサルシリアルバス（ＵＳＢ）ネットワークハブ装置の一態様を示す図である。
【図１２】本開示の少なくとも１つの態様による、外科用器具又はツールの制御システムの論理図である。
【図１３】本開示の少なくとも１つの態様による、外科用器具又はツールの態様を制御するように構成された制御回路を示す図である。
【図１４】本開示の少なくとも１つの態様による、外科用器具又はツールの態様を制御するように構成された組み合わせ論理回路を示す図である。
【図１５】本開示の少なくとも１つの態様による、外科用器具又はツールの態様を制御するように構成された順序論理回路を示す図である。
【図１６】本開示の少なくとも１つの態様による、様々な機能を実行するために起動され得る複数のモータを備える外科用器具又はツールを示す図である。
【図１７】本開示の少なくとも１つの態様による、本明細書で説明される外科用ツールを操作するように構成されたロボット外科用器具の回路図である。
【図１８】本開示の少なくとも１つの態様による、変位部材の遠位並進を制御するようにプログラムされた外科用器具のブロック図である。
【図１９】本開示の少なくとも１つの態様による、様々な機能を制御するように構成された外科用器具の回路図である。
【図２０】本開示の少なくとも１つの態様による、他の利点の中でも特に、インダクタを利用しない同調を提供するように構成された発生器の略ブロック図である。
【図２１】本開示の少なくとも１つの態様による、図２０の発生器の一形態である発生器の一実施例を示す図である。
【図２２】本開示の一態様によるロボット外科用システムの概略図である。
【図２３】本開示の少なくとも１つの態様によるロボット外科用システムの概略図である。
【図２４】本開示の少なくとも１つの態様による、図２３のロボット外科用システムの制御コンポーネントのブロック図である。
【図２５Ａ】本開示の少なくとも１つの態様による、組織と接触しないように配置された超音波外科用ツールの立面図である。
【図２５Ｂ】本開示の少なくとも１つの態様による、組織と当接接触して配置された図２５Ａの超音波外科用ツールの立面図である。
【図２６Ａ】本開示の少なくとも１つの態様による、組織と接触しないように配置された単極の焼灼ペンシルの立面図である。
【図２６Ｂ】本開示の少なくとも１つの態様による、組織と当接接触して配置された図２６Ａの単極の焼灼ペンシルの立面図である。
【図２７】本開示の少なくとも１つの態様による、図２５Ａ及び図２５Ｂの超音波外科用ツールの経時的な連続性及び電流のグラフ表示である。
【図２８】本開示の少なくとも１つの態様による、ジョー部材上に位置する高周波（ＲＦ）データセンサを備えるエンドエフェクタを示す図である。
【図２９】本開示の少なくとも１つの態様による、フレキシブル回路に取り付けられるか、又はフレキシブル回路と一体に形成された図２８に示すセンサを示す図である。
【図３０】本開示の少なくとも１つの態様による、外科用器具の自動起動モードを説明するフローチャートである。
【図３１】本開示の少なくとも１つの態様による、ロボット外科用システムで使用するための排煙ポンプを有する双極高周波（ＲＦ）外科用ツールのエンドエフェクタの斜視図であり、外科用ツールが組織を把持して治療する様子を描出している。
【図３２】本開示の少なくとも１つの態様による、ロボット外科用システム、ハンドヘルド式外科用器具及び外科用ハブを含む外科用システムのブロック図である。
【図３３】本開示の少なくとも１つの態様による、ディスプレイを含むハンドヘルド式外科用器具のハンドル部分の斜視図であり、器具自体からの情報を表示しているディスプレイの詳細図を更に示している。
【図３４】本開示の少なくとも１つの態様による、外科用ハブとペアリングされた器具を示す図３３のハンドヘルド式外科用器具のハンドル部分の斜視図であり、外科用ハブからの情報を表示しているディスプレイの詳細図を更に含む。
【図３５】本開示の少なくとも１つの態様による、結腸切除処置の概略図である。
【図３６】本開示の少なくとも１つの態様による、図３５の器具ディスプレイ上に表示される結腸切除処置のための経時的な力のグラフ表示である。
【図３７】本開示の少なくとも１つの態様による、複数のハブ及びインタラクティブ二次ディスプレイを含む外科処置中のロボット外科用システムの概略図である。
【図３８】本開示の少なくとも１つの態様による、図３７のインタラクティブ二次ディスプレイの詳細図である。
【図３９】本開示の少なくとも１つの態様による、２つ以上のロボットアームを備えるロボット外科用システムのブロック図である。
【図４０】本開示の少なくとも１つの態様による、図３９のロボット外科用システムを利用する外科処置の概略図である。
【図４１】本開示の少なくとも１つの態様による、図３９のロボットアームが受ける力及び位置変位のグラフ表示である。
【図４２】本開示の少なくとも１つの態様による、ロボット外科用システムのロボットアームの位置を制御するためのアルゴリズムを示すフローチャートである。
【図４３】本開示の少なくとも１つの態様による、ロボット外科用システムのロボットアームによって加えられる力を制御するためのアルゴリズムを示すフローチャートである。
【図４４】本開示の少なくとも１つの態様による、ロボット外科用システムのロボットアームの位置及びこれらによって加えられる力を監視するためのアルゴリズムを示すフローチャートである。
【図４５】本開示の少なくとも１つの態様による、ロボット外科用システムと、電動ハンドヘルド式外科用器具と、外科用ハブと、を備える外科用システムのブロック図である。
【図４６】本開示の少なくとも１つの態様による、外科処置中のロボットツール及びハンドヘルド式外科用器具の斜視図である。
【図４７】本開示の少なくとも１つの態様による、外科用ハブと一次サーバとの間の通信リンクを示す概略図である。
【図４８】本開示の少なくとも１つの態様による、図４７の様々な外科用ハブから受信したデータの外部出力キューを示すフローチャートである。
【図４９】本開示の一態様による、外科用ハブの状況認識を示す時間線である。
【発明を実施するための形態】
【０００８】
本願の出願人は、各開示の全体が参照により本明細書に組み込まれる、２０１８年３月２８日出願の以下の米国仮特許出願を所有する。
・「ＩＮＴＥＲＡＣＴＩＶＥ  ＳＵＲＧＩＣＡＬ  ＳＹＳＴＥＭＳ  ＷＩＴＨ  ＥＮＣＲＹＰＴＥＤ  ＣＯＭＭＵＮＩＣＡＴＩＯＮ  ＣＡＰＡＢＩＬＩＴＩＥＳ」と題する米国仮特許出願第６２／６４９，３０２号、
・「ＤＡＴＡ  ＳＴＲＩＰＰＩＮＧ  ＭＥＴＨＯＤ  ＴＯ  ＩＮＴＥＲＲＯＧＡＴＥ  ＰＡＴＩＥＮＴ  ＲＥＣＯＲＤＳ  ＡＮＤ  ＣＲＥＡＴＥ  ＡＮＯＮＹＭＩＺＥＤ  ＲＥＣＯＲＤ」と題する米国仮特許出願第６２／６４９，２９４号、
・「ＳＵＲＧＩＣＡＬ  ＨＵＢ  ＳＩＴＵＡＴＩＯＮＡＬ  ＡＷＡＲＥＮＥＳＳ」と題する米国仮特許出願第６２／６４９，３００号、
・「ＳＵＲＧＩＣＡＬ  ＨＵＢ  ＳＰＡＴＩＡＬ  ＡＷＡＲＥＮＥＳＳ  ＴＯ  ＤＥＴＥＲＭＩＮＥ  ＤＥＶＩＣＥＳ  ＩＮ  ＯＰＥＲＡＴＩＮＧ  ＴＨＥＡＴＥＲ」と題する米国仮特許出願第６２／６４９，３０９号、
・「ＣＯＭＰＵＴＥＲ  ＩＭＰＬＥＭＥＮＴＥＤ  ＩＮＴＥＲＡＣＴＩＶＥ  ＳＵＲＧＩＣＡＬ  ＳＹＳＴＥＭＳ」と題する米国仮特許出願第６２／６４９，３１０号、
・「ＵＳＥ  ＯＦ  ＬＡＳＥＲ  ＬＩＧＨＴ  ＡＮＤ  ＲＥＤ−ＧＲＥＥＮ−ＢＬＵＥ  ＣＯＬＯＲＡＴＩＯＮ  ＴＯ  ＤＥＴＥＲＭＩＮＥ  ＰＲＯＰＥＲＴＩＥＳ  ＯＦ  ＢＡＣＫ  ＳＣＡＴＴＥＲＥＤ  ＬＩＧＨＴ」と題する米国仮特許出願第６２／６４９，２９１号、
・「ＡＤＡＰＴＩＶＥ  ＣＯＮＴＲＯＬ  ＰＲＯＧＲＡＭ  ＵＰＤＡＴＥＳ  ＦＯＲ  ＳＵＲＧＩＣＡＬ  ＤＥＶＩＣＥＳ」と題する米国仮特許出願第６２／６４９，２９６号、
・「ＣＬＯＵＤ−ＢＡＳＥＤ  ＭＥＤＩＣＡＬ  ＡＮＡＬＹＴＩＣＳ  ＦＯＲ  ＣＵＳＴＯＭＩＺＡＴＩＯＮ  ＡＮＤ  ＲＥＣＯＭＭＥＮＤＡＴＩＯＮＳ  ＴＯ  Ａ  ＵＳＥＲ」と題する米国仮特許出願第６２／６４９，３３３号、
・「ＣＬＯＵＤ−ＢＡＳＥＤ  ＭＥＤＩＣＡＬ  ＡＮＡＬＹＴＩＣＳ  ＦＯＲ  ＳＥＣＵＲＩＴＹ  ＡＮＤ  ＡＵＴＨＥＮＴＩＣＡＴＩＯＮ  ＴＲＥＮＤＳ  ＡＮＤ  ＲＥＡＣＴＩＶＥ  ＭＥＡＳＵＲＥＳ」と題する米国仮特許出願第６２／６４９，３２７号、
・「ＤＡＴＡ  ＨＡＮＤＬＩＮＧ  ＡＮＤ  ＰＲＩＯＲＩＴＩＺＡＴＩＯＮ  ＩＮ  Ａ  ＣＬＯＵＤ  ＡＮＡＬＹＴＩＣＳ  ＮＥＴＷＯＲＫ」と題する米国仮特許出願第６２／６４９，３１５号、
・「ＣＬＯＵＤ  ＩＮＴＥＲＦＡＣＥ  ＦＯＲ  ＣＯＵＰＬＥＤ  ＳＵＲＧＩＣＡＬ  ＤＥＶＩＣＥＳ」と題する米国仮特許出願第６２／６４９，３１３号、
・「ＤＲＩＶＥ  ＡＲＲＡＮＧＥＭＥＮＴＳ  ＦＯＲ  ＲＯＢＯＴ−ＡＳＳＩＳＴＥＤ  ＳＵＲＧＩＣＡＬ  ＰＬＡＴＦＯＲＭＳ」と題する米国仮特許出願第６２／６４９，３２０号、
・「ＡＵＴＯＭＡＴＩＣ  ＴＯＯＬ  ＡＤＪＵＳＴＭＥＮＴＳ  ＦＯＲ  ＲＯＢＯＴ−ＡＳＳＩＳＴＥＤ  ＳＵＲＧＩＣＡＬ  ＰＬＡＴＦＯＲＭＳ」と題する米国仮特許出願第６２／６４９，３０７号、及び
・「ＳＥＮＳＩＮＧ  ＡＲＲＡＮＧＥＭＥＮＴＳ  ＦＯＲ  ＲＯＢＯＴ−ＡＳＳＩＳＴＥＤ  ＳＵＲＧＩＣＡＬ  ＰＬＡＴＦＯＲＭＳ」と題する米国仮特許出願第６２／６４９，３２３号。
【０００９】
本願の出願人は、各開示の全体が参照により本明細書に組み込まれる、２０１８年３月２９日出願の以下の米国特許出願を所有する。
・「ＩＮＴＥＲＡＣＴＩＶＥ  ＳＵＲＧＩＣＡＬ  ＳＹＳＴＥＭＳ  ＷＩＴＨ  ＥＮＣＲＹＰＴＥＤ  ＣＯＭＭＵＮＩＣＡＴＩＯＮ  ＣＡＰＡＢＩＬＩＴＩＥＳ」と題する米国特許出願第＿＿＿＿＿＿＿＿＿＿＿＿号、代理人整理番号ＥＮＤ８４９９ＵＳＮＰ／１７０７６６、
・「ＩＮＴＥＲＡＣＴＩＶＥ  ＳＵＲＧＩＣＡＬ  ＳＹＳＴＥＭＳ  ＷＩＴＨ  ＣＯＮＤＩＴＩＯＮ  ＨＡＮＤＬＩＮＧ  ＯＦ  ＤＥＶＩＣＥＳ  ＡＮＤ  ＤＡＴＡ  ＣＡＰＡＢＩＬＩＴＩＥＳ」と題する米国特許出願第＿＿＿＿＿＿＿＿＿＿＿＿号、代理人整理番号ＥＮＤ８４９９ＵＳＮＰ１／１７０７６６−１、
・「ＳＵＲＧＩＣＡＬ  ＨＵＢ  ＣＯＯＲＤＩＮＡＴＩＯＮ  ＯＦ  ＣＯＮＴＲＯＬ  ＡＮＤ  ＣＯＭＭＵＮＩＣＡＴＩＯＮ  ＯＦ  ＯＰＥＲＡＴＩＮＧ  ＲＯＯＭ  ＤＥＶＩＣＥＳ」と題する米国特許出願第＿＿＿＿＿＿＿＿＿＿＿＿号、代理人整理番号ＥＮＤ８４９９ＵＳＮＰ２／１７０７６６−２、
・「ＳＰＡＴＩＡＬ  ＡＷＡＲＥＮＥＳＳ  ＯＦ  ＳＵＲＧＩＣＡＬ  ＨＵＢＳ  ＩＮ  ＯＰＥＲＡＴＩＮＧ  ＲＯＯＭＳ」と題する米国特許出願第＿＿＿＿＿＿＿＿＿＿＿＿号、代理人整理番号ＥＮＤ８４９９ＵＳＮＰ３／１７０７６６−３、
・「ＣＯＯＰＥＲＡＴＩＶＥ  ＵＴＩＬＩＺＡＴＩＯＮ  ＯＦ  ＤＡＴＡ  ＤＥＲＩＶＥＤ  ＦＲＯＭ  ＳＥＣＯＮＤＡＲＹ  ＳＯＵＲＣＥＳ  ＢＹ  ＩＮＴＥＬＬＩＧＥＮＴ  ＳＵＲＧＩＣＡＬ  ＨＵＢＳ」と題する米国特許出願第＿＿＿＿＿＿＿＿＿＿＿＿号、代理人整理番号ＥＮＤ８４９９ＵＳＮＰ４／１７０７６６−４、
・「ＳＵＲＧＩＣＡＬ  ＨＵＢ  ＣＯＮＴＲＯＬ  ＡＲＲＡＮＧＥＭＥＮＴＳ」と題する米国特許出願第＿＿＿＿＿＿＿＿＿＿＿＿号、代理人整理番号ＥＮＤ８４９９ＵＳＮＰ５／１７０７６６−５、
・「ＤＡＴＡ  ＳＴＲＩＰＰＩＮＧ  ＭＥＴＨＯＤ  ＴＯ  ＩＮＴＥＲＲＯＧＡＴＥ  ＰＡＴＩＥＮＴ  ＲＥＣＯＲＤＳ  ＡＮＤ  ＣＲＥＡＴＥ  ＡＮＯＮＹＭＩＺＥＤ  ＲＥＣＯＲＤ」と題する米国特許出願第＿＿＿＿＿＿＿＿＿＿＿＿号、代理人整理番号ＥＮＤ８５００ＵＳＮＰ／１７０７６７、
・「ＣＯＭＭＵＮＩＣＡＴＩＯＮ  ＨＵＢ  ＡＮＤ  ＳＴＯＲＡＧＥ  ＤＥＶＩＣＥ  ＦＯＲ  ＳＴＯＲＩＮＧ  ＰＡＲＡＭＥＴＥＲＳ  ＡＮＤ  ＳＴＡＴＵＳ  ＯＦ  Ａ  ＳＵＲＧＩＣＡＬ  ＤＥＶＩＣＥ  ＴＯ  ＢＥ  ＳＨＡＲＥＤ  ＷＩＴＨ  ＣＬＯＵＤ  ＢＡＳＥＤ  ＡＮＡＬＹＴＩＣＳ  ＳＹＳＴＥＭＳ」と題する米国特許出願第＿＿＿＿＿＿＿＿＿＿＿＿号、代理人整理番号ＥＮＤ８５００ＵＳＮＰ１／１７０７６７−１、
・「ＳＥＬＦ  ＤＥＳＣＲＩＢＩＮＧ  ＤＡＴＡ  ＰＡＣＫＥＴＳ  ＧＥＮＥＲＡＴＥＤ  ＡＴ  ＡＮ  ＩＳＳＵＩＮＧ  ＩＮＳＴＲＵＭＥＮＴ」と題する米国特許出願第＿＿＿＿＿＿＿＿＿＿＿＿号、代理人整理番号ＥＮＤ８５００ＵＳＮＰ２／１７０７６７−２、
・「ＤＡＴＡ  ＰＡＩＲＩＮＧ  ＴＯ  ＩＮＴＥＲＣＯＮＮＥＣＴ  Ａ  ＤＥＶＩＣＥ  ＭＥＡＳＵＲＥＤ  ＰＡＲＡＭＥＴＥＲ  ＷＩＴＨ  ＡＮ  ＯＵＴＣＯＭＥ」と題する米国特許出願第＿＿＿＿＿＿＿＿＿＿＿＿号、代理人整理番号ＥＮＤ８５００ＵＳＮＰ３／１７０７６７−３、
・「ＳＵＲＧＩＣＡＬ  ＨＵＢ  ＳＩＴＵＡＴＩＯＮＡＬ  ＡＷＡＲＥＮＥＳＳ」と題する米国特許出願第＿＿＿＿＿＿＿＿＿＿＿＿号、代理人整理番号ＥＮＤ８５０１ＵＳＮＰ／１７０７６８、
・「ＳＵＲＧＩＣＡＬ  ＳＹＳＴＥＭ  ＤＩＳＴＲＩＢＵＴＥＤ  ＰＲＯＣＥＳＳＩＮＧ」と題する米国特許出願第＿＿＿＿＿＿＿＿＿＿号、代理人整理番号ＥＮＤ８５０１ＵＳＮＰ１／１７０７６８−１、
・「ＡＧＧＲＥＧＡＴＩＯＮ  ＡＮＤ  ＲＥＰＯＲＴＩＮＧ  ＯＦ  ＳＵＲＧＩＣＡＬ  ＨＵＢ  ＤＡＴＡ」と題する米国特許出願第＿＿＿＿＿＿＿＿＿＿号、代理人整理番号ＥＮＤ８５０１ＵＳＮＰ２／１７０７６８−２、
・「ＳＵＲＧＩＣＡＬ  ＨＵＢ  ＳＰＡＴＩＡＬ  ＡＷＡＲＥＮＥＳＳ  ＴＯ  ＤＥＴＥＲＭＩＮＥ  ＤＥＶＩＣＥＳ  ＩＮ  ＯＰＥＲＡＴＩＮＧ  ＴＨＥＡＴＥＲ」と題する米国特許出願第＿＿＿＿＿＿＿＿＿＿号、代理人整理番号ＥＮＤ８５０２ＵＳＮＰ／１７０７６９、
・「ＤＩＳＰＬＡＹ  ＯＦ  ＡＬＩＧＮＭＥＮＴ  ＯＦ  ＳＴＡＰＬＥ  ＣＡＲＴＲＩＤＧＥ  ＴＯ  ＰＲＩＯＲ  ＬＩＮＥＡＲ  ＳＴＡＰＬＥ  ＬＩＮＥ」と題する米国特許出願第＿＿＿＿＿＿＿＿＿＿号、代理人整理番号ＥＮＤ８５０２ＵＳＮＰ１／１７０７６９−１、
・「ＳＴＥＲＩＬＥ  ＦＩＥＬＤ  ＩＮＴＥＲＡＣＴＩＶＥ  ＣＯＮＴＲＯＬ  ＤＩＳＰＬＡＹＳ」と題する米国特許出願第＿＿＿＿＿＿＿＿＿＿号、代理人整理番号ＥＮＤ８５０２ＵＳＮＰ２／１７０７６９−２、
・「ＣＯＭＰＵＴＥＲ  ＩＭＰＬＥＭＥＮＴＥＤ  ＩＮＴＥＲＡＣＴＩＶＥ  ＳＵＲＧＩＣＡＬ  ＳＹＳＴＥＭＳ」と題する米国特許出願第＿＿＿＿＿＿＿＿＿＿号、代理人整理番号ＥＮＤ８５０３ＵＳＮＰ／１７０７７０、
・「ＵＳＥ  ＯＦ  ＬＡＳＥＲ  ＬＩＧＨＴ  ＡＮＤ  ＲＥＤ−ＧＲＥＥＮ−ＢＬＵＥ  ＣＯＬＯＲＡＴＩＯＮ  ＴＯ  ＤＥＴＥＲＭＩＮＥ  ＰＲＯＰＥＲＴＩＥＳ  ＯＦ  ＢＡＣＫ  ＳＣＡＴＴＥＲＥＤ  ＬＩＧＨＴ」と題する米国特許出願第＿＿＿＿＿＿＿＿＿＿号、代理人整理番号ＥＮＤ８５０４ＵＳＮＰ／１７０７７１、
・「ＣＨＡＲＡＣＴＥＲＩＺＡＴＩＯＮ  ＯＦ  ＴＩＳＳＵＥ  ＩＲＲＥＧＵＬＡＲＩＴＩＥＳ  ＴＨＲＯＵＧＨ  ＴＨＥ  ＵＳＥ  ＯＦ  ＭＯＮＯ−ＣＨＲＯＭＡＴＩＣ  ＬＩＧＨＴ  ＲＥＦＲＡＣＴＩＶＩＴＹ」と題する米国特許出願第＿＿＿＿＿＿＿＿＿＿号、代理人整理番号ＥＮＤ８５０４ＵＳＮＰ１／１７０７７１−１、及び
・「ＤＵＡＬ  ＣＭＯＳ  ＡＲＲＡＹ  ＩＭＡＧＩＮＧ」と題する米国特許出願第＿＿＿＿＿＿＿＿＿＿号、代理人整理番号ＥＮＤ８５０４ＵＳＮＰ２／１７０７７１−２。
【００１０】
本願の出願人は、各開示の全体が参照により本明細書に組み込まれる、２０１８年３月２９日出願の以下の米国特許出願を所有する。
・「ＡＤＡＰＴＩＶＥ  ＣＯＮＴＲＯＬ  ＰＲＯＧＲＡＭ  ＵＰＤＡＴＥＳ  ＦＯＲ  ＳＵＲＧＩＣＡＬ  ＤＥＶＩＣＥＳ」と題する米国特許出願第＿＿＿＿＿＿＿＿＿＿号、代理人整理番号ＥＮＤ８５０６ＵＳＮＰ／１７０７７３、
・「ＡＤＡＰＴＩＶＥ  ＣＯＮＴＲＯＬ  ＰＲＯＧＲＡＭ  ＵＰＤＡＴＥＳ  ＦＯＲ  ＳＵＲＧＩＣＡＬ  ＨＵＢＳ」と題する米国特許出願第＿＿＿＿＿＿＿＿＿＿号、代理人整理番号ＥＮＤ８５０６ＵＳＮＰ１／１７０７７３−１、
・「ＣＬＯＵＤ−ＢＡＳＥＤ  ＭＥＤＩＣＡＬ  ＡＮＡＬＹＴＩＣＳ  ＦＯＲ  ＣＵＳＴＯＭＩＺＡＴＩＯＮ  ＡＮＤ  ＲＥＣＯＭＭＥＮＤＡＴＩＯＮＳ  ＴＯ  Ａ  ＵＳＥＲ」と題する米国特許出願第＿＿＿＿＿＿＿＿＿＿号、代理人整理番号ＥＮＤ８５０７ＵＳＮＰ／１７０７７４、
・「ＣＬＯＵＤ−ＢＡＳＥＤ  ＭＥＤＩＣＡＬ  ＡＮＡＬＹＴＩＣＳ  ＦＯＲ  ＬＩＮＫＩＮＧ  ＯＦ  ＬＯＣＡＬ  ＵＳＡＧＥ  ＴＲＥＮＤＳ  ＷＩＴＨ  ＴＨＥ  ＲＥＳＯＵＲＣＥ  ＡＣＱＵＩＳＩＴＩＯＮ  ＢＥＨＡＶＩＯＲＳ  ＯＦ  ＬＡＲＧＥＲ  ＤＡＴＡ  ＳＥＴ」と題する米国特許出願第＿＿＿＿＿＿＿＿＿＿号、代理人整理番号ＥＮＤ８５０７ＵＳＮＰ１／１７０７７４−１、
・「ＣＬＯＵＤ−ＢＡＳＥＤ  ＭＥＤＩＣＡＬ  ＡＮＡＬＹＴＩＣＳ  ＦＯＲ  ＭＥＤＩＣＡＬ  ＦＡＣＩＬＩＴＹ  ＳＥＧＭＥＮＴＥＤ  ＩＮＤＩＶＩＤＵＡＬＩＺＡＴＩＯＮ  ＯＦ  ＩＮＳＴＲＵＭＥＮＴ  ＦＵＮＣＴＩＯＮ」と題する米国特許出願第＿＿＿＿＿＿＿＿＿＿号、代理人整理番号ＥＮＤ８５０７ＵＳＮＰ２／１７０７７４−２、
・「ＣＬＯＵＤ−ＢＡＳＥＤ  ＭＥＤＩＣＡＬ  ＡＮＡＬＹＴＩＣＳ  ＦＯＲ  ＳＥＣＵＲＩＴＹ  ＡＮＤ  ＡＵＴＨＥＮＴＩＣＡＴＩＯＮ  ＴＲＥＮＤＳ  ＡＮＤ  ＲＥＡＣＴＩＶＥ  ＭＥＡＳＵＲＥＳ」と題する米国特許出願第＿＿＿＿＿＿＿＿＿＿号、代理人整理番号ＥＮＤ８５０８ＵＳＮＰ／１７０７７５、
・「ＤＡＴＡ  ＨＡＮＤＬＩＮＧ  ＡＮＤ  ＰＲＩＯＲＩＴＩＺＡＴＩＯＮ  ＩＮ  Ａ  ＣＬＯＵＤ  ＡＮＡＬＹＴＩＣＳ  ＮＥＴＷＯＲＫ」と題する米国仮特許出願第＿＿＿＿＿＿＿＿＿＿号、代理人整理番号ＥＮＤ８５０９ＵＳＮＰ／１７０７７６、及び
・「ＣＬＯＵＤ  ＩＮＴＥＲＦＡＣＥ  ＦＯＲ  ＣＯＵＰＬＥＤ  ＳＵＲＧＩＣＡＬ  ＤＥＶＩＣＥＳ」と題する米国特許出願第＿＿＿＿＿＿＿＿＿＿号、代理人整理番号ＥＮＤ８５１０ＵＳＮＰ／１７０７７７。
【００１１】
本願の出願人は、各開示の全体が参照により本明細書に組み込まれる、２０１８年３月２９日出願の以下の米国特許出願を所有する。
・「ＤＲＩＶＥ  ＡＲＲＡＮＧＥＭＥＮＴＳ  ＦＯＲ  ＲＯＢＯＴ−ＡＳＳＩＳＴＥＤ  ＳＵＲＧＩＣＡＬ  ＰＬＡＴＦＯＲＭＳ」と題する米国特許出願第＿＿＿＿＿＿＿＿＿＿号、代理人整理番号ＥＮＤ８５１１ＵＳＮＰ／１７０７７８、
・「ＣＯＭＭＵＮＩＣＡＴＩＯＮ  ＡＲＲＡＮＧＥＭＥＮＴＳ  ＦＯＲ  ＲＯＢＯＴ−ＡＳＳＩＳＴＥＤ  ＳＵＲＧＩＣＡＬ  ＰＬＡＴＦＯＲＭＳ」と題する米国特許出願第＿＿＿＿＿＿＿＿＿＿号、代理人整理番号ＥＮＤ８５１１ＵＳＮＰ１／１７０７７８−１、
・「ＣＯＮＴＲＯＬＳ  ＦＯＲ  ＲＯＢＯＴ−ＡＳＳＩＳＴＥＤ  ＳＵＲＧＩＣＡＬ  ＰＬＡＴＦＯＲＭＳ」と題する米国特許出願第＿＿＿＿＿＿＿＿＿＿号、代理人整理番号ＥＮＤ８５１１ＵＳＮＰ２／１７０７７８−２、
・「ＡＵＴＯＭＡＴＩＣ  ＴＯＯＬ  ＡＤＪＵＳＴＭＥＮＴＳ  ＦＯＲ  ＲＯＢＯＴ−ＡＳＳＩＳＴＥＤ  ＳＵＲＧＩＣＡＬ  ＰＬＡＴＦＯＲＭＳ」と題する米国特許出願第＿＿＿＿＿＿号、代理人整理番号ＥＮＤ８５１２ＵＳＮＰ／１７０７７９、
・「ＣＯＮＴＲＯＬＬＥＲＳ  ＦＯＲ  ＲＯＢＯＴ−ＡＳＳＩＳＴＥＤ  ＳＵＲＧＩＣＡＬ  ＰＬＡＴＦＯＲＭＳ」と題する米国特許出願第＿＿＿＿＿＿＿＿＿＿号、代理人整理番号ＥＮＤ８５１２ＵＳＮＰ１／１７０７７９−１、
・「ＣＯＯＰＥＲＡＴＩＶＥ  ＳＵＲＧＩＣＡＬ  ＡＣＴＩＯＮＳ  ＦＯＲ  ＲＯＢＯＴ−ＡＳＳＩＳＴＥＤ  ＳＵＲＧＩＣＡＬ  ＰＬＡＴＦＯＲＭＳ」と題する米国特許出願第＿＿＿＿＿＿＿＿＿＿号、代理人整理番号ＥＮＤ８５１２ＵＳＮＰ２／１７０７７９−２、及び
・「ＳＥＮＳＩＮＧ  ＡＲＲＡＮＧＥＭＥＮＴＳ  ＦＯＲ  ＲＯＢＯＴ−ＡＳＳＩＳＴＥＤ  ＳＵＲＧＩＣＡＬ  ＰＬＡＴＦＯＲＭＳ」と題する米国特許出願第＿＿＿＿＿＿＿＿＿＿号、代理人整理番号ＥＮＤ８５１３ＵＳＮＰ／１７０７８０。
【００１２】
外科用装置及び発生器の様々な態様を詳細に説明する前に、例示される実施例は、適用又は用途において、添付の図面及び説明で示される部品の構造及び配置の詳細に限定されないことに留意すべきである。例示的な実施例は、他の態様、変形形態、及び修正形態で実施されるか、又はそれらに組み込まれてもよく、様々な方法で実施又は実行されてもよい。更に、特に明記しない限り、本明細書で用いられる用語及び表現は、読者の便宜のために例示的な実施例を説明する目的で選択されたものであり、それらを限定するためのものではない。更に、以下に記述される態様、態様の具現、及び／又は実施例のうち１つ又は２つ以上を、以下に記述される他の態様、態様の具現、及び／又は実施例のうち任意の１つ又は２つ以上と組み合わせることができるものと理解されたい。
【００１３】
図１を参照すると、コンピュータ実施インタラクティブ外科システム１００は、１つ又は２つ以上の外科システム１０２と、クラウドベースのシステム（例えば、ストレージ装置１０５に連結されたリモートサーバ１１３を含み得るクラウド１０４）と、を含む。各外科システム１０２は、リモートサーバ１１３を含み得るクラウド１０４と通信する少なくとも１つの外科用ハブ１０６を含む。一実施例では、図１に示すように、外科システム１０２は、互いに、及び／又はハブ１０６と通信するように構成された、可視化システム１０８と、ロボットシステム１１０と、ハンドヘルド式インテリジェント外科用器具１１２と、を含む。いくつかの態様では、外科システム１０２は、Ｍ個のハブ１０６と、Ｎ個の可視化システム１０８と、Ｏ個のロボットシステム１１０と、Ｐ個のハンドヘルド式インテリジェント外科用器具１１２と、を含んでもよく、ここでＭ、Ｎ、Ｏ、及びＰは１以上の整数である。
【００１４】
図３は、外科手術室１１６内の手術台１１４上に横たわる患者に対して外科処置を実施するために使用されている外科システム１０２の一例を示す。ロボットシステム１１０は、外科処置において外科システム１０２の一部として使用される。ロボットシステム１１０は、外科医のコンソール１１８と、患者側カート１２０（外科用ロボット）と、外科用ロボットハブ１２２と、を含む。患者側カート１２０は、患者の身体の低侵襲切開中に、外科医が外科医のコンソール１１８を介して手術部位を見る間、少なくとも１つの取り外し可能に連結された外科用ツール１１７を操作することができる。手術部位の画像は医療用撮像装置１２４によって得ることができ、医療用撮像装置１２４は撮像装置１２４の向きを決めるために患者側カート１２０によって操作され得る。ロボットハブ１２２は、外科医に対する外科医のコンソール１１８を介したその後の表示のために、手術部位の画像を処理するよう用いることができる。
【００１５】
他の種類のロボットシステムを、外科システム１０２と共に使用するために容易に適合させることができる。本開示と共に使用するのに好適なロボットシステム及び外科用ツールの様々な例は、その開示全体が参照により本明細書に組み込まれる、２０１７年１２月２８日出願の「ＲＯＢＯＴ  ＡＳＳＩＳＴＥＤ  ＳＵＲＧＩＣＡＬ  ＰＬＡＴＦＯＲＭ」と題する米国仮特許出願第６２／６１１，３３９号に記載されている。
【００１６】
クラウド１０４によって実施され、本開示と共に使用するのに好適なクラウドベース分析の様々な例は、その開示全体が参照により本明細書に組み込まれる、２０１７年１２月２８日出願の「ＣＬＯＵＤ−ＢＡＳＥＤ  ＭＥＤＩＣＡＬ  ＡＮＡＬＹＴＩＣＳ」と題する米国仮特許出願第６２／６１１，３４０号に記載されている。
【００１７】
様々な態様では、撮像装置１２４は、少なくとも１つの画像センサと１つ又は２つ以上の光学構成要素とを含む。好適な画像センサとしては、電荷結合素子（ＣＣＤ）センサ及び相補型金属酸化膜半導体（ＣＭＯＳ）センサが挙げられるが、これらに限定されない。
【００１８】
撮像装置１２４の光学構成要素は、１つ若しくは２つ以上の照明光源及び／又は１つ若しくは２つ以上のレンズを含んでもよい。１つ又は２つ以上の照明光源は、手術野の一部を照明するように方向付けられてもよい。１つ又は２つ以上の画像センサは、組織及び／又は外科用器具から反射又は屈折された光を含む、手術野から反射又は屈折された光を受信することができる。
【００１９】
１つ又は２つ以上の照明光源は、可視スペクトル及び不可視スペクトル内の電磁エネルギーを放射するように構成され得る。光学スペクトル又は発光スペクトルと呼ばれることもある可視スペクトルは、人間の目に可視の（すなわち、人間の目で検出可能な）電磁スペクトルの一部分であり、可視光、又は単に光と呼ばれることがある。典型的な人間の目は、空気中の約３８０ｎｍ〜約７５０ｎｍの波長に反応する。
【００２０】
不可視スペクトル（すなわち、非発光スペクトル）は、可視スペクトルの下方及び上方に位置する電磁スペクトルの一部分である（すなわち、約３８０ｎｍ未満及び約７５０ｎｍ超の波長）。不可視スペクトルは、人間の目で検出可能ではない。約７５０ｎｍを超える波長は、赤色可視スペクトルよりも長く、これらは不可視赤外線（ＩＲ）、マイクロ波、及び無線電磁放射線になる。約３８０ｎｍ未満の波長は、紫色スペクトルよりも短く、これらは不可視紫外線、Ｘ線、及びガンマ線電磁放射線になる。
【００２１】
様々な態様では、撮像装置１２４は、低侵襲性手術で使用するように構成されている。本開示と共に使用するのに好適な撮像装置の例としては、関節鏡、血管鏡、気管支鏡、胆道鏡、結腸鏡、サイトスコープ（cytoscope）、十二指腸鏡、腸鏡、食道胃十二指腸鏡（胃鏡）、内視鏡、喉頭鏡、鼻咽喉−腎盂鏡（nasopharyngo-neproscope）、Ｓ状結腸鏡、胸腔鏡、及び尿管鏡が挙げられるが、これらに限定されない。
【００２２】
一態様では、撮像装置は、トポグラフィーと下層構造とを区別するためにマルチスペクトルモニタリングを用いる。マルチスペクトル画像は、電磁スペクトルにわたって特定の波長範囲内の画像データを取り込むものである。波長は、フィルタによって、又は可視光範囲を超える周波数、例えば、ＩＲ及び紫外光を含む特定の波長からの光に感受性の器具を使用することによって分離することができる。スペクトル撮像法は、人間の目がその赤色、緑色、及び青色の受容体で捕捉することのできない追加情報の抽出を可能にすることができる。マルチスペクトル撮像法の使用は、その開示全体が参照により本明細書に組み込まれる２０１７年１２月２８日出願の「ＩＮＴＥＲＡＣＴＩＶＥ  ＳＵＲＧＩＣＡＬ  ＰＬＡＴＦＯＲＭ」と題する米国仮特許出願第６２／６１１，３４１号の「Ａｄｖａｎｃｅｄ  Ｉｍａｇｉｎｇ  Ａｃｑｕｉｓｉｔｉｏｎ  Ｍｏｄｕｌｅ」の項で詳細に説明されている。マルチスペクトルモニタリングは、１つの手術作業が完了した後に、処置された組織上で上述の試験の１つ又は２つ以上を実施するために手術野を再配置するのに有用なツールであり得る。
【００２３】
あらゆる外科手術において手術室及び外科用器具の厳格な滅菌が必要であることは自明である。「手術現場（surgical theater）」、すなわち手術室又は処置室に必要とされる厳格な衛生及び滅菌条件は、全ての医療装置及び機器の最大級の滅菌性を必要とする。その滅菌プロセスの一部は、撮像装置１２４並びにその付属品及び構成要素を含む、患者と接触する、又は滅菌野に侵入するあらゆるものを滅菌する必要性である。滅菌野は、トレイ内又は滅菌タオル上などの、微生物を含まないと見なされる特定の領域と見なされ得ること、又は滅菌野は、外科処置のために準備された患者のすぐ周囲の領域と見なされ得ることは理解されよう。滅菌野は、適切な衣類を着用した洗浄済みのチーム構成員、並びにその領域内の全ての備品及び固定具を含み得る。
【００２４】
様々な態様において、可視化システム１０８は、図２に示されるように、滅菌野に対して戦略的に配置された１つ又は２つ以上の撮像センサと、１つ又は２つ以上の画像処理ユニットと、１つ又は２つ以上のストレージアレイと、１つ又は２つ以上のディスプレイと、を含む。一態様では、可視化システム１０８は、ＨＬ７、ＰＡＣＳ、及びＥＭＲのインターフェースを含む。可視化システム１０８の様々な構成要素については、その開示全体が参照により本明細書に組み込まれる２０１７年１２月２８日出願の「ＩＮＴＥＲＡＣＴＩＶＥ  ＳＵＲＧＩＣＡＬ  ＰＬＡＴＦＯＲＭ」と題する米国仮特許出願第６２／６１１，３４１号の「Ａｄｖａｎｃｅｄ  Ｉｍａｇｉｎｇ  Ａｃｑｕｉｓｉｔｉｏｎ  Ｍｏｄｕｌｅ」の項で説明されている。
【００２５】
図２に示すように、一次ディスプレイ１１９は、手術台１１４のところにいる操作者に見えるように、滅菌野内に配置される。加えて、可視化タワー１１１は、滅菌野の外に位置決めされる。可視化タワー１１１は、互いに離れる方に面する第１の非滅菌ディスプレイ１０７及び第２の非滅菌ディスプレイ１０９を含む。ハブ１０６によって誘導される可視化システム１０８は、ディスプレイ１０７、１０９、及び１１９を使用して、滅菌野の中及び外の操作者に対する情報フローを調整するように構成されている。例えば、ハブ１０６は、可視化システム１０８に、一次ディスプレイ１１９上の手術部位のライブ映像を維持させながら、撮像装置１２４によって記録される手術部位のスナップショットを非滅菌ディスプレイ１０７又は１０９上に表示させることができる。非滅菌ディスプレイ１０７又は１０９上のスナップショットは、例えば、非滅菌操作者が外科処置に関連する診断工程を実施することを可能にすることができる。
【００２６】
一態様では、ハブ１０６は、滅菌野内で、可視化タワー１１１のところにいる非滅菌操作者によって入力された診断入力又はフィードバックを滅菌領域内の一次ディスプレイ１１９に送り、これを手術台のところにいる滅菌操作者が見ることができるようにも構成される。一実施例では、入力は、ハブ１０６によって一次ディスプレイ１１９に送ることのできる、非滅菌ディスプレイ１０７又は１０９上に表示されるスナップショットに対する修正の形態であってもよい。
【００２７】
図２を参照すると、外科用器具１１２は、外科処置において外科システム１０２の一部として使用されている。ハブ１０６はまた、外科用器具１１２のディスプレイへの情報フローを調整するようにも構成されている。例えば、「ＩＮＴＥＲＡＣＴＩＶＥ  ＳＵＲＧＩＣＡＬ  ＰＬＡＴＦＯＲＭ」と題する２０１７年１２月２８日出願の米国仮特許出願第６２／６１１，３４１号における、その開示全体が参照により本明細書に組み込まれる。可視化タワー１１１のところにいる非滅菌操作者によって入力される診断入力又はフィードバックは、ハブ１０６によって滅菌野内の外科用器具ディスプレイ１１５に送られてもよく、ここで診断入力又はフィードバックは外科用器具１１２の操作者によって見られてもよい。外科システム１０２と共に用いるのに好適な例示的外科用器具については、例えば、その開示全体が参照により本明細書に組み込まれる、「Ｓｕｒｇｉｃａｌ  Ｉｎｓｔｒｕｍｅｎｔ  Ｈａｒｄｗａｒｅ」の項目、及び「ＩＮＴＥＲＡＣＴＩＶＥ  ＳＵＲＧＩＣＡＬ  ＰＬＡＴＦＯＲＭ」と題する２０１７年１２月２８日出願の米国仮特許出願第６２／６１１，３４１号で説明されている。
【００２８】
ここで図３を参照すると、ハブ１０６が、可視化システム１０８、ロボットシステム１１０、及びハンドヘルド式インテリジェント外科用器具１１２と通信している状態で示されている。ハブ１０６は、ハブディスプレイ１３５、撮像モジュール１３８、発生器モジュール１４０、通信モジュール１３０、プロセッサモジュール１３２、及びストレージアレイ１３４を含む。特定の態様では、図３に示すように、ハブ１０６は、排煙モジュール１２６及び／又は吸引／灌注モジュール１２８を更に含む。
【００２９】
外科処置中、封止及び／又は切断のため組織へのエネルギー印加は、一般に、排煙、過剰な流体の吸引、及び／又は組織の灌注を伴う。異なる供給源からの流体、電力、及び／又はデータラインは、外科処置中に絡まり合うことが多い。外科処置中にこの問題に対処することで貴重な時間が失われる場合がある。ラインの絡まりをほどくには、それらの対応するモジュールからラインを抜くことが必要となる場合があり、そのためにはモジュールをリセットすることが必要となる場合がある。ハブのモジュール式筐体１３６は、電力、データ、及び流体ラインを管理するための統一環境を提供し、このようなライン間の絡まりの頻度を低減させる。
【００３０】
本開示の態様は、手術部位における組織へのエネルギー印加を伴う外科処置において使用するための外科用ハブを提示する。外科用ハブは、ハブ筐体と、ハブ筐体のドッキングステーション内に摺動可能に受け入れ可能な組み合わせ発生器モジュールと、を含む。ドッキングステーションはデータ及び電力接点を含む。組み合わせ発生器モジュールは、単一ユニット内に収容された、超音波エネルギー発生器構成要素、双極ＲＦエネルギー発生器構成要素、及び単極ＲＦエネルギー発生器構成要素のうちの２つ以上を含む。一態様では、組み合わせ発生器モジュールは、更に、排煙構成要素と、組み合わせ発生器モジュールを外科用器具に接続するための少なくとも１つのエネルギー供給ケーブルと、組織への治療エネルギーの印加によって発生した煙、流体、及び／又は微粒子を排出するように構成された少なくとも１つの排煙構成要素と、遠隔手術部位から排煙構成要素まで延びる流体ラインと、を含む。
【００３１】
一態様では、流体ラインは第１の流体ラインであり、第２の流体ラインは、遠隔手術部位から、ハブ筐体内に摺動可能に受け入れられる吸引及び灌注モジュールまで延びる。一態様では、ハブ筐体は、流体インターフェースを備える。
【００３２】
特定の外科処置は、２つ以上のエネルギータイプを組織に印加することを必要とする場合がある。１つのエネルギータイプは、組織を切断するのにより有益であり得るが、別の異なるエネルギータイプは、組織を封止するのにより有益であり得る。例えば、双極発生器は組織を封止するために使用することができ、一方で、超音波発生器は封止された組織を切断するために使用することができる。本開示の態様は、ハブのモジュール式筐体１３６が様々な発生器を収容して、これらの間の双方向通信を促進するように構成される解決法を提示する。ハブのモジュール式筐体１３６の利点の１つは、様々なモジュールの迅速な取り外し及び／又は交換を可能にすることである。
【００３３】
本開示の態様は、組織へのエネルギー印加を伴う外科処置で使用するためのモジュール式外科用筐体を提示する。モジュール式外科用筐体は、組織に印加するための第１のエネルギーを発生させるように構成された第１のエネルギー発生器モジュールと、第１のデータ及び電力接点を含む第１のドッキングポートを備える第１のドッキングステーションと、を含み、第１のエネルギー発生器モジュールは、電力及びデータ接点と電気係合するように摺動可能に移動可能であり、第１のエネルギー発生器モジュールは、第１の電力及びデータ接点との電気係合から外れるように摺動可能に移動可能である。
【００３４】
上記に加えて、モジュール式外科用筐体は、第１のエネルギーとは異なる、組織に印加するための第２のエネルギーを発生させるように構成された第２のエネルギー発生器モジュールと、第２のデータ及び電力接点を含む第２のドッキングポートを備える第２のドッキングステーションと、を更に含み、第２のエネルギー発生器モジュールは、電力及びデータ接点と電気係合するように摺動可能に移動可能であり、第２のエネルギー発生器モジュールは、第２の電力及びデータ接点との電気係合から外れるように摺動可能に移動可能である。
【００３５】
更に、モジュール式外科用筐体は、第１のエネルギー発生器モジュールと第２のエネルギー発生器モジュールとの間の通信を容易にするように構成された、第１のドッキングポートと第２のドッキングポートとの間の通信バスを更に含む。
【００３６】
図３〜図７を参照すると、発生器モジュール１４０と、排煙モジュール１２６と、吸引／灌注モジュール１２８と、のモジュール式統合を可能にするハブのモジュール式筐体１３６に関する本開示の態様が提示される。ハブのモジュール式筐体１３６は、モジュール１４０、１２６、１２８間の双方向通信を更に促進する。図５に示すように、発生器モジュール１４０は、ハブのモジュール式筐体１３６に摺動可能に挿入可能な単一のハウジングユニット１３９内に支持される、統合された単極、双極、及び超音波構成要素を備える発生器モジュールであってもよい。図５に示すように、発生器モジュール１４０は、単極装置１４６、双極装置１４７、及び超音波装置１４８に接続するように構成され得る。あるいは、発生器モジュール１４０は、ハブのモジュール式筐体１３６を介して相互作用する一連の単極、双極、及び／又は超音波発生器モジュールを備えてもよい。ハブのモジュール式筐体１３６は、複数の発生器が単一の発生器として機能するように、複数の発生器の挿入と、ハブのモジュール式筐体１３６にドッキングされた発生器間の双方向通信と、を促進するように構成されてもよい。
【００３７】
一態様では、ハブのモジュール式筐体１３６は、モジュール１４０、１２６、１２８の取り外し可能な取り付け及びそれらの間の双方向通信を可能にするために、外部及び無線通信ヘッダを備えるモジュール式電力及び通信バックプレーン１４９を備える。
【００３８】
一態様では、ハブのモジュール式筐体１３６は、モジュール１４０、１２６、１２８を摺動可能に受け入れるように構成された、本明細書ではドロアーとも称されるドッキングステーション又はドロアー１５１を含む。図４は、外科用ハブ筐体１３６、及び外科用ハブ筐体１３６のドッキングステーション１５１に摺動可能に受け入れ可能な組み合わせ発生器モジュール１４５の部分斜視図を示す。組み合わせ発生器モジュール１４５の後側に電力及びデータ接点を有するドッキングポート１５２は、組み合わせ発生器モジュール１４５がハブのモジュール式筐体１３６の対応するドッキングステーション１５１内の位置へと摺動されると、対応するドッキングポート１５０をハブのモジュール式筐体１３６の対応するドッキングステーション１５１の電力及びデータ接点と係合するように構成される。一態様では、組み合わせ発生器モジュール１４５は、図５に示すように、双極、超音波、及び単極モジュールと、単一のハウジングユニット１３９と共に一体化された排煙モジュールと、を含む。
【００３９】
様々な態様では、排煙モジュール１２６は、捕捉／回収された煙及び／又は流体を手術部位から遠ざけて、例えば、排煙モジュール１２６へと搬送する流体ライン１５４を含む。排煙モジュール１２６から発生する真空吸引は、煙を手術部位のユーティリティ導管の開口部に引き込むことができる。流体ラインに連結されたユーティリティ導管は、排煙モジュール１２６で終端する可撓管の形態であってもよい。ユーティリティ導管及び流体ラインは、ハブ筐体１３６内に受け入れられる排煙モジュール１２６に向かって延びる流体経路を画定する。
【００４０】
様々な態様では、吸引／灌注モジュール１２８は、吸い込み（aspiration）流体ライン及び吸引（suction）流体ラインを含む外科用ツールに連結される。一実施例では、吸い込み及び吸引流体ラインは、手術部位から吸引／灌注モジュール１２８に向かって延びる可撓管の形態である。１つ又は２つ以上の駆動システムは、手術部位への、及び手術部位からの流体の灌注及び吸い込みを引き起こすように構成され得る。
【００４１】
一態様では、外科用ツールは、その遠位端にエンドエフェクタを有するシャフトと、エンドエフェクタに関連付けられた少なくとも１つのエネルギー処置部と、吸い込み管と、灌注管と、を含む。吸い込み管は、その遠位端に入口ポートを有することができ、吸い込み管はシャフトを通って延びる。同様に、灌注管はシャフトを通って延びることができ、かつ、エネルギー送達器具に近接した入口ポートを有することができる。エネルギー送達器具は、超音波及び／又はＲＦエネルギーを手術部位に送達するように構成され、最初にシャフトを通って延びるケーブルによって発生器モジュール１４０に連結される。
【００４２】
灌注管は流体源と流体連通することができ、吸い込み管は真空源と流体連通することができる。流体源及び／又は真空源は、吸引／灌注モジュール１２８内に収容され得る。一実施例では、流体源及び／又は真空源は、吸引／灌注モジュール１２８とは別にハブ筐体１３６内に収容され得る。このような実施例では、流体インターフェースは、吸引／灌注モジュール１２８を流体源及び／又は真空源に接続するように構成され得る。
【００４３】
一態様では、モジュール１４０、１２６、１２８及び／又はハブのモジュール式筐体１３６上のそれらの対応するドッキングステーションは、モジュールのドッキングポートを位置合わせして、ハブのモジュール式筐体１３６のドッキングステーション内でこれらの対応部品と係合させるように構成された位置合わせ機構を含み得る。例えば、図４に示すように、組み合わせ発生器モジュール１４５は、ハブのモジュール式筐体１３６の対応するドッキングステーション１５１の対応するブラケット１５６と摺動可能に係合するように構成された側部ブラケット１５５を含む。ブラケットは協働して、組み合わせ発生器モジュール１４５のドッキングポート接点をハブのモジュール式筐体１３６のドッキングポート接点と電気係合させるように誘導する。
【００４４】
いくつかの態様では、ハブのモジュール式筐体１３６のドロアー１５１はサイズが同じ又は実質的に同じであり、モジュールはドロアー１５１内に受け入れられるサイズに調整される。例えば、側部ブラケット１５５及び／又は１５６は、モジュールのサイズに応じてより大きくなっても小さくなってもよい。他の態様では、ドロアー１５１はサイズが異なり、それぞれ特定のモジュールを収容するように設計される。
【００４５】
更に、適合しない接点を備えるドロアーにモジュールを挿入することを避けるために、特定のモジュールの接点を、特定のドロアーの接点と係合するように鍵付きにしてもよい。
【００４６】
図４に示されるように、１つのドロアー１５１のドッキングポート１５０は、通信リンク１５７を介して別のドロアー１５１のドッキングポート１５０に連結されて、ハブのモジュール式筐体１３６内に収容されたモジュール間の双方向通信を容易にすることができる。ハブのモジュール式筐体１３６のドッキングポート１５０は、加えて又は代わりに、ハブのモジュール式筐体１３６内に収容されたモジュール間の無線双方向通信を容易にしてもよい。例えば、Ａｉｒ  Ｔｉｔａｎ−Ｂｌｕｅｔｏｏｔｈなどの任意の好適な無線通信を用いてもよい。
【００４７】
図６は、外科用ハブ２０６の複数のモジュールを受け入れるように構成された横方向モジュール式ハウジング１６０の複数の横方向ドッキングポートの個々の電力バスアタッチメントを示す。横方向モジュール式ハウジング１６０は、モジュール１６１を横方向に受け入れて相互接続するように構成される。モジュール１６１は、モジュール１６１を相互接続するためのバックプレーンを含む横方向モジュール式ハウジング１６０のドッキングステーション１６２内に摺動可能に挿入される。図６に示すように、モジュール１６１は、横方向モジュール式ハウジング１６０内で横方向に配置される。あるいは、モジュール１６１は、横方向モジュール式ハウジング内で垂直方向に配置されてもよい。
【００４８】
図７は、外科用ハブ１０６の複数のモジュール１６５を受け入れるように構成された垂直モジュール式ハウジング１６４を示す。モジュール１６５は、モジュール１６５を相互接続するためのバックプレーンを含む垂直モジュール式ハウジング１６４のドッキングステーション又はドロアー１６７内に摺動可能に挿入される。垂直モジュール式ハウジング１６４のドロアー１６７は垂直方向に配置されているが、特定の場合では、垂直モジュール式ハウジング１６４は、横方向に配置されたドロアーを含んでもよい。更に、モジュール１６５は、垂直モジュール式ハウジング１６４のドッキングポートを介して互いに相互作用し得る。図７の実施例では、モジュール１６５の動作に関連するデータを表示するためのディスプレイ１７７が提供される。加えて、垂直モジュール式ハウジング１６４は、マスタモジュール１７８内に摺動可能に受け入れられる複数のサブモジュールを収容するマスタモジュール１７８を含む。
【００４９】
様々な態様では、撮像モジュール１３８は、内蔵型のビデオプロセッサ及びモジュール式光源を備え、様々な撮像装置と共に使用するように適合されている。一態様では、撮像装置は、光源モジュール及びカメラモジュールと共に組み立てることが可能なモジュール式ハウジングで構成される。ハウジングは、使い捨て式ハウジングであってもよい。少なくとも１つの実施例では、使い捨て式ハウジングは、再利用可能なコントローラ、光源モジュール、及びカメラモジュールと取り外し可能に連結される。光源モジュール及び／又はカメラモジュールは、外科処置の種類に応じて選択的に選択することができる。一態様では、カメラモジュールはＣＣＤセンサを含む。別の態様では、カメラモジュールはＣＭＯＳセンサを含む。別の態様では、カメラモジュールは走査されたビームの撮像用に構成される。同様に、光源モジュールは、外科処置に応じて白色光又は異なる光を送達するように構成することができる。
【００５０】
外科処置中に、手術野から外科用装置を除去して異なるカメラ又は異なる光源を含む別の外科用装置と交換することは非効率的となり得る。手術野の視野を一時的に喪失することは、望ましからぬ結果をもたらし得る。本開示のモジュール撮像装置は、手術野から撮像装置を除去する必要なく、外科処置中に光源モジュール又はカメラモジュール中間体（midstream）の交換を可能にするように構成される。
【００５１】
一態様では、撮像装置は、複数のチャネルを含む管状ハウジングを備える。第１のチャネルは、第１のチャネルとスナップ嵌め係合するように構成され得るカメラモジュールを摺動可能に受け入れるように構成されている。第２のチャネルは、第２のチャネルとスナップ嵌め係合するように構成され得る光源モジュールを摺動可能に受け入れるように構成されている。別の実施例では、カメラモジュール及び／又は光源モジュールは、これらの対応するチャネル内の最終位置へと回転させることができる。スナップ嵌め係合の代わりにねじ係合が採用されてもよい。
【００５２】
様々な実施例で、複数の撮像装置が、複数の視野を提供するために手術野内の様々な位置に位置決めされる。撮像モジュール１３８は、最適な視野を提供するために撮像装置間を切り替えるように構成することができる。様々な態様では、撮像モジュール１３８は、異なる撮像装置からの画像を統合するように構成することができる。
【００５３】
本開示と共に使用するのに好適な様々な画像プロセッサ及び撮像装置は、その全体が参照により本明細書に組み込まれる「ＣＯＭＢＩＮＥＤ  ＳＢＩ  ＡＮＤ  ＣＯＮＶＥＮＴＩＯＮＡＬ  ＩＭＡＧＥ  ＰＲＯＣＥＳＳＯＲ」と題する２０１１年８月９日発行の米国特許第７，９９５，０４５号に記載されている。更に、その全体が参照により本明細書に組み込まれる「ＳＢＩ  ＭＯＴＩＯＮ  ＡＲＴＩＦＡＣＴ  ＲＥＭＯＶＡＬ  ＡＰＰＡＲＡＴＵＳ  ＡＮＤ  ＭＥＴＨＯＤ」と題する２０１１年７月１９日発行の米国特許第７，９８２，７７６号は、画像データからモーションアーチファクトを除去するための様々なシステムについて記載している。こうしたシステムは、撮像モジュール１３８と一体化され得る。更に、「ＣＯＮＴＲＯＬＬＡＢＬＥ  ＭＡＧＮＥＴＩＣ  ＳＯＵＲＣＥ  ＴＯ  ＦＩＸＴＵＲＥ  ＩＮＴＲＡＣＯＲＰＯＲＥＡＬ  ＡＰＰＡＲＡＴＵＳ」と題する２０１１年１２月１５日公開の米国特許出願公開第２０１１／０３０６８４０号、及び「ＳＹＳＴＥＭ  ＦＯＲ  ＰＥＲＦＯＲＭＩＮＧ  Ａ  ＭＩＮＩＭＡＬＬＹ  ＩＮＶＡＳＩＶＥ  ＳＵＲＧＩＣＡＬ  ＰＲＯＣＥＤＵＲＥ」と題する２０１４年８月２８日公開の米国特許出願公開第２０１４／０２４３５９７号は、それぞれその全体が参照により本明細書に組み込まれる。
【００５４】
図８は、医療施設の１つ又は２つ以上の手術室、又は外科処置のための専門設備を備えた医療施設内の任意の部屋に配置されたモジュール式装置をクラウドベースのシステム（例えばストレージ装置２０５に連結されたリモートサーバ２１３を含み得るクラウド２０４）に接続するように構成されたモジュール式通信ハブ２０３を備える外科用データネットワーク２０１を示す。一態様では、モジュール式通信ハブ２０３は、ネットワークルータと通信するネットワークハブ２０７及び／又はネットワークスイッチ２０９を備える。モジュール式通信ハブ２０３は更に、ローカルコンピュータ処理及びデータ操作を提供するために、ローカルコンピュータシステム２１０に連結することができる。外科用データネットワーク２０１は、受動的、インテリジェント、又は切替式として構成されてもよい。受動的外科用データネットワークはデータの導管として機能し、データが１つの装置（又はセグメント）から別の装置（又はセグメント）に、及びクラウドコンピューティングリソースに行くことを可能にする。インテリジェントな外科用データネットワークは、トラフィックが監視対象の外科用データネットワークを通過することを可能にし、ネットワークハブ２０７又はネットワークスイッチ２０９内の各ポートを構成する追加の機構を含む。インテリジェントな外科用データネットワークは、管理可能なハブ又はスイッチと称され得る。スイッチングハブは、各パケットの宛先アドレスを読み取り、次いでパケットを正しいポートに転送する。
【００５５】
手術室に配置されるモジュール式装置１ａ〜１ｎは、モジュール式通信ハブ２０３に連結されてもよい。ネットワークハブ２０７及び／又はネットワークスイッチ２０９は、ネットワークルータ２１１に連結されて、装置１ａ〜１ｎをクラウド２０４又はローカルコンピュータシステム２１０に接続することができる。装置１ａ〜１ｎに関連付けられたデータは、遠隔データ処理及び操作のためにルータを介してクラウドベースのコンピュータに転送されてもよい。装置１ａ〜１ｎに関連付けられたデータはまた、ローカルでのデータ処理及び操作のためにローカルコンピュータシステム２１０に転送されてもよい。同じ手術室に位置するモジュール式装置２ａ〜２ｍもまた、ネットワークスイッチ２０９に連結されてもよい。ネットワークスイッチ２０９は、ネットワークハブ２０７及び／又はネットワークルータ２１１に連結されて、装置２ａ〜２ｍをクラウド２０４に接続することができる。装置２ａ〜２ｎに関連付けられたデータは、データ処理及び操作のためにネットワークルータ２１１を介してクラウド２０４に転送されてもよい。装置２ａ〜２ｍに関連付けられたデータはまた、ローカルでのデータ処理及び操作のためにローカルコンピュータシステム２１０に転送されてもよい。
【００５６】
複数のネットワークハブ２０７及び／又は複数のネットワークスイッチ２０９を複数のネットワークルータ２１１と相互接続することによって、外科用データネットワーク２０１が拡張され得ることが理解されるであろう。モジュール式通信ハブ２０３は、複数の装置１ａ〜１ｎ／２ａ〜２ｍを受け入れるように構成されたモジュール式制御タワー内に収容され得る。ローカルコンピュータシステム２１０もまた、モジュール式制御タワーに収容されてもよい。モジュール式通信ハブ２０３は、ディスプレイ２１２に接続されて、例えば外科処置中に、装置１ａ〜１ｎ／２ａ〜２ｍのうちのいくつかによって取得された画像を表示する。様々な態様では、装置１ａ〜１ｎ／２ａ〜２ｍとしては、外科用データネットワーク２０１のモジュール式通信ハブ２０３に接続され得るモジュール式装置の中でもとりわけ、例えば、内視鏡に連結された撮像モジュール１３８、エネルギーベースの外科用装置に連結された発生器モジュール１４０、排煙モジュール１２６、吸引／灌注モジュール１２８、通信モジュール１３０、プロセッサモジュール１３２、ストレージアレイ１３４、ディスプレイに連結された外科用装置、及び／又は非接触センサモジュールなどの様々なモジュールが挙げられ得る。
【００５７】
一態様では、外科用データネットワーク２０１は、装置１ａ〜１ｎ／２ａ〜２ｍをクラウドに接続する、ネットワークハブ、ネットワークスイッチ、及びネットワークルータとの組み合わせを含んでもよい。ネットワークハブ又はネットワークスイッチに連結された装置１ａ〜１ｎ／２ａ〜２ｍのいずれか１つ又は全ては、リアルタイムでデータを収集し、データ処理及び操作のためにデータをクラウドコンピュータに転送することができる。クラウドコンピューティングは、ソフトウェアアプリケーションを取り扱うために、ローカルサーバ又はパーソナル装置を有するのではなく、共有コンピューティングリソースに依存することは理解されるであろう。用語「クラウド」は「インターネット」の隠喩として用いられ得るが、この用語はそのように限定はされない。したがって、用語「クラウドコンピューティング」は、本明細書では「インターネットベースのコンピューティングの一種」を指すために用いることができ、この場合、サーバ、ストレージ、及びアプリケーションなどの様々なサービスは、手術現場（例えば、固定式、移動式、一時的、又は現場の手術室又は空間）に位置するモジュール式通信ハブ２０３及び／又はコンピュータシステム２１０に、並びに、インターネットを介してモジュール式通信ハブ２０３及び／又はコンピュータシステム２１０に接続された装置に送達される。クラウドインフラストラクチャは、クラウドサービスプロバイダによって維持され得る。この文脈において、クラウドサービスプロバイダは、１つ又は２つ以上の手術室内に位置する装置１ａ〜１ｎ／２ａ〜２ｍの使用及び制御を調整する事業体であり得る。クラウドコンピューティングサービスは、スマート外科用器具、ロボット、及び手術室内に位置する他のコンピュータ化装置によって収集されたデータに基づいて、多数の計算を実行することができる。ハブハードウェアは、複数の装置又は接続部がクラウドコンピューティングリソース及びストレージと通信するコンピュータに接続することを可能にする。
【００５８】
装置１ａ〜１ｎ／２ａ〜２ｍによって収集されたデータにクラウドコンピュータデータ処理技術を適用することで、外科用データネットワークは、外科的成果の改善、コスト低減、及び患者満足度の改善を提供する。組織の封止及び切断処置後に、組織の状態を観察して封止された組織の漏出又は灌流を評価するために、装置１ａ〜１ｎ／２ａ〜２ｍのうちの少なくともいくつかを用いることができる。クラウドベースのコンピューティングを使用して、身体組織のサンプルの画像を含むデータを診断目的で検査して疾患の影響などの病状を特定するために、装置１ａ〜１ｎ／２ａ〜２ｍのうちの少なくともいくつかを用いることができる。これは、組織及び表現型の位置特定及びマージン確認を含む。撮像装置と一体化された様々なセンサ、及び複数の撮像装置によってキャプチャされた画像をオーバーレイするなどの技術を使用して、身体の解剖学的構造を特定するために、装置１ａ〜１ｎ／２ａ〜２ｍのうちの少なくともいくつかを用いることができる。画像データを含む、装置１ａ〜１ｎ／２ａ〜２ｍによって収集されたデータは、画像処理及び操作を含むデータ処理及び操作のために、クラウド２０４若しくはローカルコンピュータシステム２１０又はその両方に転送されてもよい。データは、組織特異的部位及び状態に対する内視鏡的介入、新興技術、標的化放射線、標的化介入、及び精密ロボットの適用などの更なる治療を遂行できるかを判定することによって、外科処置の結果を改善するために分析することができる。こうしたデータ分析は、予後分析処理を更に採用してもよく、標準化されたアプローチを使用することは、外科治療及び外科医の挙動を確認するか、又は外科治療及び外科医の挙動に対する修正を提案するかのいずれかのために有益なフィードバックを提供することができる。
【００５９】
一実装態様では、手術室装置１ａ〜１ｎは、ネットワークハブに対する装置１ａ〜１ｎの構成に応じて、有線チャネル又は無線チャネルを介してモジュール式通信ハブ２０３に接続されてもよい。ネットワークハブ２０７は、一態様では、開放型システム間相互接続（ＯＳＩ）モデルの物理層上で機能するローカルネットワークブロードキャスト装置として実装されてもよい。ネットワークハブは、同じ手術室ネットワーク内に位置する装置１ａ〜１ｎに接続性を提供する。ネットワークハブ２０７は、パケット形態のデータを収集し、それらを半二重モードでルータに送信する。ネットワークハブ２０７は、装置データを転送するための任意の媒体アクセス制御／インターネットプロトコル（ＭＡＣ／ＩＰ）は記憶しない。装置１ａ〜１ｎのうちの１つのみが、ネットワークハブ２０７を介して一度にデータを送信することができる。ネットワークハブ２０７は、情報の送信先に関する経路選択テーブル又はインテリジェンスを有さず、全てのネットワークデータを各コネクション全体、及びクラウド２０４上のリモートサーバ２１３（図９）にブロードキャストする。ネットワークハブ２０７は、コリジョンなどの基本的なネットワークエラーを検出することができるが、全ての情報を複数のポートにブロードキャストさせることは、セキュリティリスクとなりボトルネックを引き起こすおそれがある。
【００６０】
別の実装形態では、手術室装置２ａ〜２ｍは、有線チャネル又は無線チャネルを介してネットワークスイッチ２０９に接続されてもよい。ネットワークスイッチ２０９は、ＯＳＩモデルのデータリンク層内で機能する。ネットワークスイッチ２０９は、同じ手術室内に位置する装置２ａ〜２ｍをネットワークに接続するためのマルチキャスト装置である。ネットワークスイッチ２０９は、フレームの形態のデータをネットワークルータ２１１に送信し、全二重モードで機能する。複数の装置２ａ〜２ｍは、ネットワークスイッチ２０９を介して同時にデータを送信することができる。ネットワークスイッチ２０９は、データを転送するために装置２ａ〜２ｍのＭＡＣアドレスを記憶かつ使用する。
【００６１】
ネットワークハブ２０７及び／又はネットワークスイッチ２０９は、クラウド２０４に接続するためにネットワークルータ２１１に連結される。ネットワークルータ２１１は、ＯＳＩモデルのネットワーク層内で機能する。ネットワークルータ２１１は、装置１ａ〜１ｎ／２ａ〜２ｍのいずれか１つ又は全てによって収集されたデータを更に処理及び操作するために、ネットワークハブ２０７及び／又はネットワークスイッチ２１１から受信したデータパケットをクラウドベースのコンピュータリソースに送信するための経路を作成する。ネットワークルータ２１１は、例えば、同じ医療施設の異なる手術室、又は異なる医療施設の異なる手術室に位置する異なるネットワークなどの、異なる位置に位置する２つ以上の異なるネットワークを接続するために用いられてもよい。ネットワークルータ２１１は、パケット形態のデータをクラウド２０４に送信し、全二重モードで機能する。複数の装置が同時にデータを送信することができる。ネットワークルータ２１１は、データを転送するためにＩＰアドレスを使用する。
【００６２】
一実施例では、ネットワークハブ２０７は、複数のＵＳＢ装置をホストコンピュータに接続することを可能にするＵＳＢハブとして実装されてもよい。ＵＳＢハブは、装置をホストシステムコンピュータに接続するために利用可能なポートが多くなるように、単一のＵＳＢポートをいくつかの階層に拡張することができる。ネットワークハブ２０７は、有線チャネル又は無線チャネルを介して情報を受信するための有線又は無線機能を含むことができる。一態様では、無線ＵＳＢ短距離高帯域無線通信プロトコルが、手術室内に位置する装置１ａ〜１ｎと装置２ａ〜２ｍとの間の通信のために使用されてもよい。
【００６３】
他の実施例では、手術室装置１ａ〜１ｎ／２ａ〜２ｍは、固定及びモバイル装置から短距離にわたってデータを交換し（２．４〜２．４８５ＧＨｚのＩＳＭ帯域における短波長ＵＨＦ電波を使用して）、かつパーソナルエリアネットワーク（ＰＡＮ）を構築するために、Ｂｌｕｅｔｏｏｔｈ無線技術規格を介してモジュール式通信ハブ２０３と通信することができる。他の態様では、手術室装置１ａ〜１ｎ／２ａ〜２ｍは、Ｗｉ−Ｆｉ（ＩＥＥＥ８０２．１１ファミリー）、ＷｉＭＡＸ（ＩＥＥＥ８０２．１６ファミリー）、ＩＥＥＥ８０２．２０、ロング・ターム・エボリューション（ＬＴＥ）、並びにＥｖ−ＤＯ、ＨＳＰＡ＋、ＨＳＤＰＡ＋、ＨＳＵＰＡ＋、ＥＤＧＥ、ＧＳＭ、ＧＰＲＳ、ＣＤＭＡ、ＴＤＭＡ、ＤＥＣＴ、及びこれらのイーサネット派生物、のみならず３Ｇ、４Ｇ、５Ｇ、及びそれ以降と指定される任意の他の無線及び有線プロトコルが挙げられるがこれらに限定されない数多くの無線又は有線通信規格又はプロトコルを介してモジュール式通信ハブ２０３と通信することができる。コンピューティングモジュールは、複数の通信モジュールを含んでもよい。例えば、第１の通信モジュールは、Ｗｉ−Ｆｉ及びＢｌｕｅｔｏｏｔｈなどの短距離無線通信専用であってもよく、第２の通信モジュールは、ＧＰＳ、ＥＤＧＥ、ＧＰＲＳ、ＣＤＭＡ、ＷｉＭＡＸ、ＬＴＥ、Ｅｖ−ＤＯなどの長距離無線通信専用であってもよい。
【００６４】
モジュール式通信ハブ２０３は、手術室装置１ａ〜１ｎ／２ａ〜２ｍの１つ又は全ての中央接続部として機能することができ、フレームとして知られるデータ型を取り扱う。フレームは、装置１ａ〜１ｎ／２ａ〜２ｍによって生成されたデータを搬送する。フレームがモジュール式通信ハブ２０３によって受信されると、フレームは増幅されてネットワークルータ２１１へ送信され、ネットワークルータ２１１は本明細書に記載される数多くの無線又は有線通信規格又はプロトコルを使用することによってこのデータをクラウドコンピューティングリソースに転送する。
【００６５】
モジュール式通信ハブ２０３は、スタンドアロンの装置として使用されてもよく、又はより大きなネットワークを形成するために互換性のあるネットワークハブ及びネットワークスイッチに接続されてもよい。モジュール式通信ハブ２０３は、一般に据え付け、構成、及び維持が容易であるため、モジュール式通信ハブ２０３は手術室装置１ａ〜１ｎ／２ａ〜２ｍをネットワーク接続するための良好な選択肢となる。
【００６６】
図９は、コンピュータ実施インタラクティブ外科システム２００を示す。コンピュータ実施インタラクティブ外科システム２００は、多くの点で、コンピュータ実施インタラクティブ外科システム１００と類似している。例えば、コンピュータ実施インタラクティブ外科システム２００は、多くの点で外科システム１０２と類似する１つ又は２つ以上の外科システム２０２を含む。各外科システム２０２は、リモートサーバ２１３を含み得るクラウド２０４と通信する少なくとも１つの外科用ハブ２０６を含む。一態様では、コンピュータ実施インタラクティブ外科システム２００は、例えば、インテリジェント外科用器具、ロボット、及び手術室内に位置する他のコンピュータ化装置などの複数の手術室装置に接続されたモジュール式制御タワー２３６を備える。図１０に示されるように、モジュール式制御タワー２３６は、コンピュータシステム２１０に連結されたモジュール式通信ハブ２０３を備える。図９の実施例に例示するように、モジュール式制御タワー２３６は、内視鏡２３９に連結された撮像モジュール２３８、エネルギー装置２４１に連結された発生器モジュール２４０、排煙器モジュール２２６、吸引／灌注モジュール２２８、通信モジュール２３０、プロセッサモジュール２３２、ストレージアレイ２３４、任意でディスプレイ２３７に連結されたスマート装置／器具２３５、及び非接触センサモジュール２４２に連結される。手術室装置は、モジュール式制御タワー２３６を介してクラウドコンピューティングリソース及びデータストレージに連結される。ロボットハブ２２２もまた、モジュール式制御タワー２３６及びクラウドコンピューティングリソースに接続されてもよい。中でもとりわけ、装置／器具２３５、可視化システム２０８が、本明細書に記載される有線又は無線通信規格又はプロトコルを介してモジュール式制御タワー２３６に連結されてもよい。モジュール式制御タワー２３６は、撮像モジュール、装置／器具ディスプレイ、及び／又は他の可視化システム２０８から受信した画像を表示及びオーバーレイするためにハブディスプレイ２１５（例えば、モニタ、スクリーン）に連結されてもよい。ハブディスプレイはまた、画像及びオーバーレイ画像と共にモジュール式制御タワーに接続された装置から受信したデータを表示してもよい。
【００６７】
図１０は、モジュール式制御タワー２３６に連結された複数のモジュールを備える外科用ハブ２０６を示す。モジュール式制御タワー２３６は、例えばネットワーク接続装置などのモジュール式通信ハブ２０３と、例えば局所処理、可視化、及び撮像を提供するためのコンピュータシステム２１０と、を備える。図１０に示すように、モジュール式通信ハブ２０３は、モジュール式通信ハブ２０３に接続できるモジュール（例えば、装置）の数を拡張するために階層化構成で接続されて、モジュールに関連付けられたデータをコンピュータシステム２１０、クラウドコンピューティングリソース、又はその両方に転送することができる。図１０に示すように、モジュール式通信ハブ２０３内のネットワークハブ／スイッチのそれぞれは、３つの下流ポート及び１つの上流ポートを含む。上流のネットワークハブ／スイッチは、クラウドコンピューティングリソース及びローカルディスプレイ２１７への通信接続を提供するためにプロセッサに接続される。クラウド２０４への通信は、有線又は無線通信チャネルのいずれかを介して行うことができる。
【００６８】
外科用ハブ２０６は、非接触センサモジュール２４２を使用して、手術室の寸法を測定し、また超音波又はレーザ型非接触測定装置のいずれかを使用して手術現場のマップを生成する。その開示全体が参照により本明細書に組み込まれる「ＩＮＴＥＲＡＣＴＩＶＥ  ＳＵＲＧＩＣＡＬ  ＰＬＡＴＦＯＲＭ」と題する２０１７年１２月２８日出願の米国仮特許出願第６２／６１１，３４１号中の「Ｓｕｒｇｉｃａｌ  Ｈｕｂ  Ｓｐａｔｉａｌ  Ａｗａｒｅｎｅｓｓ  Ｗｉｔｈｉｎ  ａｎ  Ｏｐｅｒａｔｉｎｇ  Ｒｏｏｍ」の項で説明されるように、超音波ベースの非接触センサモジュールは、超音波のバーストを送信し、超音波のバーストが手術室の周囲壁に反射したときのエコーを受信することによって手術室を走査し、ここでセンサモジュールが、手術室のサイズを判定し、かつＢｌｕｅｔｏｏｔｈペアリングの距離限界を調整するように構成される。レーザベースの非接触センサモジュールは、例えば、レーザ光パルスを送信し、手術室の周囲壁に反射するレーザ光パルスを受信し、送信されたパルスの位相を受信したパルスと比較して、手術室のサイズを判定し、かつＢｌｕｅｔｏｏｔｈペアリング距離限界を調整することによって手術室を走査する。
【００６９】
コンピュータシステム２１０は、プロセッサ２４４とネットワークインターフェース２４５とを備える。プロセッサ２４４は、システムバスを介して、通信モジュール２４７、ストレージ２４８、メモリ２４９、不揮発性メモリ２５０、及び入力／出力インターフェース２５１に連結される。システムバスは、９ビットバス、業界標準アーキテクチャ（ＩＳＡ）、マイクロチャネルアーキテクチャ（ＭＳＡ）、拡張ＩＳＡ（ＥＩＳＡ）、インテリジェントドライブエレクトロニクス（ＩＤＥ）、ＶＥＳＡローカルバス（ＶＬＢ）、周辺装置相互接続（ＰＣＩ）、ＵＳＢ、アドバンスドグラフィックスポート（ＡＧＰ）、パーソナルコンピュータメモリカード国際協会バス（ＰＣＭＣＩＡ）、小型計算機システム・インターフェース（ＳＣＳＩ）、又は任意の他の独自バス（proprietary bus）が挙げられるがこれらに限定されない任意の様々なバスアーキテクチャを用いる、メモリバス若しくはメモリコントローラ、ペリフェラルバス若しくは外部バス、及び／又はローカルバスを含むいくつかの種類のバス構造のうちのいずれかであっってもよい。
【００７０】
プロセッサ２４４は、Ｔｅｘａｓ  Ｉｎｓｔｒｕｍｅｎｔｓ製のＡＲＭ  Ｃｏｒｔｅｘの商品名で知られているものなど、任意のシングルコア又はマルチコアプロセッサであってもよい。一態様では、プロセッサは、例えば、その詳細が製品データシートで入手可能である、最大４０ＭＨｚの２５６ＫＢのシングルサイクルフラッシュメモリ若しくは他の不揮発性メモリのオンチップメモリ、性能を４０ＭＨｚ超に改善するためのプリフェッチバッファ、３２ＫＢのシングルサイクルシリアルランダムアクセスメモリ（ＳＲＡＭ）、ＳｔｅｌｌａｒｉｓＷａｒｅ（登録商標）ソフトウェアを搭載した内部読み出し専用メモリ（ＲＯＭ）、２ＫＢの電気的消去可能プログラマブル読み出し専用メモリ（ＥＥＰＲＯＭ）、及び／又は、１つ若しくは２つ以上のパルス幅変調（ＰＷＭ）モジュール、１つ若しくは２つ以上の直交エンコーダ入力（ＱＥＩ）アナログ、１２個のアナログ入力チャネルを備える１つ若しくは２つ以上の１２ビットアナログ−デジタル変換器（ＡＤＣ）を含む、Ｔｅｘａｓ  Ｉｎｓｔｒｕｍｅｎｔｓから入手可能なＬＭ４Ｆ２３０Ｈ５ＱＲ  ＡＲＭ  Ｃｏｒｔｅｘ−Ｍ４Ｆプロセッサコアであってもよい。
【００７１】
一態様では、プロセッサ２４４は、同じくＴｅｘａｓ  Ｉｎｓｔｒｕｍｅｎｔｓ製のＨｅｒｃｕｌｅｓ  ＡＲＭ  Ｃｏｒｔｅｘ  Ｒ４の商品名で知られるＴＭＳ５７０及びＲＭ４ｘなどの２つのコントローラ系ファミリーを含む安全コントローラを含んでもよい。安全コントローラは、拡張性のある性能、接続性、及びメモリの選択肢を提供しながら、高度な集積型安全機構を提供するために、中でも特に、ＩＥＣ６１５０８及びＩＳＯ２６２６２の安全限界用途専用に構成されてもよい。
【００７２】
システムメモリとしては、揮発性メモリ及び不揮発性メモリが挙げられる。起動中などにコンピュータシステム内の要素間で情報を転送するための基本ルーチンを含む基本入力／出力システム（ＢＩＯＳ）は、不揮発性メモリに記憶される。例えば、不揮発性メモリとしては、ＲＯＭ、プログラマブルＲＯＭ（ＰＲＯＭ）、電気的プログラマブルＲＯＭ（ＥＰＲＯＭ）、ＥＥＰＲＯＭ、又はフラッシュメモリが挙げられ得る。揮発性メモリとしては、外部キャッシュメモリとして機能するランダムアクセスメモリ（ＲＡＭ）が挙げられる。更に、ＲＡＭは、ＳＲＡＭ、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、エンハンスドＳＤＲＡＭ（ＥＳＤＲＡＭ）、シンクリンクＤＲＡＭ（ＳＬＤＲＡＭ）、及びダイレクトランバスＲＡＭ（ＤＲＲＡＭ）などの多くの形態で利用可能である。
【００７３】
コンピュータシステム２１０はまた、取り外し可能／取り外し不可能な揮発性／不揮発性コンピュータストレージ媒体、例えばディスクストレージなどを含む。ディスクストレージとしては、磁気ディスクドライブ、フロッピーディスクドライブ、テープドライブ、Ｊａｚドライブ、Ｚｉｐドライブ、ＬＳ−６０ドライブ、フラッシュメモリカード、又はメモリスティックのようなデバイスが挙げられるが、これらに限定されない。加えて、ディスクストレージは、ストレージ媒体を、独立して、又はコンパクトディスクＲＯＭ装置（ＣＤ−ＲＯＭ）、コンパクトディスク記録可能ドライブ（ＣＤ−Ｒドライブ）、コンパクトディスク書き換え可能ドライブ（ＣＤ−ＲＷドライブ）、若しくはデジタル多用途ディスクＲＯＭドライブ（ＤＶＤ−ＲＯＭ）などの光ディスクドライブが挙げられるがこれらに限定されない他のストレージ媒体との組み合わせで含むことができる。ディスクストレージ装置のシステムバスへの接続を容易にするために、取り外し可能な又は取り外し不可能なインターフェースが用いられてもよい。
【００７４】
コンピュータシステム２１０は、好適な動作環境で説明されるユーザと基本コンピュータリソースとの間で媒介として機能するソフトウェアを含むことを理解されたい。このようなソフトウェアとしてはオペレーティングシステムが挙げられる。ディスクストレージ上に記憶され得るオペレーティングシステムは、コンピュータシステムのリソースを制御及び割り当てするように機能する。システムアプリケーションは、システムメモリ内又はディスクストレージ上のいずれかに記憶されたプログラムモジュール及びプログラムデータを介して、オペレーティングシステムによるリソース管理を活用する。本明細書に記載される様々な構成要素は、様々なオペレーティングシステム又はオペレーティングシステムの組み合わせで実装することができることを理解されたい。
【００７５】
ユーザは、Ｉ／Ｏインターフェース２５１に連結された入力装置を介してコンピュータシステム２１０にコマンド又は情報を入力する。入力装置としては、マウス、トラックボール、スタイラス、タッチパッドなどのポインティングデバイス、キーボード、マイクロフォン、ジョイスティック、ゲームパッド、サテライト・ディッシュ、スキャナ、ＴＶチューナカード、デジタルカメラ、デジタルビデオカメラ、ウェブカメラなどが挙げられるが、これらに限定されない。これら及び他の入力装置は、インターフェースポートを介し、システムバスを通してプロセッサに接続する。インターフェースポートとしては、例えば、シリアルポート、パラレルポート、ゲームポート、及びＵＳＢが挙げられる。出力装置は、入力装置と同じ種類のポートのうちのいくつかを使用する。したがって、例えば、ＵＳＢポートを使用して、コンピュータシステムに入力を提供し、またコンピュータシステムからの情報を出力装置に出力してもよい。出力アダプタは、特別なアダプタを必要とする出力装置の中でもとりわけ、モニタ、ディスプレイ、スピーカ、及びプリンタなどのいくつかの出力装置が存在することを示すために提供される。出力アダプタとしては、例示としてのものであり限定するものではないが、出力装置とシステムバスとの間の接続手段を提供するビデオ及びサウンドカードが挙げられる。遠隔コンピュータなどの他の装置及び／又は装置のシステムは、入力及び出力機能の両方を提供することに留意されたい。
【００７６】
コンピュータシステム２１０は、クラウドコンピュータなどの１つ若しくは２つ以上の遠隔コンピュータ又はローカルコンピュータへの論理接続を使用するネットワーク化環境で動作することができる。遠隔クラウドコンピュータは、パーソナルコンピュータ、サーバ、ルータ、ネットワークＰＣ、ワークステーション、マイクロプロセッサベースの機器、ピア装置、又は他の一般的なネットワークノードなどであってよく、典型的には、コンピュータシステムに関して説明される要素の多く又は全てを含む。簡潔にするために、遠隔コンピュータと共にメモリストレージ装置のみが示される。遠隔コンピュータは、ネットワークインターフェースを介してコンピュータシステムに論理的に接続され、続いて、通信接続を介して物理的に接続される。ネットワークインターフェースは、ローカルエリアネットワーク（ＬＡＮ）及びワイドエリアネットワーク（ＷＡＮ）などの通信ネットワークを包含する。ＬＡＮ技術としては、光ファイバ分散データインターフェース（ＦＤＤＩ）、銅線分散データインターフェース（ＣＤＤＩ）、Ｅｔｈｅｒｎｅｔ／ＩＥＥＥ８０２．３、Ｔｏｋｅｎ  Ｒｉｎｇ／ＩＥＥＥ８０２．５などが挙げられる。ＷＡＮ技術としては、ポイントツーポイントリンク、統合サービスデジタルネットワーク（ＩＳＤＮ）及びその変形などの回路交換ネットワーク、パケット交換ネットワーク、並びにデジタル加入者回線（ＤＳＬ）が挙げられるがこれらに限定されない。
【００７７】
様々な態様では、図１０のコンピュータシステム２１０、図９〜図１０の撮像モジュール２３８、及び／又は可視化システム２０８、及び／又はプロセッサモジュール２３２は、画像プロセッサ、画像処理エンジン、メディアプロセッサ、又はデジタル画像の処理に使用される任意の専用デジタル信号プロセッサ（ＤＳＰ）を含んでもよい。画像プロセッサは、単一命令複数データ（ＳＩＭＤ）、又は複数命令複数データ（ＭＩＭＤ）技術を用いた並列コンピューティングを使用して速度及び効率を高めることができる。デジタル画像処理エンジンは、様々なタスクを実行することができる。画像プロセッサは、マルチコアプロセッサアーキテクチャを備えるチップ上のシステムであってもよい。
【００７８】
通信接続とは、ネットワークインターフェースをバスに接続するために用いられるハードウェア／ソフトウェアを指す。例示の明瞭さのために通信接続はコンピュータシステム内部に示されているが、通信接続はコンピュータシステム２１０の外部にあってもよい。例示のみを目的として、ネットワークインターフェースへの接続に必要なハードウェア／ソフトウェアとしては、通常の電話グレードモデム、ケーブルモデム、及びＤＳＬモデムを含むモデム、ＩＳＤＮアダプタ、並びにイーサネットカードなどの内部及び外部技術が挙げられる。
【００７９】
図１１は、本開示の一態様による、ＵＳＢネットワークハブ３００装置の一態様の機能ブロック図を示す。図示した態様では、ＵＳＢネットワークハブ装置３００は、Ｔｅｘａｓ  Ｉｎｓｔｒｕｍｅｎｔｓ製ＴＵＳＢ２０３６集積回路ハブを採用する。ＵＳＢネットワークハブ３００は、ＵＳＢ２．０規格に準拠する、上流ＵＳＢ送受信ポート３０２及び最大３つの下流ＵＳＢ送受信ポート３０４、３０６、３０８を提供するＣＭＯＳ装置である。上流ＵＳＢ送受信ポート３０２は、差動データプラス（ＤＰ０）入力とペアリングされた差動データマイナス（ＤＭ０）入力を含む差動ルートデータポートである。３つの下流ＵＳＢ送受信ポート３０４、３０６、３０８は、各ポートが差動データマイナス（ＤＭ１〜ＤＭ３）出力とペアリングした差動データプラス（ＤＰ１〜ＤＰ３）出力を含む差動データポートである。
【００８０】
ＵＳＢネットワークハブ３００装置は、マイクロコントローラの代わりにデジタル状態マシンを備えて実装され、ファームウェアのプログラミングを必要としない。完全準拠したＵＳＢ送受信機が、上流ＵＳＢ送受信ポート３０２及び全ての下流ＵＳＢ送受信ポート３０４、３０６、３０８の回路に統合される。下流ＵＳＢ送受信ポート３０４、３０６、３０８は、ポートに取り付けられた装置の速度に応じてスルーレートを自動的に設定することによって、最高速度及び低速の装置の両方をサポートする。ＵＳＢネットワークハブ３００装置は、バスパワーモード又はセルフパワーモードのいずれかで構成されてもよく、電力を管理するためのハブパワー論理３１２を含む。
【００８１】
ＵＳＢネットワークハブ３００装置は、シリアルインターフェースエンジン３１０（ＳＩＥ）を含む。ＳＩＥ３１０は、ＵＳＢネットワークハブ３００ハードウェアのフロントエンドであり、ＵＳＢ仕様書の第８章に記載されているプロトコルの大部分を取り扱う。ＳＩＥ３１０は、典型的には、トランザクションレベルまでのシグナリングを理解する。これが取り扱う機能としては、パケット認識、トランザクションの並べ替え、ＳＯＰ、ＥＯＰ、ＲＥＳＥＴ、及びＲＥＳＵＭＥ信号の検出／生成、クロック／データ分離、非ゼロ復帰逆転（ＮＲＺＩ）データ符号化／復号及びビットスタッフィング、ＣＲＣ生成及びチェック（トークン及びデータ）、パケットＩＤ（ＰＩＤ）の生成、及びチェック／復号、並びに／又はシリアル・パラレル／パラレル・シリアル変換が挙げられ得る。３１０はクロック入力３１４を受信し、ポート論理回路３２０、３２２、３２４を介して上流ＵＳＢ送受信ポート３０２と下流ＵＳＢ送受信ポート３０４、３０６、３０８との間の通信を制御するためにサスペンド／レジューム論理並びにフレームタイマー３１６回路及びハブリピータ回路３１８に連結される。ＳＩＥ３１０は、シリアルＥＥＰＲＯＭインターフェース３３０を介してシリアルＥＥＰＲＯＭからコマンドを制御するためのインターフェース論理を介してコマンドデコーダ３２６に連結される。
【００８２】
様々な態様では、ＵＳＢネットワークハブ３００は、最大６つの論理層（階層）内に構成された１２７個の機能を単一のコンピュータに接続することができる。更に、ＵＳＢネットワークハブ３００は、通信及び電力分配の両方を提供する標準化された４本のワイヤケーブルを使用して全ての周辺機器に接続することができる。電力構成は、バスパワーモード及びセルフパワーモードである。ＵＳＢネットワークハブ３００は、個々のポート電力管理又は連動ポート電力管理のいずれかを備えるバスパワーハブ、及び個々のポート電力管理又は連動ポート電力管理のいずれかを備えるセルフパワーハブの、電力管理の４つのモードをサポートするように構成されてもよい。一態様では、ＵＳＢケーブル、ＵＳＢネットワークハブ３００を使用して、上流ＵＳＢ送受信ポート３０２はＵＳＢホストコントローラにプラグ接続され、下流ＵＳＢ送受信ポート３０４、３０６、３０８はＵＳＢに互換性のある装置を接続するために露出される、といった具合である。
【００８３】
外科用器具のハードウェア
図１２は、本開示の１つ又は２つ以上の態様による、外科用器具又はツールの制御システム４７０の論理図を示す。システム４７０は制御回路を備える。制御回路は、プロセッサ４６２及びメモリ４６８を備えるマイクロコントローラ４６１を含む。例えば、センサ４７２、４７４、４７６のうちの１つ又は２つ以上が、プロセッサ４６２にリアルタイムなフィードバックを提供する。モータ駆動器４９２によって駆動されるモータ４８２は、長手方向に移動可能な変位部材を動作可能に連結して、Ｉビームナイフ要素を駆動する。追跡システム４８０は、長手方向に移動可能な変位部材の位置を決定するように構成されている。位置情報は、長手方向に移動可能な駆動部材の位置、並びに発射部材、発射バー、及びＩビームナイフ要素の位置を決定するようにプログラム又は構成され得るプロセッサ４６２に提供される。追加のモータが、Ｉビームの発射、閉鎖管の移動、シャフトの回転、及び関節運動を制御するために、ツールドライバインターフェースに提供されてもよい。ディスプレイ４７３は、器具の様々な動作条件を表示し、データ入力のためのタッチスクリーン機能を含んでもよい。ディスプレイ４７３上に表示された情報は、内視鏡撮像モジュールを介して取得された画像とオーバーレイさせることができる。
【００８４】
一態様では、マイクロコントローラ４６１は、Ｔｅｘａｓ  Ｉｎｓｔｒｕｍｅｎｔｓ製のＡＲＭ  Ｃｏｒｔｅｘの商品名で知られているものなど、任意のシングルコア又はマルチコアプロセッサであってもよい。一態様では、主マイクロコントローラ４６１は、例えば、その詳細が製品データシートで入手可能である、最大４０ＭＨｚの２５６ＫＢのシングルサイクルフラッシュメモリ若しくは他の不揮発性メモリのオンチップメモリ、性能を４０ＭＨｚ超に改善するためのプリフェッチバッファ、３２ＫＢのシングルサイクルＳＲＡＭ、ＳｔｅｌｌａｒｉｓＷａｒｅ（登録商標）ソフトウェアを搭載した内部ＲＯＭ、２ＫＢのＥＥＰＲＯＭ、１つ若しくは２つ以上のＰＷＭモジュール、１つ若しくは２つ以上のＱＥＩアナログ、及び／又は１２個のアナログ入力チャネルを備える１つ若しくは２つ以上の１２ビットＡＤＣを含む、Ｔｅｘａｓ  Ｉｎｓｔｒｕｍｅｎｔｓから入手可能なＬＭ４Ｆ２３０Ｈ５ＱＲ  ＡＲＭ  Ｃｏｒｔｅｘ−Ｍ４Ｆプロセッサコアであってもよい。
【００８５】
一態様では、マイクロコントローラ４６１は、同じくＴｅｘａｓ  Ｉｎｓｔｒｕｍｅｎｔｓ製のＨｅｒｃｕｌｅｓ  ＡＲＭ  Ｃｏｒｔｅｘ  Ｒ４の商品名で知られるＴＭＳ５７０及びＲＭ４ｘなどの２つのコントローラ系ファミリーを含む安全コントローラを含んでもよい。安全コントローラは、拡張性のある性能、接続性、及びメモリの選択肢を提供しながら、高度な集積型安全機構を提供するために、中でも特に、ＩＥＣ６１５０８及びＩＳＯ２６２６２の安全限界用途専用に構成されてもよい。
【００８６】
マイクロコントローラ４６１は、ナイフ及び関節運動システムの速度及び位置に対する精密制御など、様々な機能を実行するようにプログラムされてもよい。一態様では、マイクロコントローラ４６１は、プロセッサ４６２及びメモリ４６８を含む。電動モータ４８２は、ギアボックス、及び関節運動又はナイフシステムへの機械的連結部を備えたブラシ付き直流（ＤＣ）モータであってもよい。一態様では、モータ駆動器４９２は、Ａｌｌｅｇｒｏ  Ｍｉｃｒｏｓｙｓｔｅｍｓ，Ｉｎｃから入手可能なＡ３９４１であってもよい。他のモータ駆動器を、絶対位置決めシステムを備える追跡システム４８０で使用するために容易に置き換えることができる。絶対位置決めシステムの詳細な説明は、その全体が参照により本明細書に組み込まれる「ＳＹＳＴＥＭＳ  ＡＮＤ  ＭＥＴＨＯＤＳ  ＦＯＲ  ＣＯＮＴＲＯＬＬＩＮＧ  Ａ  ＳＵＲＧＩＣＡＬ  ＳＴＡＰＬＩＮＧ  ＡＮＤ  ＣＵＴＴＩＮＧ  ＩＮＳＴＲＵＭＥＮＴ」と題する２０１７年１０月１９日公開の米国特許出願公開第２０１７／０２９６２１３号に記載されている。
【００８７】
マイクロコントローラ４６１は、変位部材及び関節運動システムの速度及び位置に対する正確な制御を提供するようにプログラムされてもよい。マイクロコントローラ４６１は、マイクロコントローラ４６１のソフトウェア内で応答を計算するように構成されてもよい。計算された応答は、実際のシステムの測定された応答と比較されて「観測された」応答が得られ、これが実際のフィードバックの判定に用いられる。観測された応答は、シミュレーションによる応答の滑らかで連続的な性質と、測定による応答とのバランスを取る好適な調整された値であり、これはシステムに及ぼす外部の影響を検出することができる。
【００８８】
一態様では、モータ４８２は、モータ駆動器４９２によって制御されてもよく、外科用器具又はツールの発射システムによって使用され得る。様々な形態において、モータ４８２は、例えば、約２５，０００ＲＰＭの最大回転速度を有するブラシ付きＤＣ駆動モータであってもよい。別の構成において、モータ４８２はブラシレスモータ、コードレスモータ、同期モータ、ステッパモータ、又は任意の他の好適な電気モータを含んでよい。モータ駆動器４９２は、例えば、電界効果トランジスタ（ＦＥＴ）を含むＨブリッジ駆動器を含んでもよい。モータ４８２は、外科用器具又はツールに制御電力を供給するために、ハンドルアセンブリ又はツールハウジングに解除可能に装着された電源アセンブリによって給電され得る。電源アセンブリは、外科用器具又はツールに給電するための電源として使用され得る、直列に接続された多数の電池セルを含み得る電池を含んでもよい。特定の状況下では、電源アセンブリの電池セルは、交換可能及び／又は再充電可能であってよい。少なくとも１つの例では、電池セルは、電源アセンブリに連結可能かつ電源アセンブリから分離可能であり得るリチウムイオン電池であり得る。
【００８９】
モータ駆動器４９２は、Ａｌｌｅｇｒｏ  Ｍｉｃｒｏｓｙｓｔｅｍｓ，Ｉｎｃから入手可能なＡ３９４１であってもよい。Ａ３９４１  ４９２は、特にブラシ付きＤＣモータなどの誘導負荷を目的として設計された外部Ｎチャネルパワー金属酸化膜半導体電界効果トランジスタ（ＭＯＳＦＥＴ）と共に使用するためのフルブリッジコントローラである。駆動器４９２は、固有の電荷ポンプレギュレータを備え、これは、完全（１０Ｖ超）ゲート駆動を最低７Ｖの電池電圧に提供し、Ａ３９４１が最低５．５Ｖの低減ゲート駆動で動作することを可能にする。ＮチャネルＭＯＳＦＥＴに必要な上記の電池供給電圧を与えるために、ブートストラップコンデンサが用いられてもよい。ハイサイド駆動用の内部電荷ポンプにより、ＤＣ（１００％デューティサイクル）動作が可能となる。フルブリッジは、ダイオード又は同期整流を用いて高速又は低速減衰モードで駆動され得る。低速減衰モードにおいて、電流の再循環は、ハイサイドのＦＥＴによっても、ローサイドのＦＥＴによっても可能である。電力ＦＥＴは、レジスタで調節可能なデッドタイムによって、シュートスルーから保護される。統合診断は、低電圧、温度過昇、及びパワーブリッジの異常を指示するものであり、ほとんどの短絡状態下でパワーＭＯＳＦＥＴを保護するように構成され得る。他のモータ駆動器を、絶対位置決めシステムを備えた追跡システム４８０で使用するために容易に置換することができる。
【００９０】
追跡システム４８０は、本開示の一態様による位置センサ４７２を備える制御されたモータ駆動回路構成を備える。絶対位置決めシステム用の位置センサ４７２は、変位部材の位置に対応する固有の位置信号を提供する。一態様では、変位部材は、ギア減速機アセンブリの対応する駆動ギアと噛合係合するための駆動歯のラックを備える長手方向に移動可能な駆動部材を表す。他の態様では、変位部材は、駆動歯のラックを含むように適合及び構成され得る発射部材を表す。更に別の態様では、変位部材は、発射バー又はＩビームを表し、それらの各々は、駆動歯のラックを含むように適合及び構成され得る。したがって、本明細書で使用する場合、変位部材という用語は、一般的に、駆動部材、発射部材、発射バー、Ｉビーム、又は変位され得る任意の要素など、外科用器具又はツールの任意の可動部材を指すために使用される。一態様では、長手方向に移動可能な駆動部材は、発射部材、発射バー及びＩビームに連結される。したがって、絶対位置決めシステムは、実際には、長手方向に移動可能な駆動部材の直線変位を追跡することによって、Ｉビームの直線変位を追跡することができる。様々な他の態様では、変位部材は、直線変位を測定するのに好適な任意の位置センサ４７２に連結されてもよい。したがって、長手方向に移動可能な駆動部材、発射部材、発射バー、若しくはＩビーム、又はそれらの組み合わせは、任意の好適な直線変位センサに連結され得る。直線変位センサは、接触式又は非接触式変位センサを含んでよい。直線変位センサは、線形可変差動変圧器（linear variable differential transformers、ＬＶＤＴ）、差動可変磁気抵抗型変換器（differential variable reluctance transducers、ＤＶＲＴ）、スライドポテンショメータ、移動可能な磁石及び直線上に配置された一連のホール効果センサを備える磁気感知システム、固定された磁石及び移動可能な直線上に配置された一連のホール効果センサを備える磁気感知システム、移動可能な光源及び直線上に配置された一連の光ダイオード若しくは光検出器を備える光学検出システム、固定された光源及び移動可能な直線上に配置された一連の光ダイオード若しくは光検出器を備える光学検出システム、又はこれらの任意の組み合わせを含んでもよい。
【００９１】
電動モータ４８２は、変位部材上の駆動歯のセット又はラックと噛合係合で装着されるギアアセンブリと動作可能に連携する回転式シャフトを含んでもよい。センサ素子は、位置センサ４７２素子の１回転が、変位部材のいくらかの直線長手方向並進に対応するように、ギアアセンブリに動作可能に連結されてもよい。ギアリング及びセンサ機構を、ラックピニオン機構によって直線アクチュエータに、又はスパーギア若しくは他の接続によって回転アクチュエータに接続することができる。電源は、絶対位置決めシステムに電力を供給し、出力インジケータは、絶対位置決めシステムの出力を表示することができる。変位部材は、ギア減速機アセンブリの対応する駆動ギアと噛合係合するために、その上に形成された駆動歯のラックを備える長手方向に移動可能な駆動部材を表す。変位部材は、長手方向に移動可能な発射部材、発射バー、Ｉビーム、又はこれらの組み合わせを表す。
【００９２】
位置センサ４７２に付随するセンサ素子の１回転は、変位部材の長手方向直線変位ｄ１に相当し、ｄ１は、変位部材に連結したセンサ素子の１回転した後で、変位部材が点「ａ」から点「ｂ」まで移動する長手方向の直線距離である。センサ機構は、位置センサ４７２が変位部材のフルストロークに対して１回以上の回転を完了する結果をもたらすギアの減速を介して接続されてもよい。位置センサ４７２は、変位部材のフルストロークに対して複数回の回転を完了することができる。
【００９３】
位置センサ４７２の２回以上の回転に対する固有の位置信号を提供するために、一連のスイッチ（ここでｎは１より大きい整数である）が、単独で、又はギアの減速との組み合わせで用いられてもよい。スイッチの状態はマイクロコントローラ４６１にフィードバックされ、マイクロコントローラ４６１は論理を適用して、変位部材の長手方向の直線変位ｄ１＋ｄ２＋．．．ｄｎに対応する固有の位置信号を判定する。位置センサ４７２の出力はマイクロコントローラ４６１に提供される。センサ機構の位置センサ４７２は、位置信号又は値の固有の組み合わせを出力する、磁気センサ、電位差計などのアナログ回転センサ、又はアナログホール効果素子のアレイを備えてもよい。
【００９４】
位置センサ４７２は、例えば、磁界の全磁界又はベクトル成分を測定するか否かに基づいて分類される磁気センサなどの、任意の数の磁気感知素子を備えてもよい。両方の種類の磁気センサを生産するために用いられる技術は、物理学及び電子工学の多数の側面を含んでいる。磁界の感知に用いられる技術としては、とりわけ、探りコイル、フラックスゲート、光ポンピング、核摂動（nuclear precession）、ＳＱＵＩＤ、ホール効果、異方性磁気抵抗、巨大磁気抵抗、磁気トンネル接合、巨大磁気インピーダンス、磁歪／圧電複合材、磁気ダイオード、磁気トランジスタ、光ファイバ、磁気光学、及び微小電気機械システムベースの磁気センサが挙げられる。
【００９５】
一態様では、絶対位置決めシステムを備える追跡システム４８０の位置センサ４７２は、磁気回転絶対位置決めシステムを備える。位置センサ４７２は、Ａｕｓｔｒｉａ  Ｍｉｃｒｏｓｙｓｔｅｍｓ，ＡＧから入手可能なＡＳ５０５５ＥＱＦＴシングルチップ磁気回転位置センサとして実装されてもよい。位置センサ４７２は、マイクロコントローラ４６１と連携して絶対位置決めシステムを提供する。位置センサ４７２は、低電圧低電力の構成要素であり、磁石の上方に位置する位置センサ４７２の領域に、４つのホール効果素子を含む。更に、高解像度ＡＤＣ及びスマート電力管理コントローラがチップ上に設けられている。加算、減算、ビットシフト、及びテーブル参照演算のみを必要とする、双曲線関数及び三角関数を計算する簡潔かつ効率的なアルゴリズムを実装するために、桁毎法（digit-by-digit method）及びボルダーアルゴリズム（Volder's algorithm）としても知られる、座標回転デジタルコンピュータ（ＣＯＲＤＩＣ）プロセッサが設けられる。角度位置、アラームビット、及び磁界情報は、シリアル周辺インターフェース（ＳＰＩ）インターフェースなどの標準的なシリアル通信インターフェースを介してマイクロコントローラ４６１に伝送される。位置センサ４７２は、１２ビット又は１４ビットの解像度を提供する。位置センサ４７２は、小型のＱＦＮ１６ピン４×４×０．８５ｍｍパッケージで提供されるＡＳ５０５５チップであってもよい。
【００９６】
絶対位置決めシステムを備える追跡システム４８０は、ＰＩＤ、状態フィードバック、及び適応コントローラなどのフィードバックコントローラを備えてもよく、かつ／又はこれを実装するようにプログラムされてもよい。電源が、フィードバックコントローラからの信号を、システムへの物理的入力、この場合は電圧へと変換する。他の例としては、電圧、電流、及び力のＰＷＭが挙げられる。位置センサ４７２によって測定される位置に加えて、物理的システムの物理パラメータを測定するために、他のセンサが設けられてもよい。いくつかの態様では、他のセンサとしては、その全体が参照により本明細書に組み込まれる、「ＳＴＡＰＬＥ  ＣＡＲＴＲＩＤＧＥ  ＴＩＳＳＵＥ  ＴＨＩＣＫＮＥＳＳ  ＳＥＮＳＯＲ  ＳＹＳＴＥＭ」と題する２０１６年５月２４日発行の米国特許第９，３４５，４８１号、その全体が参照により本明細書に組み込まれる、「ＳＴＡＰＬＥ  ＣＡＲＴＲＩＤＧＥ  ＴＩＳＳＵＥ  ＴＨＩＣＫＮＥＳＳ  ＳＥＮＳＯＲ  ＳＹＳＴＥＭ」と題する２０１４年９月１８日公開の米国特許出願公開第２０１４／０２６３５５２号、及びその全体が参照により本明細書に組み込まれる、「ＴＥＣＨＮＩＱＵＥＳ  ＦＯＲ  ＡＤＡＰＴＩＶＥ  ＣＯＮＴＲＯＬ  ＯＦ  ＭＯＴＯＲ  ＶＥＬＯＣＩＴＹ  ＯＦ  Ａ  ＳＵＲＧＩＣＡＬ  ＳＴＡＰＬＩＮＧ  ＡＮＤ  ＣＵＴＴＩＮＧ  ＩＮＳＴＲＵＭＥＮＴ」と題する２０１７年６月２０日出願の米国特許出願第１５／６２８，１７５号に記載されているものなどのセンサ機構を挙げることができる。デジタル信号処理システムでは、絶対位置決めシステムはデジタルデータ取得システムに連結され、ここで絶対位置決めシステムの出力は有限の解像度及びサンプリング周波数を有する。絶対位置決めシステムは、計算された応答を測定された応答に向けて駆動する加重平均及び理論制御ループなどのアルゴリズムを用いて、計算された応答を測定された応答と組み合わせるために、比較及び組み合わせ回路を備え得る。入力を知ることによって物理的システムの状態及び出力がどうなるかを予測するために、物理的システムの計算された応答は、質量、慣性、粘性摩擦、誘導抵抗などの特性を考慮に入れる。
【００９７】
絶対位置決めシステムは、モータ４８２が単に前方又は後方に経た工程の数をカウントして装置アクチュエータ、駆動バー、ナイフなどの位置を推定する従来の回転エンコーダで必要となり得るような、変位部材をリセット（ゼロ又はホーム）位置へ後退又は前進させることなしに、器具の電源投入時に変位部材の絶対位置を提供する。
【００９８】
例えば歪みゲージ又は微小歪みゲージなどのセンサ４７４は、例えば、アンビルに適用される閉鎖力を示すことができる、クランプ動作中にアンビルに及ぼされる歪みの振幅などのエンドエフェクタの１つ又は２つ以上のパラメータを測定するように構成される。測定された歪みは、デジタル信号に変換されて、プロセッサ４６２に提供される。センサ４７４の代わりに、又はこれに加えて、例えば、負荷センサなどのセンサ４７６が、閉鎖駆動システムによってアンビルに加えられる閉鎖力を測定することができる。例えば、負荷センサなどのセンサ４７６は、外科用器具又はツールの発射ストローク中にＩビームに加えられる発射力を測定することができる。Ｉビームは、楔形スレッドと係合するように構成されており、楔形スレッドは、ステープルドライバを上向きにカム作用して、ステープルを押し出してアンビルと変形接触させるように構成されている。Ｉビームはまた、発射バーによってＩビームが遠位に前進される際に組織を切断するために使用することができる、鋭利な切刃を含む。あるいは、モータ４８２によって引き込まれる電流を測定するために、電流センサ４７８を用いることができる。発射部材を前進させるのに必要な力は、例えば、モータ４８２によって引き込まれる電流に相当し得る。測定された力は、デジタル信号に変換されて、プロセッサ４６２に提供される。
【００９９】
一形態では、歪みゲージセンサ４７４を使用して、エンドエフェクタによって組織に加えられる力を測定することができる。治療される組織に対するエンドエフェクタによる力を測定するために、歪みゲージをエンドエフェクタに連結することができる。エンドエフェクタによって把持された組織に加えられる力を測定するためのシステムは、例えば、エンドエフェクタの１つ又は２つ以上のパラメータを測定するように構成された微小歪みゲージなどの歪みゲージセンサ４７４を備える。一態様では、歪みゲージセンサ４７４は、把持動作中にエンドエフェクタのジョー部材に及ぼされる歪みの振幅又は大きさを測定してもよく、これは組織の圧縮を示してもよい。測定された歪みはデジタル信号に変換されて、マイクロコントローラ４６１のプロセッサ４６２に提供される。負荷センサ４７６は、例えば、アンビルとステープルカートリッジとの間に捕捉された組織を切断するために、ナイフ要素を操作するのに用いられる力を測定することができる。磁界センサは、捕捉された組織の厚さを測定するために用いることができる。磁界センサの測定値もデジタル信号に変換されて、プロセッサ４６２に提供され得る。
【０１００】
センサ４７４、４７６によってそれぞれ測定される、組織の圧縮、組織の厚さ、及び／又はエンドエフェクタを組織上で閉鎖するのに必要な力の測定値は、発射部材の選択された位置、及び／又は発射部材の速度の対応する値を特性決定するために、マイクロコントローラ４６１によって使用することができる。一例では、メモリ４６８は、評価の際にマイクロコントローラ４６１によって用いることができる技術、等式及び／又はルックアップテーブルを記憶することができる。
【０１０１】
外科用器具又はツールの制御システム４７０はまた、図８〜図１１に示されるようにモジュール式通信ハブと通信するための有線又は無線通信回路を備えてもよい。
【０１０２】
図１３は、本開示の一態様による、外科用器具又はツールの態様を制御するように構成された制御回路５００を示す。制御回路５００は、本明細書に説明される様々なプロセスを実装するように構成することができる。制御回路５００は、少なくとも１つのメモリ回路５０４に連結された１つ又は２つ以上のプロセッサ５０２（例えば、マイクロプロセッサ、マイクロコントローラ）を備えるマイクロコントローラを備えることができる。メモリ回路５０４は、プロセッサ５０２によって実行されると、本明細書に記載される様々なプロセスを実装するための機械命令をプロセッサ５０２に実行させる、機械実行可能命令を記憶する。プロセッサ５０２は、当該技術分野で既知の多数のシングル又はマルチコアプロセッサのうち任意の１つであってもよい。メモリ回路５０４は、揮発性及び不揮発性の記憶媒体を含むことができる。プロセッサ５０２は、命令処理ユニット５０６及び演算ユニット５０８を含むことができる。命令処理ユニットは、本開示のメモリ回路５０４から命令を受信するように構成されてもよい。
【０１０３】
図１４は、本開示の一態様による、外科用器具又はツールの態様を制御するように構成された組み合わせ論理回路５１０を示す。組み合わせ論理回路５１０は、本明細書に記載される様々なプロセスを実装するように構成することができる。組み合わせ論理回路５１０は、入力５１４で外科用器具又はツールと関連付けられたデータを受信し、組み合わせ論理５１２によってデータを処理し、出力５１６を提供するように構成された組み合わせ論理５１２を含む有限状態マシンを含み得る。
【０１０４】
図１５は、本開示の一態様による、外科用器具又はツールの態様を制御するように構成された順序論理回路５２０を示す。順序論理回路５２０又は組み合わせ論理５２２は、本明細書に記載される様々なプロセスを実装するように構成することができる。順序論理回路５２０は有限状態マシンを含んでもよい。順序論理回路５２０は、例えば、組み合わせ論理５２２、少なくとも１つのメモリ回路５２４、及びクロック５２９を含んでもよい。少なくとも１つのメモリ回路５２４は、有限状態マシンの現在の状態を記憶することができる。特定の例では、順序論理回路５２０は、同期式又は非同期式であってもよい。組み合わせ論理５２２は、入力５２６から外科用器具又はツールと関連付けられたデータを受信し、組み合わせ論理５２２によってデータを処理し、出力５２８を供給するように構成される。他の態様では、回路は、プロセッサ（例えば、図１３のプロセッサ５０２）と、本明細書の様々なプロセスを実装する有限状態マシンと、の組み合わせを含んでもよい。他の態様では、有限状態マシンは、組み合わせ論理回路（例えば図１４の組み合わせ論理回路５１０）と順序論理回路５２０の組み合わせを含むことができる。
【０１０５】
図１６は、様々な機能を実行するために起動され得る複数のモータを備える外科用器具又はツールを示す。特定の例では、第１のモータを起動させて第１の機能を実行することができ、第２のモータを起動させて第２の機能を実行することができ、第３のモータを起動させて第３の機能を実行することができ、第４のモータを起動させて第４の機能を実行することができる、といった具合である。特定の例では、ロボット外科用器具６００の複数のモータは個々に起動されて、エンドエフェクタにおいて発射運動、閉鎖運動、及び／又は関節運動を生じさせることができる。発射運動、閉鎖運動、及び／又は関節運動は、例えばシャフトアセンブリを介してエンドエフェクタに伝達することができる。
【０１０６】
特定の例では、外科用器具システム又はツールは発射モータ６０２を含んでもよい。発射モータ６０２は、具体的にはＩビーム要素を変位させるために、モータ６０２によって生成された発射運動をエンドエフェクタに伝達するように構成可能な発射モータ駆動アセンブリ６０４に動作可能に連結されてもよい。特定の例では、モータ６０２によって生成される発射運動によって、例えば、ステープルをステープルカートリッジから、エンドエフェクタによって捕捉された組織内へと展開させ、かつ／又はＩビーム要素の切刃を前進させて、捕捉された組織を切断してもよい。Ｉビーム要素を、モータ６０２の方向を逆転させることによって後退させてもよい。
【０１０７】
特定の例では、外科用器具又はツールは閉鎖モータ６０３を含んでもよい。閉鎖モータ６０３は、具体的には閉鎖管を変位させてアンビルを閉鎖し、アンビルとステープルカートリッジとの間で組織を圧縮するためにモータ６０３によって生成された閉鎖運動をエンドエフェクタに伝達するように構成され得る、閉鎖モータ駆動アセンブリ６０５と動作可能に連結されてもよい。閉鎖運動によって、例えば、エンドエフェクタが開放構成から接近構成へと遷移して組織を捕捉することができる。エンドエフェクタは、モータ６０３の方向を逆転させることによって開放位置に遷移され得る。
【０１０８】
特定の例では、外科用器具又はツールは、例えば、１つ又は２つ以上の関節運動モータ６０６ａ、６０６ｂを含んでもよい。モータ６０６ａ、６０６ｂは、モータ６０６ａ、６０６ｂによって生成された関節運動をエンドエフェクタに伝達するように構成され得る、それぞれの関節運動モータ駆動アセンブリ６０８ａ、６０８ｂに動作可能に連結され得る。特定の例では、関節運動によって、例えば、エンドエフェクタがシャフトに対して関節運動することができる。
【０１０９】
上述したように、外科用器具又はツールは、様々な独立した機能を実施するように構成され得る複数のモータを含んでもよい。特定の例では、外科用器具又はツールの複数のモータは、他のモータが停止したままである間に、独立して又は別個に起動させて、１つ又は２つ以上の機能を実行することができる。例えば、関節運動モータ６０６ａ、６０６ｂを起動させて、発射モータ６０２が停止したままである間に、エンドエフェクタを関節運動させることができる。あるいは、発射モータ６０２を起動させて、関節運動モータ６０６が停止している間に、複数のステープルを発射させ、及び／又は刃先を前進させることができる。更に、閉鎖モータ６０３は、本明細書の以下でより詳細に説明されるように、閉鎖管及びＩビーム要素を遠位に前進させるために、発射モータ６０２と同時に起動されてもよい。
【０１１０】
特定の例では、外科用器具又はツールは、外科用器具又はツールの複数のモータと共に用いることができる、共通の制御モジュール６１０を含んでもよい。特定の例では、共通の制御モジュール６１０は、一度に複数のモータのうちの１つに対応することができる。例えば、共通の制御モジュール６１０は、ロボット外科用器具の複数のモータに対して個々に連結及び分離が可能であってもよい。特定の例では、外科用器具又はツールの複数のモータは、共通の制御モジュール６１０などの１つ又は２つ以上の共通の制御モジュールを共有してもよい。特定の例では、外科用器具又はツールの複数のモータは、共通の制御モジュール６１０に独立してかつ選択的に係合することができる。特定の例では、共通の制御モジュール６１０は、外科用器具又はツールの複数のモータのうちの１つとの連携から、外科用器具又はツールの複数のモータのうちの別の１つとの連携へと選択的に切り替えることができる。
【０１１１】
少なくとも１つの例では、共通の制御モジュール６１０は、関節運動モータ６０６ａ、６０６ｂとの動作可能な係合と、発射モータ６０２又は閉鎖モータ６０３のいずれかとの動作可能な係合と、の間で選択的に切り替えることができる。少なくとも１つの実施例では、図１６に示すように、スイッチ６１４は、複数の位置及び／又は状態間を移動又は遷移させることができる。例えば、第１の位置６１６では、スイッチ６１４は、共通の制御モジュール６１０を発射モータ６０２と電気的に連結してもよく、第２の位置６１７では、スイッチ６１４は、共通の制御モジュール６１０を閉鎖モータ６０３と電気的に連結してもよく、第３の位置６１８ａでは、スイッチ６１４は、共通の制御モジュール６１０を第１の関節運動モータ６０６ａと電気的に連結してもよく、第４の位置６１８ｂでは、スイッチ６１４は、共通の制御モジュール６１０を第２の関節運動モータ６０６ｂと電気的に連結してもよい。特定の例では、同時に、別個の共通の制御モジュール６１０を、発射モータ６０２、閉鎖モータ６０３、及び関節運動モータ６０６ａ、６０６ｂと電気的に連結してもよい。特定の例では、スイッチ６１４は、機械的スイッチ、電気機械的スイッチ、固体スイッチ、又は任意の好適な切り替え機構であってもよい。
【０１１２】
モータ６０２、６０３、６０６ａ、６０６ｂのそれぞれは、モータのシャフト上の出力トルクを測定するためのトルクセンサを備えてもよい。エンドエフェクタ上の力は、ジョーの外側の力センサによって、又はジョーを作動させるモータのトルクセンサなどによって、任意の従来の方法で感知されてもよい。
【０１１３】
様々な例では、図１６に示されるように、共通の制御モジュール６１０は、１つ又は２つ以上のＨブリッジＦＥＴを備え得るモータ駆動器６２６を備えてもよい。モータ駆動器６２６は、例えば、マイクロコントローラ６２０（「コントローラ」）からの入力に基づいて、電源６２８から共通の制御モジュール６１０に連結されたモータへと伝達された電力を変調してもよい。特定の例では、上述したように、例えば、モータが共通の制御モジュール６１０に連結されている間にマイクロコントローラ６２０を用いて、モータによって引き込まれる電流を判定することができる。
【０１１４】
特定の例では、マイクロコントローラ６２０は、マイクロプロセッサ６２２（「プロセッサ」）と、１つ又は２つ以上の非一時的コンピュータ可読媒体又はメモリユニット６２４（「メモリ」）と、を含んでもよい。特定の例では、メモリ６２４は、実行時にプロセッサ６２２に本明細書で説明する複数の機能及び／又は計算を実行させる様々なプログラム命令を記憶してもよい。特定の例では、メモリユニット６２４の１つ又は２つ以上が、例えば、プロセッサ６２２に連結されてもよい。
【０１１５】
特定の例では、電源６２８を用いて、例えばマイクロコントローラ６２０に電力を供給してもよい。特定の例では、電源６２８は、例えばリチウムイオン電池などの電池（又は「電池パック」若しくは「パワーパック」）を含んでもよい。特定の例では、電池パックは、外科用器具６００に電力を供給するため、ハンドルに解除可能に装着されるように構成されてもよい。直列で接続された多数の電池セルを、電源６２８として使用してもよい。特定の例では、電源６２８は、例えば、交換可能及び／又は再充電可能であってもよい。
【０１１６】
様々な例では、プロセッサ６２２は、モータ駆動器６２６を制御して、共通の制御モジュール６１０に連結されたモータの位置、回転方向、及び／又は速度を制御することができる。特定の例では、プロセッサ６２２は、モータ駆動器６２６に信号伝達して、共通の制御モジュール６１０に連結されたモータを停止及び／又は使用不能にすることができる。用語「プロセッサ」は、本明細書で使用されるとき、任意の好適なマイクロプロセッサ、マイクロコントローラ、又は、コンピュータの中央処理装置（ＣＰＵ）の機能を１つの集積回路又は最大で数個の集積回路上で統合した他の基本コンピューティング装置を含むと理解されるべきである。プロセッサは、デジタルデータを入力として受理し、メモリに記憶された命令に従ってそのデータを処理し、結果を出力として提供する、多目的のプログラマブルデバイスである。これは、内部メモリを有するので、逐次的デジタル論理の一例である。プロセッサは、二進数法で表される数字及び記号で動作する。
【０１１７】
一例では、プロセッサ６２２は、Ｔｅｘａｓ  Ｉｎｓｔｒｕｍｅｎｔｓ製のＡＲＭ  Ｃｏｒｔｅｘの商品名で知られているものなど、任意のシングルコア又はマルチコアプロセッサであってもよい。特定の例では、マイクロコントローラ６２０は、例えばＴｅｘａｓ  Ｉｎｓｔｒｕｍｅｎｔｓから入手可能なＬＭ  ４Ｆ２３０Ｈ５ＱＲであってもよい。少なくとも１つの実施例では、Ｔｅｘａｓ  ＩｎｓｔｒｕｍｅｎｔｓのＬＭ４Ｆ２３０Ｈ５ＱＲは、製品データシートで容易に利用可能な特性の中でもとりわけ、最大４０ＭＨｚの２５６ＫＢのシングルサイクルフラッシュメモリ若しくは他の不揮発性メモリのオンチップメモリ、性能を４０ＭＨｚ超に改善するためのプリフェッチバッファ、３２ＫＢのシングルサイクルＳＲＡＭ、ＳｔｅｌｌａｒｉｓＷａｒｅ（登録商標）ソフトウェアを搭載した内部ＲＯＭ、２ＫＢのＥＥＰＲＯＭ、１つ又は２つ以上のＰＷＭモジュール、１つ又は２つ以上のＱＥＩアナログ、１２個のアナログ入力チャネルを備える１つ又は２つ以上の１２ビットＡＤＣを含むＡＲＭ  Ｃｏｒｔｅｘ−Ｍ４Ｆプロセッサコアである。他のマイクロコントローラが、モジュール４４１０と共に使用するのに容易に代用されてもよい。したがって、本開示は、この文脈に限定されるべきではない。
【０１１８】
特定の例では、メモリ６２４は、共通の制御モジュール６１０に連結可能な外科用器具６００のモータをそれぞれ制御するためのプログラム命令を含んでもよい。例えば、メモリ６２４は、発射モータ６０２、閉鎖モータ６０３、及び関節運動モータ６０６ａ、６０６ｂを制御するためのプログラム命令を含んでもよい。このようなプログラム命令は、プロセッサ６２２に、外科用器具又はツールのアルゴリズム又は制御プログラムからの入力に従って、発射機能、閉鎖機能、及び関節運動機能を制御させることができる。
【０１１９】
特定の例では、例えば、センサ６３０などの１つ又は２つ以上の機構及び／又はセンサを用いて、特定の設定で使用すべきプログラム命令をプロセッサ６２２に警告することができる。例えば、センサ６３０は、エンドエフェクタの発射、閉鎖、及び関節運動に関連するプログラム命令を使用するようにプロセッサ６２２に警告することができる。特定の例では、センサ６３０は、例えば、スイッチ６１４の位置を感知するために用いることができる位置センサを含んでもよい。したがって、プロセッサ６２２は、例えば、センサ６３０を介してスイッチ６１４が第１の位置６１６にあることを検出すると、エンドエフェクタのＩビームの発射と関連付けられたプログラム命令を使用することができ、プロセッサ６２２は、例えば、センサ６３０を介してスイッチ６１４が第２の位置６１７にあることを検出すると、アンビルの閉鎖と関連付けられたプログラム命令を使用することができ、プロセッサ６２２は、例えば、センサ６３０を介してスイッチ６１４が第３の位置６１８ａ又は第４の位置６１８ｂにあることを検出すると、エンドエフェクタの関節運動と関連付けられたプログラム命令を使用することができる。
【０１２０】
図１７は、本開示の一態様による、本明細書で説明される外科用ツールを操作するように構成されたロボット外科用器具７００の回路図である。ロボット外科用器具７００は、単一又は複数の関節運動駆動連結部のいずれかを用いて、変位部材の遠位／近位並進、閉鎖管の遠位／近位変位、シャフトの回転、及び関節運動を制御するようにプログラム又は構成されてもよい。一態様では、外科用器具７００は、発射部材、閉鎖部材、シャフト部材、又は１つ若しくは２つ以上の関節運動部材を個別に制御するようにプログラム又は構成されてもよい。外科用器具７００は、モータ駆動式の発射部材、閉鎖部材、シャフト部材、又は１つ若しくは２つ以上の関節運動部材を制御するように構成された制御回路７１０を備える。
【０１２１】
一態様では、ロボット外科用器具７００は、複数のモータ７０４ａ〜７０４ｅを介して、エンドエフェクタ７０２のアンビル７１６及びＩビーム７１４（鋭利な切刃を含む）部分、取り外し可能なステープルカートリッジ７１８、シャフト７４０、並びに１つ又は２つ以上の関節運動部材７４２ａ、７４２ｂを制御するように構成された制御回路７１０を備える。位置センサ７３４は、Ｉビーム７１４の位置フィードバックを制御回路７１０に提供するように構成されてもよい。他のセンサ７３８は、制御回路７１０にフィードバックを提供するように構成されてもよい。タイマー／カウンタ７３１は、制御回路７１０にタイミング及びカウント情報を提供する。モータ７０４ａ〜７０４ｅを動作させるためにエネルギー源７１２が設けられてもよく、電流センサ７３６はモータ電流フィードバックを制御回路７１０に提供する。モータ７０４ａ〜７０４ｅは、開ループ又は閉ループフィードバック制御において制御回路７１０によって個別に操作することができる。
【０１２２】
一態様では、制御回路７１０は、１つ若しくは２つ以上のマイクロコントローラ、マイクロプロセッサ、又はプロセッサ若しくは複数のプロセッサに１つ又は２つ以上のタスクを実施させる命令を実行するための他の好適なプロセッサを備えてもよい。一態様では、タイマー／カウンタ７３１が、経過時間又はデジタルカウントなどの出力信号を制御回路７１０に提供して、位置センサ７３４によって測定されたＩビーム７１４の位置をタイマー／カウンタ７３１の出力と相関させることにより、制御回路７１０が、特定の時点（ｔ）におけるＩビーム７１４の開始位置に対する位置、又はＩビーム７１４が開始位置に対して特定の位置にあるときの時点（ｔ）を求めることができる。タイマー／カウンタ７３１は、経過時間を測定するか、外部イベントを計数するか、又は外部イベントの時間を測定するように構成されてもよい。
【０１２３】
一態様では、制御回路７１０は、１つ又は２つ以上の組織状態に基づいてエンドエフェクタ７０２の機能を制御するようにプログラムされてもよい。制御回路７１０は、本明細書に説明されるように、厚さなどの組織状態を直接的又は間接的のいずれかで感知するようにプログラムされてもよい。制御回路７１０は、組織状態に基づいて発射制御プログラム又は閉鎖制御プログラムを選択するようにプログラムされてもよい。発射制御プログラムは、変位部材の遠位運動を記述することができる。様々な組織状態をより良好に処理するために様々な発射制御プログラムを選択することができる。例えば、より厚い組織が存在する場合、制御回路７１０は、変位部材をより低速で、かつ／又はより低電力で並進させるようにプログラムされてもよい。より薄い組織が存在する場合、制御回路７１０は、変位部材をより高速で、かつ／又はより高電力で並進させるようにプログラムされてもよい。閉鎖制御プログラムは、アンビル７１６によって組織に加えられる閉鎖力を制御することができる。他の制御プログラムは、シャフト７４０及び関節運動部材７４２ａ、７４２ｂの回転を制御する。
【０１２４】
一態様では、制御回路７１０は、モータ設定値信号を生成することができる。モータ設定値信号は、様々なモータコントローラ７０８ａ〜７０８ｅに提供されてもよい。モータコントローラ７０８ａ〜７０８ｅは、本明細書で説明するように、モータ７０４ａ〜７０４ｅにモータ駆動信号を提供してモータ７０４ａ〜７０４ｅを駆動するように構成された１つ又は２つ以上の回路を備えてもよい。いくつかの実施例では、モータ７０４ａ〜７０４ｅはブラシ付きＤＣ電動モータであってもよい。例えば、モータ７０４ａ〜７０４ｅの速度は、それぞれのモータ駆動信号に比例してもよい。いくつかの実施例では、モータ７０４ａ〜７０４ｅはブラシレスＤＣ電動モータであってもよく、それぞれのモータ駆動信号は、モータ７０４ａ〜７０４ｅの１つ又は２つ以上の固定子巻線に提供されるＰＷＭ信号を含んでもよい。また、いくつかの実施例では、モータコントローラ７０８ａ〜７０８ｅは省略されてもよく、制御回路７１０がモータ駆動信号を直接生成してもよい。
【０１２５】
一態様では、制御回路７１０は、最初に、モータ７０４ａ〜７０４ｅのそれぞれを、変位部材のストロークの第１の開ループ部分では開ループ構成で動作させてもよい。ストロークの開ループ部分の間のロボット外科用器具７００の応答に基づいて、制御回路７１０は、閉ループ構成の発射制御プログラムを選択してもよい。器具の応答としては、開ループ部分の間の変位部材の並進距離、開ループ部分の間に経過する時間、開ループ部分の間にモータ７０４ａ〜７０４ｅのうちの１つに供給されるエネルギー、モータ駆動信号のパルス幅の合計などが挙げられ得る。開ループ部分の後で、制御回路７１０は、変位部材ストロークの第２の部分に対して選択された発射制御プログラムを実施してもよい。例えば、ストロークの閉ループ部分の間、制御回路７１０は、変位部材の位置を記述する並進データに基づいてモータ７０４ａ〜７０４ｅのうちの１つを閉ループ式に変調して、変位部材を一定速度で並進させてもよい。
【０１２６】
一態様では、モータ７０４ａ〜７０４ｅは、エネルギー源７１２から電力を受け取ることができる。エネルギー源７１２は、主交流電源、電池、超コンデンサ、又は任意の他の好適なエネルギー源によって駆動されるＤＣ電源であってもよい。モータ７０４ａ〜７０４ｅは、それぞれの伝達装置７０６ａ〜７０６ｅを介して、Ｉビーム７１４、アンビル７１６、シャフト７４０、関節運動７４２ａ、及び関節運動７４２ｂなどの個々の可動機械的要素に機械的に連結されてもよい。伝達装置７０６ａ〜７０６ｅは、モータ７０４ａ〜７０４ｅを可動機械的要素に連結するための１つ又は２つ以上のギア又は他の連結構成要素を含んでもよい。位置センサ７３４が、Ｉビーム７１４の位置を感知してもよい。位置センサ７３４は、Ｉビーム７１４の位置を示す位置データを生成可能なあらゆる種類のセンサであってもよく、又はそれを含んでもよい。いくつかの例では、位置センサ７３４は、Ｉビーム７１４が遠位及び近位に並進すると一連のパルスを制御回路７１０に提供するように構成されたエンコーダを含んでもよい。制御回路７１０は、パルスを追跡してＩビーム７１４の位置を判定してもよい。例えば近接センサを含む他の好適な位置センサが使用されてもよい。他の種類の位置センサが、Ｉビーム７１４の運動を示す他の信号を提供してもよい。また、いくつかの実施例では、位置センサ７３４は省略されてもよい。モータ７０４ａ〜７０４ｅのいずれかがステッパモータである場合、制御回路７１０は、モータ７０４が実行するように指示された工程の数及び方向を合計することによって、Ｉビーム７１４の位置を追跡することができる。位置センサ７３４は、エンドエフェクタ７０２内、又は器具の任意の他の部分に配置することができる。モータ７０４ａ〜７０４ｅのそれぞれの出力は、力を感知するためのトルクセンサ７４４ａ〜７４４ｅを含み、駆動シャフトの回転を感知するエンコーダを有する。
【０１２７】
一態様では、制御回路７１０は、エンドエフェクタ７０２のＩビーム７１４部分などの発射部材を駆動するように構成されている。制御回路７１０はモータ制御部７０８ａにモータ設定値を提供し、モータ制御部７０８ａはモータ７０４ａに駆動信号を提供する。モータ７０４ａの出力シャフトは、トルクセンサ７４４ａに連結される。トルクセンサ７４４ａは、Ｉビーム７１４に連結された伝達装置７０６ａに連結される。伝達装置７０６ａは、エンドエフェクタ７０２の長手方向軸線に沿って遠位方向及び近位方向へのＩビーム７１４の移動を制御するための回転要素及び発射部材などの可動機械的要素を備える。一態様では、モータ７０４ａは、第１のナイフ駆動ギア及び第２のナイフ駆動ギアを含むナイフギア減速セットを含むナイフギアアセンブリに連結されてもよい。トルクセンサ７４４ａは、制御回路７１０に発射力フィードバック信号を提供する。発射力信号は、Ｉビーム７１４を発射又は変位させるために必要な力を表す。位置センサ７３４は、発射ストロークに沿ったＩビーム７１４の位置又は発射部材の位置を、フィードバック信号として制御回路７１０に提供するように構成されてもよい。エンドエフェクタ７０２は、制御回路７１０にフィードバック信号を提供するように構成された追加のセンサ７３８を含んでもよい。使用準備が整ったら、制御回路７１０は、モータ制御部７０８ａに発射信号を提供することができる。発射信号に応答して、モータ７０４ａは、発射部材をエンドエフェクタ７０２の長手方向軸線に沿って、近位のストローク開始位置からストローク開始位置の遠位にあるストローク終了位置まで遠位方向に駆動することができる。発射部材が遠位に並進すると、遠位端に位置決めされた切断要素を備えるＩビーム７１４は、遠位に前進して、ステープルカートリッジ７１８とアンビル７１６との間に位置する組織を切断する。
【０１２８】
一態様では、制御回路７１０は、エンドエフェクタ７０２のアンビル７１６などの閉鎖部材を駆動するように構成されている。制御回路７１０は、モータ７０４ｂに駆動信号を提供するモータ制御部７０８ｂにモータ設定値を提供する。モータ７０４ｂの出力シャフトは、トルクセンサ７４４ｂに連結される。トルクセンサ７４４ｂは、アンビル７１６に連結された伝達装置７０６ｂに連結される。伝達装置７０６ｂは、開位置及び閉位置からのアンビル７１６の移動を制御するための回転要素及び閉鎖部材などの可動機械的要素を含む。一態様では、モータ７０４ｂは、閉鎖スパーギアと噛合係合して支持される閉鎖減速ギアセットを含む閉鎖ギアアセンブリに連結される。トルクセンサ７４４ｂは、制御回路７１０に閉鎖力フィードバック信号を提供する。閉鎖力フィードバック信号は、アンビル７１６に加えられる閉鎖力を表す。位置センサ７３４は、閉鎖部材の位置をフィードバック信号として制御回路７１０に提供するように構成されてもよい。エンドエフェクタ７０２内の追加のセンサ７３８は、閉鎖力フィードバック信号を制御回路７１０に提供することができる。枢動可能なアンビル７１６は、ステープルカートリッジ７１８に対向して位置決めされる。使用準備が整うと、制御回路７１０は、モータ制御部７０８ｂに閉鎖信号を提供することができる。閉鎖信号に応答して、モータ７０４ｂは、閉鎖部材を前進させて、アンビル７１６とステープルカートリッジ７１８との間で組織を把持する。
【０１２９】
一態様では、制御回路７１０は、エンドエフェクタ７０２を回転させるためにシャフト７４０などのシャフト部材を回転させるように構成されている。制御回路７１０は、モータ７０４ｃに駆動信号を提供するモータ制御部７０８ｃにモータ設定値を提供する。モータ７０４ｃの出力シャフトは、トルクセンサ７４４ｃに連結される。トルクセンサ７４４ｃは、シャフト７４０に連結された伝達装置７０６ｃに連結される。伝達装置７０６ｃは、シャフト７４０の時計回り又は反時計回りの回転を３６０度まで及びそれを超えて制御するために回転要素などの可動機械的要素を含む。一態様では、モータ７０４ｃは、ツール装着プレート上に動作可能に支持された回転ギアアセンブリによって動作可能に係合されるように、近位閉鎖管の近位端上に形成された（又はこれに取り付けられた）管状ギアセグメントを含む回転伝達装置アセンブリに連結される。トルクセンサ７４４ｃは、制御回路７１０に回転力フィードバック信号を提供する。回転力フィードバック信号は、シャフト７４０に加えられる回転力を表す。位置センサ７３４は、閉鎖部材の位置をフィードバック信号として制御回路７１０に提供するように構成されてもよい。シャフトエンコーダなどの追加のセンサ７３８が、シャフト７４０の回転位置を制御回路７１０に提供してもよい。
【０１３０】
一態様では、制御回路７１０は、エンドエフェクタ７０２を関節運動させるように構成されている。制御回路７１０は、モータ７０４ｄに駆動信号を提供するモータ制御部７０８ｄにモータ設定値を提供する。モータ７０４ｄの出力シャフトは、トルクセンサ７４４ｄに連結される。トルクセンサ７４４ｄは、関節運動部材７４２ａに連結された伝達装置７０６ｄに連結される。伝達装置７０６ｄは、エンドエフェクタ７０２の±６５°の関節運動を制御するための関節運動要素などの可動機械的要素を含む。一態様では、モータ７０４ｄは、関節運動ナットに連結され、関節運動ナットは、遠位スパイン部分の近位端部分上で回転可能に軸支され、遠位スパイン部分の近位端部分上で関節運動ギアアセンブリによって回転可能に駆動される。トルクセンサ７４４ｄは、制御回路７１０に関節運動力フィードバック信号を提供する。関節運動力フィードバック信号は、エンドエフェクタ７０２に適用される関節運動力を表す。関節運動エンコーダなどのセンサ７３８は、エンドエフェクタ７０２の関節運動位置を制御回路７１０に提供してもよい。
【０１３１】
別の態様では、ロボット外科システム７００の関節運動機能は、２つの関節運動部材、又は連結部７４２ａ、７４２ｂを含んでもよい。これらの関節運動部材７４２ａ、７４２ｂは、２つのモータ７０８ｄ、７０８ｅによって駆動されるロボットインターフェース（ラック）上の個別のディスクによって駆動される。個別の発射モータ７０４ａが提供されると、ヘッドが運動していないときにヘッドに抵抗保持運動及び負荷を提供するために、かつヘッドが関節運動しているときに関節運動を提供するために、関節運動連結部７４２ａ、７４２ｂのそれぞれは他の連結部に対して拮抗的に駆動され得る。関節運動部材７４２ａ、７４２ｂは、ヘッドが回転するときに固定された半径でヘッドに取り付けられる。したがって、ヘッドが回転すると、プッシュプル連結部の機械効率は変化する。この機械効率の変化は、他の関節運動連結部の駆動システムでより顕著であり得る。
【０１３２】
一態様では、１つ又は２つ以上のモータ７０４ａ〜７０４ｅは、ギアボックス、及び発射部材、閉鎖部材、又は関節運動部材への機械的連結部を備えるブラシ付きＤＣモータを備えてもよい。別の例としては、変位部材、関節運動連結部、閉鎖管、及びシャフトなどの可動機械的要素を動作させる電動モータ７０４ａ〜７０４ｅが挙げられる。外部影響とは、組織、周囲体、及び物理系上の摩擦などのものの、測定されていない予測不可能な影響である。こうした外部影響は、電動モータ７０４ａ〜７０４ｅの１つに反して作用する障害（drag）と呼ばれることがある。障害などの外部影響は、物理系の動作を物理系の所望の動作から逸脱させることがある。
【０１３３】
一態様では、位置センサ７３４は、絶対位置決めシステムとして実装されてもよい。一態様では、位置センサ７３４は、Ａｕｓｔｒｉａ  Ｍｉｃｒｏｓｙｓｔｅｍｓ，ＡＧから入手可能なＡＳ５０５５ＥＱＦＴシングルチップ磁気回転位置センサとして実装される磁気回転絶対位置決めシステムを備えてもよい。位置センサ７３４は、制御回路７１０と連携して絶対位置決めシステムを提供することができる。位置は、磁石の上方に位置し、加算、減算、ビットシフト、及びテーブル参照演算のみを必要とする、双曲線関数及び三角関数を計算する簡潔かつ効率的なアルゴリズムを実装するために設けられた、桁毎法及びボルダーアルゴリズムとしても知られるＣＯＲＤＩＣプロセッサに連結された、複数のホール効果素子を含み得る。
【０１３４】
一態様では、制御回路７１０は、１つ又は２つ以上のセンサ７３８と通信してもよい。センサ７３８は、エンドエフェクタ７０２上に位置決めされ、ロボット外科用器具７００と共に動作して、間隙距離対時間、組織圧縮対時間、及びアンビル歪み対時間などの様々な導出パラメータを測定するように適合されてもよい。センサ７３８は、磁気センサ、磁界センサ、歪みゲージ、ロードセル、圧力センサ、力センサ、トルクセンサ、渦電流センサなどの誘導センサ、抵抗センサ、容量センサ、光学センサ、及び／又はエンドエフェクタ７０２の１つ又は２つ以上のパラメータを測定するための任意の他の好適なセンサを含んでもよい。センサ７３８が、１つ又は２つ以上のセンサを含んでもよい。センサ７３８は、分割された電極を使用して組織の位置を測定するために、ステープルカートリッジ７１８のデッキ上に配置されてもよい。トルクセンサ７４４ａ〜７４４ｅは、とりわけ、発射力、閉鎖力、及び／又は関節運動力などの力を感知するように構成されてもよい。したがって、制御回路７１０は、（１）遠位閉鎖管によって経験される閉鎖負荷及びその位置、（２）ラックにある発射部材及びその位置、（３）ステープルカートリッジ７１８のどの部分がその上に組織を有しているか、及び（４）両方の関節運動ロッド上の負荷及び位置を感知することができる。
【０１３５】
一態様では、１つ又は２つ以上のセンサ７３８は、把持状態中のアンビル７１６における歪みの大きさを測定するように構成された、微小歪みゲージなどの歪みゲージを含んでもよい。歪みゲージは、歪みの大きさに伴って振幅が変動する電気信号を提供する。センサ７３８は、アンビル７１６とステープルカートリッジ７１８との間で圧縮された組織の存在によって生成された圧力を検出するように構成された圧力センサを含んでもよい。センサ７３８は、アンビル７１６とステープルカートリッジ７１８との間に位置する組織部分のインピーダンスを検出するように構成されてもよく、このインピーダンスは、それらの間に位置する組織の厚さ及び／又は充満度を示す。
【０１３６】
一態様では、センサ７３８は、とりわけ、１つ又は２つ以上のリミットスイッチ、電気機械装置、固体スイッチ、ホール効果装置、磁気抵抗（ＭＲ）装置、巨大磁気抵抗（ＧＭＲ）装置、磁力計として実装されてもよい。他の実装形態では、センサ７３８は、とりわけ光センサ、ＩＲセンサ、紫外線センサなどの光の影響下で動作する固体スイッチとして実装されてもよい。更に、スイッチは、トランジスタ（例えば、ＦＥＴ、接合ＦＥＴ、ＭＯＳＦＥＴ、双極など）などの固体装置であってもよい。他の実装形態では、センサ７３８は、とりわけ、導電体非含有スイッチ、超音波スイッチ、加速度計、及び慣性センサを含んでもよい。
【０１３７】
一態様では、センサ７３８は、閉鎖駆動システムによってアンビル７１６に及ぼされる力を測定するように構成されてもよい。例えば、１つ又は２つ以上のセンサ７３８は、閉鎖管によってアンビル７１６に加えられる閉鎖力を検出するために、閉鎖管とアンビル７１６との間の相互作用点に位置してもよい。アンビル７１６に対して及ぼされる力は、アンビル７１６とステープルカートリッジ７１８との間に捕捉された組織部分が受ける組織圧縮を表すものであってもよい。１つ又は２つ以上のセンサ７３８を、閉鎖駆動システムに沿って様々な相互作用点に配置して、閉鎖駆動システムによりアンビル７１６に適用される閉鎖力を検出することができる。１つ又は２つ以上のセンサ７３８は、制御回路７１０のプロセッサによるクランプ動作中にリアルタイムでサンプリングされてもよい。制御回路７１０は、リアルタイムのサンプル測定値を受信して時間ベースの情報を提供及び分析し、アンビル７１６に適用される閉鎖力をリアルタイムで評価する。
【０１３８】
一態様では、電流センサ７３６を用いて、モータ７０４ａ〜７０４ｅのそれぞれによって引き込まれる電流を測定することができる。Ｉビーム７１４などの可動機械的要素のいずれかを前進させるのに必要な力は、モータ７０４ａ〜７０４ｅのうちの１つによって引き込まれる電流に対応する。力はデジタル信号に変換されて、制御回路７１０に提供される。制御回路７１０は、器具の実際のシステムの応答をコントローラのソフトウェアでシミュレートするように構成され得る。変位部材を作動させて、エンドエフェクタ７０２内のＩビーム７１４を目標速度又はその付近で移動させることができる。ロボット外科用器具７００は、フィードバックコントローラを含むことができ、フィードバックコントローラは、例えば、ＰＩＤ、状態フィードバック、線形二次（ＬＱＲ）、及び／又は適応コントローラが挙げられるがこれらに限定されない任意のフィードバックコントローラのうちの１つであってもよい。ロボット外科用器具７００は、フィードバックコントローラからの信号を、例えば、ケース電圧、ＰＷＭ電圧、周波数変調電圧、電流、トルク、及び／又は力などの物理的入力に変換するための電源を含むことができる。更なる詳細は、その全体が参照により本明細書に組み込まれる、２０１７年６月２９日出願の「ＣＬＯＳＥＤ  ＬＯＯＰ  ＶＥＬＯＣＩＴＹ  ＣＯＮＴＲＯＬ  ＴＥＣＨＮＩＱＵＥＳ  ＦＯＲ  ＲＯＢＯＴＩＣ  ＳＵＲＧＩＣＡＬ  ＩＮＳＴＲＵＭＥＮＴ」と題する米国特許出願第１５／６３６，８２９号に開示されている。
【０１３９】
図１８は、本開示の一態様による、変位部材の遠位並進を制御するようにプログラムされた外科用器具７５０のブロック図を示す。一態様では、外科用器具７５０は、Ｉビーム７６４などの変位部材の遠位並進を制御するようにプログラムされる。外科用器具７５０は、アンビル７６６、Ｉビーム７６４（鋭利な切刃を含む）、及び取り外し可能なステープルカートリッジ７６８を備え得るエンドエフェクタ７５２を備える。
【０１４０】
Ｉビーム７６４などの直線変位部材の位置、移動、変位、及び／又は並進は、絶対位置決めシステム、センサ機構、及び位置センサ７８４によって測定することができる。Ｉビーム７６４が長手方向に移動可能な駆動部材に連結されているため、Ｉビーム７６４の位置は、位置センサ７８４を使用する長手方向に移動可能な駆動部材の位置を測定することによって判定することができる。したがって、以下の説明では、Ｉビーム７６４の位置、変位、及び／又は並進は、本明細書に記載される位置センサ７８４によって達成され得る。制御回路７６０は、Ｉビーム７６４などの変位部材の並進を制御するようにプログラムされてもよい。いくつかの実施例では、制御回路７６０は、１つ若しくは２つ以上のマイクロコントローラ、マイクロプロセッサ、又はプロセッサ若しくは複数のプロセッサに、説明した方法で例えばＩビーム７６４などの変位部材を制御させる命令を実行するための、他の好適なプロセッサを備えてもよい。一態様では、タイマー／カウンタ７８１が、経過時間又はデジタルカウントなどの出力信号を制御回路７６０に供給して、位置センサ７８４によって判定されたＩビーム７６４の位置をタイマー／カウンタ７８１の出力と相関させることにより、制御回路７６０が、特定の時点（ｔ）におけるＩビーム７６４の開始位置に対する位置を求めることができる。タイマー／カウンタ７８１は、経過時間を測定するか、外部イベントを計数するか、又は外部イベントの時間を測定するように構成されてよい。
【０１４１】
制御回路７６０は、モータ設定値信号７７２を生成してもよい。モータ設定値信号７７２は、モータコントローラ７５８に供給されてもよい。モータコントローラ７５８は、本明細書で説明するように、モータ７５４にモータ駆動信号７７４を供給してモータ７５４を駆動するように構成された１つ又は２つ以上の回路を備えてもよい。いくつかの実施例では、モータ７５４は、ブラシ付きＤＣ電動モータであってもよい。例えば、モータ７５４の速度は、モータ駆動信号７７４に比例してもよい。いくつかの例では、モータ７５４はブラシレスＤＣ電動モータであってもよく、モータ駆動信号７７４は、モータ７５４の１つ又は２つ以上の固定子巻線に提供されるＰＷＭ信号を含んでもよい。また、いくつかの実施例では、モータコントローラ７５８は省略されてもよく、制御回路７６０がモータ駆動信号７７４を直接生成してもよい。
【０１４２】
モータ７５４は、エネルギー源７６２から電力を受信することができる。エネルギー源７６２は、電池、超コンデンサ、又は任意の他の好適なエネルギー源であってもよく、あるいはそれを含んでもよい。モータ７５４は、伝達装置７５６を介してＩビーム７６４に機械的に連結され得る。伝達装置７５６は、モータ７５４をＩビーム７６４に連結するための１つ又は２つ以上の歯車又は他の連結構成要素を含んでもよい。位置センサ７８４が、Ｉビーム７６４の位置を感知してもよい。位置センサ７８４は、Ｉビーム７６４の位置を示す位置データを生成可能なあらゆる種類のセンサであってよく、又はそれを含んでもよい。いくつかの例では、位置センサ７８４は、Ｉビーム７６４が遠位及び近位に並進すると一連のパルスを制御回路７６０に供給するように構成されたエンコーダを含んでもよい。制御回路７６０は、パルスを追跡してＩビーム７６４の位置を判定してもよい。例えば近接センサを含む他の好適な位置センサが使用されてもよい。他の種類の位置センサが、Ｉビーム７６４の運動を示す他の信号を提供してもよい。また、いくつかの実施例では、位置センサ７８４は省略されてもよい。モータ７５４がステッパモータである場合、制御回路７６０は、モータ７５４が実行するように指示された工程の数及び方向を合計することによって、Ｉビーム７６４の位置を追跡することができる。位置センサ７８４は、エンドエフェクタ７５２内、又は器具の任意の他の部分に配置することができる。
【０１４３】
制御回路７６０は、１つ又は２つ以上のセンサ７８８と通信することができる。センサ７８８は、エンドエフェクタ７５２上に位置決めされ、外科用器具７５０と共に動作して、間隙距離対時間、組織圧縮対時間、及びアンビル歪み対時間などの様々な導出パラメータを測定するように適合され得る。センサ７８８は、エンドエフェクタ７５２の１つ又は２つ以上のパラメータを測定するための、磁気センサ、磁界センサ、歪みゲージ、圧力センサ、力センサ、渦電流センサなどの誘導センサ、抵抗センサ、容量センサ、光学センサ、及び／又は任意の他の好適なセンサを含み得る。センサ７８８が、１つ又は２つ以上のセンサを含んでもよい。
【０１４４】
１つ又は２つ以上のセンサ７８８は、クランプ留め状態中のアンビル７６６における歪みの大きさを測定するように構成された、微小歪みゲージなどの歪みゲージを含んでもよい。歪みゲージは、歪みの大きさに伴って振幅が変動する電気信号を提供する。センサ７８８は、アンビル７６６とステープルカートリッジ７６８との間で圧縮された組織の存在によって生成された圧力を検出するように構成された圧力センサを含んでもよい。センサ７８８は、アンビル７６６とステープルカートリッジ７６８との間に位置する組織部分のインピーダンスを検出するように構成されてもよく、このインピーダンスは、それらの間に位置する組織の厚さ及び／又は充満度を示す。
【０１４５】
センサ７８８は、閉鎖駆動システムによってアンビル７６６に及ぼされる力を測定するように構成されてよい。例えば、１つ又は２つ以上のセンサ７８８は、閉鎖管によってアンビル７６６に加えられる閉鎖力を検出するために、閉鎖管とアンビル７６６との間の相互作用点に位置してもよい。アンビル７６６に対して及ぼされる力は、アンビル７６６とステープルカートリッジ７６８との間に捕捉された組織部分が受ける組織圧縮を表すものであってもよい。１つ又は２つ以上のセンサ７８８を、閉鎖駆動システムに沿って様々な相互作用点に配置して、閉鎖駆動システムによりアンビル７６６に適用される閉鎖力を検出することができる。１つ又は２つ以上のセンサ７８８は、制御回路７６０のプロセッサによるクランプ動作中にリアルタイムでサンプリングされてもよい。制御回路７６０は、リアルタイムのサンプル測定値を受信して時間ベースの情報を提供及び分析し、アンビル７６６に適用される閉鎖力をリアルタイムで評価する。
【０１４６】
モータ７５４によって引き込まれる電流を測定するために、電流センサ７８６を用いることができる。Ｉビーム７６４を前進させるのに必要な力は、モータ７５４によって引き込まれる電流に相当する。力はデジタル信号に変換されて、制御回路７６０に供給される。
【０１４７】
制御回路７６０は、器具の実際のシステムの応答をコントローラのソフトウェアでシミュレートするように構成され得る。変位部材を作動させて、エンドエフェクタ７５２内のＩビーム７６４を目標速度又はその付近で移動させることができる。外科用器具７５０は、フィードバックコントローラを含むことができ、フィードバックコントローラは、例えば、ＰＩＤ、状態フィードバック、ＬＱＲ、及び／又は適応コントローラが挙げられるがこれらに限定されない任意のフィードバックコントローラのうちの１つであってもよい。外科用器具７５０は、フィードバックコントローラからの信号を、例えば、ケース電圧、ＰＷＭ電圧、周波数変調電圧、電流、トルク、及び／又は力などの物理的入力に変換するための電源を含むことができる。
【０１４８】
外科用器具７５０の実際の駆動システムは、ギアボックス、並びに関節運動及び／又はナイフシステムへの機械的連結部を備えるブラシ付きＤＣモータによって、変位部材、切断部材、又はＩビーム７６４を駆動するように構成されている。別の例は、交換式シャフトアセンブリの、例えば変位部材及び関節運動駆動器を操作する電気モータ７５４である。外部影響とは、組織、周囲体、及び物理系上の摩擦などのものの、測定されていない予測不可能な影響である。こうした外部影響は、電気モータ７５４に反して作用する障害と呼ばれることがある。障害などの外部影響は、物理系の動作を所望の物理系の動作から逸脱させることがある。
【０１４９】
様々な例示的態様は、モータ駆動の外科用ステープル留め及び切断手段を有するエンドエフェクタ７５２を備える外科用器具７５０を対象とする。例えば、モータ７５４は、エンドエフェクタ７５２の長手方向軸線に沿って遠位方向及び近位方向に変位部材を駆動してもよい。エンドエフェクタ７５２は、枢動可能なアンビル７６６と、使用のために構成される場合は、アンビル７６６の反対側に配置されたステープルカートリッジ７６８とを備えてもよい。臨床医は、本明細書に記載されるように、アンビル７６６とステープルカートリッジ７６８との間に組織を把持してもよい。器具７５０を使用する準備が整うと、臨床医は、例えば器具７５０のトリガを押すことによって発射信号を提供してもよい。発射信号に応答して、モータ７５４は、変位部材をエンドエフェクタ７５２の長手方向軸線に沿って、近位のストローク開始位置からストローク開始位置の遠位にあるストローク終了位置まで遠位方向に駆動することができる。変位部材が遠位方向に並進すると、遠位端に位置決めされた切断要素を有するＩビーム７６４は、ステープルカートリッジ７６８とアンビル７６６との間の組織を切断することができる。
【０１５０】
様々な実施例で、外科用器具７５０は、１つ又は２つ以上の組織状態に基づいて、例えば、Ｉビーム７６４などの変位部材の遠位並進を制御するようにプログラムされた制御回路７６０を備えてもよい。制御回路７６０は、本明細書に説明されるように、厚さなどの組織状態を直接的又は間接的のいずれかで感知するようにプログラムされてもよい。制御回路７６０は、組織状態に基づいて発射制御プログラムを選択するようにプログラムされてもよい。発射制御プログラムは、変位部材の遠位運動を記述することができる。様々な組織状態をより良好に処理するために様々な発射制御プログラムを選択することができる。例えば、より厚い組織が存在する場合、制御回路７６０は、変位部材をより低速で、かつ／又はより低電力で並進させるようにプログラムされてもよい。より薄い組織が存在する場合、制御回路７６０は、変位部材をより高速で、かつ／又はより高電力で並進させるようにプログラムされてもよい。
【０１５１】
いくつかの実施例では、制御回路７６０は、最初に、モータ７５４を、変位部材のストロークの第１の開ループ部分に対する開ループ構成で動作させてもよい。ストロークの開ループ部分の間の器具７５０の応答に基づいて、制御回路７６０は、発射制御プログラムを選択してもよい。器具の応答としては、開ループ部分の間の変位部材の並進距離、開ループ部分の間に経過する時間、開ループ部分の間にモータ７５４に供給されるエネルギー、モータ駆動信号のパルス幅の合計などが挙げられ得る。開ループ部分の後、制御回路７６０は、変位部材ストロークの第２の部分に対して、選択された発射制御プログラムを実施してもよい。例えば、ストロークの閉ループ部分の間、制御回路７６０は、変位部材の位置を記述する並進データに基づいてモータ７５４を閉ループ式に変調して、変位部材を一定速度で並進させてもよい。更なる詳細は、その全体が参照により本明細書に組み込まれる、２０１７年９月２９日出願の「ＳＹＳＴＥＭ  ＡＮＤ  ＭＥＴＨＯＤＳ  ＦＯＲ  ＣＯＮＴＲＯＬＬＩＮＧ  Ａ  ＤＩＳＰＬＡＹ  ＯＦ  Ａ  ＳＵＲＧＩＣＡＬ  ＩＮＳＴＲＵＭＥＮＴ」と題する米国特許出願第１５／７２０，８５２号に開示されている。
【０１５２】
図１９は、本開示の一態様による、様々な機能を制御するように構成された外科用器具７９０の回路図である。一態様では、外科用器具７９０は、Ｉビーム７６４などの変位部材の遠位並進を制御するようにプログラムされる。外科用器具７９０は、アンビル７６６と、Ｉビーム７６４と、ＲＦカートリッジ７９６（破線で示す）と交換することができる取り外し可能なステープルカートリッジ７６８と、を備え得るエンドエフェクタ７９２を備える。
【０１５３】
一態様では、センサ７８８は、とりわけ、リミットスイッチ、電気機械装置、固体スイッチ、ホール効果装置、ＭＲ装置、ＧＭＲ装置、磁力計として実装されてもよい。他の実装形態では、センサ６３８は、とりわけ光センサ、ＩＲセンサ、紫外線センサなどの光の影響下で動作する固体スイッチであってもよい。更に、スイッチは、トランジスタ（例えば、ＦＥＴ、接合ＦＥＴ、ＭＯＳＦＥＴ、双極など）などの固体装置であってもよい。他の実装形態では、センサ７８８は、とりわけ、導電体非含有スイッチ、超音波スイッチ、加速度計、及び慣性センサを含んでもよい。
【０１５４】
一態様では、位置センサ７８４は、Ａｕｓｔｒｉａ  Ｍｉｃｒｏｓｙｓｔｅｍｓ，ＡＧから入手可能なＡＳ５０５５ＥＱＦＴシングルチップ磁気回転位置センサとして実装される磁気回転絶対位置決めシステムを備える絶対位置決めシステムとして実装されてもよい。位置センサ７８４は、制御回路７６０と連携して絶対位置決めシステムを提供することができる。位置は、磁石の上方に位置し、加算、減算、ビットシフト、及びテーブル参照演算のみを必要とする、双曲線関数及び三角関数を計算する簡潔かつ効率的なアルゴリズムを実装するために設けられた、桁毎法及びボルダーアルゴリズムとしても知られるＣＯＲＤＩＣプロセッサに連結された、複数のホール効果素子を含み得る。
【０１５５】
一態様では、Ｉビーム７６４は、上に組織切断刃を動作可能に支持するナイフ本体を備えるナイフ部材として実装されてもよく、アンビル係合タブ又は特徴部及び通路係合特徴部又は足部を更に含んでよい。一態様では、ステープルカートリッジ７６８は、標準的な（機械式）外科用締結具カートリッジとして実装されてもよい。一態様では、ＲＦカートリッジ７９６はＲＦカートリッジとして実装されてもよい。これら、及び他のセンサ構成は、その全体が本明細書に参照により組み込まれる、２０１７年６月２０日出願の「ＴＥＣＨＮＩＱＵＥＳ  ＦＯＲ  ＡＤＡＰＴＩＶＥ  ＣＯＮＴＲＯＬ  ＯＦ  ＭＯＴＯＲ  ＶＥＬＯＣＩＴＹ  ＯＦ  Ａ  ＳＵＲＧＩＣＡＬ  ＳＴＡＰＬＩＮＧ  ＡＮＤ  ＣＵＴＴＩＮＧ  ＩＮＳＴＲＵＭＥＮＴ」と題する同一出願者の米国特許出願第１５／６２８，１７５号に記載されている。
【０１５６】
Ｉビーム７６４などの直線変位部材の位置、移動、変位、及び／又は並進は、絶対位置決めシステム、センサ構成、及び位置センサ７８４として表される位置センサにより、測定可能である。Ｉビーム７６４が長手方向に移動可能な駆動部材に連結されているため、Ｉビーム７６４の位置は、位置センサ７８４を使用する長手方向に移動可能な駆動部材の位置を測定することによって判定することができる。したがって、以下の説明では、Ｉビーム７６４の位置、変位、及び／又は並進は、本明細書に記載される位置センサ７８４によって達成され得る。本明細書で説明するように、制御回路７６０は、Ｉビーム７６４などの変位部材の並進を制御するようにプログラムされてもよい。いくつかの実施例では、制御回路７６０は、１つ若しくは２つ以上のマイクロコントローラ、マイクロプロセッサ、又はプロセッサ若しくは複数のプロセッサに、説明した方法で例えばＩビーム７６４などの変位部材を制御させる命令を実行するための、他の好適なプロセッサを備えてもよい。一態様では、タイマー／カウンタ７８１が、経過時間又はデジタルカウントなどの出力信号を制御回路７６０に供給して、位置センサ７８４によって判定されたＩビーム７６４の位置をタイマー／カウンタ７８１の出力と相関させることにより、制御回路７６０が、特定の時点（ｔ）におけるＩビーム７６４の開始位置に対する位置を求めることができる。タイマー／カウンタ７８１は、経過時間を測定するか、外部イベントを計数するか、又は外部イベントの時間を測定するように構成されてよい。
【０１５７】
制御回路７６０は、モータ設定値信号７７２を生成してもよい。モータ設定値信号７７２は、モータコントローラ７５８に供給されてもよい。モータコントローラ７５８は、本明細書で説明するように、モータ７５４にモータ駆動信号７７４を供給してモータ７５４を駆動するように構成された１つ又は２つ以上の回路を備えてもよい。いくつかの実施例では、モータ７５４は、ブラシ付きＤＣ電動モータであってもよい。例えば、モータ７５４の速度は、モータ駆動信号７７４に比例してもよい。いくつかの例では、モータ７５４はブラシレスＤＣ電動モータであってもよく、モータ駆動信号７７４は、モータ７５４の１つ又は２つ以上の固定子巻線に提供されるＰＷＭ信号を含んでもよい。また、いくつかの実施例では、モータコントローラ７５８は省略されてもよく、制御回路７６０がモータ駆動信号７７４を直接生成してもよい。
【０１５８】
モータ７５４は、エネルギー源７６２から電力を受信することができる。エネルギー源７６２は、電池、超コンデンサ、又は任意の他の好適なエネルギー源であってもよく、あるいはそれを含んでもよい。モータ７５４は、伝達装置７５６を介してＩビーム７６４に機械的に連結され得る。伝達装置７５６は、モータ７５４をＩビーム７６４に連結するための１つ又は２つ以上の歯車又は他の連結構成要素を含んでもよい。位置センサ７８４が、Ｉビーム７６４の位置を感知してもよい。位置センサ７８４は、Ｉビーム７６４の位置を示す位置データを生成可能なあらゆる種類のセンサであってよく、又はそれを含んでもよい。いくつかの例では、位置センサ７８４は、Ｉビーム７６４が遠位及び近位に並進すると一連のパルスを制御回路７６０に供給するように構成されたエンコーダを含んでもよい。制御回路７６０は、パルスを追跡してＩビーム７６４の位置を判定してもよい。例えば近接センサを含む他の好適な位置センサが使用されてもよい。他の種類の位置センサが、Ｉビーム７６４の運動を示す他の信号を提供してもよい。また、いくつかの実施例では、位置センサ７８４は省略されてもよい。モータ７５４がステッパモータである場合、制御回路７６０は、モータが実行するように指示された工程の数及び方向を合計することによって、Ｉビーム７６４の位置を追跡することができる。位置センサ７８４は、エンドエフェクタ７９２内、又は器具の任意の他の部分に配置することができる。
【０１５９】
制御回路７６０は、１つ以上のセンサ７８８と通信することができる。センサ７８８は、エンドエフェクタ７９２上に位置決めされ、外科用器具７９０と共に動作して、間隙距離対時間、組織圧縮対時間、及びアンビル歪み対時間などの様々な導出パラメータを測定するように適合され得る。センサ７８８は、エンドエフェクタ７９２の１つ又は２つ以上のパラメータを測定するための、磁気センサ、磁界センサ、歪みゲージ、圧力センサ、力センサ、渦電流センサなどの誘導センサ、抵抗センサ、容量センサ、光学センサ、及び／又は任意の他の好適なセンサを含み得る。センサ７８８が、１つ又は２つ以上のセンサを含んでもよい。
【０１６０】
１つ又は２つ以上のセンサ７８８は、クランプ留め状態中のアンビル７６６における歪みの大きさを測定するように構成された、微小歪みゲージなどの歪みゲージを含んでもよい。歪みゲージは、歪みの大きさに伴って振幅が変動する電気信号を提供する。センサ７８８は、アンビル７６６とステープルカートリッジ７６８との間で圧縮された組織の存在によって生成された圧力を検出するように構成された圧力センサを含んでもよい。センサ７８８は、アンビル７６６とステープルカートリッジ７６８との間に位置する組織部分のインピーダンスを検出するように構成されてもよく、このインピーダンスは、それらの間に位置する組織の厚さ及び／又は充満度を示す。
【０１６１】
センサ７８８は、閉鎖駆動システムによってアンビル７６６に及ぼされる力を測定するように構成されてよい。例えば、１つ又は２つ以上のセンサ７８８は、閉鎖管によってアンビル７６６に加えられる閉鎖力を検出するために、閉鎖管とアンビル７６６との間の相互作用点に位置してもよい。アンビル７６６に対して及ぼされる力は、アンビル７６６とステープルカートリッジ７６８との間に捕捉された組織部分が受ける組織圧縮を表すものであってもよい。１つ又は２つ以上のセンサ７８８を、閉鎖駆動システムに沿って様々な相互作用点に配置して、閉鎖駆動システムによりアンビル７６６に適用される閉鎖力を検出することができる。１つ又は２つ以上のセンサ７８８は、制御回路７６０のプロセッサ部分によるクランプ動作中にリアルタイムでサンプリングされてもよい。制御回路７６０は、リアルタイムのサンプル測定値を受信して時間ベースの情報を提供及び分析し、アンビル７６６に適用される閉鎖力をリアルタイムで評価する。
【０１６２】
モータ７５４によって引き込まれる電流を測定するために、電流センサ７８６を用いることができる。Ｉビーム７６４を前進させるのに必要な力は、モータ７５４によって引き込まれる電流に相当する。力はデジタル信号に変換されて、制御回路７６０に供給される。
【０１６３】
ＲＦエネルギー源７９４はエンドエフェクタ７９２に連結され、ＲＦカートリッジ７９６がステープルカートリッジ７６８の代わりにエンドエフェクタ７９２内に装填されている場合に、ＲＦカートリッジ７９６に印加される。制御回路７６０は、ＲＦエネルギーのＲＦカートリッジ７９６への送達を制御する。
【０１６４】
更なる詳細は、その全体が参照により本明細書に組み込まれる、２０１７年６月２８日出願の「ＳＵＲＧＩＣＡＬ  ＳＹＳＴＥＭ  ＣＯＵＰＬＡＢＬＥ  ＷＩＴＨ  ＳＴＡＰＬＥ  ＣＡＲＴＲＩＤＧＥ  ＡＮＤ  ＲＡＤＩＯ  ＦＲＥＱＵＥＮＣＹ  ＣＡＲＴＲＩＤＧＥ，ＡＮＤ  ＭＥＴＨＯＤ  ＯＦ  ＵＳＩＮＧ  ＳＡＭＥ」と題する米国特許出願第１５／６３６，０９６号に開示されている。
【０１６５】
発生器ハードウェア
図２０は、他の利点の中でも特に、インダクタを利用しない同調を提供するように構成された発生器８００の略ブロック図である。発生器８００の更なる詳細は、その開示の全体が参照により本明細書に組み込まれている、「ＳＵＲＧＩＣＡＬ  ＧＥＮＥＲＡＴＯＲ  ＦＯＲ  ＵＬＴＲＡＳＯＮＩＣ  ＡＮＤ  ＥＬＥＣＴＲＯＳＵＲＧＩＣＡＬ  ＤＥＶＩＣＥＳ」と題する２０１５年６月２３日発行の米国特許第９，０６０，７７５号に記載されている。発生器８００は、電力変圧器８０６を介して非絶縁段階８０４と通信する患者絶縁段階８０２を含んでもよい。電力変圧器８０６の二次巻線８０８は、絶縁段階８０２内に収容され、例えば、超音波外科用器具、ＲＦ電気外科用器具、並びに単独又は同時に送達可能な超音波及びＲＦエネルギーモードを含む多機能型外科用器具などの様々な外科用器具に駆動信号を送達するために駆動信号出力部８１０ａ、８１０ｂ、８１０ｃを定義するためのタップ構成（例えば、センタタップ又は非センタタップ構成）を備え得る。具体的には、駆動信号出力部８１０ａ、８１０ｃは、超音波駆動信号（例えば、４２０Ｖの二乗平均根（ＲＭＳ）駆動信号）を超音波外科用器具に出力してもよく、駆動信号出力部８１０ｂ、８１０ｃは、電力変圧器８０６のセンタタップに対応する駆動信号出力部８１０ｂにより、ＲＦ電気外科用駆動信号（例えば、１００ＶのＲＭＳ駆動信号）をＲＦ電気外科用器具に出力してもよい。
【０１６６】
特定の形態では、超音波及び電気外科用の駆動信号は、別個の外科用器具に、及び／又は超音波エネルギー及び電気外科用エネルギーの両方を組織に送達する能力を有する、多機能外科用器具などの単一の外科用器具に、同時に供給されてもよい。専用の電気外科用器具及び／又は複合多機能超音波／電気外科用器具のどちらかへと供給される電気外科用信号は、治療用又は治療量以下のレベルの信号のどちらかであり、治療量以下の信号は、例えば、組織又は器具状態を監視して、発生器へとフィードバックを提供することに使用され得る、と理解されよう。例えば、超音波及びＲＦ信号は、以下でより詳細に論じられるように、所望の出力信号を外科用器具に供給するために、単一の出力ポートを有する発生器から別個に又は同時に送達され得る。したがって、発生器は、超音波エネルギー及び電気外科用ＲＦエネルギーを組み合わせて、複合エネルギーを多機能超音波／電気外科用器具に送達することができる。双極電極は、エンドエフェクタの一方又は両方のジョーの上に配置することができる。一方のジョーは、同時に働く、電気外科用ＲＦエネルギーに加えて超音波エネルギーによって駆動されてもよい。超音波エネルギーが組織を切開するために用いられてもよい一方で、電気外科用ＲＦエネルギーは、血管封止に用いられてもよい。
【０１６７】
非絶縁段階８０４は、電力変圧器８０６の一次巻線８１４に接続された出力部を有する電力増幅器８１２を含んでもよい。特定の形態では、電力増幅器８１２は、プッシュプル増幅器を含んでもよい。例えば、非絶縁段階８０４は、対応するアナログ信号を電力増幅器８１２の入力に続いて供給するデジタル−アナログ変換器（ＤＡＣ）回路８１８に、デジタル出力を供給するための論理機構８１６を更に含んでもよい。特定の形態では、論理機構８１６は、数ある論理回路の中で、例えば、プログラマブルゲートアレイ（ＰＧＡ）、ＦＰＧＡ、プログラマブル論理機構（ＰＬＤ）を含んでもよい。したがって、論理機構８１６は、ＤＡＣ回路８１８を介して電力増幅器８１２の入力を制御することにより、駆動信号出力部８１０ａ、８１０ｂ、８１０ｃで出現する駆動信号の多くのパラメータ（例えば、周波数、波形形状、波形振幅）のうちのいずれかを制御することができる。特定の態様では、また以下で説明するように、プログラム可能な論理機構８１６は、プロセッサ（例えば、以下で説明するＤＳＰ）と共に、多くのＤＳＰベースの及び／又は他の制御アルゴリズムを実行して、発生器８００によって出力される駆動信号のパラメータを制御することができる。
【０１６８】
電力は、例えば電力変換装置などのスイッチモードレギュレータ８２０によって、電力増幅器８１２の電力レールに供給され得る。特定の形態では、スイッチモードレギュレータ８２０は、例えば、調整可能なバックレギュレータを含んでもよい。非絶縁段階８０４は、第１のプロセッサ８２２を更に含んでもよく、この第１のプロセッサは、一形態では、例えば、Ａｎａｌｏｇ  Ｄｅｖｉｃｅｓ（Ｎｏｒｗｏｏｄ，ＭＡ）から入手可能なＡｎａｌｏｇ  Ｄｅｖｉｃｅｓ  ＡＤＳＰ−２１４６９  ＳＨＡＲＣ  ＤＳＰなどのＤＳＰプロセッサを含んでもよいが、様々な形態において、任意の好適なプロセッサが使用されてもよい。特定の形態では、ＤＳＰプロセッサ８２２は、電力増幅器８１２からＤＳＰプロセッサ８２２がＡＤＣ回路８２４を介して受信する、電圧フィードバックデータに応答するスイッチモードレギュレータ８２０の動作を制御し得る。一形態では、例えば、ＤＳＰプロセッサ８２２は、電力増幅器８１２によって増幅された信号（例えば、ＲＦ信号）の波形エンベロープを、ＡＤＣ回路８２４を介して入力として受信し得る。次いで、ＤＳＰプロセッサ８２２は、電力増幅器８１２に供給されるレール電圧が、増幅された信号の波形エンベロープを追跡するように、（例えばＰＷＭ出力を介して）スイッチモードレギュレータ８２０を制御し得る。波形エンベロープに基づいて、電力増幅器８１２のレール電圧を動的に変調することにより、電力増幅器８１２の効率は、固定レール電圧増幅器スキームに対して顕著に改善され得る。
【０１６９】
特定の形態では、論理機構８１６は、ＤＳＰプロセッサ８２２と共に、直接デジタルシンセサイザ制御スキームなどのデジタル合成回路を実装して、発生器８００によって出力される駆動信号の波形形状、周波数及び／又は振幅を制御してもよい。一形態では、例えば、論理機構８１６は、ＦＰＧＡ内に埋め込まれてもよいＲＡＭ  ＬＵＴなどの、動的に更新されるルックアップテーブル（ＬＵＴ）内に記憶された波形サンプルを呼び出すことによって、ＤＤＳ制御アルゴリズムを実装してもよい。この制御アルゴリズムは、超音波変換器などの超音波変換器が、その共振周波数における明瞭な正弦波電流によって駆動され得る超音波用途で特に有用である。他の周波数が寄生共振を励起し得るため、動作分岐電流の全歪みの最小化又は低減は、これに対応して望ましくない共振効果を最小化又は低減することができる。発生器８００によって出力される駆動信号の波形形状が、出力駆動回路内に存在する歪みの様々な発生源（例えば、電力変圧器８０６、電力増幅器８１２）によって影響されるため、駆動信号に基づく電圧及び電流のフィードバックデータを、ＤＳＰプロセッサ８２２によって実装される誤差制御アルゴリズムなどのアルゴリズムに入力することができ、このアルゴリズムは、動的かつ継続的に（例えば、リアルタイムで）、ＬＵＴに記憶された波形サンプルを好適に予め歪ませるか又は修正することによって、歪みを補償する。一形態では、ＬＵＴサンプルに加えられる予歪みの量又は程度は、計算された動作分岐電流と所望の電流波形形状との間の誤差に基づいてもよく、誤差は、サンプル毎に決定される。このようにして、予め歪ませたＬＵＴサンプルは、駆動回路により処理される場合、超音波変換器を最適に駆動するために、所望の波形形状（例えば、正弦波）を有する動作分岐駆動信号を生じ得る。そのような形態では、ＬＵＴ波形サンプルは、したがって、駆動信号の所望の波形形状を表すのではなく、歪み効果を考慮した際の、動作分岐駆動信号の所望の波形形状を最終的に生成するために必要な波形形状を表す。
【０１７０】
非絶縁段階８０４は、発生器８００によって出力される駆動信号の電圧及び電流をそれぞれサンプリングするために、それぞれの絶縁変圧器８３０、８３２を介して電力変圧器８０６の出力部に連結された第１ＡＤＣ回路８２６及び第２ＡＤＣ回路８２８を更に含んでもよい。特定の形態では、ＡＤＣ回路８２６、８２８は、駆動信号のオーバーサンプリングを可能にするために、高速（例えば、毎秒８０メガサンプル（ＭＳＰＳ））でサンプリングするように構成され得る。一形態では、例えば、ＡＤＣ回路８２６、８２８のサンプリング速度は、駆動信号のおよそ２００倍（周波数による）のオーバーサンプリングを可能にし得る。特定の形態では、ＡＤＣ回路８２６、８２８のサンプリング動作は、双方向マルチプレクサを介し、入力電圧及び電流信号を受信する単一のＡＤＣ回路によって実施され得る。発生器８００の形態での高速サンプリングの使用は、とりわけ、動作分岐を通って流れる複素電流の計算（これは、上述のＤＤＳベースの波形形状制御を実施するために、特定の形態で使用され得る）、サンプリングされた信号の正確なデジタルフィルタリング、及び高精度での実電力消費の計算を可能にし得る。ＡＤＣ回路８２６、８２８によって出力される電圧及び電流フィードバックデータは、論理機構８１６によって受信され処理され得（例えば、先着順処理方式（ＦＩＦＯ）バッファ、マルチプレクサなど）、例えば、ＤＳＰプロセッサ８２２による以後の読み出しのために、データメモリに記憶されてもよい。上記のように、電圧及び電流のフィードバックデータは、動的及び進行に応じたベースで、ＬＵＴ波形サンプルを予め歪ませるか又は修正するための、アルゴリズムへの入力として使用され得る。特定の形態では、これは、電圧及び電流のフィードバックデータ対が得られる場合に、論理機構８１６によって出力された対応するＬＵＴサンプルに基づき、又は別の方法でこれに関連して、記憶された各電圧及び電流のフィードバックデータ対が索引されることを必要とし得る。この方法によるＬＵＴサンプルと電圧及び電流のフィードバックデータとの同期は、予歪みアルゴリズムの正確なタイミング及び安定性に寄与する。
【０１７１】
特定の形態では、電圧及び電流のフィードバックデータは、駆動信号の周波数及び／又は振幅（例えば、電流振幅）を制御するために使用されてもよい。例えば、一形態では、電圧及び電流のフィードバックデータは、インピーダンス相を決定するために使用されてもよい。駆動信号の周波数はその後、判定されたインピーダンス相とインピーダンス相設定点（例えば、０°）との間の差を最小化又は低減するように制御されてもよく、それによって高調波歪みの効果を最小化又は低減し、これに対応してインピーダンス相測定正確性を向上させる。相インピーダンス及び周波数制御信号の決定は、例えば、ＤＳＰプロセッサ８２２に実装されてもよく、周波数制御信号は、論理機構８１６によって実装されるＤＤＳ制御アルゴリズムへの入力として供給される。
【０１７２】
別の形態では、例えば、電流のフィードバックデータは、駆動信号の電流振幅を電流振幅設定点で維持するために監視されてもよい。電流振幅設定値は、直接指定されてもよく、又は指定された電圧振幅及び電力設定値に基づいて間接的に判定されてもよい。特定の形態では、電流振幅の制御は、例えば、ＤＳＰプロセッサ８２２内の比例−積分−微分（ＰＩＤ）制御アルゴリズムといった制御アルゴリズムによって実行され得る。駆動信号の電流振幅を好適に制御するために、制御アルゴリズムにより制御される変数には、例えば、論理機構８１６に記憶されるＬＵＴ波形サンプルのスケーリング、及び／又はＤＡＣ回路８３４を介したＤＡＣ回路８１８（これは電力増幅器８１２に入力を供給する）のフルスケール出力電圧が挙げられ得る。
【０１７３】
非絶縁段階８０４は、とりわけユーザインターフェース（ＵＩ）機能性を提供するために、第２のプロセッサ８３６を更に含んでもよい。一形態では、ＵＩプロセッサ８３６は、例えば、Ａｔｍｅｌ  Ｃｏｒｐｏｒａｔｉｏｎ（Ｓａｎ  Ｊｏｓｅ，Ｃａｌｉｆｏｒｎｉａ）から入手可能な、ＡＲＭ  ９２６ＥＪ−Ｓコアを有するＡｔｍｅｌ  ＡＴ９１ＳＡＭ９２６３プロセッサを含んでもよい。ＵＩプロセッサ８３６によってサポートされるＵＩ機能の例としては、聴覚的及び視覚的なユーザフィードバック、周辺装置との通信（例えばＵＳＢインターフェースを介して）、フットスイッチとの通信、入力装置（例えば、タッチスクリーンディスプレイ）との通信、並びに出力装置（例えば、スピーカ）との通信を挙げることができる。ＵＩプロセッサ８３６は、ＤＳＰプロセッサ８２２及び論理機構８１６（例えばＳＰＩバス）と通信し得る。ＵＩプロセッサ８３６は、ＵＩ機能性を主にサポートしてもよいが、特定の形態では、ＤＳＰプロセッサ８２２と協調して、危険の緩和を実現してもよい。例えば、ＵＩプロセッサ８３６は、ユーザ入力及び／又は他の入力（例えば、タッチスクリーン入力、フットスイッチ入力、温度センサ入力）の様々な態様を監視するようにプログラミングされてもよく、誤った状態が検出される際に、発生器８００の駆動出力を無効化することができる。
【０１７４】
特定の形態では、ＤＳＰプロセッサ８２２及びＵＩプロセッサ８３６の両方は、例えば、発生器８００の動作状態を判定かつ監視してもよい。ＤＳＰプロセッサ８２２に関し、発生器８００の動作状態は、例えば、どの制御及び／又は診断プロセスがＤＳＰプロセッサ８２２によって実行されるかを規定してもよい。ＵＩプロセッサ８３６に関し、発生器８００の動作状態は、例えば、ＵＩ（例えば、ディスプレイスクリーン、音）のどの要素がユーザに提供されるのかを規定してもよい。ＤＳＰプロセッサ８２２及びＵＩプロセッサ８３６はそれぞれ、発生器８００の現在の動作状態を別個に維持し、現在の動作状態からの可能な遷移を、認識して評価してもよい。ＤＳＰプロセッサ８２２は、この関係におけるマスタとして機能し、動作状態間の遷移が生じたことを判定してもよい。ＵＩプロセッサ８３６は、動作状態間の有効な遷移を認識してもよく、また特定の遷移が適切であるかを確認してもよい。例えば、ＤＳＰプロセッサ８２２が、ＵＩプロセッサ８３６に特定の状態へと遷移するように命令すると、ＵＩプロセッサ８３６は、要求される遷移が有効であることを確認してもよい。要求される状態間の遷移がＵＩプロセッサ８３６によって無効であると判定される場合、ＵＩプロセッサ８３６は、発生器８００を故障モードにしてもよい。
【０１７５】
非絶縁段階８０４は、入力装置を監視するためのコントローラ８３８（例えば、発生器８００をオン及びオフするために使用される静電容量式タッチセンサ、静電容量式タッチスクリーン）を更に含んでもよい。特定の形態では、コントローラ８３８は、少なくとも１つのプロセッサ及び／又はＵＩプロセッサ８３６と通信する他のコントローラデバイスを含んでもよい。一形態では、例えば、コントローラ８３８は、１つ又は２つ以上の容量性タッチセンサを介して提供されるユーザ入力を監視するように構成されたプロセッサ（例えば、Ａｔｍｅｌから入手可能なＭｅｇ１６８  ８ビットコントローラ）を含んでもよい。一形態では、コントローラ８３８は、容量性タッチスクリーンからのタッチデータの取得を制御及び管理するための、タッチスクリーンコントローラ（例えば、Ａｔｍｅｌから入手可能なＱＴ５４８０タッチスクリーンコントローラ）を含んでもよい。
【０１７６】
特定の形態では、発生器８００が「電力オフ」状態にある場合、コントローラ８３８は、（例えば、後述の電源８５４などの、発生器８００の電源からのラインを介して）動作電力を受信し続けてもよい。このようにして、コントローラ８３８は、発生器８００をオンオフするための入力装置（例えば、発生器８００の前側パネルに配置された静電容量式タッチセンサ）を監視し続けることができる。発生器８００が電源オフ状態にある場合、コントローラ８３８は、ユーザによる「オン／オフ」入力装置の起動が検出されれば、電源を起動することができる（例えば、電源８５４の１つ又は２つ以上のＤＣ／ＤＣ電圧変換器８５６の動作を有効化する）。その結果、コントローラ８３８は、発生器８００を「電源オン」状態に移行させるためのシーケンスを開始することができる。逆に、発生器８００が電源オン状態にある場合に「オン／オフ」入力装置の起動が検出されると、コントローラ８３８は発生器８００を電源オフ状態に遷移させるためのシーケンスを開始することができる。例えば、特定の形態では、コントローラ８３８は、「オン／オフ」入力装置の起動をＵＩプロセッサ８３６に報告してもよく、続いてＵＩプロセッサ８３６は、発生器８００を電源オフ状態に遷移させるために必要な処理シーケンスを実行する。この形態では、コントローラ８３８は、発生器８００の電源オン状態が確立された後に発生器８００から電力を排除させるための別個の能力を有さなくてもよい。
【０１７７】
特定の形態では、コントローラ８３８は、ユーザに電源オン又は電源オフシーケンスが開始されたことを警告するために、発生器８００に聴覚的又は他の感覚的フィードバックを提供させてもよい。そのような警告は、電源オン又は電源オフシーケンスの開始時、及びシーケンスと関連する他のプロセスの開始前に提供されてもよい。
【０１７８】
特定の形態では、絶縁段階８０２は、例えば、外科用器具の制御回路（例えば、ハンドピーススイッチを含む制御回路）と、例えば論理機構８１６、ＤＳＰプロセッサ８２２及び／又はＵＩプロセッサ８３６などの非絶縁段階８０４の構成要素との間に通信インターフェースを提供するための器具インターフェース回路８４０を含んでもよい。器具インターフェース回路８４０は、例えば、ＩＲベースの通信リンクなどの、絶縁段階８０２と非絶縁８０４との間の適切な程度の電気的絶縁を維持する通信リンクを介して、非絶縁段階８０４の構成要素と情報を交換することができる。例えば、非絶縁段階８０４から駆動される絶縁変圧器によって電力供給される低ドロップアウト電圧レギュレータを使用して、器具インターフェース回路８４０に電力を供給することができる。
【０１７９】
一形態では、器具インターフェース回路８４０は、信号調整回路８４４と通信を行う論理回路８４２（例えば、論理回路、プログラマブル論理回路、ＰＧＡ、ＦＰＧＡ、ＰＬＤ）を含んでもよい。信号調整回路８４４は、同一の周波数を有する双極呼掛け信号を生成するために、論理回路８４２から周期信号（例えば、２ｋＨｚ方形波）を受信するように構成されてもよい。呼掛け信号は、例えば、差動増幅器によって供給される双極電流源を使用して生成することができる。呼掛け信号は、（例えば、発生器８００を外科用器具に接続するケーブル内の導電ペアを使用して）外科用器具制御回路に伝送され、制御回路の状態又は構成を判定するために監視されてもよい。制御回路は、多数のスイッチ、抵抗器、及び／又はダイオードを含んでもよく、制御回路の状態又は構成が１つ以上の特性に基づいて個別に識別可能であるように、呼掛け信号の１つ又は２つ以上の特性（例えば、振幅、整流）を修正してもよい。例えば、一形態では、信号調整回路８４４は、呼掛け信号が通過する経路から生じる制御回路の入力にわたって出現する電圧信号のサンプルを生成するためのＡＤＣ回路を含み得る。論理回路８４２（又は、非絶縁段階８０４の構成要素）はその後、ＡＤＣ回路サンプルに基づく制御回路の状態又は構成を判定し得る。
【０１８０】
一形態では、器具インターフェース回路８４０は、第１のデータ回路インターフェース８４６を含んで、論理回路８４２（又は器具インターフェース回路８４０の他の要素）と、外科用器具内に配置されるか又は別の方法で関連付けられた第１のデータ回路と、の間の情報交換を可能にしてもよい。特定の形態では、例えば、第１のデータ回路は、発生器８００を有する特定の外科用器具の種類又はモデルとインターフェース接続させるために、外科用器具ハンドピースに一体的に取り付けられたケーブル内、又はアダプタ内に配設されてもよい。第１のデータ回路は、任意の好適な方法で実装されてもよく、例えば、第１のデータ回路に関して本明細書に記載されたものを含む任意の好適なプロトコルに従って、発生器と通信してもよい。特定の形態では、第１のデータ回路は、ＥＥＰＲＯＭデバイスなどの、不揮発性ストレージ装置を含み得る。特定の形態では、第１のデータ回路インターフェース８４６は、論理回路８４２とは別個に実装されてもよく、論理回路８４２と第１のデータ回路との間の通信を可能にする好適な回路（例えば、別個の論理機構、プロセッサ）を備えてもよい。他の形態では、第１のデータ回路インターフェース８４６は、論理回路８４２と一体であってもよい。
【０１８１】
特定の形態では、第１のデータ回路は、第１のデータ回路が関連付けられる特定の外科用器具に関する情報を記憶することができる。そのような情報は、例えば、モデル番号、シリアル番号、外科用器具が使用された動作数、及び／又は任意の他の種類の情報を含むことができる。この情報は、器具インターフェース回路８４０によって（例えば、論理回路８４２によって）読み出されて、出力装置を介してユーザに提示するために、及び／又は発生器８００の機能若しくは動作を制御するために、非絶縁段階８０４の構成要素（例えば、論理機構８１６、ＤＳＰプロセッサ８２２、及び／又はＵＩプロセッサ８３６）に転送され得る。加えて、任意の種類の情報を、第１のデータ回路インターフェース８４６を介して内部に記憶させるために、（例えば、論理回路８４２を使用して）第１のデータ回路に伝送することができる。そのような情報は、例えば、外科用器具が使用された最新の動作数、並びに／又はその使用の日付及び／若しくは時間を含んでもよい。
【０１８２】
上記のように、外科用器具は、器具の互換性及び／又は廃棄性を促進するために、ハンドピースから取り外し可能であってもよい（例えば、多機能外科用器具は、ハンドピースから取り外し可能であってもよい）。そのような場合、従来の発生器は、使用されている特定の器具構成を認識し、これに対応して制御及び診断プロセスを最適化する能力が制限されている場合がある。しかし、この問題に対処するために、外科用器具に読み取り可能なデータ回路を追加することは、適合性の観点から問題がある。例えば、必要なデータ読み取り機能性を欠く発生器との後方互換性を保つように外科用器具を設計することは、例えば、異なる信号スキーム、設計複雑性及び費用のために、実用的でない場合がある。本明細書で論じられる器具の形態は、既存の外科用器具に実装されてもよいデータ回路を経済的に使用し、外科用器具と最新の発生器プラットフォームとの適合性を維持するための設計変更を最小限にすることによってこれらの懸念に対処する。
【０１８３】
加えて、発生器８００の形態は、器具ベースのデータ回路との通信を可能にしてもよい。例えば、発生器８００は、器具（例えば多機能外科用器具）内に収容される第２のデータ回路と通信を行うように構成することができる。いくつかの形態では、第２のデータ回路は、本明細書に記載の第１のデータ回路と類似の方法で実装されてもよい。器具インターフェース回路８４０は、この通信を可能にする第２のデータ回路インターフェース８４８を含むことができる。一形態では、第２のデータ回路インターフェース８４８は、トライステートデジタルインターフェースを含んでもよいが、他のインターフェースも使用されてもよい。特定の形態では、第２のデータ回路は、一般にデータを送信及び／又は受信するための任意の回路であってもよい。一形態では、例えば、第２のデータ回路は、第２のデータ回路が関連付けられた特定の外科用器具に関する情報を記憶してもよい。そのような情報は、例えば、モデル番号、シリアル番号、外科用器具が使用された動作数、及び／又は任意の他の種類の情報を含むことができる。
【０１８４】
いくつかの形態では、第２のデータ回路は、関連する超音波変換器、エンドエフェクタ、又は超音波駆動システムの電気的及び／又は超音波的特性に関する情報を記憶してもよい。例えば、第１のデータ回路は、本明細書に記載されるバーンイン周波数スロープを示してもよい。加えて又は代わりに、任意の種類の情報を、第２のデータ回路インターフェース８４８を介して内部に記憶させるために、（例えば、論理回路８４２を使用して）第２のデータ回路に伝送することができる。そのような情報は、例えば、器具が使用された最新の動作数、並びに／又はその使用の日付及び／若しくは時間を含んでもよい。特定の形態では、第２のデータ回路は、１つ又は２つ以上のセンサ（例えば、器具ベースの温度センサ）によって取得されたデータを送信してもよい。特定の形態では、第２のデータ回路は、発生器８００からデータを受信し、その受信したデータに基づいてユーザに表示（例えば、発光ダイオード表示又は他の可視表示）を提供することができる。
【０１８５】
特定の形態では、第２のデータ回路及び第２のデータ回路インターフェース８４８は、論理回路８４２と第２のデータ回路との間の通信を、この目的での更なる導体（例えば、ハンドピースを発生器８００に接続するケーブルの専用導体）の提供を必要とせずに行うことができるように構成されてもよい。一形態では、例えば、使用される導体のうちの１つが、信号調整回路８４４からハンドピース内の制御回路へ呼掛け信号を送信するなど、既存のケーブル配線上に実装されたワンワイヤバス通信方式を使用して、第２のデータ回路との間で情報を伝送することができる。このようにして、元来必要とされる場合がある外科用器具への設計変更又は修正は、最小化されるか又は低減される。更に、一般的な物理的チャネル上で実施される異なる種類の通信を周波数帯域分離することができるため、第２のデータ回路の存在は、必要なデータ読み取り機能を有しない発生器にとって「不可視」であり、したがって、外科用器具の後方互換性を可能にする。
【０１８６】
特定の形態では、絶縁段階８０２は、直流電流が患者を通るのを防ぐために、駆動信号出力部８１０ｂに接続された、少なくとも１つの阻止コンデンサ８５０−１を含んでもよい。単一の阻止コンデンサは、例えば、医学的規制又は基準に準拠することが必要とされる場合がある。単一コンデンサ設計における故障は比較的稀であるが、それでもなおそのような故障は否定的な結果をもたらすおそれがある。一形態では、第２の阻止コンデンサ８５０−２が、阻止コンデンサ８５０−１と直列に設けられ、漏洩電流により誘発される電圧をサンプリングするために、阻止コンデンサ８５０−１と阻止コンデンサ８５０−２との間の点からの電流漏洩が、例えば、ＡＤＣ回路８５２によって監視されてもよい。サンプルは、例えば、論理回路８４２によって受信されてもよい。発生器８００は、（電圧サンプルによって示される）漏れ電流の変化に基づいて、阻止コンデンサ８５０−１、阻止コンデンサ８５０−２のうちの少なくとも１つが故障したことを判定することにより、故障ポイントが１つしかない単一コンデンサ設計に勝る利益を提供することができる。
【０１８７】
特定の形態では、非絶縁段階８０４は、好適な電圧及び電流でＤＣ電力を送達するための電源８５４を含んでもよい。電源は、例えば、４８ＶＤＣシステム電圧を送達するための、４００Ｗ電源を含み得る。電源８５４は、電源の出力を受信して発生器８００の様々な構成要素によって必要とされる電圧及び電流でＤＣ出力を生成するための１つ又は２つ以上のＤＣ／ＤＣ電圧変換器８５６を更に備えることができる。コントローラ８３８に関連して上述したように、ユーザによる「オン／オフ」入力装置の起動がコントローラ８３８によって検出されると、１つ又は２つ以上のＤＣ／ＤＣ電圧変換器８５６がコントローラ８３８から入力を受信し、ＤＣ／ＤＣ電圧変換器８５６の動作を可能にするか又はこれを起動させてもよい。
【０１８８】
図２１は、発生器８００（図２０）の一形態である発生器９００の一例を示す。発生器９００は、複数のエネルギーモダリティを外科用器具に送達するように構成されている。発生器９００は、エネルギーを外科用器具に送達するためのＲＦ信号及び超音波信号を単独で又は同時にのいずれかで提供する。ＲＦ信号及び超音波信号は、単独で、又は組み合わせて提供されてもよく、また同時に提供されてもよい。上述したように、少なくとも１つの発生器出力部は、単一のポートを通して複数のエネルギーモダリティ（例えば、とりわけ超音波、双極若しくは単極ＲＦ、不可逆及び／若しくは可逆電気穿孔法、並びに／又はマイクロ波エネルギー）を送達することができ、これらの信号は、組織を治療するために個別に又は同時にエンドエフェクタに送達することができる。
【０１８９】
発生器９００は、波形発生器９０４に連結されたプロセッサ９０２を備える。プロセッサ９０２及び波形発生器９０４は、プロセッサ９０２に結合されたメモリに記憶された情報（開示を明瞭にするために示されず）に基づいて、様々な信号波形を発生するように構成されている。波形に関連するデジタル情報は、デジタル入力をアナログ出力に変換するために１つ又は２つ以上のＤＡＣ回路を含む波形発生器９０４に提供される。アナログ出力は、信号調節及び増幅のために、増幅器１１０６に供給される。増幅器９０６の調節され増幅された出力は、電力変圧器９０８に連結される。信号は、電力変圧器９０８を横断して患者絶縁側にある二次側に連結される。第１のエネルギーモダリティの第１の信号は、ＥＮＥＲＧＹ１とラベルされた端子とＲＥＴＵＲＮとラベルされた端子との間の外科用器具に供給される。第２のエネルギーモダリティの第２の信号は、コンデンサ９１０を横断して連結され、ＥＮＥＲＧＹ２とラベルされた端子とＲＥＴＵＲＮとラベルされた端子との間の外科用器具に供給される。２つより多いエネルギーモダリティが出力されてもよく、したがって添え字「ｎ」は、最大ｎ個のＥＮＥＲＧＹｎ端子が設けられ得ることを表示するために使用することができ、このｎは、１超の正の整数であることが理解されよう。最大「ｎ」個のリターンパス（ＲＥＴＵＲＮｎ）が、本開示の範囲から逸脱することなく提供されてもよいことも理解されよう。
【０１９０】
第１の電圧感知回路９１２は、ＥＮＥＲＧＹ１とラベルされた端子とＲＥＴＵＲＮパスとラベルされた端子との間に連結され、それらの間の出力電圧を測定する。第２の電圧感知回路９２４は、ＥＮＥＲＧＹ２とラベルされた端子とＲＥＴＵＲＮパスとラベルされた端子との間に連結され、それらの間の出力電圧を測定する。電流感知回路９１４は、いずれかのエネルギーモダリティの出力電流を測定するために、図示される電力変圧器９０８の二次側のＲＥＴＵＲＮ区間と直列に配設される。異なるリターンパスが各エネルギーモダリティに対して設けられる場合、別個の電流感知回路が、各リターン区間に設けられねばならない。第１の電圧感知回路９１２及び第２の電圧感知回路９２４の出力がそれぞれの絶縁変圧器９１６、９２２に供給され、電流感知回路９１４の出力は、別の絶縁変圧器９１８に供給される。電力変圧器９０８の一次側（非患者絶縁側）上における絶縁変圧器９１６、９２８、９２２の出力は、１つ又は２つ以上のＡＤＣ回路９２６に供給される。ＡＤＣ回路９２６のデジタル化された出力は、更なる処理及び計算のためにプロセッサ９０２に供給される。出力電圧及び出力電流のフィードバック情報は、外科用器具に供給される出力電圧及び電流を調整するために、またいくつかあるパラメータの中で出力インピーダンスを計算するために使用することができる。プロセッサ９０２と患者絶縁回路との間の入力／出力通信は、インターフェース回路９２０を通して提供される。センサもまた、インターフェース回路９２０を介してプロセッサ９０２と電気通信してもよい。
【０１９１】
一態様では、インピーダンスは、ＥＮＥＲＧＹ１とラベルされた端子とＲＥＴＵＲＮとラベルされた端子との間に連結された第１の電圧感知回路９１２、又はＥＮＥＲＧＹ２とラベルされた端子とＲＥＴＵＲＮとラベルされた端子との間に連結された第２の電圧感知回路９２４のいずれかの出力を、電力変圧器９０８の二次側のＲＥＴＵＲＮ区間と直列に配置された電流感知回路９１４の出力で割ることによって、プロセッサ９０２により算出されてもよい。第１の電圧感知回路９１２及び第２の電圧感知回路９２４の出力は、個別の絶縁変圧器９１６、９２２に供給され、電流感知回路９１４の出力は、別の絶縁変圧器９１６に供給される。ＡＤＣ回路９２６からのデジタル化された電圧及び電流感知測定値は、インピーダンスを計算するためにプロセッサ９０２に供給される。一例として、第１のエネルギーモダリティＥＮＥＲＧＹ１は、超音波エネルギーであってもよく、第２のエネルギーモダリティＥＮＥＲＧＹ２は、ＲＦエネルギーであってもよい。それでも、超音波エネルギーモダリティ及び双極又は単極ＲＦエネルギーモダリティに加えて、他のエネルギーモダリティには、数ある中でも不可逆並びに／又は可逆電気穿孔法及び／若しくはマイクロ波エネルギーが挙げられる。また、図２１に例示された例は、単一のリターンパス（ＲＥＴＵＲＮ）が２つ以上のエネルギーモダリティに提供され得ることを示しているが、他の態様では、複数のリターンパスＲＥＴＵＲＮｎが、各エネルギーモダリティＥＮＥＲＧＹｎに提供されてもよい。したがって、本明細書に記載されるように、超音波変換器のインピーダンスは、第１の電圧感知回路９１２の出力を電流感知回路９１４で割ることによって測定されてもよく、組織のインピーダンスは、第２の電圧感知回路９２４の出力を電流感知回路９１４で割ることによって測定されてもよい。
【０１９２】
図２１に示すように、少なくとも１つの出力ポートを含む発生器９００は、実行される組織の処置の種類に応じて、電力を、例えば、とりわけ、超音波、双極若しくは単極ＲＦ、不可逆及び／若しくは可逆電気穿孔法、並びに／又はマイクロ波エネルギーなどの１つ又は２つ以上のエネルギーモダリティの形態でエンドエフェクタに供給するために単一の出力部を有し、かつ複数のタップを有する電力変圧器９０８を含むことができる。例えば、発生器９００は、単極又は双極ＲＦ電気外科用電極のいずれかを用いて、超音波変換器を駆動するために高電圧かつ低電流で、組織封止のためのＲＦ電極を駆動するために低電圧かつ高電流で、又はスポット凝固のための凝固波形で、エネルギーを送達することができる。発生器９００からの出力波形は、周波数を外科用器具のエンドエフェクタに提供するために、誘導、切り替え、又はフィルタリングされ得る。超音波変換器の発生器９００の出力部への接続部は、図２１に示したＥＮＥＲＧＹ１とラベルされた出力部とＲＥＴＵＲＮとラベルされた出力部との間に位置することが好ましいであろう。一例では、ＲＦ双極電極の発生器９００の出力部への接続部は、ＥＮＥＲＧＹ２とラベルされた出力部とＲＥＴＵＲＮとラベルされた出力部との間に位置することが好ましいであろう。単極出力の場合、好ましい接続部は、ＥＮＥＲＧＹ２出力部及びＲＥＴＵＲＮ出力部に接続された好適なリターンパッドへの活性電極（例えば、ペンシル型又は他のプローブ）であろう。
【０１９３】
更なる詳細は、その全体が参照により本明細書に組み込まれる、「ＴＥＣＨＮＩＱＵＥＳ  ＦＯＲ  ＯＰＥＲＡＴＩＮＧ  ＧＥＮＥＲＡＴＯＲ  ＦＯＲ  ＤＩＧＩＴＡＬＬＹ  ＧＥＮＥＲＡＴＩＮＧ  ＥＬＥＣＴＲＩＣＡＬ  ＳＩＧＮＡＬ  ＷＡＶＥＦＯＲＭＳ  ＡＮＤ  ＳＵＲＧＩＣＡＬ  ＩＮＳＴＲＵＭＥＮＴＳ」と題する２０１７年３月３０日公開の米国特許出願公開第２０１７／００８６９１４号に開示されている。
【０１９４】
本説明全体で使用される用語「無線」及びその派生語は、非固体媒体を介して変調電磁放射線の使用を通じてデータを通信し得る回路、装置、システム、方法、技術、通信チャネルなどを説明するために使用されてもよい。この用語は、関連する装置がいかなる有線も含まないことを意味するものではないが、一部の態様では、それらは存在しない可能性がある。通信モジュールは、Ｗｉ−Ｆｉ（ＩＥＥＥ８０２．１１ファミリー）、ＷｉＭＡＸ（ＩＥＥＥ８０２．１６ファミリー）、ＩＥＥＥ８０２．２０、ロング・ターム・エボリューション（ＬＴＥ）、Ｅｖ−ＤＯ、ＨＳＰＡ＋、ＨＳＤＰＡ＋、ＨＳＵＰＡ＋、ＥＤＧＥ、ＧＳＭ、ＧＰＲＳ、ＣＤＭＡ、ＴＤＭＡ、ＤＥＣＴ、Ｂｌｕｅｔｏｏｔｈ、これらのイーサネット派生物、のみならず３Ｇ、４Ｇ、５Ｇ、及びそれ以降と指定される任意の他の無線及び有線プロトコルが挙げられるがこれらに限定されない多数の無線又は有線通信規格又はプロトコルのうちのいずれかを実装してもよい。コンピューティングモジュールは、複数の通信モジュールを含んでもよい。例えば、第１の通信モジュールは、Ｗｉ−Ｆｉ及びＢｌｕｅｔｏｏｔｈなどの短距離無線通信専用であってもよく、第２の通信モジュールは、ＧＰＳ、ＥＤＧＥ、ＧＰＲＳ、ＣＤＭＡ、ＷｉＭＡＸ、ＬＴＥ、Ｅｖ−ＤＯなどの長距離無線通信専用であってもよい。
【０１９５】
本明細書で使用するとき、プロセッサ又は処理ユニットは、いくつかの外部データソース、通常はメモリ又は何らかの他のデータストリーム上で動作を実行する電子回路である。この用語は、本明細書では、多くの専用「プロセッサ」を組み合わせたシステム又はコンピュータシステム（特にシステムオンチップ（ＳｏＣ））内の中央プロセッサ（中央処理ユニット）を指すために使用される。
【０１９６】
本明細書で使用するとき、チップ上のシステムつまりシステムオンチップ（ＳｏＣ又はＳＯＣ）は、コンピュータ又は他の電子システムの全ての構成要素を統合する集積回路（「ＩＣ」又は「チップ」としても知られる）である。これは、デジタル、アナログ、混合信号、及び多くの場合は高周波数機能を、全て単一の基材上に含むことができる。ＳｏＣは、マイクロコントローラ（又はマイクロプロセッサ）を、グラフィックス処理ユニット（ＧＰＵ）、Ｗｉ−Ｆｉモジュール、又はコプロセッサなどの最新の周辺装置と統合する。ＳｏＣは、内蔵メモリを含んでもよく、含まなくてもよい。
【０１９７】
本明細書で使用するとき、マイクロコントローラ又はコントローラは、マイクロプロセッサを周辺回路及びメモリと統合するシステムである。マイクロコントローラ（又はマイクロコントローラユニットを意味するＭＣＵ）は、単一の集積回路上の小型コンピュータとして実装されてもよい。これはＳｏＣと同様であってもよく、ＳｏＣは、その構成要素の１つとしてマイクロコントローラを含み得る。マイクロコントローラは、１つ又は２つ以上のコア処理ユニット（ＣＰＵ）と共にメモリ及びプログラム可能な入力／出力周辺機器を収容することができる。強誘電性のＲＡＭ、ＮＯＲフラッシュ、又はＯＴＰ  ＲＯＭの形態のプログラムメモリ、及び少量のＲＡＭもまた、チップ上にしばしば含まれる。マイクロコントローラは、パーソナルコンピュータ又は様々な個別のチップで構成された他の汎用用途で使用されるマイクロプロセッサとは対照的に、組み込み型用途に採用され得る。
【０１９８】
本明細書で使用するとき、コントローラ又はマイクロコントローラという用語は、周辺装置と連携するスタンドアロンＩＣ又はチップ装置であってもよい。これは、その装置の動作（及び装置との接続）を管理する外部装置上のコンピュータ又はコントローラの２つの部分間の連結部であってもよい。
【０１９９】
本明細書で説明されるプロセッサ又はマイクロコントローラはいずれも、Ｔｅｘａｓ  Ｉｎｓｔｒｕｍｅｎｔｓ製のＡＲＭ  Ｃｏｒｔｅｘの商品名で知られているものなど、任意のシングルコア又はマルチコアプロセッサによって実装されてもよい。一態様では、プロセッサは、例えば、その詳細が製品データシートで入手可能である、最大４０ＭＨｚの２５６ＫＢのシングルサイクルフラッシュメモリ若しくは他の不揮発性メモリのオンチップメモリ、性能を４０ＭＨｚ超に改善するためのプリフェッチバッファ、３２ＫＢのシングルサイクルシリアルランダムアクセスメモリ（ＳＲＡＭ）、ＳｔｅｌｌａｒｉｓＷａｒｅ（登録商標）ソフトウェアを搭載した内部読み出し専用メモリ（ＲＯＭ）、２ＫＢの電気的消去可能プログラマブル読み出し専用メモリ（ＥＥＰＲＯＭ）、１つ又は２つ以上のパルス幅変調（ＰＷＭ）モジュール、１つ又は２つ以上の直交エンコーダ入力（ＱＥＩ）アナログ、１２個のアナログ入力チャネルを備える１つ又は２つ以上の１２ビットアナログ−デジタル変換器（ＡＤＣ）を含む、Ｔｅｘａｓ  Ｉｎｓｔｒｕｍｅｎｔｓから入手可能なＬＭ４Ｆ２３０Ｈ５ＱＲ  ＡＲＭ  Ｃｏｒｔｅｘ−Ｍ４Ｆプロセッサコアであってもよい。
【０２００】
一態様では、プロセッサは、同じくＴｅｘａｓ  Ｉｎｓｔｒｕｍｅｎｔｓ製のＨｅｒｃｕｌｅｓ  ＡＲＭ  Ｃｏｒｔｅｘ  Ｒ４の商品名で知られるＴＭＳ５７０及びＲＭ４ｘなどの２つのコントローラ系ファミリーを含む安全コントローラを含んでもよい。安全コントローラは、拡張性のある性能、接続性、及びメモリの選択肢を提供しながら、高度な集積型安全機構を提供するために、中でも特に、ＩＥＣ６１５０８及びＩＳＯ２６２６２の安全限界用途専用に構成されてもよい。
【０２０１】
モジュール式装置は、外科用ハブ内に受け入れ可能な（例えば図３及び図９に関連して説明される）モジュールと、対応する外科用ハブと接続又はペアリングするために様々なモジュールに接続され得る外科用装置又は器具と、を含む。モジュール式装置としては、例えば、インテリジェント外科用器具、医療用撮像装置、吸引／灌注装置、排煙器、エネルギー発生器、ベンチレータ、吸入器、及びディスプレイが挙げられる。本明細書に記載されるモジュール式装置は、制御アルゴリズムによって制御することができる。制御アルゴリズムは、モジュール式装置自体上で、特定のモジュール式装置がペアリングされる外科用ハブ上で、又はモジュール式装置及び外科用ハブの両方の上で（例えば、分散コンピューティングアーキテクチャを介して）、実行され得る。いくつかの例示では、モジュール式装置の制御アルゴリズムは、モジュール式装置自体によって（すなわち、モジュール式装置内の、モジュール式装置上の、又はモジュール式装置に接続されたセンサによって）感知されたデータに基づいて装置を制御する。このデータは、手術中の患者（例えば、組織特性又は注入圧）又はモジュール式装置自体（例えば、前進するナイフの速度、モータ電流、又はエネルギーレベル）に関連し得る。例えば、外科用ステープル留め及び切断器具の制御アルゴリズムは、ナイフが前進する際にナイフが遭遇する抵抗に基づき、器具のモータが組織を貫いてそのナイフを駆動させる速度を制御することができる。
【０２０２】
状況認識
状況認識は、外科用システムのいくつかの局面が、データベース及び／又は器具から受信したデータから外科処置に関連する情報を判定又は推測する能力である。情報は、実施中の処置の種類、処置中の組織の種類、又は処置の対象である体腔を含むことができる。外科処置に関連するコンテキスト情報により、外科用システムは、外科処置の過程で、例えば、それに接続されているモジュール式装置（ロボットアーム及び／又はロボット外科用ツールなど）を制御する方法を改善し、外科医にコンテキスト化された情報又は提案を提供することができる。
【０２０３】
ここで図４９を参照すると、例えば、外科用ハブ１０６又は２０６などのハブの状況認識を示す時間線５２００が示されている。時間線５２００は例示的な外科処置、及び外科用ハブ１０６、２０６が、外科処置の各工程でデータソースから受信したデータから導き出すことができるコンテキスト情報である。時間線５２００は、手術室を設置することから開始し、患者を術後回復室に移送することで終了する肺区域切除手術の過程で、看護師、外科医、及び他の医療関係者によって取られるであろう典型的な工程を示す。
【０２０４】
状況認識外科用ハブ１０６、２０６は、外科処置の過程全体にわたって、医療関係者が外科用ハブ１０６、２０６とペアリングされたモジュール式装置を使用する度に生成されるデータを含むデータをデータソースから受信する。外科用ハブ１０６、２０６は、ペアリングされたモジュール式装置及び他のデータソースからこのデータを受信して、任意の所与の時間に処置のどの工程が実施されているかなどの新しいデータが受信されると、進行中の処置に関する推定（すなわち、コンテキスト情報）を継続的に導出することができる。外科用ハブ１０６、２０６の状況認識システムは、例えば、レポートを生成するために処置に関するデータを記録する、医療関係者によって取られている工程を検証する、特定の処置工程に関連し得るデータ又はプロンプトを（例えば、ディスプレイスクリーンを介して）提供する、コンテキストに基づいてモジュール式装置を調節する（例えば、モニタを起動する、医療用撮像装置の視界（ＦＯＶ）を調節する、又は超音波外科用器具若しくはＲＦ電気外科用器具のエネルギーレベルを変更するなど）、及び上記の任意の他のこうした動作を行うことが可能である。
【０２０５】
この例示的な処置における第１の工程５２０２として、病院職員は、患者の電子医療記録（Electronic Medical Record、ＥＭＲ）を病院のＥＭＲデータベースから読み出す。ＥＭＲにおける選択された患者データに基づいて、外科用ハブ１０６、２０６は、実行される処置が胸郭処置であることを判定する。
【０２０６】
第２の工程５２０４では、職員は、処置のために入来する医療用品をスキャンする。外科用ハブ１０６、２０６は、スキャンされた用品を様々な種類の処置で利用される用品のリストと相互参照し、用品の組み合わせ（mix of supplies）が胸郭処置に対応することを確認する。更に、外科用ハブ１０６、２０６はまた、処置が楔形処置ではないと判定することができる（入来する用品が、胸郭楔形処置に必要な特定の用品を含まないか、又は別の点で胸郭楔形処置に対応していないかのいずれかであるため）。
【０２０７】
第３の工程５２０６では、医療関係者は、外科用ハブ１０６、２０６に通信可能に接続されたスキャナを介して患者のバンドをスキャンする。続いて、外科用ハブ１０６、２０６は、スキャンされたデータに基づいて患者の識別情報を確認することができる。
【０２０８】
第４の工程５２０８では、医療スタッフが補助装置をオンにする。利用される補助装置は、外科処置の種類及び外科医によって使用される技術に従って変わり得るが、この例示的な場合では、これらとしては、排煙器、吸入器、及び医療用撮像装置が挙げられる。起動されると、モジュール式装置である補助装置は、その初期化プロセスの一部として、モジュール式装置の特定の近傍内に位置する外科用ハブ１０６、２０６と自動的にペアリングすることができる。続いて、外科用ハブ１０６、２０６は、この術前又は初期化段階中に外科用ハブとペアリングされるモジュール式装置の種類を検出することによって、外科処置に関するコンテキスト情報を導出することができる。この特定の実施例では、外科用ハブ１０６、２０６は、ペアリングされたモジュール式装置のこの特定の組み合わせに基づいて、外科処置がＶＡＴＳ手術であると判定する。患者のＥＭＲからのデータ、手術に用いられる医療用品のリスト、及びハブに接続するモジュール式装置の種類の組み合わせに基づいて、外科用ハブ１０６、２０６は、外科チームが実施する特定の処置を概ね推定することができる。外科用ハブ１０６、２０６が、何の特定の処置が実施されているかを知ると、続いて外科用ハブ１０６、２０６は、メモリから、又はクラウドからその処置の工程を読み出して、次に接続されたデータソース（例えば、モジュール式装置及び患者監視装置）からその後受信したデータを相互参照して、外科処置のどの工程を外科チームが実行しているかを推定することができる。
【０２０９】
第５の工程５２１０では、職員は、ＥＫＧ電極及び他の患者監視装置を患者に取り付ける。ＥＫＧ電極及び他の患者監視装置は、外科用ハブ１０６、２０６とペアリングすることができる。外科用ハブ１０６、２０６が患者監視装置からデータの受信を開始すると、外科用ハブ１０６、２０６は患者が手術室にいることを確認する。
【０２１０】
第６の工程５２１２では、医療関係者は患者に麻酔を誘発する。外科用ハブ１０６、２０６は、例えば、ＥＫＧデータ、血圧データ、ベンチレータデータ、又はこれらの組み合わせを含む、モジュール式装置及び／又は患者監視装置からのデータに基づいて、患者が麻酔下にあることを推定することができる。第６の工程５２１２が完了すると、肺区域切除手術の術前部分が完了し、手術部分が開始する。
【０２１１】
第７の工程５２１４では、操作されている患者の肺が虚脱される（換気が対側肺に切り替えられる間に）。外科用ハブ１０６、２０６は、例えば、患者の肺が虚脱されたことをベンチレータデータから推定することができる。外科用ハブ１０６、２０６は、患者の肺が虚脱したのを検出したことを、処置の予期される工程（事前にアクセス又は読み出すことができる）と比較することができるため、処置の手術部分が開始したことを推定して、それによって肺を虚脱させることがこの特定の処置における第１の手術工程であると判定することができる。
【０２１２】
第８の工程５２１６では、医療用撮像装置（例えば、スコープ）が挿入され、医療用撮像装置からのビデオ映像が開始される。外科用ハブ１０６、２０６は、医療用撮像装置への接続を通じて医療用撮像装置データ（すなわち、ビデオ又は画像データ）を受信する。医療用撮像装置データを受信すると、外科用ハブ１０６、２０６は、外科処置の腹腔鏡部分が開始したことを判定することができる。更に、外科用ハブ１０６、２０６は、実施されている特定の処置が、肺葉切除とは対照的に区域切除術であると判定することができる（処置の第２の工程５２０４で受信したデータに基づいて、楔形処置は外科用ハブ１０６、２０６によって既に無視されていることに留意されたい）。医療用撮像装置１２４（図２）からのデータは、患者の解剖学的構造の可視化に関して配向されている医療用撮像装置の角度を判定することによる、用いられている（すなわち、起動されており、外科用ハブ１０６、２０６とペアリングされている）数又は医療用撮像装置を監視することによる、及び用いられている可視化装置の種類を監視することによる、ことを含む多くの異なる方法の中から実施されている処置の種類に関するコンテキスト情報を判定するために用いられ得る。例えば、ＶＡＴＳ肺葉切除術を実施するための１つの技術は、カメラを患者の胸腔の前下方角部の横隔膜上方に配置し、一方で、ＶＡＴＳ区域切除術を実施するための１つの技術は、カメラを、区域裂に対して前肋間位置に配置する。例えば、パターン認識又は機械学習技術を使用して、状況認識システムは、患者の解剖学的構造の可視化に基づいて、医療用撮像装置の位置を認識するように訓練され得る。別の例として、ＶＡＴＳ肺葉切除術を実施するための１つの技術は単一の医療用撮像装置を利用するが、ＶＡＴＳ区域切除術を実施するための別の技術は複数のカメラを利用する。更に別の例として、ＶＡＴＳ区域切除術を実施するための１つの技術は、区域裂を可視化するために赤外線光源（可視化システムの一部として外科用ハブに通信可能に連結され得る）を使用し、これはＶＡＴＳ肺葉切除術では使用されない。医療用撮像装置からのこのデータのいずれか又は全てを追跡することによって、外科用ハブ１０６、２０６は、実行中の特定の種類の外科処置、及び／又は特定の種類の外科処置に使用されている技術を判定することができる。
【０２１３】
第９の工程５２１８で、外科チームは、処置の切開工程を開始する。外科用ハブ１０６、２０６は、エネルギー器具が発射されていることを示すＲＦ又は超音波発生器からのデータを受信するため、外科医が患者の肺を切開して分離するプロセスにあると推定することができる。外科用ハブ１０６、２０６は、受信されたデータを外科処置の読み出しされた工程と相互参照して、プロセスのこの時点（すなわち、上述された処置の工程が完了した後）で発射されているエネルギー器具が切開工程に対応していると判定することができる。特定の例では、エネルギー器具は、ロボット外科システムのロボットアームに取り付けられたエネルギーツールであり得る。
【０２１４】
第１０の工程５２２０で、外科チームは、処置の結紮工程に進む。外科用ハブ１０６、２０６は、器具が発射されていることを示す外科用ステープル留め及び切断器具からのデータを受信するため、外科医が動脈及び静脈を結紮していると推定することができる。前工程と同様に、外科用ハブ１０６、２０６は、外科用ステープル留め及び切断器具からのデータの受信を、読み出しされたプロセス内の工程と相互参照することによって、この推定を導出することができる。特定の例では、外科用器具は、ロボット外科システムのロボットアームに取り付けられた外科用ツールであり得る。
【０２１５】
第１１の工程５２２２では、処置の区域切除部分が実施される。外科用ハブ１０６、２０６は、外科用ステープル留め及び切断器具からのデータ（そのカートリッジからのデータを含む）に基づいて、外科医が実質組織を横切開していると推定することができる。カートリッジのデータは、例えば、器具によって発射されるステープルのサイズ又は種類に対応することができる。異なる種類のステープルが異なる種類の組織に利用されているため、カートリッジのデータは、ステープル留め及び／又は横切開されている組織の種類を示すことができる。この場合、発射されるステープルの種類は実質組織（又は他の同様の組織種）に用いられ、これにより、外科用ハブ１０６、２０６は、処置の区域切除部分が実行されていると推定することができる。
【０２１６】
続いて第１２の工程５２２４で、結節切開工程が実行される。外科用ハブ１０６、２０６は、ＲＦ又は超音波器具が発射されていることを示す発生器から受信したデータに基づいて、外科チームが結節を切開し、漏れ試験を実施していると推定することができる。この特定の処置の場合、実質組織が横切開された後に用いられるＲＦ又は超音波器具は結節切開工程に対応しており、この結節切開工程により外科用ハブ１０６、２０６がこの推定を行うことが可能となる。異なる器具が特定の作業に対してより良好に適合するため、外科医は、処置中の特定の工程に応じて、定期的に外科用ステープル留め／切断器具と外科用エネルギー（すなわち、ＲＦ又は超音波）器具との間で交互に切り替えることに留意されたい。したがって、ステープル留め／切断器具及び外科用エネルギー器具が使用される特定のシーケンスは、外科医が処置のどの工程を実施中であるかを示すことができる。更に、特定の例では、外科処置中の１つ又は２つ以上の工程にロボットツールを使用することができ、かつ／又は外科処置中の１つ又は２つ以上の工程にハンドヘルド式外科用器具を使用することができる。外科医は、例えば、ロボットツールとハンドヘルド式外科用器具とを順に交代させることができ、かつ／又は、例えば、装置を同時に使用することができる。第１２の工程５２２４が完了すると、切開部が閉鎖され、処置の術後部分が開始する。
【０２１７】
第１３の工程５２２６では、患者の麻酔が逆転される。外科用ハブ１０６、２０６は、例えば、ベンチレータデータに基づいて（すなわち、患者の呼吸速度が増加し始める）、患者が麻酔から覚醒しつつあると推定することができる。
【０２１８】
最後に、第１４の工程５２２８は、医療関係者が患者から様々な患者監視装置を除去することである。したがって、外科用ハブ１０６、２０６は、ハブがＥＫＧ、ＢＰ、及び患者監視装置からの他のデータを喪失したとき、患者が回復室に移送されていると推定することができる。この例示的な処置の説明から分かるように、外科用ハブ１０６、２０６と通信可能に連結された各種データソースから受信されたデータに基づいて、外科用ハブ１０６、２０６は、所与の外科処置の各工程が行われているときを判定又は推定することができる。
【０２１９】
状況認識については、その開示全体が参照により本明細書に組み込まれる、「ＩＮＴＥＲＡＣＴＩＶＥ  ＳＵＲＧＩＣＡＬ  ＰＬＡＴＦＯＲＭ」と題する２０１７年１２月２８日出願の米国仮特許出願第６２／６１１，３４１号で更に説明されている。特定の例では、例えば本明細書で開示される様々なロボット外科用システムを含むロボット外科用システムの動作は、その状況認識、及び／若しくはその構成要素からのフィードバックに基づいて、並びに／又はクラウド１０４からの情報に基づいて、ハブ１０６、２０６によって制御され得る。
【０２２０】
ロボットシステム
ロボット外科用システムは、低侵襲性の医療処置で使用することができる。このような医療処置の間、患者はロボット外科用システムに隣接するプラットフォーム上に配置されることができ、外科医は、プラットフォームから離れた、及び／又はロボットから離れたコマンドコンソールのところにいることができる。例えば、外科医は、手術部位を取り囲む滅菌野の外に配置されてもよい。外科医は、ロボットシステムのアームに結合された外科用ツールを操作するために、コマンドコンソールの入力装置を介してユーザインターフェースに入力を提供する。入力装置は、例えば、制御ハンドル若しくはジョイスティックなどの機械的入力装置、又は、例えば光学式ジェスチャセンサなどの非接触入力装置であってもよい。
【０２２１】
ロボット外科用システムは、１つ又は２つ以上のロボットアームを支持するロボットタワーを含むことができる。少なくとも１つの外科用ツール（例えば、エンドエフェクタ及び／又は内視鏡）をロボットアームに取り付けることができる。外科用ツールは、例えば、関節運動式手首アセンブリを介してそれぞれのロボットアームに対して関節運動するように、及び／又は、線形スライド機構を介してロボットアームに対して並進するように構成されてもよい。外科処置中、外科用ツールを、例えばカニューレ若しくはトロカールを介して患者の小さな切開部又は患者の自然開口部の中に挿入して、外科用ツールの遠位端を患者の身体内の手術部位に位置決めすることができる。加えて又は代わりに、ロボット外科用システムを、特定の例において開放外科処置で使用することができる。
【０２２２】
ロボット外科用システム１５０００の概略図が図２２に示されている。ロボット外科用システム１５０００は、中央制御ユニット１５００２と、外科医のコンソール１５０１２と、１つ又は２つ以上のロボットアーム１５０２４を含むロボット１５０２２と、制御ユニット１５００２に動作可能に結合された一次ディスプレイ１５０４０とを含む。外科医のコンソール１５０１２は、ディスプレイ１５０１４と、外科医がロボット１５０２２のロボットアーム１５０２４を操作することを可能にする少なくとも１つの手動入力装置１５０１６（例えば、スイッチ、ボタン、タッチスクリーン、ジョイスティック、ジンバルなど）を含む。読者は、更なる及び代わりの入力装置を使用することができることを理解するであろう。
【０２２３】
中央制御ユニット１５００２は、メモリ１５００６に動作可能に結合されたプロセッサ１５００４を含む。プロセッサ１５００４は、ロボット外科用システム回路１５０００の構成要素とインターフェースするための複数の入力部及び出力部を含む。プロセッサ１５００４は、ロボット外科用システム１５０００の様々な構成要素（例えば、１つ又は２つ以上のモータ、センサ、及び／又はディスプレイ）のうちの１つ又は２つ以上を制御するために、入力信号を受信し、及び／又は出力信号を生成するように構成することができる。出力信号は、外科医又は別の臨床医が事前にプログラム及び／又は入力することができるアルゴリズム命令を含むことができ、かつ／又はそれに基づくことができる。プロセッサ１５００４は、コンソール１５０１２の外科医などのユーザから複数の入力を受けるように構成することができ、かつ／又は遠隔システムとインターフェースしてもよい。メモリ１５００６は、命令及び／又はデータベースを記憶するために、プロセッサ１５００４に直接及び／又は間接的に結合することができる。
【０２２４】
ロボット１５０２２は、１つ又は２つ以上のロボットアーム１５０２４を含む。各ロボットアーム１５０２４は１つ又は２つ以上のモータ１５０２６を含み、各モータ１５０２６は、１つ以上のモータ駆動器１５０２８に連結されている。例えば、異なる駆動器及び／又は機構に割り当てることができるモータ１５０２６を、キャリッジアセンブリ又はハウジング内に収容することができる。特定の例では、モータ１５０２６と１つ又は２つ以上の駆動器１５０２８との間の動力伝達が、モータ１５０２６と１つ又は２つ以上の駆動器１５０２８との結合分離を可能にしてもよい。駆動器１５０２８は、１つ又は２つ以上の外科的機能を実装するように構成することができる。例えば、１つ又は２つ以上の駆動器１５０２８は、ロボットアーム１５０２４及び／又はその連結部及び／又は継手を回転させることによってロボットアーム１５０２４を動かしてもよい。加えて、１つ又は２つ以上の駆動器１５０２８は、外科用ツール１５０３０に結合することができ、例えば、関節運動、回転、クランプ、封止、ステープル留め、通電、発射、切断、及び／又は開放を実施することができる。特定の例では、外科用ツール１５０３０は、交換可能及び／又は付け替え可能であってもよい。ロボット外科用システム及び外科用ツールの例が、本明細書に更に記載されている。
【０２２５】
読者は、コンピュータ実施インタラクティブ外科システム１００（図１）及びコンピュータ実施インタラクティブ外科システム２００（図９）がロボット外科用システム１５０００を組み込むことができることを容易に理解するであろう。加えて又は代わりに、ロボット外科用システム１５０００は、コンピュータ実施インタラクティブ外科システム１００及び２００の様々な特徴及び／又は構成要素を含むことができる。
【０２２６】
１つの例示では、ロボット外科用システム１５０００はロボットシステム１１０（図２）を包含することができ、ロボットシステム１１０は、外科医のコンソール１１８、外科用ロボット１２０、及びロボットハブ１２２を含む。加えて又は代わりに、ロボット外科用システム１５０００は、例えば、外科用ハブ１０６などの別のハブと通信することができる。一例では、ロボット外科用システム１５０００は、例えば、コンピュータ実施インタラクティブ外科システム１００（図１）又はコンピュータ実施インタラクティブ外科システム２００（図９）などの外科用システムに組み込むことができる。そのような例では、ロボット外科用システム１５０００は、クラウド１０４又はクラウド２０４とそれぞれ相互作用し、また外科用ハブ１０６又は外科用ハブ２０６とそれぞれ相互作用してもよい。特定の例では、ロボットハブ又は外科用ハブは、中央制御ユニット１５００２を含むことができ、かつ／又は中央制御ユニット１５００２はクラウドと通信することができる。他の例では、外科用ハブは、中央制御ユニット１５００２とは別個であり、中央制御ユニット１５００２と通信することができる別個のユニットを具現化することができる。
【０２２７】
図２３及び図２４に別のロボット外科用システムが示されている。図２３を参照すると、ロボット外科用システム１３０００は、ロボットアーム１３００２、１３００３と、制御装置１３００４と、制御装置１３００４に連結されたコンソール１３００５とを含む。図２３に示されるように、外科用システム１３０００は、低侵襲性の外科手術の実施のために患者テーブル１３０１２上に横たわっている患者１３０１３に対して使用するように構成されている。コンソール１３００５は、表示装置１３００６及び入力装置１３００７、１３００８を含む。表示装置１３００６は、三次元画像を表示するように設定され、手動入力装置１３００７、１３００８は、臨床医がロボットアーム１３００２、１３００３を遠隔操作することを可能にするように構成されている。コンソール１３００５などの外科医のコンソールの制御は、その全体が参照により本明細書に組み込まれる、「ＨＡＰＴＩＣ  ＦＥＥＤＢＡＣＫ  ＦＯＲ  Ａ  ＲＯＢＯＴＩＣ  ＳＵＲＧＩＣＡＬ  ＳＹＳＴＥＭ  ＩＮＴＥＲＦＡＣＥ」と題する２０１６年１０月２７日出願の国際公開第２０１７／０７５１２１号に更に記載されている。
【０２２８】
ロボットアーム１３００２、１３００３のそれぞれは、関節を介して接続された複数の部材から構成され、対応するロボットアーム１３００２、１３００３の遠位端に接続された外科用アセンブリ１３０１０を含む。複数のアームの支持体は、参照によりその全体が本明細書に組み込まれる、「ＳＵＲＧＩＣＡＬ  ＲＯＢＯＴＩＣ  ＡＲＭ  ＳＵＰＰＯＲＴ  ＳＹＳＴＥＭＳ  ＡＮＤ  ＭＥＴＨＯＤＳ  ＯＦ  ＵＳＥ」と題する２０１６年１１月１１日出願の米国特許出願公開第２０１７／００７１６９３号に更に記載されている。様々なロボットアーム構成が、参照によりその全体が本明細書に組み込まれる、「ＲＯＢＯＴＩＣ  ＳＵＲＧＩＣＡＬ  ＣＯＮＴＲＯＬ  ＳＣＨＥＭＥ  ＦＯＲ  ＭＡＮＩＰＵＬＡＴＩＮＧ  ＲＯＢＯＴＩＣ  ＥＮＤ  ＥＦＦＥＣＴＯＲＳ」と題する２０１６年９月６日出願の国際公開第２０１７／０４４４０６号に更に記載されている。一例では、外科用アセンブリ１３０１０は、エンドエフェクタ１３０２３を支持する外科用器具１３０２０を含む。２つのロボットアーム１３００２、１３００３が示されているが、外科用システム１３０００は、単一のロボットアーム又は２つを超えるロボットアーム１３００２、１３００３を含んでもよい。更なるロボットアームが同様に制御装置１３００４に接続され、コンソール１３００５を介して遠隔操作可能である。したがって、１つ又は２つ以上の更なる外科用アセンブリ１３０１０及び／又は外科用器具１３０２０を、更なるロボットアームに取り付けることもできる。
【０２２９】
ロボットアーム１３００２、１３００３は、制御装置１３００４に接続された電気駆動装置によって駆動されてもよい。一例では、制御装置１３００４は、ロボットアーム１３００２、１３００３と、外科用アセンブリ１３０１０及び／又はロボットアーム１３００２、１３００３に対応する外科用器具１３０２０とが、手動入力装置１３００７、１３００８を通じて受け取られた所望の動きを実行するように、例えばコンピュータプログラムを介して駆動装置を起動するように構成されている。制御装置１３００４を、ロボットアーム１３００２、１３００３及び／又は駆動装置の動きを調整するように構成してもよい。
【０２３０】
制御装置１３００４は、複数のモータ（例えば、モータｌ．．．ｎ）を制御してもよく、各モータは、外科用器具１３０２０のエンドエフェクタ１３０２３に連結されたケーブルなどの１つ又は２つ以上のケーブルの押込み又は引出しを駆動するように構成されている。使用中、これらのケーブルが押し込まれる及び／又は引き出されると、１つ又は２つ以上のケーブルがエンドエフェクタ１３０２３の動作及び／又は移動に影響を及ぼす。制御装置１３００４は、１つ以上のケーブルを押し込むか又は引き出す動きを調整して１つ又は２つ以上のエンドエフェクタ１３０２３の動作及び／又は動きを調整するために、様々なモータの起動を調整する。例えば、外科用アセンブリ１３０１０などのロボットアセンブリによるエンドエフェクタの関節運動は、それぞれの全体が参照により本明細書に組み込まれる、２０１６年６月６日出願の「ＷＲＩＳＴ  ＡＮＤ  ＪＡＷ  ＡＳＳＥＭＢＬＩＥＳ  ＦＯＲ  ＲＯＢＯＴＩＣ  ＳＵＲＧＩＣＡＬ  ＳＹＳＴＥＭＳ」と題する米国特許出願公開第２０１６／０３０３７４３号及び、２０１６年３月８日出願の「ＭＥＡＳＵＲＩＮＧ  ＨＥＡＬＴＨ  ＯＦ  Ａ  ＣＯＮＮＥＣＴＯＲ  ＭＥＭＢＥＲ  ＯＦ  Ａ  ＲＯＢＯＴＩＣ  ＳＵＲＧＩＣＡＬ  ＳＹＳＴＥＭ」と題する国際公開第２０１６／１４４９３７号に更に記載されている。一例では、各モータは、１つ又は２つ以上のケーブルに加えて、又はその代わりに、駆動ロッド又はレバーアームを作動させてエンドエフェクタ１３０２３の動作及び／又は動きに影響を及ぼすように構成されている。
【０２３１】
外科用エンドエフェクタの駆動構成などの外科用器具の駆動装置の構成は、更に、それぞれが参照によりその全体が本明細書に組み込まれる、２０１６年５月１０日出願の「ＣＯＵＰＬＩＮＧ  ＩＮＳＴＲＵＭＥＮＴ  ＤＲＩＶＥ  ＵＮＩＴ  ＡＮＤ  ＲＯＢＯＴＩＣ  ＳＵＲＧＩＣＡＬ  ＩＮＳＴＲＵＭＥＮＴ」と題する国際公開第２０１６／１８３０５４号、２０１６年６月１５日出願の「ＲＯＢＯＴＩＣ  ＳＵＲＧＩＣＡＬ  ＳＹＳＴＥＭ  ＴＯＲＱＵＥ  ＴＲＡＮＳＤＵＣＴＩＯＮ  ＳＥＮＳＩＮＧ」と題する国際公開第２０１６／２０５２６６号、２０１６年６月１６日出願の「ＣＯＮＴＲＯＬＬＩＮＧ  ＲＯＢＯＴＩＣ  ＳＵＲＧＩＣＡＬ  ＩＮＳＴＲＵＭＥＮＴＳ  ＷＩＴＨ  ＢＩＤＩＲＥＣＴＩＯＮＡＬ  ＣＯＵＰＬＩＮＧ」と題する国際公開第２０１６／２０５４５２号、及び２０１６年９月２２日出願の「ＥＬＡＳＴＩＣ  ＳＵＲＧＩＣＡＬ  ＩＮＴＥＲＦＡＣＥ  ＦＯＲ  ＲＯＢＯＴＩＣ  ＳＵＲＧＩＣＡＬ  ＳＹＳＴＥＭＳ」と題する国際公開第２０１７／０５３５０７号に記載されている。外科用器具の駆動装置へのモジュール式取り付けは、参照によりその全体が本明細書に組み込まれる、２０１６年６月２０日出願の「ＲＯＢＯＴＩＣ  ＳＵＲＧＩＣＡＬ  ＡＳＳＥＭＢＬＩＥＳ」と題する国際公開第２０１６／２０９７６９号に更に記載されている。外科用器具の駆動装置及びインターフェースのためのハウジング構成は、参照によりその全体が本明細書に組み込まれる、２０１６年３月９日出願の「ＲＯＢＯＴＩＣ  ＳＵＲＧＩＣＡＬ  ＳＹＳＴＥＭＳ，ＩＮＳＴＲＵＭＥＮＴ  ＤＲＩＶＥ  ＵＮＩＴＳ，ＡＮＤ  ＤＲＩＶＥ  ＡＳＳＥＭＢＬＩＥＳ」と題する米国特許出願公開第２０１６／１４４９９８号に更に記載されている。ロボットアーム１３００２、１３００３で使用する様々なエンドカッター器具構成は、それぞれの全体が参照により本明細書に組み込まれる、「ＳＵＲＧＩＣＡＬ  ＲＯＢＯＴＩＣ  ＡＳＳＥＭＢＬＩＥＳ  ＡＮＤ  ＩＮＳＴＲＵＭＥＮＴ  ＡＤＡＰＴＥＲＳ  ＴＨＥＲＥＯＦ」と題する２０１６年９月２１日出願の国際公開第２０１７／０５３３５８号、及び「ＲＯＢＯＴＩＣ  ＳＵＲＧＩＣＡＬ  ＡＳＳＥＭＢＬＩＥＳ  ＡＮＤ  ＩＮＳＴＲＵＭＥＮＴ  ＤＲＩＶＥ  ＣＯＮＮＥＣＴＯＲＳ  ＴＨＥＲＥＯＦ」と題する２０１６年９月２１日出願の国際公開第２０１７／０５３３６３号に更に記載されている。ロボットアーム１３００２、１３００３で使用する双極器具構成は、参照によりその全体が本明細書に組み込まれる、「ＲＯＢＯＴＩＣ  ＳＵＲＧＩＣＡＬ  ＡＳＳＥＭＢＬＩＥＳ  ＡＮＤ  ＥＬＥＣＴＲＯＭＥＣＨＡＮＩＣＡＬ  ＩＮＳＴＲＵＭＥＮＴＳ  ＴＨＥＲＥＯＦ」と題する２０１６年９月２３日出願の国際公開第２０１７／０５３６９８号に更に記載されている。ロボットアーム１３００２、１３００３で使用する取り外し可能な（ｒｅｐｏｓａｂｌｅ）シャフト配置は、参照によりその全体が本明細書に組み込まれる、「ＲＯＢＯＴＩＣ  ＳＵＲＧＩＣＡＬ  ＳＹＳＴＥＭＳ  ＡＮＤ  ＩＮＳＴＲＵＭＥＮＴ  ＤＲＩＶＥ  ＡＳＳＥＭＢＬＩＥＳ」と題する２０１６年１２月１９日出願の国際公開第２０１７／１１６７９３号に更に記載されている。
【０２３２】
制御装置１３００４は、命令のセットに従って計算及び／又は動作を実行するよう適合された任意の好適な論理制御回路を含む。制御装置１３００４は、無線（例えば、Ｗｉ−Ｆｉ、Ｂｌｕｅｔｏｏｔｈ、ＬＴＥなど）及び／又は有線接続を介して遠隔システム「ＲＳ」と通信するように構成することができる。遠隔システム「ＲＳ」は、システム１３０００の様々な構成要素、アルゴリズム、及び／又は動作に関連するデータ、命令、及び／又は情報を含んでもよい。遠隔システム「ＲＳ」は、任意の好適な電子サービス、データベース、プラットフォーム、クラウド「Ｃ」（図２３を参照）などを含むことができる。制御装置１３００４は、メモリに動作可能に接続された中央処理ユニットを含んでもよい。メモリは、一時的なメモリ（例えば、ＲＡＭ）及び／又は非一時的なメモリ（例えば、フラッシュメディア、ディスクメディアなど）を含んでもよい。いくつかの例示では、メモリは、遠隔システム「ＲＳ」の一部であり、かつ／又は遠隔システム「ＲＳ」に動作可能に結合されている。
【０２３３】
制御装置１３００４は、ドライバ回路などを介して、システム１３０００の構成要素とインターフェースするための複数の入力部及び出力部を含むことができる。制御装置１３００４は、システム１３０００の様々な構成要素（例えば、１つ又は２つ以上のモータ）のうちの１つ又は２つ以上を制御するために、入力信号を受信し、及び／又は出力信号を生成するように構成することができる。出力信号は、ユーザが事前にプログラム及び／又は入力することができるアルゴリズム命令を含むことができ、かつ／又はそれに基づくことができる。制御装置１３００４は、遠隔システム「ＲＳ」に結合可能なユーザインターフェース（例えば、コンソール１３００５を動作させるスイッチ、ボタン、タッチスクリーンなど）からの複数のユーザ入力を受け付けるように構成することができる。
【０２３４】
メモリ１３０１４は、制御装置１３００４に直接及び／又は間接的に結合されて、生体からの手術前データ及び／又は解剖学的属性を含む命令及び／又はデータベースを記憶することができる。メモリ１３０１４は、遠隔システム「ＲＳ」の一部であってもよく、及び／又は遠隔システム「ＲＳ」に動作可能に結合されてもよい。
【０２３５】
一例によれば、各ロボットアーム１３００２、１３００３の遠位端は、その中にエンドエフェクタ１３０２３（又は他の外科用ツール）を解放可能に固定するように構成され、例えばトロカール又はリトラクタなどの任意の数の外科用ツール又は器具を受け入れるように構成されてもよい。
【０２３６】
ロボット外科用システム１３０１０のシステムアーキテクチャ１３４００の簡略化された機能ブロック図を図２４に示す。システムアーキテクチャ１３４００は、コアモジュール１３４２０、外科医マスタモジュール１３４３０、ロボットアームモジュール１３４４０、及び器具モジュール１３４５０を含む。コアモジュール１３４２０は、ロボット外科用システム１３０００の中央制御装置として機能し、他の全てのモジュール１３４３０、１３４４０、１３４５０の動作を調整する。例えば、コアモジュール１３４２０は、制御装置をアーム１３００２、１３００３にマップし、現在の状態を判定し、全ての運動学的な変換及びフレーム変換を実行し、結果として生じる移動コマンドを中継する。これに関して、コアモジュール１３４２０は、他のモジュール１３４３０、１３４４０、１３４５０のそれぞれからデータを受信して分析し、ロボット外科用システム１３０００内で実行するための命令又はコマンドを、他のモジュール１３４３０、１３４４０、１３４５０に提供する。１つ又は２つ以上のモジュール１３４２０、１３４３０、１３４４０及び１３４５０は、別個のモジュールとして示されているが、他の例示では単一の構成要素である。
【０２３７】
コアモジュール１３４２０は、モデル１３４２２、オブザーバ１３４２４、衝突マネージャ１３４２６、コントローラ１３４２８、及びスケルトン１３４２９を含む。モデル１３４２２は、モータ（例えば、モータｌ．．．ｎ）及び／又はアーム１３００２、１３００３などの制御された構成要素のための抽象化された表現（ベースクラス）を提供するユニットを含む。オブザーバ１３４２４は、他のモジュール１３４３０、１３４４０、１３４５０から受信した入力信号及び出力信号に基づいて状態推定値を生成する。衝突マネージャ１３４２６は、システム１３０１０内に登録された構成要素間の衝突を防止する。スケルトン１３４２９は、運動学的及び力学的観点からシステム１３０１０を追跡する。例えば、運動学的項目は、順運動学又は逆運動学のいずれかとして実施されてもよい。力学的項目は、システムの構成要素の動態をモデル化するために使用されるアルゴリズムとして実装されてもよい。
【０２３８】
外科医マスタモジュール１３４３０は、コンソール１３００５で外科医制御装置と通信し、コンソール１３００５から受信した入力をコアモジュール１３４２０に中継する。一例では、外科医マスタモジュール１３４３０は、ボタン状態及び制御装置位置をコアモジュール１３４２０に伝送し、状態／モードマネージャ１３４３４、フェイルオーバーコントローラ１３４３６及びＮ自由度（「ＤＯＦ」）アクチュエータ１３４３８を含むノードコントローラ１３４３２を含む。
【０２３９】
ロボットアームモジュール１３４４０は、ロボットアームサブシステム、アームカートサブシステム、セットアップアーム、及び器具サブシステムの動作を協調させて、対応するアーム１３００２、１３００３の動きを制御する。単一のロボットアームモジュール１３４４０が含まれているが、ロボットアームモジュール１３４４０は単一のアームに対応し、これを制御することが理解されるであろう。したがって、システム１３０１０が複数のアーム１３００２、１３００３を含む構成には、追加のロボットアームモジュール１３４４０が含まれる。ロボットアームモジュール１３４４０は、ノードコントローラ１３４４２、状態／モードマネージャ１３４４４、フェイルオーバーコントローラ１３４４６、及びＮ自由度（「ＤＯＦ」）アクチュエータ１３３４８を含む。
【０２４０】
器具モジュール１３４５０は、アーム１３００２、１３００３に取り付けられた器具及び／又はツール構成要素の動きを制御する。器具モジュール１３４５０は、単一の器具に対応し、これを制御するように構成されている。したがって、複数の器具が含まれる構成では、追加の器具モジュール１３４５０も同様に含まれる。一例では、器具モジュール１３４５０は、エンドエフェクタ又はジョーアセンブリ（ジョーのピッチ及びヨー角を含み得る）の位置、ジョー間の幅又はジョー間の角度、及びアクセスポートの位置に関するデータを取得し、伝送する。器具モジュール１３４５０は、ノードコントローラ１３４５２、状態／モードマネージャ１３４５４、フェイルオーバーコントローラ１３４５６、及びＮ自由度（「ＤＯＦ」）アクチュエータ１３４５８を有する。
【０２４１】
器具モジュール１３４５０によって収集された位置データは、器具が手術部位内、アクセスポートに隣接するカニューレ内、又は自由空間内のアクセスポートの上方にあることを判定するために、コアモジュール１３４２０によって使用される。コアモジュール１３４２０は、その配置に基づいて、器具のジョーを開閉するための命令を提供するか否かを決定することができる。例えば、器具がカニューレ内にあることを器具の位置が示している場合には、ジョーアセンブリを閉位置に維持するための命令が提供される。器具がアクセスポートから出ていることを器具の位置が示している場合には、ジョーアセンブリを開くための命令が提供される。
【０２４２】
図２３及び図２４に示される外科用ロボットシステムなどのロボット外科用システムの更なる特徴及び動作は、それぞれが参照によりその全体が本明細書に組み込まれる以下の参考文献に更に記載されている。
・「ＷＲＩＳＴ  ＡＮＤ  ＪＡＷ  ＡＳＳＥＭＢＬＩＥＳ  ＦＯＲ  ＲＯＢＯＴＩＣ  ＳＵＲＧＩＣＡＬ  ＳＹＳＴＥＭＳ」と題する２０１６年６月６日出願の米国特許出願公開第２０１６／０３０３７４３号、
・「ＳＵＲＧＩＣＡＬ  ＲＯＢＯＴＩＣ  ＡＲＭ  ＳＵＰＰＯＲＴ  ＳＹＳＴＥＭＳ  ＡＮＤ  ＭＥＴＨＯＤＳ  ＯＦ  ＵＳＥ」と題する２０１６年１１月１１日出願の米国特許出願公開第２０１７／００７１６９３号、
・「ＭＥＡＳＵＲＩＮＧ  ＨＥＡＬＴＨ  ＯＦ  Ａ  ＣＯＮＮＥＣＴＯＲ  ＭＥＭＢＥＲ  ＯＦ  Ａ  ＲＯＢＯＴＩＣ  ＳＵＲＧＩＣＡＬ  ＳＹＳＴＥＭ」と題する２０１６年３月８日出願の国際公開第２０１６／１４４９３７号、
・「ＲＯＢＯＴＩＣ  ＳＵＲＧＩＣＡＬ  ＳＹＳＴＥＭＳ，ＩＮＳＴＲＵＭＥＮＴ  ＤＲＩＶＥ  ＵＮＩＴＳ，ＡＮＤ  ＤＲＩＶＥ  ＡＳＳＥＭＢＬＩＥＳ」と題する２０１６年３月９日出願の国際公開第２０１６／１４４９９８号、
・「ＣＯＵＰＬＩＮＧ  ＩＮＳＴＲＵＭＥＮＴ  ＤＲＩＶＥ  ＵＮＩＴ  ＡＮＤ  ＲＯＢＯＴＩＣ  ＳＵＲＧＩＣＡＬ  ＩＮＳＴＲＵＭＥＮＴ」と題する２０１６年５月１０日出願の国際公開第２０１６／１８３０５４号、
・「ＲＯＢＯＴＩＣ  ＳＵＲＧＩＣＡＬ  ＳＹＳＴＥＭ  ＴＯＲＱＵＥ  ＴＲＡＮＳＤＵＣＴＩＯＮ  ＳＥＮＳＩＮＧ」と題する２０１６年６月１５日出願の国際公開第２０１６／２０５２６６号、
・「ＣＯＮＴＲＯＬＬＩＮＧ  ＲＯＢＯＴＩＣ  ＳＵＲＧＩＣＡＬ  ＩＮＳＴＲＵＭＥＮＴＳ  ＷＩＴＨ  ＢＩＤＩＲＥＣＴＩＯＮＡＬ  ＣＯＵＰＬＩＮＧ」と題する２０１６年６月１６日出願の国際公開第２０１６／２０５４５２号、
・「ＲＯＢＯＴＩＣ  ＳＵＲＧＩＣＡＬ  ＡＳＳＥＭＢＬＩＥＳ」と題する２０１６年６月２０日出願の国際公開第２０１６／２０９７６９号、
・「ＲＯＢＯＴＩＣ  ＳＵＲＧＩＣＡＬ  ＣＯＮＴＲＯＬ  ＳＣＨＥＭＥ  ＦＯＲ  ＭＡＮＩＰＵＬＡＴＩＮＧ  ＲＯＢＯＴＩＣ  ＥＮＤ  ＥＦＦＥＣＴＯＲＳ」と題する２０１６年９月６日出願の国際公開第２０１７／０４４４０６号、
・「ＳＵＲＧＩＣＡＬ  ＲＯＢＯＴＩＣ  ＡＳＳＥＭＢＬＩＥＳ  ＡＮＤ  ＩＮＳＴＲＵＭＥＮＴ  ＡＤＡＰＴＥＲＳ  ＴＨＥＲＥＯＦ」と題する２０１６年９月２１日出願の国際公開第２０１７／０５３３５８号、
・「ＲＯＢＯＴＩＣ  ＳＵＲＧＩＣＡＬ  ＡＳＳＥＭＢＬＩＥＳ  ＡＮＤ  ＩＮＳＴＲＵＭＥＮＴ  ＤＲＩＶＥ  ＣＯＮＮＥＣＴＯＲＳ  ＴＨＥＲＥＯＦ」と題する２０１６年９月２１日出願の国際公開第２０１７／０５３３６３号、
・「ＥＬＡＳＴＩＣ  ＳＵＲＧＩＣＡＬ  ＩＮＴＥＲＦＡＣＥ  ＦＯＲ  ＲＯＢＯＴＩＣ  ＳＵＲＧＩＣＡＬ  ＳＹＳＴＥＭＳ」と題する２０１６年９月２２日出願の国際公開第２０１７／０５３５０７号、
・「ＲＯＢＯＴＩＣ  ＳＵＲＧＩＣＡＬ  ＡＳＳＥＭＢＬＩＥＳ  ＡＮＤ  ＥＬＥＣＴＲＯＭＥＣＨＡＮＩＣＡＬ  ＩＮＳＴＲＵＭＥＮＴＳ  ＴＨＥＲＥＯＦ」と題する２０１６年９月２３日出願の国際公開第２０１７／０５３６９８号、
・「ＨＡＰＴＩＣ  ＦＥＥＤＢＡＣＫ  ＣＯＮＴＲＯＬＳ  ＦＯＲ  Ａ  ＲＯＢＯＴＩＣ  ＳＵＲＧＩＣＡＬ  ＳＹＳＴＥＭ  ＩＮＴＥＲＦＡＣＥ」と題する２０１６年１０月２７日出願の国際公開第２０１７／０７５１２１号、
・「ＲＯＢＯＴＩＣ  ＳＵＲＧＩＣＡＬ  ＳＹＳＴＥＭＳ  ＡＮＤ  ＩＮＳＴＲＵＭＥＮＴ  ＤＲＩＶＥ  ＡＳＳＥＭＢＬＩＥＳ」と題する２０１６年１２月１９日出願の国際公開第２０１７／１１６７９３号。
【０２４３】
本明細書に開示されるロボット外科用システム及び機構は、図２３及び図２４のロボット外科用システムで使用することができる。読者は更に、本明細書に開示される様々なシステム及び／又は特徴を、例えば、コンピュータ実施インタラクティブ外科システム１００、コンピュータ実施インタラクティブ外科システム２００、ロボット外科用システム１１０、ロボットハブ１２２、ロボットハブ２２２及び／又はロボット外科用システム１５０００を含む代替的な外科用システムで使用してもよいことを更に理解するであろう。
【０２４４】
様々な例において、ロボット外科用システムは、システムの制御ユニットを収容することができるロボット制御タワーを含むことができる。例えば、ロボット外科用システム１３０００（図２３）の制御ユニット１３００４は、ロボット制御タワー内に収容されていてもよい。ロボット制御タワーは、例えばロボットハブ１２２（図２）又はロボットハブ２２２（図９）などのロボットハブを含むことができる。このようなロボットハブは、超音波発生器及び／若しくは高周波発生器などの１つ又は２つ以上の発生器、並びに／又は撮像モジュール、吸引モジュール、灌流モジュール、排煙モジュール、及び／又は通信モジュールなどの１つ又は２つ以上のモジュールと結合するためのモジュール式インターフェースを含むことができる。
【０２４５】
ロボットハブは、複数のソースからのデータを合成して、外科的事象に対する適切な応答を決定するように構成可能な状況認識モジュールを含むことができる。例えば、状況認識モジュールは、本明細書に更に記載されるように、外科処置の種類、外科処置の工程、組織の種類、及び／又は組織特性を判定することができる。更に、このようなモジュールは、合成されたデータに基づいて、ロボットシステムに対して特定の手順又は可能な選択肢を推奨することができる。様々な例において、ロボットシステム全体に分散された複数のセンサを包含するセンサシステムは、データ、画像、及び／又は他の情報を状況認識モジュールに提供することができる。そのような状況認識モジュールは、例えば制御ユニット１３００４などの制御ユニットに組み込むことができる。様々な例において、状況認識モジュールは、例えば、外科用ハブ１０６（図１）、外科用ハブ２０６（図１０）、クラウド１０４（図１）、及び／又はクラウド２０４（図９）などの非ロボット外科用ハブ及び／又はクラウドから、データ及び／又は情報を取得することができる。外科用システムの状況認識は、本明細書に、及びそれぞれの全体が参照により本明細書に組み込まれる、「ＩＮＴＥＲＡＣＴＩＶＥ  ＳＵＲＧＩＣＡＬ  ＰＬＡＴＦＯＲＭ」と題する２０１７年１２月２８日出願の米国特許仮出願第６２／６１１，３４１号、及び「ＣＬＯＵＤ−ＢＡＳＥＤ  ＭＥＤＩＣＡＬ  ＡＮＡＬＹＴＩＣＳ」と題する２０１７年１２月２８日出願の米国特許仮出願第６２／６１１，３４０号に更に開示されている。
【０２４６】
特定の例では、外科処置の間の特定の時点における、及び／又は特定の持続時間にわたる外科用ツールの起動は、組織外傷を引き起こし、及び／又は外科処置を長引かせ得る。例えば、ロボット外科用システムが、閾値条件が満たされている場合にのみ通電されるべきエネルギー送達表面を有する電気外科用ツールを利用してもよい。一例では、エネルギー送達表面は、エネルギー送達表面が適切な、又は標的とされた組織と接触している場合にのみ起動されるべきである。別の一例として、ロボット外科用システムは、適切な量の流体が存在する場合など、閾値条件が満たされている場合にのみ起動されるべき吸引要素を利用することができる。視界の制限、進展する状況、及びロボット外科処置中の可動部品の多さのために、臨床医が手術部位の特定の状態を判定及び／又は監視するのが困難な場合がある。例えば、電気外科用ツールのエネルギー送達表面が組織と接触しているか否かを判断するのが困難な場合がある。特定の吸引圧力が吸引ポートの近くの流体の量に対して十分であるか否かを判断するのが難しい場合もある。
【０２４７】
更に、特定のロボット外科処置では、複数の外科用装置が使用される場合がある。例えば、ロボット外科用システムが、外科処置中に１つ以上の外科用ツールを使用する場合がある。加えて、１つ又は２つ以上のハンドヘルド式器具を外科処置中に使用する場合もある。外科用装置の１つ又は２つ以上が、センサを含んでもよい。例えば、複数のセンサが手術部位及び／又は手術室の周囲に配置されてもよい。１つ以上のセンサを含むセンサシステムを、手術部位で１つ又は２つ以上の状態を検出するように構成してもよい。例えば、センサシステムからのデータが、外科用ロボットに装着された外科用ツールが使用されているか否か、及び／又は外科用ツールの機能が起動されるべきか否かを判定してもよい。より具体的には、センサシステムは、例えば、電気外科用装置が組織と当接するように位置決めされているか否かを検出することができる。別の一例として、センサシステムは、外科用ツールの吸引要素が手術部位の流体に十分な吸引力を加えているか否かを検出することができる。
【０２４８】
自動起動モードにある場合、ロボット外科用システムは、センサシステムから受信したデータ、画像、及び／又は他の情報に基づいて、１つ又は２つ以上の外科用ツールの１つ以上の機能を自動的に起動させることができる。例えば、電気外科用ツールが（組織と当接して接触するように配置されているなど）使用中であることが検出されると、電気外科用ツールのエネルギー送達表面が起動されてもよい。別の一例として、外科用ツール上の吸引要素が、吸引ポートが流体と接触するように動かされたときに起動されてもよい。特定の例では、外科用ツールを、感知された状態に基づいて調整してもよい。
【０２４９】
自動起動モードを組み込んだロボット外科用システムは、手術部位における検出された状態に基づいて、シナリオ固有の結果を自動的に提供することができる。シナリオ固有の結果は、例えば転帰ベースであってもよく、臨床医の意思決定プロセスを合理化することができる。特定の例では、このような自動起動モードは、臨床医の効率及び／又は有効性を改善することができる。例えば、ロボット外科用システムは、データを集約して手術部位及び／又は外科処置のより完全なビューをコンパイルし、最良の手順を決定することができる。加えて又は代わりに、臨床医が行う決定がより少ない場合には、臨床医は他のタスクにより良好に集中することができ、かつ／又は他の情報をより効果的に処理することができる。
【０２５０】
一例では、ロボット外科用システムは、視覚的に検出可能な必要性に対するツールの近接性及び／又はシステムの状況認識に基づいて、外科処置ツールを自動的に調整することができる。図２５Ａ及び図２５Ｂを参照すると、ロボットシステム１３０５０のための超音波外科用ツールが２つの異なる位置に示されている。図２５Ａに示すように、第１の位置では、超音波外科用ツール１３０５０のブレード１３０５２は、組織１３０６０と接触しないように配置されている。そのような位置で、超音波外科用ツール１３０５０上のセンサが高い抵抗を検出する場合がある。検出された抵抗が閾値を上回る場合、超音波ブレード１３０５２の通電をオフにしてもよい。ここで図２５Ｂを参照すると、超音波ブレード１３０５２は、ブレード１３０５２の遠位端が組織１３０６０と当接接触するように配置された第２の位置に示されている。そのような場合に、超音波外科用ツール１３０５０上のセンサが低い抵抗を検出する場合がある。検出された抵抗が閾値を下回る場合、超音波ブレード１３０５２を起動して、治療エネルギーが組織１３０６０に送達されるようにしてもよい。代替的なセンサ構成も想定され、様々なセンサが本明細書に更に記載される。
【０２５１】
図２６Ａ及び図２６Ｂを参照すると、別の外科用ツールである単極の焼灼ペンシル１３０５５が、２つの異なる位置に示されている。図２６Ａに示すように、第１の位置では、単極の焼灼ペンシル１３０５５は、組織と接触しないように配置されている。このような位置で、単極の焼灼ペンシル１３０５５上のセンサが高い抵抗を検出する場合がある。検出された抵抗が閾値を上回る場合、単極の焼灼ペンシル１３０５５の通電をオフにしてもよい。ここで図２６Ｂを参照すると、単極の焼灼ペンシル１３０５５は、単極の焼灼ペンシル１３０５５の遠位端が組織と当接接触するように配置された第２の位置に示されている。そのような場合に、単極の焼灼ペンシル１３０５５上のセンサが低い抵抗を検出する場合がある。検出された抵抗が閾値を下回る場合、単極の焼灼ペンシル１３０５５を起動して、治療エネルギーが組織に送達されるようにしてもよい。代替的なセンサ構成も想定され、様々なセンサが本明細書に更に記載される。
【０２５２】
図２７は、図２５Ａ及び図２５Ｂの超音波外科用ツール１３０５０の時間ｔにわたる連続性Ｃ及び電流Ｉのグラフ表示１３０７０を示す。同様に、単極の焼灼ペンシル１３０５５は、いくつかの例では、グラフ表示１３０７０に多くの点で類似したグラフ表示を生成することができる。グラフ表示１３０７０において、連続性Ｃは点線で表され、電流Ｉは実線で表されている。抵抗が高く、閾値を上回る場合、連続性Ｃも高くなる可能性がある。閾値は、例えば、４０〜４００オームであり得る。時点Ａ’において、連続性Ｃが閾値を下回り、組織接触の程度を示す場合がある。その結果、ロボット外科用システムが組織の高度なエネルギー治療を自動的に起動してもよい。図２７に示す超音波変換器電流は、連続性パラメータが組織接触の程度を示すと、時点Ａ’からＢ’まで増加する。様々な例において、電流Ｉに、例えば図２５Ａ及び図２５Ｂに示すようなジョーがクランプされていない場合などのジョー開放変換器限界に対応する、Ｂ’で示す最大値で上限を設けることができる。様々な例において、ロボット外科用システムの状況認識モジュールは、ジョーがクランプされていないことを示し得る。図２７のグラフ表示１３０７０を再び参照すると、時点Ｃ’までエネルギーが印加され、この時点で連続性Ｃが閾値を超えて増加したことによって、組織接触が喪失したことが示される。この結果、超音波ブレードへの通電がオフにされ、超音波変換器電流Ｉがゼロに減少してもよい。
【０２５３】
様々な例において、センサシステムは、手術部位における少なくとも１つの状態を検出するように構成することができる。例えば、センサシステムのセンサは、超音波ブレードのエネルギー送達表面に沿った連続性を測定することによって、組織接触を検出してもよい。加えて又は代わりに、センサシステムは、手術部位の周囲に配置された１つ又は２つ以上の更なるセンサを含んでもよい。例えば、外科処置で使用される１つ又は２つ以上の外科用ツール及び／又は器具を、手術部位における状態を検出するように構成してもよい。センサシステムは、ロボット外科用システムのプロセッサと信号通信を行うことができる。例えば、ロボット外科用システムは、本明細書で更に説明するように、プロセッサ及びメモリを収容する制御ユニットを含む中央制御タワーを含むことができる。プロセッサは、センサシステムからの入力に基づいて、外科用ツールに対してコマンドを発することができる。様々な例において、状況認識もまた、プロセッサによって発せられるコマンドを規定し、及び／又はこれに影響を与えてもよい。
【０２５４】
ここで図２８を参照すると、エンドエフェクタ１９６４００は、ジョー部材１９６４０２上に位置するＲＦデータセンサ１９６４０６、１９６４０８ａ、１９６４０８ｂを備える。エンドエフェクタ１９６４００は、ジョー部材１９６４０２及び超音波ブレード１９６４０４を含む。ジョー部材１９６４０２は、ジョー部材１９６４０２と超音波ブレード１９６４０４との間に位置する組織１９６４１０をクランプした状態で示されている。第１のセンサ１９６４０６は、ジョー部材１９６４０２の中央部に位置する。第２のセンサ１９６４０８ａ及び第３のセンサ１９６４０８ｂは、それぞれ、ジョー部材１９６４０２の外側部分に位置する。センサ１９６４０６、１９６４０８ａ、１９６４０８ｂは、ジョー部材１９６４０２に固定的に取り付けられるように構成されたフレキシブル回路１９６４１２（図２９でより具体的に示す）に取り付けられるか、又は一体的に形成される。
【０２５５】
エンドエフェクタ１９６４００は、本明細書で説明される様々な外科用装置のためのエンドエフェクタの一例である。センサ１９６４０６、１９６４０８ａ、１９６４０８ｂは、インターフェース回路を介して制御回路に電気的に接続される。センサ１９６４０６、１９６４０８ａ、１９６４０８ｂは電池によって電力供給され、センサ１９６４０６、１９６４０８ａ、１９６４０８ｂによって生成された信号は、制御回路のアナログ及び／又はデジタル処理回路に提供される。
【０２５６】
一態様では、第１のセンサ１９６４０６は、ジョー部材１９６４０２によって組織１９６４１０に加えられる垂直力Ｆ３を測定するための力センサである。第２のセンサ１９６４０８ａ及び第３のセンサ１９６４０８ｂは、組織１９６４１０にＲＦエネルギーを印加し、他のパラメータの中でも特に、組織インピーダンス、下向きの力Ｆ１、横向きの力Ｆ２及び温度を測定するための１つ又は２つ以上の要素を含む。電極１９６４０９ａ、１９６４０９ｂは、電気回路などのエネルギー源に電気的に連結され、ＲＦエネルギーを組織１９６４１０に印加する。一態様では、第１のセンサ１９６４０６、第２のセンサ１９６４０８ａ及び第３のセンサ１９６４０８ｂは、力又は単位面積当たりの力を測定するための歪みゲージである。下向きの力Ｆ１、横向きの力Ｆ２及び垂直力Ｆ３の測定値は、力センサ１９６４０６、１９６４０８ａ、１９６４０８ｂが作用している表面積を決定することによって、圧力に容易に変換され得ることが理解されよう。更に、本明細書に詳細に記載するように、フレキシブル回路１９６４１２は、フレキシブル回路１９６４１２の１つ又は２つ以上の層内に埋め込まれた温度センサを含んでもよい。１つ又は２つ以上の温度センサは、対称的に又は非対称的に配置されてよく、超音波駆動回路及びＲＦ駆動回路の制御回路に組織１９６４１０の温度フィードバックを提供してもよい。
【０２５７】
例えば、磁界センサ、歪みゲージ、圧力センサ、力センサ、例えば渦電流センサなどの誘導センサ、抵抗センサ、容量センサ、光センサ、及び／又は任意の他の好適なセンサなどの１つ又は２つ以上のセンサが、組織圧縮及び／又はインピーダンスを測定するように適合及び構成されてもよい。
【０２５８】
図２９は、センサ１９６４０６、１９６４０８ａ、１９６４０８ｂがフレキシブル回路１９６４１２に取り付けられ得るか、又はフレキシブル回路１９６４１２と一体に形成され得る、図２８に示すフレキシブル回路１９６４１２の一態様を示す。フレキシブル回路１９６４１２は、ジョー部材１９６４０２に固定的に取り付けられるように構成されている。図２９で具体的に示すように、非対称型温度センサ１９６４１４ａ、１９６４１４ｂは、フレキシブル回路１９６４１２に取り付けられ、組織１９６４１０（図２８）の温度を測定することを可能にする。
【０２５９】
読者は、代替的な外科用ツールを、図２５Ａ〜図２９に関して上記で説明した自動起動モードで利用してもよいことを理解するであろう。
【０２６０】
図３０は、外科用ツールの自動起動モード１３１５１を示すフローチャート１３１５０である。様々な例において、ロボット外科用システム及びそのプロセッサは、図３０に示されるプロセスを実施するように構成されている。最初に、センサシステムが、工程１３１５２で状態を検出するように構成されている。検出された状態はプロセッサに伝送され、プロセッサは、工程１３１５４で、検出された状態を閾値パラメータと比較する。閾値パラメータは、最大値、最小値、又は値の範囲であり得る。感知された状態が境界外の状態である場合、プロセッサは、工程１３１５６で外科的機能を調整することができ、プロセッサは、工程１３１５２及び工程１３１５４の比較プロセスを繰り返してもよい。感知された状態が境界外の状態ではない場合、調整は不要であり（１３１５８）、工程１３１５２及び工程１３１５４の比較プロセスが再び繰り返されてもよい。
【０２６１】
様々な場合において、ロボット外科用システムは手動オーバーライドモード１３１５３を可能にすることができる。例えば、臨床医によって手動オーバーライド入力１３１６０が起動されると、外科用システムは、図３０に示される工程１３１６２で自動起動モード１３１５１を終了してもよい。そのような場合、感知された状態が境界外の状態であっても、外科的機能はプロセッサによって自動的に調整されない。しかしながら、このような場合、プロセッサは、感知された状態に基づいて、特定の手順を推奨する警告又は推奨を臨床医に対して発することができる。
【０２６２】
様々な例において、自動起動モードは、吸引機構を含むロボット外科用システムで利用することができる。一例では、ロボット外科用システムは、吸引及び／又は灌注ツールと通信を行うことができる。例えば、吸引及び／又は灌注装置（図３のモジュール１２８を参照）は、外科用ハブ１０６（図１）及び／又は外科用ハブ２０６（図９）を介してロボット外科用システムと通信することができ、吸引及び／又は灌注ツールをロボットアームに取り付けることができる。吸引／灌注装置は、遠位吸引ポート及びセンサを含むことができる。別の場合には、電気外科用ツールなどのロボット外科用ツールが、ツールのエンドエフェクタ上に吸引機構及び吸引ポートを含んでもよい。
【０２６３】
図３１を参照すると、エンドエフェクタ１３２１０上の吸引ポートが流体と接触すると、ロボット外科用システムのプロセッサが吸引機構を自動的に起動させることができる。例えば、ツール１３２００上の流体検出センサ１３２３０は、ツール１３２００の近くの、及び／又はツール１３２００に接触している流体１３２２０を検出することができる。流体検出センサ１３２３０は、例えば連続性センサであってもよい。流体検出センサ１３２３０は、プロセッサが流体検出センサ１３２３０から入力及び／又はフィードバックを受信するように構成されるように、プロセッサと信号通信を行うことができる。特定の例では、吸引ポートが流体１３２２０の近くに移動すると、吸引機構が自動的に起動されてもよい。例えば、吸引ポートが流体１３２２０の所定の空間範囲内に移動すると、吸引機構がプロセッサによって起動されてもよい。流体１３２２０は、例えば、組織の伝導性を高めるため及び／又は組織を灌注するために手術部位に供給され得る生理食塩水であってもよい。
【０２６４】
様々な例において、ツールは、排煙ツールであってもよく、及び／又は例えば、排煙システムを含むことができる。双極高周波外科用ツール１３２００のエンドエフェクタ１３２１０の詳細図を図３１に示す。エンドエフェクタ１３２１０は、クランプされた構成で示されている。更に、ＲＦ溶接部からの煙及び蒸気１３２２０が、エンドエフェクタ１３２１０の周囲に蓄積する。様々な例において、ツール１３２００の可視性及び効率を改善するために、手術部位の煙及び蒸気１３２２０は、エンドエフェクタから近位方向に延びる排煙チャネル１３２４０に沿って排出されてもよい。排煙チャネル１３２４０は、外科用ツール１３２００のシャフト１３２０５を通って、外科用ツール１３２００及びロボットのインターフェースまで延びることができる。排煙チャネル１３２４０は、外科用ツール１３２００のシャフト１３２０５内の排煙チャネル１３２４０に沿って煙及び／又は蒸気１３２２０を引き込むためのポンプに連結されてもよい。様々な例において、外科用ツール１３２００は、送気、冷却、及び／又は灌注機能も含むことができる。
【０２６５】
一例では、吸引圧力の強度は、１つ又は２つ以上の外科用装置からの測定されたパラメータに基づいて自動的に調整することができる。このような場合、吸引圧力は、感知されたパラメータに応じて変化し得る。吸引管が、手術部位から抽出される流体の量を検出するためのセンサを含むことができる。抽出される流体の量が増えると、吸引機構への電力を増加させて、吸引圧力を上昇させる場合がある。同様に、抽出される流体の量が減少すると、吸引機構への電力を減少させて、吸引圧力を低下させる場合がある。
【０２６６】
様々な例において、吸引ツール用の感知システムは、圧力センサを含むことができる。圧力センサが、閉塞が流体の流れを妨げている、又は部分的に妨げていることを検出してもよい。圧力センサはまた、吸引ポートが移動して組織と当接接触していることを検出してもよい。そのような場合、プロセッサは、吸引力を低減及び／又は一時停止して組織を解放し、及び／又は障害物を取り除くことができる。様々な場合において、プロセッサは、検出された圧力を最大閾値圧力と比較することができる。最大閾値圧力を超えると、吸引ツールによる意図しない組織外傷が生じる場合がある。したがって、このような外傷を回避するために、プロセッサは、吸引力を低減及び／又は一時停止して、その付近の組織の完全性を保護することができる。
【０２６７】
ユーザは、本明細書に記載する自動起動モードで実施される自動調整を手動でオーバーライドすることができる。手動オーバーライドは、外科用ツールに対する１回限りの調整であってもよい。他の場合には、手動オーバーライドは、特定の外科的動作、特定の持続時間、及び／又は処置全体のグローバルオーバーライドのために自動起動モードをオフにする設定であってもよい。
【０２６８】
一態様では、ロボット外科用システムは、本明細書で説明するように、プロセッサと、プロセッサに通信可能に結合されたメモリとを含む。本明細書で説明するように、プロセッサは、センサシステムに通信可能に結合されており、メモリは、センサシステムからの入力に基づいてロボットツールの使用を決定し、使用が決定されると、ロボットツールのエネルギー送達表面に自動的に通電するための、プロセッサによって実行可能な命令を記憶している。
【０２６９】
様々な態様では、本開示は、本明細書で説明するように、エネルギー送達表面に自動的に通電するための制御回路を提供する。様々な態様において、本開示は、実行されると、本明細書で説明するように、機械に、ロボットツールのエネルギー送達表面を自動的に通電させるためのコンピュータ可読命令を記憶している非一時的コンピュータ可読媒体を提供する。
【０２７０】
一態様では、ロボット外科用システムは、本明細書で説明するように、プロセッサと、プロセッサに通信可能に結合されたメモリとを含む。本明細書で説明するように、プロセッサは流体検出センサに通信可能に結合されており、メモリは、流体検出センサからの入力を受信し、流体が検出されると吸引モードを自動的に起動するための、プロセッサによって実行可能な命令を記憶している。
【０２７１】
様々な態様では、本開示は、本明細書で説明するように、吸引モードを自動的に起動するための制御回路を提供する。様々な態様では、本開示は、実行されると、本明細書に記載されるように、機械に、吸引モードを自動的に起動させるためのコンピュータ可読命令を記憶している非一時的コンピュータ可読媒体を提供する。
【０２７２】
ロボット外科用システム及び様々なハンドヘルド式器具を含む複数の外科用装置を、臨床医が特定の外科処置中に使用することができる。臨床医は、多くの場合、ロボット外科用システムの１つ又は２つ以上のロボットツールを操作する際に、遠隔制御コンソールとも呼ばれる外科医のコマンドコンソール又はモジュールのところにいる。様々な例において、遠隔制御コンソールは、滅菌野の外に配置され、したがって、滅菌野から離れていてもよく、場合によっては、患者から、更には手術室から離れていてもよい。臨床医がハンドヘルド式器具を使用することを望む場合、臨床医は遠隔制御コンソールから離れることを要求される場合がある。この時点で、臨床医はロボットツールを制御することができない場合がある。例えば、臨床医は、ロボットツールの位置を調節することや、ロボットツールの機能を利用することができない場合がある。また、臨床医は、遠隔制御コンソールから離れると、ロボット外科用システム上の１つ又は２つ以上のディスプレイが見えなくなる場合がある。ハンドヘルド式器具の制御点とロボット外科システムとが離れていると、臨床医がロボットツールと外科用器具の両方の外科用装置を一緒に利用できる有効性が損なわれる可能性がある。
【０２７３】
様々な例において、インタラクティブ二次ディスプレイは、ロボット外科用システムと信号通信を行うように構成される。インタラクティブ二次ディスプレイは、様々な例において制御モジュールを含む。更に、インタラクティブ二次ディスプレイは、ワイヤレスで、手術室中をあちらこちらに移動できるように構成されている。様々な例において、インタラクティブ二次ディスプレイは滅菌野内に配置される。一例では、インタラクティブ二次ディスプレイは、臨床医が、遠隔制御コンソールのところに物理的に存在する必要なくロボット外科用システムの１つ又は２つ以上のロボットツールを操作及び制御することを可能にする。一例では、臨床医がロボット外科用システムを遠隔制御コンソールから離れて操作できることにより、複数の装置を同期させて使用することが可能となる。安全対策として、特定の例では、遠隔制御コンソールは、インタラクティブ二次ディスプレイによるロボットツールの制御を禁止するように構成されたオーバーライド機能を含む。
【０２７４】
図３２は、外科用器具１３１４０及びロボット外科用システム１３１１０を利用する外科処置中に使用するための外科用システム１３１００を示す。外科用器具１３１４０は、電動ハンドヘルド式器具である。外科用器具１３１４０は、例えば、高周波（ＲＦ）器具、超音波器具、外科用ステープラ、及び／又はこれらの組み合わせであってもよい。外科用器具１３１４０は、ディスプレイ１３１４２及びプロセッサ１３１４４を含む。特定の例では、ハンドヘルド式外科用器具１３１４０は、複数のセンサ及び無線通信モジュールを有するスマート又はインテリジェントな外科用器具であってもよい。
【０２７５】
ロボット外科用システム１３１１０は、特定の外科的機能を実行するように構成された少なくとも１つのロボットツール１３１１７を含むロボット１３１１２を含む。ロボット外科用システム１３１１０は、本明細書で論じられる外科用システム１３０００と多くの点で類似している。ロボットツール１３１１７は、ロボット外科用システム１３１１０の制御エンベロープによって定められた空間内で移動可能である。様々な例において、ロボットツール１３１１７は、遠隔制御コンソール１３１１６で様々な臨床医入力によって制御される。換言すれば、臨床医が遠隔制御コンソール１３１１６で入力を行うとき、臨床医は患者の身体から離れ、滅菌野１３１３８の外にいる。遠隔制御コンソール１３１１６への臨床医入力は、ロボットディスプレイ１３１１３及びプロセッサ１３１１５を含むロボット制御ユニット１３１１４に伝送される。プロセッサ１３１１５は、ロボットツール１３１１７に所望の機能を実行するように指示する。
【０２７６】
様々な例において、外科用システム１３１００は、例えば、ハブ１０６、ハブ２０６、ロボットハブ１２２、又はロボットハブ２２２と多くの点で類似している外科用ハブ１３１２０を含む。外科用ハブ１３１２０は、ロボット外科用システム１３１１０及び外科用器具１３１４０の協働的かつ／又は協調的な使用を強化するように構成されている。外科用ハブ１３１２０は、ロボット外科用システム１３１１０の制御ユニット１３１１４及び外科用器具１３１４０のプロセッサ１３１４４と信号通信を行う。様々な例において、信号は無線接続を介して送信されるが、通信を容易にするために任意の好適な接続を使用することができる。ロボット外科用システム１３１１０の制御ユニット１３１１４は、ロボットツール１３１１７に関する情報を外科用ハブ１３１２０に送信するように構成されている。このような情報には、例えば、手術部位内のロボットツール１３１１７の位置、ロボットツール１３１１７の動作状態、ロボットツールによって検出された力、及び／又はロボット外科用システム１３１１０に取り付けられたロボットツール１３１１７の種類が含まれるが、あらゆる関連する情報及び／又は動作パラメータが伝送されてよい。外科用ハブの例については、本明細書中、及びその開示全体が参照により本明細書に組み込まれる、「ＩＮＴＥＲＡＣＴＩＶＥ  ＳＵＲＧＩＣＡＬ  ＰＬＡＴＦＯＲＭ」と題する２０１７年１２月２８日出願の米国仮特許出願第６２／６１１，３４１号で更に説明されている。
【０２７７】
他の例では、ロボット外科用システム１３１１０は、外科用ハブ１３１２０を包含することができ、かつ／又は制御ユニット１３１１４は、外科用ハブ１３１２０に組み込まれてもよい。例えば、ロボット外科用システム１３１１０は、コンピュータシステム及びモジュール式通信ハブを含むモジュール式制御タワーを含むロボットハブを含むことができる。１つ又は２つ以上のモジュールをロボットハブのモジュール式制御タワー内に設置してもよい。ロボットハブの例については、本明細書中、及びその開示全体が参照により本明細書に組み込まれる、「ＩＮＴＥＲＡＣＴＩＶＥ  ＳＵＲＧＩＣＡＬ  ＰＬＡＴＦＯＲＭ」と題する２０１７年１２月２８日出願の米国仮特許出願第６２／６１１，３４１号で更に説明されている。
【０２７８】
外科用器具１３１４０のプロセッサ１３１４４は、外科用器具１３１４０に関する情報を外科用ハブ１３１２０に送信するように構成されている。そのような情報には、例えば、手術部位内の外科用器具１３１４０の位置、外科用器具１３１４０の動作状態、外科用器具１３１４０によって検出された力及び／又は外科用器具１３１４０に関する識別情報が含まれるが、あらゆる関連する情報及び／又は動作パラメータが外科用ハブに伝送されてよい。
【０２７９】
様々な例において、ハブディスプレイ１３１２５は、外科用ハブ１３１２０と信号通信し、例えばモジュール式制御タワーに組み込まれてもよい。ハブディスプレイ１３１２５は、ロボット外科用システム１３１１０及び外科用器具１３１４０から受信した情報を表示するように構成されている。ハブディスプレイ１３１２５は、例えば、可視化システム１０８（図１）に多くの点で類似していてもよい。一態様では、ハブディスプレイ１３１２５は、例えば、ビデオモニタ及び／又はヘッドアップディスプレイなどのディスプレイのアレイを手術室の周囲に含むことができる。
【０２８０】
様々な例において、外科用ハブ１３１２０は、無線通信信号を介して外科用器具１３１４０が臨床医によって起動されたことを認識するように構成されている。外科用器具１３１４０は、起動時に識別情報を外科用ハブ１３１２０に送信するように構成されている。そのような識別情報は、例えば、外科用器具のモデル番号、外科用器具の動作状態、及び／又は外科用器具の位置を含んでもよいが、他の好適な装置パラメータが伝送されてもよい。様々な例において、外科用ハブ１３１２０は、伝送された情報を利用して、外科用器具１３１４０と外科用ハブ１３１２０の機能との互換性を評価するように構成されている。本明細書では、互換性のある外科用器具を備えた外科用ハブの機能の例について更に説明する。
【０２８１】
様々な例において、ロボット外科用システム１３１１０の制御ユニット１３１１４は、ビデオフィードを外科用ハブ１３１２０に通信するように構成され、外科用ハブ１３１２０は、情報又はその一部分を外科用器具１３１４０に伝送するように構成され、外科用器具１３１４０は、ロボットディスプレイ１３１１３の一部分又はロボット外科用システム１３１１０からの他の情報を外科用器具１３１４０のディスプレイ１３１４２上に再現してもよい。他の例では、ロボット外科用システム１３１１０（例えば、制御ユニット１３１１４又は外科用ツール１３１１７）は、例えばロボット外科用システム１３１１０がロボットハブを含む場合及び／又は外科用ツール１３１１７が無線通信モジュールを含む場合などに、外科用器具１３１４０と直接通信を行ってもよい。外科用器具１３１４０上におけるロボットディスプレイ１３１１３の一部分の再現により、臨床医は、例えば、位置合わせデータを提供してロボットツール１３１１７に対する外科用器具１３１４０の統合的な位置決めを達成することにより、両方の外科用装置を協働的に使用することができる。様々な例において、臨床医は、外科用器具１３１４０のディスプレイ１３１４２上に表示される任意の不要な情報を取り除くことができる。
【０２８２】
図３２を更に参照すると、様々な例において、外科用システム１３１００は、滅菌野１３１３８内にインタラクティブ二次ディスプレイ１３１３０を更に含む。インタラクティブ二次ディスプレイ１３１３０は、滅菌野１３１３８内のローカル制御モジュールでもある。遠隔制御コンソール１３１１６又は主制御装置を、滅菌野１３１３８の外に配置することができる。例えば、インタラクティブ二次ディスプレイ１３１３０は、外科処置の間、患者又は患者テーブル上に配置することができるｉＰａｄ（登録商標）タブレットなどのハンドヘルド式モバイル電子デバイスであってもよい。例えば、インタラクティブ二次ディスプレイ１３１３０は、外科処置の間、患者の腹部又は脚部上に配置されてもよい。他の例では、インタラクティブ二次ディスプレイ１３１３０は、滅菌野１３１３８内の外科用器具１３１４０に組み込むことができる。様々な例において、インタラクティブ二次ディスプレイ１３１３０は、ロボット外科用システム１３１１０及び／又は外科用器具１３１４０と信号通信を行うように構成されている。そのような例では、インタラクティブ二次ディスプレイ１３１３０は、ロボットツール１３１１７（例えば、ロボットツール１、ロボットツール２．．．ロボットツールｎ）及び外科用器具１３１４０（例えば、外科用器具１、外科用器具２．．．外科用器具ｎ）から受信した情報を表示するように構成されている。インタラクティブ二次ディスプレイ１３１３０は、ツール情報１３１３３及び器具情報１３１３５を示す。様々な例において、ユーザはインタラクティブ二次ディスプレイ１３１３０と対話して、表示される情報のサイズ及び／又は場所をカスタマイズすることが可能である。
【０２８３】
更に図３２を参照すると、様々な例において、外科用ハブ１３１２０は、外科用ロボットシステム１３１００のロボット状態情報を外科用器具１３１４０に送信するように構成され、外科用器具１３１４０は、外科用器具１３１４０のディスプレイ１３１４２にロボット状態情報を表示するように構成されている。
【０２８４】
様々な例において、外科用器具１３１４０のディスプレイ１３１４２は、外科用ハブ１３１２０を通じてロボット外科用システム１３１１０の制御ユニット１３１１４にコマンドを伝送するように構成されている。臨床医は、本明細書に記載される外科用器具１３１４０のディスプレイ１３１４２上に表示されたロボット状態情報を閲覧及び解釈した後に、ロボット外科用システム１３１１０の１つ又は２つ以上の機能を利用することを望む場合がある。臨床医は、外科用器具１３１４０上のボタン及び／又はタッチ感知ディスプレイ１３１４２を使用して、ロボット外科用システム１３１１０の所望の利用及び／又は調節を入力することが可能である。臨床医入力は、外科用器具１３１４０から外科用ハブ１３１２０に伝送される。次いで、外科用ハブ１３１２０は、所望の機能を実現するために、臨床医入力をロボット外科用システム１３１１０の制御ユニット１３１１４に伝送するように構成されている。他の例では、ハンドヘルド式外科用器具１３１４０は、例えばロボット外科用システム１３１１０がロボットハブを含む場合などに、ロボット外科用システム１３１１０の制御ユニット１３１１４と直接通信を行ってもよい。
【０２８５】
様々な例において、外科用ハブ１３１２０は、ロボット外科用システム１３１１０及び外科用器具１３１４０の両方と信号通信して、外科用システム１３１００が複数の外科用装置を同期、協調及び／又は協働する方法で調整することを可能にする。外科用ハブ１３１２０と様々な外科用装置との間で伝送される情報は、例えば、外科用器具識別情報及び／又は様々な外科用装置の動作状態を含む。様々な例において、外科用ハブ１３１２０は、外科用器具１３１４０が起動されたことを検出するように構成されている。一例では、外科用器具１３１４０は超音波ダイセクタである。外科用ハブ１３１２０は、超音波ダイセクタの起動時に、受信した起動情報をロボット外科用システム１３１１０の制御ユニット１３１１４に伝送するように構成されている。
【０２８６】
様々な例において、外科用ハブ１３１２０は、ロボット外科用システム１３１１０の制御ユニット１３１１４に情報を自動的に伝送する。読者は、情報があらゆる好適な時間、速度、間隔、及び／又はスケジュールで伝送されてよいことを理解するであろう。ロボット外科用システム１３１１０の制御ユニット１３１１４は、外科用ハブ１３１２０から受信した情報に基づいて、少なくとも１つのロボットツール１３１１７を起動するか否か、及び／又は、例えば、排煙モードなどの特定の動作モードを起動するか否かを決定するように構成されている。例えば、超音波ダイセクタなどの手術部位に煙及び／又は汚染物質を発生させるか、又は発生させる可能性があることが知られている外科用ツールの起動時に、ロボット外科用システム１３１１０は、排煙モードを自動的に起動するか、又は外科医に排煙モードを起動するように指示してもよい。様々な例において、外科用ハブ１３１２０は、ロボット外科用システム１３１１０の制御ユニット１３１１４に様々な感知された組織状態などの更なる情報を連続的に伝送して、ロボットツール１３１１７及び／又は入力された動作モードの更なる動きを調整、継続、及び／又は中断するように構成されている。
【０２８７】
様々な例において、外科用ハブ１３１２０は、例えば、外科用器具１３１４０から伝送される更なる情報に基づいて、煙発生強度などのパラメータを計算してもよい。制御ユニット１３１１４は、計算されたパラメータをロボット外科用システム１３１１０の制御ユニット１３１１４に伝送すると、少なくとも１つのロボットツールを動かし、及び／又は、計算されたパラメータを考慮して動作モードを調整するように構成されている。例えば、制御ユニット１３１１４は、ロボット外科用システム１３１１０が排煙モードに入ると、算出された煙発生強度に比例するように排煙モータ速度を調整するように構成されている。
【０２８８】
特定の例では、ロボット１３１１２に取り付けられた超音波ツールが、制御ユニット１３１１４によって起動されて排煙モードで動作可能な排煙機構を含んでもよい。他の例では、別個の排煙装置を利用してもよい。例えば、排煙ツールが別のロボットアームに取り付けられ、外科処置中に利用されてもよい。更に他の例では、ロボット外科用システム１３１１０とは別個の排煙器具を利用してもよい。外科用ハブ１３１２０が、例えば、ロボット制御された超音波ツールと排煙器具との間の通信を調整してもよい。
【０２８９】
図３３〜図３６に、様々な外科用装置及びその構成要素が、結腸切除処置に関連して説明されている。読者は、これらの図に関連して説明される外科用装置、システム及び処置が、図３２のシステムの例示的な適用であることを理解するであろう。ここで図３３を参照すると、ハンドヘルド式外科用器具１３３００のハンドル部分１３２０２が図示されている。特定の態様では、ハンドヘルド式外科用器具１３３００は、図３２の外科用システム１３１００の外科用器具１３１４０に対応する。一例では、ハンドヘルド式外科用器具１３３００は、電動円形ステープラであり、そのハンドル部分１３３０２上にディスプレイ１３３１０を含む。
【０２９０】
ハンドヘルド式外科用器具１３３００を、本明細書で説明するようにロボット外科用システム（例えば、図３２のロボット外科用システム１３１１０）に外科用ハブ１３３２０（図３４）を介してペアリングする前に、ハンドヘルド式外科用器具１３３００のハンドル１３３０２上のディスプレイ１３３１０は、例えば、クランプ負荷１３２１２、アンビル状態１３２１４、及び／又は器具若しくはカートリッジ状態１３２１６などの、器具１３３００の状態に関する情報を含むことができる。様々な例において、ハンドヘルド式外科用器具１３３００のディスプレイ１３３１０は、発射システムの状態を伝える、ユーザへの警告１３３１８を含む。様々な例において、ディスプレイ１３３１０は、最も重要な情報をユーザに伝える方法で情報を表示するように構成されている。例えば、様々な例において、ディスプレイ１３３１０は、警告情報をより大きなサイズで、点滅表示で、及び／又は異なる色で表示するように構成されている。ハンドヘルド式外科用器具１３３００が外科用ハブとペアリングされていない場合、ディスプレイ１３３１０は、ハンドヘルド式外科用器具１３３００自体からのみ収集された情報を表示してもよい。
【０２９１】
ここで図３４を参照すると、例えば、ハンドヘルド式外科用器具１３３００を図３２に関して本明細書に記載するように外科用ハブ１３３２０とペアリングした後、ハンドヘルド式外科用器具１３３００によって検出及び表示された情報は、外科用ハブ１３３２０に伝送され、ハブディスプレイ（例えば、図３２のハブディスプレイ１３１２５）上に表示されてもよい。加えてに又は代わりに、情報がロボット外科用システムのディスプレイ上に表示されてもよい。加えて又は代わりに、情報がハンドヘルド式外科用器具１３３００のハンドル部分１３３０２上のディスプレイ１３３１０上に表示されてもよい。様々な場合において、臨床医は、１つ又は複数の場所に表示される情報を決定することができる。上述のように、様々な例において、臨床医は、ハンドヘルド式外科用器具１３３００のディスプレイ１３３１０、ロボット外科用システムのディスプレイ、及び／又はハブディスプレイ上のディスプレイに表示される任意の不要な情報を取り除くことができる。
【０２９２】
引き続き図３４を参照すると、ハンドヘルド式外科用器具１３３００をロボット外科用システムとペアリングした後、ハンドヘルド式外科用器具１３３００のハンドル部分１３３０２上のディスプレイ１３３１０は、ロボット外科用システムとのペアリング前のハンドヘルド式外科用器具１３３００上のディスプレイ１３３１０とは異なっていてもよい。例えば、外科用ハブ１３３２０及び／又はロボット外科用システムからの処置情報が、電動円形ステープラ上に表示されてもよい。例えば、図３４に示すように、外科用ハブ１３３２０からの位置合わせ情報１３３１２、及び特定の組織に対してロボットツールによって加えられる１つ又は２つ以上の後退張力１３３１６、１３３１７を含むロボット状態情報が、臨床医の便宜のためにハンドヘルド式外科用器具１３３００のディスプレイ１３３１０上に表示される。様々な例において、ハンドヘルド式外科用器具１３３００のディスプレイ１３３１０は、外科処置の間外科用ハブ１３３２０によって監視されるパラメータを伝えるユーザへの警告１３３１８を含む。様々な例において、ディスプレイ１３３１０は、最も重要な情報をユーザに伝える方法で情報を表示するように構成されている。例えば、様々な例において、ディスプレイ１３３１０は、警告情報をより大きなサイズで、点滅表示で、及び／又は異なる色で表示するように構成されている。
【０２９３】
図３４を更に参照すると、ハンドヘルド式外科用器具１３３００のディスプレイ１３３１０は、１つ又は２つ以上のロボットツールを使用する外科処置中に、１つ又は２つ以上の装置によって加えられる１つ又は２つ以上の後退張力１３３１６、１３３１７に関する情報を表示するように構成されている。例えば、図３５の結腸切除処置に、電動円形ステープラであるハンドヘルド式外科用器具１３３００が使用されている。この処置では、１つの装置（例えばロボットツール）が結腸組織を把持するように構成され、別の装置（例えば、ハンドヘルド式円形ステープラ）が直腸組織を把持するように構成されている。装置が互いから離れるように動くのに伴い、結腸組織を後退させる力ＦＲＣ及び直腸組織を後退させる力ＦＲＲが監視される。図示された実施例では、警告通知１３３１８は、結腸組織を後退させる力が所定の閾値を超えるとユーザに対して発せられる。後退力ＦＲＣ、ＦＲＲの両方に対する所定の閾値は、ディスプレイ１３３１０上の水平な点線によって示される。周囲の組織への損傷及び／又は外傷を最小限に抑えるために、閾値の一方若しくは双方を超える場合、及び／又はこれに達した場合には、このことがユーザに通知される。
【０２９４】
図３６に、後退力ＦＲＣのグラフ表示１３３３０、ＦＲＲのグラフ表示１３３４０が示されている。グラフ表示１３３３０、１３３４０に示される状況では、所定の閾値を超えるとユーザに対して通知がなされるが、グラフ表示１３３３０の影付き領域１３３３２によって、結腸組織の後退力ＦＲＣが所定の閾値０．５ｌｂｓを超えていることが示されている。
【０２９５】
特定の例では、視認性が制限されるために、結腸処置中に円形ステープラのエンドエフェクタを標的組織と位置合わせすることが困難な場合がある。例えば、再び図３５を参照すると、結腸切除中に、円形ステープラである外科用器具１３３００が離断された直腸１３３５６に隣接して配置される場合がある。更に、外科用器具１３３００のアンビル１３３０１を、離断された結腸１３３５５と係合させる場合がある。ロボットツール１３３３７４は、アンビル１３３０１に係合し、後退力ＦＲＣを加えるように構成されている。例えば、外科用器具１３３００の標的組織との相対位置を、離断された結腸１３３５５を通るステープルラインを用いて確認することは困難な場合がある。特定の例では、外科用ハブ１３３２０及びロボット外科用システムからの情報が、位置合わせを容易にすることができる。例えば、図３４に示すように、標的組織１３３１８の中心に対する外科用器具１３３００の中心が、外科用器具１３３００のディスプレイスクリーン１３３１０に示されてもよい。特定の例では、図３５に示すように、外科用器具１３３００上のセンサ及び無線送信機は、例えば、位置決め情報を外科用ハブ１３３２０に伝送するように構成されてもよい。
【０２９６】
大腸処置、その視認性の制限、及び外科用ハブの位置合わせツールについては、本明細書中、及びその開示全体が参照により本明細書に組み込まれる、「ＩＮＴＥＲＡＣＴＩＶＥ  ＳＵＲＧＩＣＡＬ  ＰＬＡＴＦＯＲＭ」と題する２０１７年１２月２８日出願の米国仮特許出願第６２／６１１，３４１号で更に説明されている。
【０２９７】
上述のように、ハンドヘルド式器具１３３００上のディスプレイ１３３１０を、特定のシナリオで臨床医に警告するように構成してもよい。例えば、図３４のディスプレイ１３３１０は、１つ又は２つ以上の力が所定の力閾値を超えていることを知らせる警告１３３１８を含む。再び図３５及び図３６を参照すると、結腸切除の間、ロボットアームはアンビルに第１の力ＦＲＣを加えてもよく、ハンドヘルド式器具１３３００は直腸１３３５６に第２の力ＦＲＲを加えてもよい。円形ステープラによって直腸１３３５６に加えられる張力は、第１の限界（例えば、図３６の０．５ｌｂ）で制限されてもよく、ロボットアームによって結腸１３３５５に加えられる張力は、第２の限界（例えば、図３６の０．５ｌｂ）で制限されてもよい。直腸１３３５６又は結腸１３３５５に加えられる張力が閾値を超えると、臨床医に介入が提案されてもよい。
【０２９８】
図３５及び図３６における結腸の張力ＦＲＣは、ロボットアームに対する抵抗によって確認することができ、したがって、制御ユニット（例えばロボット外科用システム１３１１０の制御ユニット１３１１４）によって判定することができる。このような情報は、ハンドヘルド式外科用器具１３３００に伝送され、滅菌野内のそのディスプレイ１３３１０上に、例えば、適切な臨床医が情報をリアルタイムで又はほぼリアルタイムで、あるいは任意の好適な間隔、速度、及び／又はスケジュールで容易に利用可能であるように表示されてもよい。
【０２９９】
様々な例において、図３７及び図３８の外科用システム１３３６０などの外科用システムは、滅菌野内にインタラクティブ二次ディスプレイ１３３６２、１３３６４を含む。インタラクティブ二次ディスプレイ１３３６２、１３３６４は、特定の例ではモバイル制御モジュールでもあり、例えば、図３２のインタラクティブ二次ディスプレイ１３１３０と同様であってもよい。外科医のコマンドコンソール又は遠隔制御モジュール１３３７０は、主制御モジュールであり、滅菌野の外に配置することができる。一例では、インタラクティブ二次ディスプレイ１３３６２は、ユーザの手首及び／又は前腕に装着することができるモバイルデバイス、腕時計、及び／又は小型タブレットであってもよく、インタラクティブ二次ディスプレイ１３３６４は、外科処置の間、患者１３３６１又は患者テーブル上に配置することができるｉＰａｄ（登録商標）タブレットなどのハンドヘルド式モバイル電子デバイスであってもよい。例えば、インタラクティブ二次ディスプレイ１３３６２、１３３６４は、外科処置の間、患者１３３６１の腹部又は脚部上に配置されてもよい。他の例では、インタラクティブ二次ディスプレイ１３３６２、１３３６４は、滅菌野内のハンドヘルド式外科用器具１３３６６に組み込むことができる。
【０３００】
一例では、外科用システム１３３６０は外科処置中に示される。例えば、外科処置は、図３３〜図３６に関連して本明細書に記載される結腸切除処置であってもよい。そのような例では、外科用システム１３３６０は、ロボット１３３７２と、手術部位内へと延びるロボットツール１３３７４とを含む。ロボットツールは、例えば、超音波ブレード及びクランプアームを備える超音波装置であってもよい。外科用システム１３３６０はまた、ロボットハブ１３３８０を包含する遠隔コマンドコンソール１３３７０を含む。ロボット１３３７２の制御ユニットはロボットハブ１３３８０内に収容される。外科医１３３７１が、最初は遠隔コマンドコンソール１３３７０のところにいる。助手１３３６７が、手術部位内へと延びる円形ステープラであるハンドヘルド式外科用器具１３３６６を保持する。助手１３３６７はまた、ロボットハブ１３３８０と通信を行う二次ディスプレイ１３３６４も保持する。二次ディスプレイ１３３６４は、例えば、助手の前腕に固定可能な携帯デジタル電子機器である。ハンドヘルド式外科用器具１３３６６は、無線通信モジュールを含む。第２の外科用ハブ１３３８２もまた、手術室内に配置される。外科用ハブ１３３８２は、発生器モジュールを含み、本明細書中、及びその開示全体が参照により本明細書に組み込まれる、「ＩＮＴＥＲＡＣＴＩＶＥ  ＳＵＲＧＩＣＡＬ  ＰＬＡＴＦＯＲＭ」と題する２０１７年１２月２８日出願の米国仮特許出願第６２／６１１，３４１号で更に説明されている更なるモジュールを含んでもよい。
【０３０１】
主に図３７を参照すると、ハブ１３３８０、１３３８２は、２つのハブ１３３８０、１３３８２間に無線通信リンクが確立されるように無線通信モジュールを含む。加えて、ロボットハブ１３３８０は、滅菌野内のインタラクティブ二次ディスプレイ１３３６２、１３３６４と信号通信を行う。ハブ１３３８２は、ハンドヘルド式外科用システム１３３６６と信号通信を行う。外科医１３３７１が（参照記号１３３７１’で示されるように）患者１３３６１に向かって滅菌野内で移動する場合、外科医１３３７１は、無線インタラクティブディスプレイ１３３６２、１３３６４のうちの１つを使用して、遠隔コマンドコンソール１３３７０から離れてロボット１３３７２を操作することができる。滅菌野内の複数の二次ディスプレイ１３３６２、１３３６４により、外科医１３３７１は、外科処置及びその中で利用されるロボットツールの制御のための重要な情報を見失うことなく、遠隔コマンドコンソール１３３７０から離れることができる。
【０３０２】
インタラクティブ二次ディスプレイ１３３６２、１３３６４により、臨床医は、ロボット１３３７２の制御を維持しながら、遠隔コマンドコンソール１３３７０から離れて滅菌野に入ることができる。例えば、インタラクティブ二次ディスプレイ１３３６２、１３３６４により、臨床医は、電動ハンドヘルド式外科用器具１３３６６及びロボット外科用システムの同時的な協働的かつ／又は協調的な制御を維持することができる。様々な例において、情報は、ロボット外科用システムと、１つ又は２つ以上の電動ハンドヘルド式外科用器具１３３６６と、外科用ハブ１３３８０、１３３８２と、インタラクティブ二次ディスプレイ１３３６２、１３３６４との間で伝送される。このような情報は、例えば、ロボット外科用システム及び／若しくは電動ハンドヘルド式外科用器具のディスプレイ上の画像、ロボット外科用システム及び／若しくは電動ハンドヘルド式外科用器具のパラメータ、並びに／又はロボット外科用システム及び／若しくは電動ハンドヘルド式外科用器具の制御コマンドを含んでもよい。
【０３０３】
様々な例において、ロボット外科用システムの制御ユニット（例えばロボット外科用システム１３１１０の制御ユニット１３１１３）は、少なくとも１つの表示要素を外科医のコマンドコンソール（例えば、コンソール１３１１６）からインタラクティブ二次ディスプレイ（例えば、ディスプレイ１３１３０）に伝送するように構成されている。換言すれば、外科医のコンソールにおける表示の一部分は、インタラクティブ二次ディスプレイの表示上で再現され、ロボットディスプレイをインタラクティブ二次ディスプレイと統合させる。インタラクティブ二次ディスプレイの表示上でロボットディスプレイを再現することにより、臨床医は、そこに表示される視覚画像を見失うことなく、遠隔コマンドコンソールから離れることができる。例えば、インタラクティブ二次ディスプレイ１３３６２、１３３６４のうちの少なくとも１つは、ロボットディスプレイ及び／又は外科医のコマンドコンソール１３３７０からの情報などのロボットからの情報を表示することができる。
【０３０４】
様々な例において、インタラクティブ二次ディスプレイ１３３６２、１３３６４は、ロボット外科用システムの少なくとも１つの動作パラメータを制御及び／又は調整するように構成されている。このような制御が、自動的に及び／又は臨床医入力に応答して発生してもよい。臨床医は、インタラクティブ二次ディスプレイ１３３６２、１３３６４上のタッチ感知スクリーン及び／又はボタンとの相互作用によって、１つ又は２つ以上のロボットツールの動き及び／又は機能を制御するコマンドを入力することができる。例えば、ハンドヘルド式外科用器具１３３６６を利用する場合、臨床医はロボットツール１３３７４を異なる位置に動かすことを望む場合がある。ロボットツール１３３７４を制御するために、臨床医はインタラクティブ二次ディスプレイ１３３６２、１３３６４に入力を行い、インタラクティブ二次ディスプレイ１３３６２、１３３６４はそれぞれ、ロボットハブ１３３８０内のロボット外科用システムの制御ユニットに臨床医入力を伝送する。
【０３０５】
様々な例において、ロボット外科用システムの遠隔コマンドコンソール１３３７０のところにいる臨床医は、１つ又は２つ以上のインタラクティブ二次ディスプレイ１３３６２、１３３６４上の臨床医入力によって開始された任意のロボットコマンドを手動でオーバーライドすることができる。例えば、臨床医入力が１つ又は２つ以上のインタラクティブ二次ディスプレイ１３３６２、１３３６４から受信されると、遠隔コマンドコンソール１３３７０のところにいる臨床医がコマンドを発して所望の機能を実行させることを可能としてもよく、又は、臨床医が遠隔コマンドコンソール１３３７０と対話してコマンドをオーバーライドし、コマンドが発行されることを禁止してもよい。
【０３０６】
特定の例において、滅菌野内の臨床医は、ロボット１３３７２及び／又はこれに取り付けられたロボットツール１３３７４を制御するための許可を要求することが必要であってもよい。遠隔コマンドコンソール１３３７０の外科医１３３７１は、臨床医の要求を承諾又は拒否することができる。例えば、外科医は、ハンドヘルド式外科用器具を操作している、及び／又はインタラクティブ二次ディスプレイ１３３６２、１３３６４と対話している別の臨床医によって許可が要求されていることを示すポップアップ又は他の通知を受信してもよい。
【０３０７】
様々な例において、ロボット外科用システム１３０００（図２３）、１３４００（図２４）、１３１５０（図３０）、１３１００（図３２）、及び／又は外科用ハブ１３３８０、１３３８２などのロボット外科用システムのプロセッサには、例えば、ロボット外科用システムの事前に承認された機能がプログラムされている。例えば、インタラクティブ二次ディスプレイ１３３６２、１３３６４からの臨床医入力が事前に承認された機能に対応している場合、ロボット外科用システムは、インタラクティブ二次ディスプレイ１３３６２、１３３６４がロボット外科用システムを制御することを可能にし、かつ／又はインタラクティブ二次ディスプレイ１３３６２、１３３６４がロボット外科用システムを制御することを禁止しない。インタラクティブ二次ディスプレイ１３３６２、１３３６４からの臨床医入力が予め承認された機能に対応していない場合、インタラクティブ二次ディスプレイ１３３６２、１３３６４は、ロボット外科用システムに所望の機能を実行するように指示することができない。一例では、ロボットハブ１３３７０及び／又は外科用ハブ１３３８２内の状況認識モジュールは、インタラクティブ二次ディスプレイがいつロボット外科用システムに対する制御動作を発することができるのかを規定及び／又はこれに影響を与えるように構成されている。
【０３０８】
様々な例において、インタラクティブ二次ディスプレイ１３３６２、１３３６４は、ロボット外科用システムの一部分と接触すると、ロボット外科用システムのこの部分を制御する。例えば、インタラクティブ二次ディスプレイ１３３６２、１３３６４がロボットツール１３３７４と接触すると、接触したロボットツール１３３７４の制御がインタラクティブ二次ディスプレイ１３３６２、１３３６４に許可される。臨床医は次に、インタラクティブ二次ディスプレイ１３３６２、１３３６４上のタッチ感知スクリーン及び／又はボタンを利用して、接触したロボットツール１３３７４の動き及び／又は機能を制御するコマンドを入力することができる。この制御スキームにより、臨床医はロボットアームの位置を変えたり、ロボットツールをリロードしたり、他の方法でロボット外科用システムを再構成したりすることができる。上記と同様の方法で、ロボット外科用システムの遠隔コマンドコンソール１３３７０のところにいる臨床医１３３７１は、インタラクティブ二次ディスプレイ１３３６２、１３３６４によって開始された任意のロボットコマンドを手動でオーバーライドすることができる。
【０３０９】
一態様では、ロボット外科用システムは、本明細書で説明するように、プロセッサと、プロセッサに通信可能に結合されたメモリとを含む。本明細書で説明するように、メモリは、コンソールから第１のユーザ入力を受信し、ロボット外科用ツールの機能を制御するためのモバイル無線制御モジュールから第２のユーザ入力を受信するための、プロセッサによって実行可能な命令を記憶している。
【０３１０】
様々な態様では、本開示は、本明細書で説明するように、コンソールから第１のユーザ入力を受信し、ロボット外科用ツールの機能を制御するためのモバイル無線制御モジュールから第２のユーザ入力を受信するための制御回路を提供する。様々な態様では、本開示は、本明細書で説明するように、実行されると、機械に、コンソールから第１のユーザ入力を受信させ、ロボット外科用ツールの機能を制御するためのモバイル無線制御モジュールから第２のユーザ入力を受信させるためのコンピュータ可読命令を記憶している非一時的コンピュータ可読媒体を提供する。
【０３１１】
ロボット外科用システムは、外科処置中に臨床医を支援するように構成された複数のロボットアームを含んでもよい。各ロボットアームは、他のロボットアームとは独立して動作可能であってもよい。ロボットアームのそれぞれが独立して動作しているため、ロボットアーム間にコミュニケーションの欠如が存在する可能性があり、組織の外傷のリスクを増大させる可能性がある。例えば、１つのロボットアームが、第２のロボットアームによって加えられるように構成された力よりも強く、かつこれとは異なる方向の力を加えるように構成されているシナリオでは、組織外傷が生じ得る。例えば、第２のロボットアームが組織を適所にしっかりと保持するように構成されている一方で、第１のロボットアームが強力な後退力を組織に加えると、組織の外傷及び／又は引き裂きが起こり得る。
【０３１２】
様々な例において、１つ又は２つ以上のセンサがロボット外科用システムの各ロボットアームに取り付けられている。１つ又は２つ以上のセンサは、ロボットアームの動作中に周囲組織に加えられる力を感知するように構成されている。このような力は、例えば、保持力、後退力及び／又は牽引力を含み得る。各ロボットアームからのセンサは、検出された力の大きさ及び方向をロボット外科用システムの制御ユニットに伝送するように構成されている。制御ユニットは、手術部位における組織への外傷を引き起こすことを回避するために、伝送された力を分析し、最大負荷の限界値を設定するように構成されている。例えば、制御ユニットは、第２のロボットアームによって加えられる後退力又は牽引力が増加した場合、第１のロボットアームによって加えられる保持力を最小限に抑えることができる。
【０３１３】
図３９は、制御ユニット１３８２０及びロボット１３８１０を含むロボット外科用システム１３８００を示す。ロボット外科用システム１３８００は、例えばロボット１３００２（図２３）を含むロボット外科用システム１３０００と多くの点で類似している。制御ユニット１３８２０は、プロセッサ１３８２２及びディスプレイ１３８２４を含む。ロボット１３８１０は、様々な外科的機能を実行するように構成された２つのロボットアーム１３８３０、１３８４０を含む。ロボットアーム１３８３０、１３８４０のそれぞれは、独立して動作可能であり、ロボット外科用システム１３８００の制御エンベロープを画定する空間内で自由に動くことができる。１つ又は２つ以上のロボットアーム１３８３０、１３８４０は、例えば、ステープラ、高周波（ＲＦ）ツール、超音波ブレード、把持具、及び／又は切断器具などのツールを受け入れるように構成されている。他の好適な外科用ツールを使用してもよい。様々な例において、ロボットアーム１３８３０、１３８４０はそれぞれ、異なる機能を実行するように構成された異なるツールを含む。他の例では、ロボットアーム１３８３０、１３８４０の全てが同じツールを含むが、あらゆる好適な構成を使用してよい。
【０３１４】
第１のロボットアーム１３８３０は、第１の駆動器１３８３４及び第１のモータ１３８３６を含む。第１のモータ１３８３６は、プロセッサ１３８２２によって起動されると、第１のロボットアーム１３８３０の対応する構成要素を作動させる第１の駆動器１３８３４を駆動する。第２のロボットアーム１３８４０は、第２の駆動器１３８４４及び第２のモータ１３８４６を含む。第２のモータ１３８４６は、プロセッサ１３８２２によって起動されると、第２のロボットアーム１３８４０の対応する構成要素を作動させる第２の駆動器１３８４４を駆動する。
【０３１５】
ロボットアーム１３８３０、１３８４０のそれぞれは、制御ユニット１３８２０のプロセッサ１３８２２と信号通信を行うセンサ１３８３２、１３８４２を含む。センサ１３８３２、１３８４２は、それぞれ駆動器１３８３４、１３８４４上、及び／又はそれぞれモータ１３８３６、１３８４６上に配置することができる。様々な例において、センサ１３８３２、１３８４２は、ロボット外科用システム１３８００の制御エンベロープ内のロボットアーム１３８３０、１３８４０それぞれの位置を検出するように構成されている。センサ１３８３２、１３８４２は、ロボット外科用システム１３８００のプロセッサ１３８２２に検出された位置を伝送するように構成されている。様々な例において、ロボットアーム１３８３０、１３８４０の位置は、制御ユニット１３８２０のディスプレイ１３８２４上に表示される。以下でより詳細に記載するように、様々な例において、プロセッサ１３８２２は、例えば、組織外傷及びロボット外科用システム１３８００への損傷を回避するために、各ロボットアーム１３８３０、１３８４０に固有の位置限界を実装するためのアルゴリズムを実行するように構成されている。そのような位置限界は、臨床医がロボット外科用システム１３８００の多数のロボットアーム１３８３０、１３８４０を同時に協働的に操作する能力を増大させることができる。
【０３１６】
様々な例において、センサ１３８３２、１３８４２は、各ロボットアーム１３８３０、１３８４０によって加えられる力を検出するように構成されている。センサ１３８３２、１３８４２は、トルクセンサであってもよい。上述のように、ロボット外科用システム１３８００の各ロボットアーム１３８３０、１３８４０は、独立して動作可能である。特定の外科処置の間、臨床医は、ロボットアーム１３８３０、１３８４０毎に異なる外科的機能を実行することを望む場合がある。各センサ１３８３２、１３８４２は、各ロボットアーム１３８３０、１３８４０によって加えられる力を検出すると、検出された力をプロセッサ１３８２２に伝送するように構成されている。次いで、プロセッサ１３８２２は、伝送された情報を分析し、例えば組織外傷を引き起こすリスクを低減するために、各ロボットアーム１３８３０、１３８４０の最大及び／又は最小の力限界を設定するように構成されている。加えて、プロセッサ１３８２２は、各ロボットアーム１３８３０、１３８４０によって加えられる力を継続的に監視し、加えられる力の方向及び大きさに基づいて、各ロボットアーム１３８３０、１３８４０を互いに対して比例的に制御するように構成されている。例えば、２つのロボットアーム１３８３０、１３８４０間の反対向きの力を測定し、最大力限界未満に維持してもよい。反対向きの力を最大力限界未満に維持するためには、力のうちの少なくとも１つを低減させてもよいが、その結果、ロボットアーム１３８３０、１３８４０が変位する場合がある。
【０３１７】
例として、図４０は、手術部位と、図３９にも概略的に示されているロボットアーム１３８３０及び１３８４０に加えてロボットアーム１３８５０（第３のロボットアーム）を含む３つのロボットアームを含む外科用システム１３８００の一部分とを示している。第１のロボットアーム１３８３０は、胃結合組織の一部分を保持するように構成されている。第１のロボットアーム１３８３０は、胃結合組織の一部を保持するために、上向きの力ＦＨ１を加える。第２のロボットアーム１３８４０は、組織に牽引力及び／又は切断力ＦＤ２を加える。同時に、第３のロボットアーム１３８５０は、肝組織の一部を現在の外科的切断位置から後退させ、次の外科的切断位置を更に露出させる。前進している第２のロボットアーム１３８４０の邪魔にならないよう肝組織の一部分を動かすために、第３のロボットアーム１３８５０は、第２のロボットアーム１３８４０から離れるように後退力ＦＲ３を加える。様々な例示では、第２のロボットアーム１３８４０が手術部位内に更に前進するのに伴い、ロボット外科用システムの制御ユニットは、第３のロボットアーム１３８５０に対し、加える後退力ＦＲ３を増加させて、次の外科的切断位置の露出を継続するように指示する。図４０は、特定の外科処置及び特定のロボットアームを描写しているが、任意の好適な外科的処置を実行することができ、ロボットアームのあらゆる好適な組み合わせが、本明細書に開示される制御アルゴリズムを利用することができる。
【０３１８】
図４１は、上で詳述した特定の外科的処置から、図４０のロボットアーム１３８３０、１３８４０及び１３８５０によって加えられる力、並びにロボットアーム１３８３０、１３８４０及び１３８５０それぞれの相対位置のグラフ表示１３８５２、１３８５４を示す。図４１のグラフ表示１３８５２は、ある期間にわたって各ロボットアーム１３８３０、１３８４０及び１３８５０によって加えられる力を表し、一方、グラフ表示１３８５４は、同じ期間にわたる各ロボットアーム１３８３０、１３８４０及び１３８５０の相対位置を表す。上述のように、第１のロボットアーム１３８３０は、胃結合組織の一部に保持力ＦＨ１を加えるように構成されている。保持力ＦＨ１は、グラフ１３８５２、１３８５４上に実線で表されている。第２のロボットアーム１３８４０は、胃結合組織上に牽引力及び／又は切断力ＦＤ２を加えるように構成されている。牽引力ＦＤ２は、グラフ１３８５２、１３８５４上に破線で表されている。第３のロボットアーム１３８５０は、肝組織の一部に後退力ＦＲ３を加えるように構成されている。後退力ＦＲ３は、グラフ１３８５２、１３８５４上に点線で表されている。
【０３１９】
様々な例において、ロボット外科用システムの制御ユニットは、グラフ表示１３８５２に示されるように、最大力閾値などの少なくとも１つの力閾値を課す。したがって、第３のロボットアーム１３８５０が最大後退力閾値よりも大きい後退力ＦＲ３を加えることが防止される。そのような最大力限界は、例えば、組織の外傷を回避するため、及び／又は様々なロボットアーム１３８３０、１３８４０及び１３８５０への損傷を回避するために課される。
【０３２０】
加えて又は代わりに、ロボット外科用システム１３８００の制御ユニット１３８２０は、グラフ表示１３８５２に示されるように、最小力閾値などの少なくとも１つの力閾値を課すことができる。図示された例では、第１のロボットアーム１３８３０が最小保持力閾値未満の保持力ＦＨ１を加えることが防止される。このような最小力限界は、例えば、適切な組織張力及び／又は手術部位の視認性を維持するために課される。
【０３２１】
様々な例において、ロボット外科用システム１３８００の制御ユニット１３８２０は、負荷制御モード中に様々なロボットアーム間で検出される最大の力の差を課す。最大の力の差を設定するために、ロボット外科用システムの制御ユニット１３８２０は、ロボットアームによる反対向きの力の大きさ及び方向の差を継続的に監視するように構成されている。上述のように、第１のロボットアーム１３８３０は、保持力ＦＨ１を加えることによって、胃結合組織の一部分を保持するように構成されている。第２のロボットアーム１３８４０は、第１のロボットアーム１３８３０によって加えられる保持力ＦＨ１とは反対向きの牽引力ＦＤ２を加えるように構成されている。様々な例において、最大の力の差により、ロボットアーム１３８３０、１３８４０、１３８５０の間に挟まれた物体の不注意による過負荷や損傷が防止される。このような物体には、例えば、周囲の組織並びに／又は、クラスプ、胃バンド及び／若しくは括約筋補強装置などの外科用構成要素が挙げられる。Ｆｍａｘ ｏｐｐｏｓｉｎｇは、この特定の例示において、制御ユニット１３８２０によって設定された最大の力の差を表す。
【０３２２】
グラフ表示１３８５２に見られるように、保持力ＦＨ１及び牽引力ＦＤ２は、いずれも外科処置の開始時に大きさが増加する。そのような大きさの増加は、組織の引っ張りを示している可能性がある。保持力ＦＨ１及び牽引力ＦＤ２は、反対向きの力の間の差がＦｍａｘ ｏｐｐｏｓｉｎｇと等しくなる点まで反対方向に増加する。グラフ表示１３８５２は、Ｆｍａｘ ｏｐｐｏｓｉｎｇに達した時点を斜線で強調している。Ｆｍａｘ ｏｐｐｏｓｉｎｇに達すると、プロセッサ１３８２２は、第１のロボットアーム１３８３０に保持力ＦＨ１を低下させるように指示して、引き続き第２のロボットアーム１３８４０が同じ値で牽引力ＦＤ２を発揮できるようにし、また臨床医が牽引力を増加させることを可能にしてもよい。様々な例において、Ｆｍａｘ ｏｐｐｏｓｉｎｇの値は、手術の種類及び／又は関連する患者の人口統計などの様々な変数に基づいて、プロセッサ１３８２２によって設定される。様々な例において、Ｆｍａｘ ｏｐｐｏｓｉｎｇは、プロセッサ１３８２２のメモリに記憶されたデフォルト値である。
【０３２３】
手術部位内のロボットアーム１３８３０、１３８４０及び１３８５０の相対位置は、図４１のグラフ表示１３８５４に示されている。第１のロボットアーム１３８３０が胃結合組織に保持力ＦＨ１を加え、第３のロボットアーム１３８５０が肝組織に後退力ＦＲ３を加えると、手術部位が明確になり、第２のロボットアーム１３８４０が所望の組織上に牽引力及び／又は切断力ＦＤ２を加えることが可能となる。第２のロボットアーム１３８４０及び第３のロボットアーム１３８５０は、処置が進行するにつれて、第１のロボットアーム１３８３０から更に離れていく。保持力ＦＨ１と牽引力ＦＤ２との間の力の差がＦｍａｘ ｏｐｐｏｓｉｎｇに達すると、第１のロボットアーム１３８３０は第２のロボットアーム１３８４０に近づき、第１のロボットアーム１３８３０によって加えられる保持力ＦＨ１が減少する。一態様では、プロセッサ１３８２２は、第１のロボットアーム１３８３０の位置が一定に保持されるように、第１のロボットアーム１３８３０を負荷制御モードから位置制御モードに移行させることができる。図４１のグラフ表示に示されるように、第１のロボットアーム１３８３０が一定の位置に保持されていると、第２のロボットアーム１３８４０の力制御は、第２のロボットアーム１３８４０を変位させ続けることができる。
【０３２４】
様々な場合において、ロボット外科用システムの制御ユニット１３８２０は、第１のロボットアーム１３８３０と第２のロボットアーム１３８４０との間の所定の力閾値に達するまで特定の位置を保持するように、第１のロボットアーム１３８３０に指示する。所定の力閾値に達すると、第１のロボットアーム１３８３０は、所定の力閾値を維持するために、第２のロボットアーム１３８４０と共に自動的に動くように構成されている。第１のロボットアーム１３８３０は、第２のロボットアーム１３８４０の検出された力が所定の力閾値を維持しなくなると、動きを停止する（又は異なる速度で移動してもよい）。
【０３２５】
様々な例において、ロボット外科用システムの制御ユニット１３８２０は、ロボットアーム１３８３０、１３８４０及び１３８５０によって検出された条件に応じて、位置制御モードと負荷制御モードとの間で切り替わるように構成されている。例えば、ロボット外科用システム１３８００の第１のロボットアーム１３８３０及び第２のロボットアーム１３８４０が、手術部位全体にわたって自由に動いている場合、制御ユニット１３８２０は、各アーム１３８３０、１３８４０が加えることの可能な最大力を課してもよい。様々な例において、第１のアーム１３８３０及び第２のアーム１３８４０はそれぞれ、抵抗を検出するように構成されたセンサを含む。他の例では、センサは、インテリジェントな外科用ステープラ又はジョー付きツールなどの外科用ツール上に配置することができる。組織及び／又は他の外科器具と接触すると、抵抗に遭遇する可能性がある。このような抵抗が検出されると、制御ユニット１３８２０は、負荷制御モードを起動し、例えば組織への損傷を低減するために、ロボットアーム１３８３０、１３８４０のうちの１つ及び／又は２つ以上によって加えられる力を低下させてもよい。様々な例において、制御ユニット１３８２０は、位置制御モードを起動し、ロボットアーム１３８３０、１３８４０のうちの１つ及び／又は２つ以上を、そのような抵抗が検出されない位置まで動かしてもよい。
【０３２６】
一態様では、制御ユニット１３８２０のプロセッサ１３８２２は、ロボットアーム１３８３０、１３８４０のうちの１つに取り付けられた外科用ツールが定められた手術空間の外に移動すると、負荷制御モードから位置制御モードに切り替わるように構成されている。例えば、ロボットアーム１３８３０、１３８４０のうちの１つが、手術部位の周囲の定められた境界から外に移動した場合、器官若しくは他の組織と当接接触した場合、又は別の外科用装置に近づきすぎた場合に、プロセッサ１３８２２は、位置制御モードに切り替わり、ロボットアーム１３８３０、１３８４０の更なる動きを防止し、及び／又はロボットアーム１３８３０、１３８４０を定められた手術空間内へと戻してもよい。
【０３２７】
ここで図４２に示すフローチャートを参照すると、アルゴリズム１３５００が工程１３５０１で開始され、工程１３５０５で臨床医及び／又はロボット外科用システムがロボットアームのうちの１つ又は２つ以上を起動させる。アルゴリズム１３５００は、例えば、図３９のロボット外科用システム１３８００によって使用することができる。各ロボットアームは、ロボット外科用システムのプロセッサ１３８２２と信号通信を行う。各ロボットアームは、起動後にプロセッサに情報を送信するように構成されている。様々な例において、情報は、例えば、ツールアタッチメントの識別及び／又は起動されたロボットアームの初期位置を含んでもよい。様々な例において、そのような情報は、ロボットアームへのツールの取り付け時、ロボット外科用システムによるロボットアームの起動時、及び／又はプロセッサによるロボットアームへの呼掛け後に自動的に伝送されるが、情報はあらゆる好適な時点で送信されてよい。更に、情報は、自動的に及び／又は呼掛け信号に応答して送信されてもよい。
【０３２８】
プロセッサは、工程１３５１０で起動されたロボットアームのそれぞれから収集された情報に基づいて、工程１３５１５でロボット外科用システムの作業エンベロープ内の位置限界を各特定のロボットアームに設定するように構成されている。位置限界が、各ロボットアームが移動できる場所の三次元境界を設定してもよい。位置限界の設定により、例えば、周囲の組織への外傷、及び／又は起動されたロボットアーム間の衝突を防止しながら、起動された各ロボットアームを効率的かつ協働的に使用することができる。様々な例において、プロセッサは、各位置限界の定義を支援するために記憶されたデータのセットを含むメモリを含む。記憶されたデータは、例えば、特定の外科処置、ロボットツールアタッチメント、及び／又は関連する患者の人口統計に固有であってもよい。様々な例において、臨床医は、起動された各ロボットアームの位置限界の定義を支援してもよい。プロセッサは、工程１３５２０でロボットアームがまだ起動されているか否かを判定するように構成されている。プロセッサがロボットアームがもはや起動されていないと判定した場合、プロセッサは、工程１３５２２で位置監視を終了するように構成されている。プロセッサがロボットアームがまだ起動されていると判定すると、プロセッサは、工程１３５２５で起動されている各ロボットアームの位置を監視するように構成されている。
【０３２９】
次いで、プロセッサは、工程１３５３０で検出された位置が所定の位置限界内にあるか否かを評価するように構成されている。ロボットアームから情報を収集できず、臨床医の入力がない場合には、工程１３５３３でデフォルトの位置限界が割り当てられる。そのようなデフォルトの位置限界は、例えば、組織外傷及び／又はロボットアーム間の衝突を最小限に抑える保護的な三次元境界を割り当てる。検出された限界が位置限界内にある場合、プロセッサは、工程１３５３５でロボットアームが所定の位置に留まること及び／又は手術部位内を自由に移動することを可能にするように構成されており、監視プロセスはロボットアームが起動されている限り継続する。検出された限界が位置限界の外にある場合、プロセッサは、工程１３５３２でロボットアームを位置限界内に戻すように構成されており、監視プロセスはロボットアームが起動されている限り継続する。
【０３３０】
プロセッサは、工程１３５２５で各ロボットアームの位置を継続的に監視するように構成されている。様々な例において、プロセッサは、所定の時間間隔で呼掛け信号を繰り返し送信するように構成されている。上述のように、検出された位置が特定のロボットアームに設定された位置限界を超えている場合、特定の例では、プロセッサは、工程１３５３２でロボットアームを三次元境界内に自動的に戻すように構成されている。特定の例では、プロセッサは、１つのロボットアームがその元の位置限界を超えたことに応答して、他のロボットアームの位置限界を再調整するように構成されている。特定の例では、プロセッサは、ロボットアームをその位置限界内に戻す前、及び／又は他のロボットアームの位置限界を調整する前に、臨床医に警告するように構成されている。検出された位置がロボットアームに設定された位置限界内にある場合、プロセッサは、工程１３５３５で、ロボットアームが同じ位置に留まること、及び／又は検出された位置が位置限界を超えるまで自由に移動することを許可する。プロセッサがロボットアームの位置を検出できない場合、プロセッサは、臨床医に警告し、かつ／又は工程１３５３３でロボットアームにデフォルトの位置限界を割り当てるように構成されている。プロセッサは、手術が完了するまで、及び／又はロボットアームが停止されるまで、各ロボットアームの位置を監視するように構成されている。
【０３３１】
図４２のアルゴリズムと同様に、図４３のフローチャートは、アルゴリズム１３６００が工程１３６０１で開始され、工程１３６０５で臨床医及び／又はロボット外科用システムがロボットアームのうちの１つ又は２つ以上を起動させることを示している。アルゴリズム１３６００は、例えば、図３９のロボット外科用システム１３８００によって使用されてもよい。各ロボットアームは、プロセッサと信号通信を行う。各ロボットアームは、起動後に工程１３６１０でプロセッサに情報を送信するように構成されている。様々な例において、情報は、例えば、ツールアタッチメントの識別、ロボットアーム上の１つ又は２つ以上の力センサによって検出される加えられた力、及び／又は起動されたロボットアームの初期位置を含んでもよい。様々な例において、そのような情報は、ロボットアームへのツールの取り付け時、ロボット外科用システムによるロボットアームの起動時、及び／又はプロセッサによるロボットアームへの呼掛け後に自動的に伝送されるが、情報はあらゆる好適な時点で送信されてよい。更に、情報は、自動的に及び／又は呼掛け信号に応答して送信されてもよい。
【０３３２】
起動されたロボットアームのそれぞれから収集された情報に基づいて、プロセッサは、工程１３６１５において、各特定のロボットアームに力限界を設定するように構成されている。力限界は、各ロボットアームによって加えられる力に対する最大力閾値及び最小力閾値を設定する。加えて又は代わりに、力限界は、２つ以上のアーム間の最大の力の差であってもよい。力限界の設定により、例えば、周囲の組織への外傷及び／又はロボットアームへの損傷を防止しながら、起動されたロボットアーム全てを効率的かつ協働的に使用することができる。様々な例において、プロセッサは、各力限界の定義を支援するために記憶されたデータのセットを含むメモリを含む。記憶されたデータは、例えば、特定の外科処置、ロボットツールアタッチメント、及び／又は関連する患者の人口統計に固有であってもよい。様々な例において、臨床医は、起動された各ロボットアームの力限界の定義を支援してもよい。ロボットアームから情報を収集できず、臨床医の入力がない場合には、デフォルトの力限界が割り当てられる。そのようなデフォルトの力限界は、例えば、組織外傷及び／又はロボットアームへの損傷を最小限に抑える保護的な最大力閾値及び最小力閾値を割り当てる。
【０３３３】
プロセッサは、工程１３６２０でロボットアームが起動されているか否かを判定するように構成されている。プロセッサがロボットアームが停止されていると判定した場合、プロセッサは、工程１３６２２で力監視を終了するように構成されている。工程１３６２０でロボットアームがまだ起動されていると判定されると、プロセッサは、工程１３６２５で各ロボットアームによって加えられる力を継続的に監視するように構成されている。様々な例において、プロセッサは、所定の時間間隔で呼掛け信号を繰り返し送信するように構成されている。検出された力が特定のロボットアームに設定された最大力閾値を超えている場合、特定の例では、プロセッサは、工程１３６３２でロボットアームによって加えられる力を自動的に低減させ、及び／又は別のロボットアームによって加えられる反対向きの力を減少させるように構成されている。特定の例では、プロセッサは、１つのロボットアームがその元の力限界を超えたことに応答して、他のロボットアームに割り当てられた力限界を再調整するように構成されている。特定の例では、プロセッサは、ロボットアームによって加えられる力を調整する前、別のロボットアームによって加えられる反対向きの力を調整する前、及び／又は他のロボットアームの力限界を調整する前に、臨床医に警告するように構成されている。検出された力がロボットアームに設定された力限界内にある場合、工程１３６３５でロボットアームは力の印加を維持することが許可され、及び／又は臨床医は、力が設定された力限界から外れるまで、加えられる力を増加又は減少させることができる。ロボットアームによって加えられる力をプロセッサが検出できない場合、プロセッサは、臨床医に警告し、かつ／又は工程１３６３３でロボットアームにデフォルトの力限界を割り当てるように構成されている。プロセッサは、手術が完了するまで、及び／又はロボットアームが工程１３６２０で停止されるまで、各ロボットアームによって加えられる力を監視するように構成されている。
【０３３４】
図４２及び図４３のアルゴリズムと同様に、図４４のフローチャートは、１３７０１で開始され、臨床医及び／又はロボット外科用システムがロボットアーム１３７０５のうちの１つ又は２つ以上を起動させる、アルゴリズム１３７００を示している。アルゴリズム１３７００は、例えば、図３９のロボット外科用システム１３８００によって使用されてもよい。各ロボットアームは、プロセッサと信号通信を行う。各ロボットアームは、起動後に工程１３７１０でプロセッサに情報を送信するように構成されている。様々な例において、情報は、例えば、ツールアタッチメントの識別、ロボットアーム上の１つ又は２つ以上の力センサによって検出される力、及び／又は起動されたロボットアームの初期位置を含んでもよい。様々な例において、そのような情報は、ロボットアームへのツールの取り付け時、ロボット外科用システムによるロボットアームの起動時、及び／又はプロセッサによるロボットアームへの呼掛け後に自動的に伝送されるが、情報はあらゆる好適な時点で送信されてよい。様々な例において、情報は、自動的に及び／又は呼掛け信号に応答して送信される。
【０３３５】
プロセッサは、起動されたロボットアームの全てから収集された情報に基づいて、工程１３７１５で、ロボット外科用システムの作業用エンベロープ内の位置限界及び力限界の両方を各特定のロボットアームに設定するように構成されている。位置限界は、各ロボットアームが移動することができる場所の三次元境界を設定する。位置限界の設定により、例えば、周囲の組織への外傷や、起動されたロボットアーム間の衝突を防止しながら、起動されたロボットアーム全てを効率的かつ協働的に使用することができる。力限界は、各ロボットアームによって加えられる力に対する最大力閾値及び／又は最小力閾値を設定する。加えて又は代わりに、力限界は、２つ以上のアーム間の最大の力の差であってもよい。力限界の設定により、例えば、周囲の組織への外傷及び／又はロボットアームへの損傷を防止しながら、起動されたロボットアームを効率的かつ協働的に使用することができる。
【０３３６】
様々な例において、プロセッサは、各位置限界及び力限界の定義を支援するために記憶されたデータのセットを含むメモリを含む。記憶されたデータは、例えば、特定の外科処置、ロボットツールアタッチメント、及び／又は関連する患者の人口統計に固有であってもよい。様々な例において、臨床医は、起動された各ロボットアームの位置限界及び力限界の定義を支援してもよい。ロボットアームから情報を収集できず、臨床医の入力がない場合には、デフォルトの位置限界及び／又はデフォルトの力限界がロボットアームに割り当てられる。そのようなデフォルトの位置限界は、例えば、組織外傷及び／又はロボットアーム間の衝突を最小化する保護的な三次元境界を割り当て、一方、デフォルトの力限界は、例えば、組織外傷及び／又はロボットアームへの損傷を最小限に抑える保護的な最大閾値及び／又は最小力閾値を割り当てる。様々な場合において、プロセッサは、１つのロボットアームの位置限界を別のロボットアームの力限界に基づいて調整し、１つのロボットアームの力限界を別のロボットアームの位置限界に基づいて調整するよう構成され、逆もまた同様である。
【０３３７】
プロセッサは、工程１３７２０で、ロボットアームが起動されているか否かを判定するように構成されている。プロセッサが工程１３７２０でロボットアームが起動されていると判定すると、プロセッサは、工程１３７２５で、各アーム１３７３７の位置及び各ロボットアームによって加えられる力を継続的に監視するように構成されている。ロボットアームがもはや起動されていない場合、プロセッサは、工程１３７２７で位置監視を終了し、工程１３７２２で力監視を終了するように構成されている。様々な例において、プロセッサは、所定の時間間隔で呼掛け信号を繰り返し送信するように構成されている。検出された位置が特定のロボットアームに設定された位置限界を超えている場合、いくつかの例では、プロセッサは、工程１３７４２でロボットアームを三次元境界内に自動的に戻すように構成されている。特定の例では、プロセッサは、ロボットアームをその位置限界内に戻す前に、臨床医に警告するように構成されている。検出された位置がロボットアームに設定された位置限界内にある場合、ロボットアームは、工程１３７４５で、同じ位置に留まること、及び／又は検出された位置が位置限界を超えるまで自由に移動することを許可される。プロセッサがロボットアームの位置を検出できない場合、プロセッサは、臨床医に警告し、かつ／又は工程１３７４３でロボットアームの元の位置限界をデフォルトの位置限界に書き換えるように構成されている。プロセッサは、手術が完了するまで、及び／又はロボットアームが停止されるまで、各ロボットアームの位置を監視するように構成されている。
【０３３８】
特定の例では、ロボット外科用システムは、各ロボットアームの位置を制御するように構成された手動オーバーライドを含む。検出された力が特定のロボットアームに設定された最大力閾値を超えている場合、特定の例では、プロセッサは、工程１３７３２でロボットアームによって加えられる力を自動的に低減させ、及び／又は別のロボットアームによって加えられる反対向きの力を減少させるように構成されている。特定の例では、プロセッサは、ロボットアームによって加えられる力を低減させる前及び／又は別のロボットアームによって加えられる反対向きの力を低減させる前に、臨床医に警告するように構成されている。検出された力がロボットアームに設定された力限界内にある場合、工程１３７３５で、ロボットアームは力の印加を維持すること、及び／又は力が設定された力限界から外れるまで、加えられる力を増加又は減少させることを許可される。ロボットアームによって加えられる力をプロセッサが検出できない場合、プロセッサは、臨床医に警告し、かつ／又は工程１３７３３でロボットアームの元の力限界をデフォルトの力限界に書き換えるように構成されている。プロセッサは、手術が完了するまで、及び／又はロボットアームが停止されるまで、各ロボットアームによって加えられる力を監視するように構成されている。
【０３３９】
様々な例において、位置監視システムと力監視システムとは相互接続されている。特定の例では、力監視システムは、位置検出工程１３７４０の結果として得られた決定１３７４２、１４７４３、１４７４５をオーバーライドすることができる。特定の例では、位置監視システムは、力検出工程１３７３０の結果として得られた決定１３７３２、１３７３３、１３７３５をオーバーライドすることができる。他の例では、位置監視システムと力監視システムとは、互いに独立している。
【０３４０】
臨床医は、本明細書に記載する自動的な負荷制御モード及び／又は位置制御モードで実施される自動調整を手動でオーバーライドすることができる。手動オーバーライドは、外科用ロボットに対する１回限りの調整であってもよい。他の場合には、手動オーバーライドは、特定の外科的動作、特定の持続時間、及び／又は処置全体のグローバルオーバーライドのために自動負荷モード及び／又は位置モードをオフにする設定であってもよい。
【０３４１】
一態様では、ロボット外科用システムは、本明細書で説明するように、プロセッサと、プロセッサに通信可能に結合されたメモリとを含む。プロセッサは、第１の力センサ及び第２の力センサに通信可能に結合されており、メモリは、本明細書に記載されるように、負荷制御モードで、第１の力センサからの第１の入力及び第２の力センサからの第２の入力に基づいて第１のロボットアーム及び第２のロボットアームの協働運動に影響を及ぼすための、プロセッサによって実行可能な命令を記憶している。
【０３４２】
様々な態様では、本開示は、本明細書に記載されるように、第１のロボットアーム及び第２のロボットアームの協働運動に影響を及ぼす制御回路を提供する。様々な態様では、本開示は、実行されると、本明細書に記載されるように、機械に、第１のロボットアーム及び第２のロボットアームの協働運動に影響を及ぼさせるためのコンピュータ可読命令を記憶している非一時的コンピュータ可読媒体を提供する。
【０３４３】
臨床医は、特定の外科処置の間、ロボット外科用システムに加えて、１つ又は２つ以上の電動ハンドヘルド式外科用器具に依存してもよい。様々な例において、器具は、器具とロボット外科用システムとの間の通信を阻止することの可能な異なるプラットフォームを通じて制御及び監視される。例えば、器具は、異なる製造業者によって、また競合他社によって製造されてもよい。そのような器具は、異なる通信パッケージ、並びに及び／又は通信プロトコル及び／若しくはリンクプロトコルを有してもよい。電動器具とロボット外科用システムとの間の通信の欠如は、協働的かつ／又は協調的な使用を妨げる場合があり、臨床医にとって外科処置を複雑にする可能性がある。例えば、それぞれの外科用器具が、様々な情報及び動作パラメータを伝送するための個々のディスプレイを含む場合がある。このようなシナリオでは、臨床医は、多数の機器固有のディスプレイを見て、各装置によって収集されたデータの動作状態を監視し、分析しなければならない場合がある。
【０３４４】
様々な例において、ロボット外科用システムは、ロボット外科用システム以外のプラットフォームによって制御される他の電動外科用器具の存在を検出するように構成されている。ロボット外科用システムは、ハブ、すなわち、例えば他の電動外科用器具を検出することの可能なロボットハブ１２２（図２）及び２２２（図９）のようなロボットハブを組み込むことができる。他の例では、ロボット外科用システムと通信を行うハブ１０６（図１〜図３）又はハブ２０６（図９）のようなスタンドアロンの外科用ハブが、非ロボット外科用器具の検出や、検出された外科用器具とロボット外科用システムとの協働的かつ／又は協調的な使用を円滑にしてもよい。ロボットハブ又は外科用ハブであり得るハブは、ロボット外科用システムの作業エンベロープに対する電動外科用器具の位置及び向きを表示するように構成されている。特定の例では、作業エンベロープは、例えば、手術室であってもよい。空間認識機能を有する外科用ハブについては、本明細書中、及びその開示全体が参照により本明細書に組み込まれる、「ＩＮＴＥＲＡＣＴＩＶＥ  ＳＵＲＧＩＣＡＬ  ＰＬＡＴＦＯＲＭ」と題する２０１７年１２月２８日出願の米国仮特許出願第６２／６１１，３４１号で更に説明されている。一態様では、ハブは、まず作業エンベロープの境界を確認し、次いで、作業エンベロープ内の他の電動外科用器具の存在を検出することができる。
【０３４５】
図４５は、ロボット外科用システム１３８６５と、外科用器具１３８９０と、外科用ハブ１３８７０と、を含む外科用システム１３８６０を示す。外科用器具１３８９０は、電動ハンドヘルド式器具であり、例えば、図４６に示される電動式リニアステープラなどの電動外科用ステープラであってもよい。外科用器具１３８６５は、例えば、外科用器具１３０００（図２３）に多くの点で類似していてもよい。本明細書に記載されるように、外科用ハブ１３８７０は、例えば、ロボット外科用システム１３８６５に組み込むことができる。外科用ハブ１３８７０は、ロボット外科用システム１３８６５及び外科用器具１３８９０と信号通信を行うように構成されている。他の例では、外科用システム１３８６０は、更なるハンドヘルド式外科用器具を含むことができる。ロボット外科用システム１３８６５は、例えばロボット１３００２と同様であってもよいロボット１３８６１を含む。ロボット外科用システム１３８６５はまた、制御ユニット１３８６２及び外科医のコマンドコンソール、又は遠隔制御モジュール１３８６４も含む。外科医のコマンドコンソール１３８６４は、臨床医入力を受信するように構成されている。制御ユニット１３８６２は、ロボットディスプレイ１３８６８及びプロセッサ１３８６６を含む。外科用器具１３８９０は、ディスプレイ１３８９４及びプロセッサ１３８９２を含む。
【０３４６】
様々な例において、外科用ハブ１３８７０は、可視化システム１０８（図１）のディスプレイと同様であってもよい外科用ハブディスプレイ１３８８０を含む。外科用ハブディスプレイ１３８８０は、例えば、ヘッドアップディスプレイを含むことができる。外科用ハブ１３８８０は、外科用ハブ１３８７０の特定の距離内における外科用器具１３８９０の存在を検出するように構成されている。例えば、外科用ハブ１３８７０は、１つの手術室内における起動された外科用器具１３８９０全ての存在を検出するように構成されているが、あらゆる好適な距離を監視してよい。様々な例において、外科用ハブ１３８７０は、起動された外科用器具１３８９０全ての存在を外科用ハブディスプレイ１３８８０上に表示するように構成されている。
【０３４７】
特定のハンドヘルド式外科用器具は、第１の言語を使用して第１の通信プロセスを介して通信を行う。特定のロボット外科用システムは、第２の言語を使用して第２の通信プロセスを介して通信を行う。様々な例において、第１の通信プロセスは、第２の通信プロセスと同じである。第１の通信プロセスが第２の通信プロセスと同じである場合、外科用器具１３８９０は、情報を外科用ハブ１３８７０及び／又はロボット外科用システム１３８６５に直接伝送するように構成されている。そのような情報は、例えば、外科用器具のモデル番号及び／若しくは種類、外科用器具の位置、外科用器具の動作状態、並びに／又はは外科用器具の任意の他の関連するパラメータを含む。
【０３４８】
様々な例において、第１の通信プロセスは、第２の通信プロセスとは異なる。例えば、第１の製造業者によって開発された外科用システム（例えばロボット）が、第１のプロプライエタリな言語又は通信方式を利用してもよく、第２の製造業者によって開発された外科用システム（例えばハンドヘルド式外科用ツール）が、第２の異なるプロプライエタリな言語又は通信方式を利用してもよい。言語の違い／障壁にもかかわらず、外科用ハブ１３８７０及び／又は外科用ロボット１３８６５は、異なる通信プロセスで動作する外科用器具１３８９０を感知するように構成されている。外科用ハブ１３８７０が特定の電動ハンドヘルド式外科用器具によって利用される通信プロセスを認識しない場合、外科用ハブ１３８７０は、起動された電動ハンドヘルド式外科用器具によって発信されるＷｉ−Ｆｉ及びＢｌｕｅｔｏｏｔｈ伝送などの様々な信号を検出するように構成されている。検出された信号伝送に基づいて、外科用ハブ１３８７０は、ロボット外科用システム１３８６５と同じ通信プロセスを使用しない全ての電動ハンドヘルド式外科用器具を臨床医に警告するように構成されている。新たに検出された電動ハンドヘルド式外科用器具から受信された全てのデータは、新たに検出された電動ハンドヘルド式外科用器具が将来的に外科用ハブ１３８７０によって認識されるように、外科用ハブ１３８７０内に記憶されてもよい。
【０３４９】
様々な例において、外科用ハブ１３８７０は、起動された電動ハンドヘルド式外科用器具がロボット外科用システムなどの別の外科用器具と通信しようとしているか否かにかかわらず、電動ハンドヘルド式外科用器具の存在を、バッテリの磁気の存在、電力使用量及び／又は起動された電動ハンドヘルド式外科用器具から放射される電磁場を感知することによって検出するように構成されている。
【０３５０】
ロボット１３８６１及び外科用器具１３８９０を、図４６の外科処置の一例において図示する。この例示では、外科用器具１３８９０は関節運動式リニアステープラである。図４６に示されるように、外科用器具１３８９０は、そのハンドル１３８９２内にモータ１３８９５を含む。他の例では、外科用器具１３８９０は、外科用器具全体に配置された複数のモータを含んでもよい。モータ１３８９５は、ロボット外科用システム１３８６５又は外科用ハブ１３８７０によって検出され得る電磁場１３８９６を放射するように構成されている。例えば、外科用ハブ１３８７０の主ロボットタワー又はモジュール式制御タワーは、手術室内の電磁場を検出するための受信機を含むことができる。
【０３５１】
一態様では、ロボット外科用システムのプロセッサ（例えば、制御ユニット１３８６２のプロセッサ）は、外科用器具１３８９０の周囲の境界を計算するように構成されている。例えば、プロセッサは、電磁場１３８９６及び対応する種類の外科用器具に基づいて、外科用器具１３８９０の寸法及びその可能な位置範囲を決定することができる。例えば、外科用器具１３８９０が１つ又は２つ以上の関節接合部１３８９１を含む場合、位置範囲が外科用器具１３８９０の関節運動位置を包含してもよい。
【０３５２】
一例では、ロボット外科用システムは、外科用器具の周囲の第１のより広い境界Ｂ２を計算してもよい。ロボット外科用ツールがより広い境界Ｂ２に接近すると、ロボット外科用ツール１３８６１は、ロボット１３８６１に取り付けられたロボット外科用ツールが別の外科用器具１３８９０に接近しているという通知又は警告を外科医に発することができる。特定の例では、外科医がロボット外科用ツールを外科用器具１３８９０に向かって前進させ、第２のより狭い境界Ｂ１に前進させ続けると、ロボット外科用システム１３８６５は、ロボット外科用ツールの前進を停止させることができる。例えば、ロボット外科用ツールがより狭い境界Ｂ１を横切ると、ロボット外科用ツールの前進が停止されてもよい。そのような例では、外科医がより狭い境界Ｂ１内でロボット外科用ツールを前進させ続けることを望む場合、外科医はロボット外科用システム１３８６５のハードストップ機構をオーバーライドすることができる。
【０３５３】
再び図４５を参照すると、外科用システム１３８６０は、複数のディスプレイモニタを含む。各ハンドヘルド式外科用器具１３８９０及びロボット外科用システム１３８６５は、各装置上のディスプレイを表すビデオフィード及び／又は画像フィードを、外科用ハブ１３８７０及び／又はハブディスプレイ１３８８０に伝送するように構成されている。そのようなビデオフィード及び／又は画像フィードは、各ハンドヘルド式外科用器具１３８９０及び／又はロボット外科用システム１３８６５の動作パラメータ及び／又はこれらによって検出された状態を含むことができる。ハブ１３８７０は、システム１３８００を通して１つ又は２つ以上のディスプレイモニタのそれぞれの表示されたビデオフィード及び／又は画像フィードを制御するように構成されている。様々な例において、ディスプレイモニタのそれぞれは、特定の外科用装置又はシステムからの個々のビデオフィード及び／又は画像フィードを表示する。様々な例において、個々のビデオフィード及び／又は画像フィードは、他の装置又はシステムからの更なる情報及び／又はビデオフィード及び／又は画像フィードと重ね合わせることができる。このような情報は、動作パラメータ及び／又は検出された条件を含むことができる。外科用ハブ１３８７０は、どのディスプレイモニタにどのビデオフィード及び／又は画像フィードを表示するのかを要求するように構成されている。換言すれば、外科用ハブ１３８７０とハブディスプレイ１３８８０との間の通信リンクにより、ビデオハブが１つ又は２つ以上のディスプレイモニタの直接制御を継続する一方で、外科用ハブ１３８７０が、どのビデオフィード及び／又は画像フィードをどのディスプレイモニタに割り当てるのかを指示することができる。様々な例において、ハブディスプレイ１３８８０は、１つ又は２つ以上のディスプレイモニタを外科用ハブ１３８７０から分離し、分離されたディスプレイモニタ上に異なる外科用ハブ又は外科用装置が関連情報を表示することを可能にするように構成されている。
【０３５４】
様々な例において、外科用ハブは、記憶されたデータを、データの協働的な利用を可能にする機関データバリア（institution data barrier）内の他のデータシステムとの間で伝送するように構成されている。そのような確立されたデータシステムは、例えば、電子医療記録（ＥＭＲ）データベースを含んでもよい。外科用ハブは、外科用ハブとＥＭＲデータベースとの間の通信を利用して、病院の全体的な外科的傾向を、外科用ハブの使用中に記録されたローカルデータセットとリンクさせるように構成されている。
【０３５５】
様々な例において、外科用ハブは、病院及び／又は手術センターの特定の手術室に配置されている。図４７に示されるように、病院及び／又は手術センターは、手術室ＯＲ１、ＯＲ２、ＯＲ３及びＯＲ４を含む。図４７に示す手術室ＯＲ２、ＯＲ３及びＯＲ４のうちの３つは、それぞれ外科用ハブ１３９１０、１３９２０、１３９３０を含むが、任意の好適な数の外科用ハブを使用することができる。各外科用ハブ１３９１０、１３９２０、１３９３０は、信号矢印Ａによって表されるように、互いに信号通信を行うように構成されている。各外科用ハブ１３９１０、１３９２０、１３９３０はまた、図４７の信号矢印Ｂによって表されるように、一次サーバ１３９４０と信号通信を行うように構成されている。
【０３５６】
様々な例において、外科用ハブ１３９１０、１３９２０、１３９３０は、データが外科処置中に外科用ハブ１３９１０、１３９２０、１３９３０と様々な外科用器具との間で伝送される際に、伝送されたデータを一時的に記憶するように構成されている。外科的処置の終了時及び／又は所定時間の終了時に、各外科用ハブ１３９１０、１３９２０、１３９３０は、記憶された情報を一次サーバ１３９４０に伝送するように構成されている。記憶された情報が一次サーバ１３９４０に伝送されると、その情報は、個々の外科用ハブ１３９１０、１３９２０、１３９３０のメモリから削除されてもよい。記憶された情報は、例えば、記憶されたデータをクラウド分析「Ｃ」に送信するための帯域幅を巡る外科用ハブ１３９１０、１３９２０、１３９３０間の競合を緩和するために、一次サーバ１３９４０に伝送される。代わりに、一次サーバ１３９４０は、伝送されたデータをコンパイル及び記憶するように構成されている。一次サーバ１３９４０は、個々の外科用ハブ１３９１０、１３９２０、１３９３０へ情報を戻す伝送のための、及び／又は外部ダウンロードのための単一のクリアリングハウスとなるように構成されている。加えて、全てのデータが一次サーバ１３９４０内の１つの場所に記憶されるため、データは、例えば、電力サージ及び／又はデータ侵入などのデータ破壊事象からより良好に保護される。様々な例において、一次サーバ１３９４０は、より良好なデータ完全性を可能にする更なるサーバレベル機器を含む。クラウドシステムの例については、本明細書中、及びその開示全体が参照により本明細書に組み込まれる、「ＣＬＯＵＤ−ＢＡＳＥＤ  ＭＥＤＩＣＡＬ  ＡＮＡＬＹＴＩＣＳ」と題する２０１７年１２月２８日出願の米国仮特許出願第６２／６１１，３４０号で更に説明されている。
【０３５７】
図４７及び図４８を参照すると、データが各制御ハブ１３９１０、１３９２０、１３９３０から一次サーバ１３９４０に伝送され始めると、データが伝送される順序付けを行うためにキュー１３９９０が作成される。様々な例において、キュー１３９９０は、データに先入れ先出しとして順序付けを行うが、あらゆる適切な順序付けプロトコルを使用してもよい。様々な例において、キュー１３９９０は、優先イベント及び／又は異常データが検出された場合に、受信されたデータが伝送される順序付けを再度行うように構成されている。図４８に示すように、ブロック１３９６０において、第１の外科用ハブが時点ｔ＝１で第１のデータセットを伝送する。第１のデータセットはブロック１３９９２で外部出力キューにある唯一のデータであるため、第１のデータセットの伝送順序は１番目である。したがって、ブロック１３９６５において、キュー１３９９０は第１のデータセットに外部出力の順序付けを行う。ブロック１３９７０において、第２の外科用ハブが時点ｔ＝２で第２のデータセットを伝送する。ブロック１３９９４において、第１のデータセットは、時点ｔ＝２ではまだ外部に伝送されていない。しかしながら、優先イベント及び／又は異常データが第２のデータセットに存在しないため、ブロック１３９７５において、第２のデータセットは、外部伝送の列で２番目である。ブロック１３９８０において、第３の外科用ハブが時点ｔ＝３で緊急のフラグが立てられた第３のデータセットを伝送する。ブロック１３９８５において、時点ｔ＝３では第１のデータセット及び第２のデータセットは外部へ伝送されていないが、第３のデータセットで優先イベントが検出されている。ブロック１３９９６において、キューは、データセットの順序付けを再度行い、順序付けされた第３のデータセットを、それぞれ、時点ｔ＝１及び時点ｔ＝２で収集された第１のデータセット及び第２のデータセットよりも前に外部送信される１番目の位置とするように構成されている。
【０３５８】
一態様では、外科用ハブは、本明細書で説明するように、プロセッサと、プロセッサに通信可能に結合されたメモリとを含む。メモリは、本明細書に記載されるように、電動外科用器具の存在を検出し、電動外科用器具をハブディスプレイ上に表現するための、プロセッサによって実行可能な命令を記憶している。
【０３５９】
様々な態様において、本開示は、本明細書に記載されるように、電動外科用器具の存在を検出し、電動外科用器具をハブディスプレイ上に表現する制御回路を提供する。様々な態様において、本開示は、実行されると、本明細書に記載されるように、機械に、電動外科用器具の存在を検出させ、電動外科用器具をハブディスプレイ上に表現させるためのコンピュータ可読命令を記憶している非一時的コンピュータ可読媒体を提供する。
【０３６０】
以下の開示内容全体が参照により本明細書に組み込まれる。
・２０１１年５月２７日出願、２０１５年７月７日発行の「ＳＵＲＧＩＣＡＬ  ＳＴＡＰＬＩＮＧ  ＩＮＳＴＲＵＭＥＮＴＳ  ＷＩＴＨ  ＲＯＴＡＴＡＢＬＥ  ＳＴＡＰＬＥ  ＤＥＰＬＯＹＭＥＮＴ  ＡＲＲＡＮＧＥＭＥＮＴＳ」と題する米国特許第９，０７２，５３５号、
・２０１２年６月２８日出願、２０１５年７月７日発行の「ＤＩＦＦＥＲＥＮＴＩＡＬ  ＬＯＣＫＩＮＧ  ＡＲＲＡＮＧＥＭＥＮＴＳ  ＦＯＲ  ＲＯＴＡＲＹ  ＰＯＷＥＲＥＤ  ＳＵＲＧＩＣＡＬ  ＩＮＳＴＲＵＭＥＮＴＳ」と題する米国特許第９，０７２，５３６号、
・２０１２年６月２８日出願、２０１５年１２月８日発行の「ＦＬＥＸＩＢＬＥ  ＤＲＩＶＥ  ＭＥＭＢＥＲ」と題する米国特許第９，２０４，８７９号、
・２０１２年６月２８日出願、２０１７年２月７日発行の「ＩＮＴＥＲＣＨＡＮＧＥＡＢＬＥ  ＣＬＩＰ  ＡＰＰＬＩＥＲ」と題する米国特許第９，５６１，０３８号、
・２０１４年９月５日出願、２０１７年９月１２日発行の「ＭＵＬＴＩＰＬＥ  ＳＥＮＳＯＲＳ  ＷＩＴＨ  ＯＮＥ  ＳＥＮＳＯＲ  ＡＦＦＥＣＴＩＮＧ  Ａ  ＳＥＣＯＮＤ  ＳＥＮＳＯＲ’Ｓ  ＯＵＴＰＵＴ  ＯＲ  ＩＮＴＥＲＰＲＥＴＡＴＩＯＮ」と題する米国特許第９，７５７，１２８号、
・２０１５年３月６日出願の「ＯＶＥＲＬＡＩＤ  ＭＵＬＴＩ  ＳＥＮＳＯＲ  ＲＡＤＩＯ  ＦＲＥＱＵＥＮＣＹ（ＲＦ）ＥＬＥＣＴＲＯＤＥ  ＳＹＳＴＥＭ  ＴＯ  ＭＥＡＳＵＲＥ  ＴＩＳＳＵＥ  ＣＯＭＰＲＥＳＳＩＯＮ」と題する米国特許出願第１４／６４０，９３５号、現在は米国特許出願公開第２０１６／０２５６０７１号、
・２０１６年１２月１６日出願の「ＭＯＤＵＬＡＲ  ＢＡＴＴＥＲＹ  ＰＯＷＥＲＥＤ  ＨＡＮＤＨＥＬＤ  ＳＵＲＧＩＣＡＬ  ＩＮＳＴＲＵＭＥＮＴ  ＷＩＴＨ  ＳＥＬＥＣＴＩＶＥ  ＡＰＰＬＩＣＡＴＩＯＮ  ＯＦ  ＥＮＥＲＧＹ  ＢＡＳＥＤ  ＯＮ  ＴＩＳＳＵＥ  ＣＨＡＲＡＣＴＥＲＩＺＡＴＩＯＮ」と題する米国特許出願第１５／３８２，２３８号、現在は米国特許出願公開第２０１７／０２０２５９１号及び、
・２０１６年８月１６日出願の「ＣＯＮＴＲＯＬ  ＯＦ  ＡＤＶＡＮＣＥＭＥＮＴ  ＲＡＴＥ  ＡＮＤ  ＡＰＰＬＩＣＡＴＩＯＮ  ＦＯＲＣＥ  ＢＡＳＥＤ  ＯＮ  ＭＥＡＳＵＲＥＤ  ＦＯＲＣＥＳ」と題する米国特許出願第１５／２３７，７５３号、現在は米国特許出願公開第２０１８／００４９８２２号。
各々をその全体にわたって参照により本明細書に援用する。
【０３６１】
本明細書に記載される主題の様々な態様は、以下の番号付けされた実施例において説明される。
【０３６２】
実施例１−外科用システムは、ロボットツールと、ロボット制御システムと、外科用器具と、ディスプレイを含む外科用ハブとを備える。ロボット制御システムは、制御コンソールと、制御コンソール及びロボットツールと信号通信を行う制御ユニットとを含む。外科用ハブはロボット制御システムと信号通信を行い、外科用ハブは、外科用器具を検出し、外科用器具をディスプレイ上に表現するように構成されている。
【０３６３】
実施例２−外科用器具が電動自律型外科用器具を含む、実施例１に記載の外科用システム。
【０３６４】
実施例３−外科用器具がロボット制御システムから独立している、実施例１及び実施例２のいずれか１つに記載の外科用システム。
【０３６５】
実施例４−外科用ハブが、ディスプレイ上に外科用器具の位置を表示するように構成されている、実施例１〜実施例３のいずれか１つに記載の外科用システム。
【０３６６】
実施例５−外科用ハブが、ディスプレイ上に外科用器具の動作状態を表示するように構成されている、実施例１〜実施例４のいずれか１つに記載の外科用システム。
【０３６７】
実施例６−ディスプレイがヘッドアップディスプレイを含む、実施例１〜実施例５のいずれか１つに記載の外科用システム。
【０３６８】
実施例７−外科用ハブが、ロボットツールの位置に対する外科用器具の検出に基づいて外科的機能を推奨するように構成された状況認識モジュールを更に備える、実施例１〜実施例６のいずれか１つに記載の外科用システム。
【０３６９】
実施例８−外科用システムは、ロボットツールと、ロボット制御システムと、複数の動作状態で動作可能な外科用器具と、ディスプレイを含む外科用ハブと、を備える。ロボット制御システムは、制御コンソールと、制御コンソール及びロボットツールと信号通信を行う制御ユニットとを含む。外科用ハブはロボット制御システムと信号通信を行い、外科用ハブは、外科用器具の起動された動作状態を検出し、起動された動作状態をディスプレイ上に表現するように構成されている。
【０３７０】
実施例９−外科用器具が電動外科用装置を含む、実施例８に記載の外科用システム。
【０３７１】
実施例１０−外科用器具が自律型外科用器具である、実施例８及び実施例９のいずれか１つに記載の外科用システム。
【０３７２】
実施例１１−外科用ハブが、外科用器具の向きをディスプレイ上に外科用器具の向きを表示するように構成されている、実施例８〜実施例１０のいずれか１つに記載の外科用システム。
【０３７３】
実施例１２−外科用ハブが、ディスプレイ上に外科用器具の動作状態を表示するように構成されている、実施例８〜実施例１１のいずれか１つに記載の外科用システム。
【０３７４】
実施例１３−ロボットツールの位置に対する外科用器具の検出に基づいて外科的機能を推奨するように構成された状況認識モジュールを更に備える、実施例８〜実施例１２のいずれか１つに記載の外科用システム。
【０３７５】
実施例１４−外科用システムが、ロボットツールと、ロボット制御システムと、外科用器具と、外科用ハブと、外科用ハブと信号通信を行うディスプレイとを備える。ロボット制御システムは、制御コンソールと、制御コンソール及びロボットツールと信号通信を行う制御ユニットとを含む。外科用ハブはロボット制御システムと信号通信を行い、外科用ハブは、外科用器具を検出するように構成されている。外科用ハブは、ディスプレイ上に外科用器具を表現するように構成されている。
【０３７６】
実施例１５−外科用器具が電動外科用器具を含む、実施例１４に記載の外科用システム。
【０３７７】
実施例１６−外科用器具がロボット制御システムから独立している、実施例１４及び実施例１５のいずれか１つに記載の外科用システム。
【０３７８】
実施例１７−外科用ハブが、ディスプレイ上に外科用器具の位置を表示するように構成されている、実施例１４〜実施例１６のいずれか１つに記載の外科用システム。
【０３７９】
実施例１８−外科用ハブが、ディスプレイ上に外科用器具の動作状態を表示するように構成されている、実施例１４〜実施例１７のいずれか１つに記載の外科用システム。
【０３８０】
実施例１９−ディスプレイがヘッドアップディスプレイを含む、実施例１４〜実施例１８のいずれか１つに記載の外科用システム。
【０３８１】
実施例２０−ロボットツールの位置に対する外科用器具の検出に基づいて外科的機能を推奨するように構成された状況認識モジュールを更に備える、実施例１４〜実施例１９のいずれか１つに記載の外科用システム。
【０３８２】
いくつかの形態が例示され説明されてきたが、添付の「特許請求の範囲」をそのような詳述に制限又は限定することは、本出願人が意図するところではない。多数の修正、変形、変化、置換、組み合わせ及びこれらの形態の等価物を実装することができ、本開示の範囲から逸脱することなく当業者により想到されるであろう。更に、記述する形態に関連した各要素の構造は、その要素によって行われる機能を提供するための手段として代替的に説明することができる。また、材料が特定の構成要素に関して開示されているが、他の材料が使用されてもよい。したがって、上記の説明文及び添付の特許請求の範囲は、全てのそのような修正、組み合わせ、及び変形を、開示される形態の範囲に含まれるものとして網羅することを意図としたものである点を理解されたい。添付の特許請求の範囲は、全てのそのような修正、変形、変化、置換、修正、及び等価物を網羅することを意図する。
【０３８３】
上記の詳細な説明は、ブロック図、フローチャート、及び／又は実施例を用いて装置及び／又はプロセスの様々な形態について記載してきた。そのようなブロック図、フローチャート、及び／又は実施例が１つ若しくは２つ以上の機能及び／又は動作を含む限り、当業者に理解されたいこととして、そのようなブロック図、フローチャート、及び／又は実施例に含まれる各機能及び／又は動作は、多様なハードウェア、ソフトウェア、ファームウェア、又はこれらの事実上の任意の組み合わせによって、個々にかつ／又は集合的に実装することができる。当業者には、本明細書で開示される形態のうちのいくつかの態様の全部又は一部が、１台以上のコンピュータ上で稼働する１つ又は２つ以上のコンピュータプログラムとして（例えば、１台以上のコンピュータシステム上で稼働する１つ又は２つ以上のプログラムとして）、１つ又は２つ以上のプロセッサ上で稼働する１つ又は２つ以上のプログラムとして（例えば、１つ又は２つ以上のマイクロプロセッサ上で稼働する１つ又は２つ以上のプログラムとして）、ファームウェアとして、又はこれらの実質的に任意の組み合わせとして集積回路上で等価に実現することができ、また、回路を設計すること、並びに／又はソフトウェア及び／若しくはファームウェアのコードを記述することは、本開示を鑑みれば当業者の技能の範囲内に十分に含まれることが理解されよう。更に、当業者には理解されることとして、本明細書に記載した主題の機構は、多様な形式で１つ又は２つ以上のプログラム製品として配布されることが可能であり、本明細書に記載した主題の具体的な形態は、配布を実際に行うために使用される信号搬送媒体の特定の種類にかかわらず用いられる。
【０３８４】
様々な開示された態様を実行するように論理をプログラムするために使用される命令は、ダイナミックランダムアクセスメモリ（ＤＲＡＭ）、キャッシュ、フラッシュメモリ、又は他のストレージなどのシステム内メモリに記憶され得る。更に、命令は、ネットワークを介して、又は他のコンピュータ可読媒体によって分配され得る。したがって、機械可読媒体としては、機械（例えば、コンピュータ）によって読み出し可能な形態で情報を記憶又は送信するための任意の機構が挙げられ得るが、フロッピーディスケット、光ディスク、コンパクトディスク、読み出し専用メモリ（ＣＤ−ＲＯＭ）、並びに磁気光学ディスク、読み出し専用メモリ（ＲＯＭ）、ランダムアクセスメモリ（ＲＡＭ）、消去可能プログラマブル読み出し専用メモリ（ＥＰＲＯＭ）、電気的消去可能プログラマブル読み出し専用メモリ（ＥＥＰＲＯＭ）、磁気若しくは光カード、フラッシュメモリ、又は、電気的、光学的、音響的、若しくは他の形態の伝播信号（例えば、搬送波、赤外線信号、デジタル信号など）を介してインターネットを介した情報の送信に使用される有形機械可読ストレージに限定されない。したがって、非一時的コンピュータ可読媒体としては、機械（例えば、コンピュータ）によって読み出し可能な形態で電子命令又は情報を記憶又は送信するのに好適な任意の種類の有形機械可読媒体が挙げられる。
【０３８５】
本明細書の任意の態様で使用されるとき、用語「制御回路」は、例えば、ハードワイヤード回路、プログラマブル回路（例えば、１つ又は２つ以上の個々の命令処理コアを含むコンピュータプロセッサ、処理ユニット、プロセッサ、マイクロコントローラ、マイクロコントローラユニット、コントローラ、デジタル信号プロセッサ（ＤＳＰ）、プログラマブル論理機構（ＰＬＤ）、プログラマブル論理アレイ（ＰＬＡ）、又はフィールドプログラマブルゲートアレイ（ＦＰＧＡ））、状態マシン回路、プログラマブル回路によって実行される命令を記憶するファームウェア、及びこれらの任意の組み合わせを指すことができる。制御回路は、集合的に又は個別に、例えば、集積回路（ＩＣ）、特定用途向け集積回路（ＡＳＩＣ）、システムオンチップ（ＳｏＣ）、デスクトップコンピュータ、ラップトップコンピュータ、タブレットコンピュータ、サーバ、スマートフォンなどの、より大きなシステムの一部を形成する回路として具現化され得る。したがって、本明細書で使用するとき、「制御回路」としては、少なくとも１つの個別の電気回路を有する電気回路、少なくとも１つの集積回路を有する電気回路、少なくとも１つの特定用途向け集積回路を有する電気回路、コンピュータプログラムによって構成された汎用コンピューティング装置（例えば、本明細書で説明したプロセス及び／若しくは装置を少なくとも部分的に実行するコンピュータプログラムによって構成された汎用コンピュータ、又は本明細書で説明したプロセス及び／若しくは装置を少なくとも部分的に実行するコンピュータプログラムによって構成されたマイクロプロセッサ）を形成する電気回路、メモリ装置（例えば、ランダムアクセスメモリの形態）を形成する電気回路、及び／又は通信装置（例えばモデム、通信スイッチ、又は光−電気設備）を形成する電気回路が挙げられるが、これらに限定されない。当業者は、本明細書で述べた主題が、アナログ若しくはデジタルの形式又はこれらのいくつかの組み合わせで実現されてもよいことを認識するであろう。
【０３８６】
本明細書の任意の態様で使用される場合、用語「論理」は、前述の動作のいずれかを実行するように構成されたアプリケーション、ソフトウェア、ファームウェア、及び／又は回路を指し得る。ソフトウェアは、非一時的コンピュータ可読記憶媒体上に記録されたソフトウェアパッケージ、コード、命令、命令セット、及び／又はデータとして具現化されてもよい。ファームウェアは、メモリ装置内のコード、命令、若しくは命令セット、及び／又はハードコードされた（例えば、不揮発性の）データとして具現化されてもよい。
【０３８７】
本明細書の任意の態様で使用するとき、用語「構成要素」、「システム」、「モジュール」などは、ハードウェア、ハードウェアとソフトウェアとの組み合わせ、ソフトウェア、又は実行中のソフトウェアのいずれかであるコンピュータ関連エンティティを指すことができる。
【０３８８】
本明細書の任意の態様で使用するとき、「アルゴリズム」とは、所望の結果につながる工程の自己無撞着シーケンスを指し、「工程」とは、必ずしも必要ではないが、記憶、転送、結合、比較、及び別様に操作されることが可能な電気又は磁気信号の形態をなすことができる物理量及び／又は論理状態の操作を指す。これらの信号を、ビット、値、要素、記号、文字、用語、番号などとして言及することが一般的な扱い方である。これらの及び類似の用語は、適切な物理量と関連付けられてもよく、また単に、これらの量及び／又は状態に適用される便利なラベルである。
【０３８９】
ネットワークとしては、パケット交換ネットワークが挙げられ得る。通信装置は、選択されたパケット交換ネットワーク通信プロトコルを使用して、互いに通信することができる。１つの例示的な通信プロトコルとしては、伝送制御プロトコル／インターネットプロトコル（ＴＣＰ／ＩＰ）を使用して通信を可能にすることができるイーサネット通信プロトコルを挙げることができる。イーサネットプロトコルは、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）によって発行された２００８年１２月発行の表題「ＩＥＥＥ８０２．３Ｓｔａｎｄａｒｄ」、及び／又は本規格の後のバージョンのイーサネット規格に準拠するか、又は互換性があり得る。代わりに又は加えて、通信装置は、Ｘ．２５通信プロトコルを使用して互いに通信することができる。Ｘ．２５通信プロトコルは、Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ（ＩＴＵ−Ｔ）によって公布された規格に準拠するか、又は互換性があり得る。代わりに又は加えて、通信装置は、フレームリレー通信プロトコルを使用して互いに通信することができる。フレームリレー通信プロトコルは、Ｃｏｎｓｕｌｔａｔｉｖｅ  Ｃｏｍｍｉｔｔｅｅ  ｆｏｒ  Ｉｎｔｅｒｎａｔｉｏｎａｌ  Ｔｅｌｅｇｒａｐｈ  ａｎｄ  Ｔｅｌｅｐｈｏｎｅ（ＣＣＩＴＴ）及び／又はｔｈｅ  Ａｍｅｒｉｃａｎ  Ｎａｔｉｏｎａｌ  Ｓｔａｎｄａｒｄｓ  Ｉｎｓｔｉｔｕｔｅ（ＡＮＳＩ）によって公布された規格に準拠するか、又は互換性があり得る。代わりに又は加えて、送受信機は、非同期転送モード（ＡＴＭ）通信プロトコルを使用して互いに通信することが可能であり得る。ＡＴＭ通信プロトコルは、ＡＴＭ  Ｆｏｒｕｍによって「ＡＴＭ−ＭＰＬＳ  Ｎｅｔｗｏｒｋ  Ｉｎｔｅｒｗｏｒｋｉｎｇ２．０」という題で２００１年８月に公開されたＡＴＭ規格及び／又は本規格の後のバージョンに準拠するか、又は互換性があり得る。当然のことながら、異なる及び／又は後に開発されたコネクション型ネットワーク通信プロトコルが、本明細書で等しく企図される。
【０３９０】
別段の明確な定めがない限り、前述の開示から明らかなように、前述の開示全体を通じて、「処理する」、「計算する」、「算出する」、「決定する」、「表示する」などの用語を使用する議論は、コンピュータシステムのレジスタ及びメモリ内で物理（電子的）量として表現されるデータを、コンピュータシステムのメモリ若しくはレジスタ又はそのような情報記憶、伝送、若しくは表示装置内で物理量として同様に表現される他のデータへと操作し変換する、コンピュータシステム又は類似の電子計算装置の動作及び処理を指していることが理解されよう。
【０３９１】
１つ又は２つ以上の構成要素が、本明細書中で、「ように構成される（configured to）」、「ように構成可能である（configurable to）」、「動作可能である／ように動作する（operable/operative to）」、「適合される／適合可能である（adapted/adaptable）」、「ことが可能である（able to）」、「準拠可能である／準拠する（conformable/conformed to）」などと言及され得る。当業者は、「ように構成される」は、一般に、文脈上他の意味に解釈すべき場合を除き、起動状態の構成要素及び／又は停止状態の構成要素及び／又は待機状態の構成要素を包含し得ることを理解するであろう。
【０３９２】
「近位」及び「遠位」という用語は、本明細書では、外科用器具のハンドル部分を操作する臨床医を基準として使用される。「近位」という用語は、臨床医に最も近い部分を指し、「遠位」という用語は、臨床医から離れた位置にある部分を指す。便宜上及び明確性のために、「垂直」、「水平」、「上」、及び「下」などの空間的用語が、本明細書において図面に対して使用され得ることが更に理解されよう。しかしながら、外科用器具は、多くの向き及び位置で使用されるものであり、これらの用語は限定的及び／又は絶対的であることを意図したものではない。
【０３９３】
当業者は、一般に、本明細書で使用され、かつ特に添付の特許請求の範囲（例えば、添付の特許請求の範囲の本文）で使用される用語は、概して「オープンな」用語として意図されるものである（例えば、「含む（including）」という用語は、「〜を含むが、それらに限定されない（including but not limited to）」と解釈されるべきであり、「有する（having）」という用語は「〜を少なくとも有する（having at least）」と解釈されるべきであり、「含む（includes）」という用語は「〜を含むが、それらに限定されない（includes but is not limited to）」と解釈されるべきであるなど）ことを理解するであろう。更に、導入された請求項記載（introduced claim recitation）において特定の数が意図される場合、かかる意図は当該請求項中に明確に記載され、またかかる記載がない場合は、かかる意図は存在しないことが、当業者には理解されるであろう。例えば、理解を助けるものとして、後続の添付の特許請求の範囲は、「少なくとも１つの（at least one）」及び「１つ又は２つ以上の（one or more）」という導入句を、請求項記載を導入するために含むことがある。しかしながら、かかる句の使用は、「ａ」又は「ａｎ」という不定冠詞によって請求項記載を導入した場合に、たとえ同一の請求項内に「１つ以上の」又は「少なくとも１つの」といった導入句及び「ａ」又は「ａｎ」という不定冠詞が含まれる場合であっても、かかる導入された請求項記載を含むいかなる特定の請求項も、かかる記載事項を１つのみ含む請求項に限定されると示唆されるものと解釈されるべきではない（例えば、「ａ」及び／又は「ａｎ」は通常、「少なくとも１つの」又は「１つ以上の」を意味するものと解釈されるべきである）。定冠詞を使用して請求項記載を導入する場合にも、同様のことが当てはまる。
【０３９４】
更に、導入された請求項記載において特定の数が明示されている場合であっても、かかる記載は、典型的には、少なくとも記載された数を意味するものと解釈されるべきであることが、当業者には認識されるであろう（例えば、他に修飾語のない、単なる「２つの記載事項」という記載がある場合、一般的に、少なくとも２つの記載事項、又は２つ以上の記載事項を意味する）。更に、「Ａ、Ｂ、及びＣなどのうちの少なくとも１つ」に類する表記が用いられる場合、一般に、かかる構文は、当業者がその表記を理解するであろう意味で意図されている（例えば、「Ａ、Ｂ、及びＣのうちの少なくとも１つを有するシステム」は、限定するものではないが、Ａのみ、Ｂのみ、Ｃのみ、ＡとＢの両方、ＡとＣの両方、ＢとＣの両方、及び／又はＡとＢとＣの全てなどを有するシステムを含む）。「Ａ、Ｂ、又はＣなどのうちの少なくとも１つ」に類する表記が用いられる場合、一般に、かかる構文は、当業者がその表記を理解するであろう意味で意図されている（例えば、「Ａ、Ｂ、又はＣのうちの少なくとも１つを有するシステム」は、限定するものではないが、Ａのみ、Ｂのみ、Ｃのみ、ＡとＢの両方、ＡとＣの両方、ＢとＣの両方、及び／又はＡとＢとＣの全てなどを有するシステムを含む）。更に、典型的には、２つ若しくは３つ以上の選択的な用語を表すあらゆる離接語及び／又は離接句は、文脈上他の意味に解釈すべき場合を除いて、明細書内であろうと、請求の範囲内であろうと、あるいは図面内であろうと、それら用語のうちの１つ、それらの用語のうちのいずれか、又はそれらの用語の両方を含む可能性を意図すると理解されるべきであることが、当業者には理解されよう。例えば、「Ａ又はＢ」という句は、典型的には、「Ａ」又は「Ｂ」又は「Ａ及びＢ」の可能性を含むものと理解されよう。
【０３９５】
添付の特許請求の範囲に関して、当業者は、本明細書における引用した動作は一般に、任意の順序で実施され得ることを理解するであろう。また、様々な動作のフロー図がシーケンスで示されているが、様々な動作は、例示されたもの以外の順序で行われてもよく、又は同時に行われてもよいことが理解されるべきである。かかる代替の順序付けの例は、文脈上他の意味に解釈すべき場合を除いて、重複、交互配置、割り込み、再順序付け、増加的、予備的、追加的、同時、逆、又は他の異なる順序付けを含んでもよい。更に、「〜に応答する」、「〜に関連する」といった用語、又は他の過去時制の形容詞は、一般に、文脈上他の意味に解釈すべき場合を除き、かかる変化形を除外することが意図されるものではない。
【０３９６】
「一態様」、「態様」、「例示」、「一例示」などへの任意の参照は、その態様に関連して記載される特定の機構、構造、又は特性が少なくとも１つの態様に含まれると意味することは特記に値する。したがって、本明細書の全体を通じて様々な場所に見られる語句「一態様では」、「態様では」、「例示では」、及び「一例示では」は、必ずしも全てが同じ態様を指すものではない。更に、特定の特徴、構造、又は特性は、１つ又は２つ以上の態様において任意の好適な様態で組み合わせることができる。
【０３９７】
本明細書で参照され、かつ／又は任意の出願データシートに列挙される任意の特許出願、特許、非特許刊行物、又は他の開示資料は、組み込まれる資料が本明細書と矛盾しない範囲で、参照により本明細書に組み込まれる。それ自体、また必要な範囲で、本明細書に明瞭に記載される開示内容は、参考として本明細書に組み込まれているあらゆる矛盾する記載に優先するものとする。現行の定義、見解、又は本明細書に記載される他の開示内容と矛盾する任意の内容、又はそれらの部分は本明細書に参考として組み込まれるものとするが、参照内容と現行の開示内容との間に矛盾が生じない範囲においてのみ、参照されるものとする。
【０３９８】
要約すると、本明細書に記載した構想を用いる結果として得られる多くの利益が記載されてきた。１つ又は２つ以上の形態の上述の記載は、例示及び説明を目的として提示されているものである。包括的であることも、開示された厳密な形態に限定することも意図されていない。上記の教示を鑑みて、修正又は変形が可能である。１つ又は２つ以上の形態は、原理及び実際の応用について例示し、それによって、様々な形態を様々な修正例と共に、想到される特定の用途に適するものとして当業者が利用できるようにするために、選択され記載されたものである。本明細書と共に提示される特許請求の範囲が全体的な範囲を定義することが意図される。
【０３９９】
〔実施の態様〕
（１）  外科用システムであって、
ロボットツールと、
ロボット制御システムであって、
制御コンソールと、
前記制御コンソール及び前記ロボットツールと信号通信を行う制御ユニットと、を含むロボット制御システムと、
外科用器具と、
ディスプレイを含む外科用ハブであって、前記ロボット制御システムと信号通信を行い、前記外科用器具を検出し、前記外科用器具を前記ディスプレイ上に表現するように構成されている、外科用ハブと、を備える、外科用システム。
（２）  前記外科用器具が電動自律型外科用器具を含む、実施態様１に記載の外科用システム。
（３）  前記外科用器具が前記ロボット制御システムから独立している、実施態様１に記載の外科用システム。
（４）  前記外科用ハブが、前記ディスプレイ上に前記外科用器具の位置を表示するように構成されている、実施態様１に記載の外科用システム。
（５）  前記外科用ハブが、前記ディスプレイ上に前記外科用器具の動作状態を表示するように構成されている、実施態様１に記載の外科用システム。
【０４００】
（６）  前記ディスプレイがヘッドアップディスプレイを含む、実施態様１に記載の外科用システム。
（７）  前記外科用ハブが、前記ロボットツールの位置に対する前記外科用器具の前記検出に基づいて外科的機能を推奨するように構成された状況認識モジュールを更に備える、実施態様１に記載の外科用システム。
（８）  外科用システムであって、
ロボットツールと、
ロボット制御システムであって、
制御コンソールと、
前記制御コンソール及び前記ロボットツールと信号通信を行う制御ユニットと、を含むロボット制御システムと、
複数の動作状態で動作可能な外科用器具と、
ディスプレイを含む外科用ハブであって、前記ロボット制御システムと信号通信を行い、前記外科用器具の起動された動作状態を検出し、前記起動された動作状態を前記ディスプレイ上に表現するように構成されている、外科用ハブと、を備える、外科用システム。
（９）  前記外科用器具が電動外科用装置を含む、実施態様８に記載の外科用システム。
（１０）  前記外科用器具が自律型外科用器具である、実施態様８に記載の外科用システム。
【０４０１】
（１１）  前記外科用ハブが、前記ディスプレイ上に前記外科用器具の向きを表示するように構成されている、実施態様８に記載の外科用システム。
（１２）  前記外科用ハブが、前記ディスプレイ上に前記外科用器具の動作状態を表示するように構成されている、実施態様８に記載の外科用システム。
（１３）  前記ロボットツールの位置に対する前記外科用器具の前記検出に基づいて外科的機能を推奨するように構成された状況認識モジュールを更に備える、実施態様８に記載の外科用システム。
（１４）  外科用システムであって、
ロボットツールと、
ロボット制御システムであって、
制御コンソールと、
前記制御コンソール及び前記ロボットツールと信号通信を行う制御ユニットと、を含むロボット制御システムと、
外科用器具と、
外科用ハブであって、前記ロボット制御システムと信号通信を行い、前記外科用器具を検出するように構成されている、外科用ハブと、
前記外科用ハブと信号通信を行うディスプレイであって、前記外科用ハブが前記ディスプレイ上に前記外科用器具を表現するように構成されている、ディスプレイと、を備える、外科用システム。
（１５）  前記外科用器具が電動外科用器具を含む、実施態様１４に記載の外科用システム。
【０４０２】
（１６）  前記外科用器具が前記ロボット制御システムから独立している、実施態様１４に記載の外科用システム。
（１７）  前記外科用ハブが、前記ディスプレイ上に前記外科用器具の位置を表示するように構成されている、実施態様１４に記載の外科用システム。
（１８）  前記外科用ハブが、前記ディスプレイ上に前記外科用器具の動作状態を表示するように構成されている、実施態様１４に記載の外科用システム。
（１９）  前記ディスプレイがヘッドアップディスプレイを含む、実施態様１４に記載の外科用システム。
（２０）  前記ロボットツールの位置に対する前記外科用器具の前記検出に基づいて外科的機能を推奨するように構成された状況認識モジュールを更に備える、実施態様１４に記載の外科用システム。
【図１】
2021509305.tif 000003
【図２】
2021509305.tif 000004
【図３】
2021509305.tif 000005
【図４】
2021509305.tif 000006
【図５】
2021509305.tif 000007
【図６】
2021509305.tif 000008
【図７】
2021509305.tif 000009
【図８】
2021509305.tif 000010
【図９】
2021509305.tif 000011
【図１０】
2021509305.tif 000012
【図１１】
2021509305.tif 000013
【図１２】
2021509305.tif 000014
【図１３】
2021509305.tif 000015
【図１４】
2021509305.tif 000016
【図１５】
2021509305.tif 000017
【図１６】
2021509305.tif 000018
【図１７】
2021509305.tif 000019
【図１８】
2021509305.tif 000020
【図１９】
2021509305.tif 000021
【図２０】
2021509305.tif 000022
【図２１】
2021509305.tif 000023
【図２２】
2021509305.tif 000024
【図２３】
2021509305.tif 000025
【図２４】
2021509305.tif 000026
【図２５Ａ】
2021509305.tif 000027
【図２５Ｂ】
2021509305.tif 000028
【図２６Ａ】
2021509305.tif 000029
【図２６Ｂ】
2021509305.tif 000030
【図２７】
2021509305.tif 000031
【図２８】
2021509305.tif 000032
【図２９】
2021509305.tif 000033
【図３０】
2021509305.tif 000034
【図３１】
2021509305.tif 000035
【図３２】
2021509305.tif 000036
【図３３】
2021509305.tif 000037
【図３４】
2021509305.tif 000038
【図３５】
2021509305.tif 000039
【図３６】
2021509305.tif 000040
【図３７】
2021509305.tif 000041
【図３８】
2021509305.tif 000042
【図３９】
2021509305.tif 000043
【図４０】
2021509305.tif 000044
【図４１】
2021509305.tif 000045
【図４２】
2021509305.tif 000046
【図４３】
2021509305.tif 000047
【図４４】
2021509305.tif 000048
【図４５】
2021509305.tif 000049
【図４６】
2021509305.tif 000050
【図４７】
2021509305.tif 000051
【図４８】
2021509305.tif 000052
【図４９】
2021509305.tif 000053
【国際調査報告】
2021509305.tif 000054
2021509305.tif 000055